(57)【要約】  いくつかの構成では、少なくとも、意図された治療中に発生する通常のまたは予測される力に応じて、弾性のあるまたは「伸縮性」挙動から「非弾性」挙動に変容するように構成されたヘッドギアシステムおよび／またはヘッドギアシステムを組み込んだインタフェースアセンブリ。いくつかの構成では、使用者の頭部に取り付けらえると、システムは、適切なサイズに向かってまたは適切なサイズに自動的に調整される。呼吸装置と組み合わせて使用されるヘッドギア部分またはアセンブリは、いくつかの構成では、少なくとも実質的に非弾性であり、形状が３次元である。ヘッドギア部分またはアセンブリは、プラスチックコアおよびテキスタイルケーシングを備えることができる。ヘッドギアまたはその一部はまた、一体的に成形されたラベル、接続部、調整機構および／またはグリップを有することができる。
2017531464.tif 000002
【特許請求の範囲】
【請求項１】
呼吸インタフェース用のヘッドギアアセンブリであって、
プラスチックコアと、
テキスタイルケーシングと、
を備え、
前記プラスチックコアおよび前記テキスタイルケーシングが、溶融プラスチック材料を前記テキスタイルケーシング内に加えることによって一体構造として形成されている、ヘッドギアアセンブリ。
【請求項２】
前記テキスタイルケーシングが、前記ヘッドギアの内側に面する面を覆う第１部分を備える、請求項１に記載のヘッドギアアセンブリ。
【請求項３】
前記テキスタイルケーシングが、前記ヘッドギアの外側に面する面を覆う第２部分を備える、請求項２に記載のヘッドギアアセンブリ。
【請求項４】
前記テキスタイルケーシングの前記第１部分および前記第２部分が、第１縁部および第２縁部において接している、請求項３に記載のヘッドギアアセンブリ。
【請求項５】
前記第１部分および前記第２部分が、前記第１縁部および前記第２縁部において互いに接続されていない、請求項４に記載のヘッドギアアセンブリ。
【請求項６】
前記テキスタイルケーシングが、成形型の保持ピンと係合するように構成された１つまたは複数のリテーナ孔を備える、請求項１〜５のいずれか一項に記載のヘッドギアアセンブリ。
【請求項７】
前記ヘッドギアが曲がりかつ／または折れ曲がるのを可能にする少なくとも１つの可撓性接合部をさらに備える、請求項１〜６のいずれか一項に記載のヘッドギアアセンブリ。
【請求項８】
前記少なくとも１つの可撓性接合部が、前記プラスチックコアの複数の部分の間の間隙を含み、前記テキスタイルケーシングが、前記プラスチックコアの前記部分を接続するように前記ギャップ内に延在している、請求項７に記載のヘッドギアアセンブリ。
【請求項９】
前記プラスチックコアの前記部分の間で前記可撓性接合部内に延在する少なくとも１つのブリッジ部分をさらに備える、請求項８に記載のヘッドギアアセンブリ。
【請求項１０】
前記少なくとも１つのブリッジ部分が、前記プラスチックコアの前記部分と一体的に形成されている、請求項９に記載のヘッドギアアセンブリ。
【請求項１１】
使用者の上で呼吸インタフェースを支持するヘッドギアアセンブリであって、
実質的非弾性後方部分と、
実質的非弾性前方部分と、
前記ヘッドギアアセンブリの第１側部の第１弾性側方部分と、
前記ヘッドギアアセンブリの第２側部の第２弾性側方部分と、
前記第１弾性側方部分および前記第２弾性側方部分を通してまたはそれに沿って延在する少なくとも１つのフィラメントであって、前記非弾性後方部分および前記非弾性前方部分のうちの一方に結合された少なくとも１つのフィラメントと、
少なくとも１つの制限機構と、
を備え、
前記少なくとも１つのフィラメントが、前記少なくとも１つの制限機構を通過し、前記少なくとも１つの制限機構が、前記少なくとも１つの制限機構に対する前記少なくとも１つのフィラメントの移動に抵抗するように前記少なくとも１つのフィラメントと選択的に係合するように構成されている、ヘッドギアアセンブリ。
【請求項１２】
前記少なくとも１つの制限機構が、前記非弾性後方部分および前記非弾性前方部分が互いから離れる方向に移動するのを可能にする方向における前記少なくとも１つのフィラメントの移動または移動の試行に対して、第１抵抗力を提供するように構成されている、請求項１１に記載のヘッドギアアセンブリ。
【請求項１３】
前記少なくとも１つの制限機構が、前記非弾性後方部分および前記非弾性前方部分が互いに向かって移動するのを可能にする方向における前記少なくとも１つのフィラメントの移動または移動の試行に対して、第２抵抗力を提供するように構成されており、前記第２抵抗力が前記第１抵抗力より小さい、請求項１２に記載のヘッドギアアセンブリ。
【請求項１４】
前記非弾性前方部分が剛性を有する、請求項１１〜１３のいずれか一項に記載のヘッドギアアセンブリ。
【請求項１５】
前記非弾性前方部分が、呼吸インタフェースに接続されるように構成されている、請求項１４に記載のヘッドギアアセンブリ。
【請求項１６】
前記非弾性前方部分が、前記少なくとも１つのフィラメントの一部を収容する少なくとも１つの収集通路を画定する、請求項１４または１５に記載のヘッドギアアセンブリ。
【請求項１７】
前記第１弾性側方部分および前記第２弾性側方部分が、前記少なくとも１つのフィラメントが通過する開口部を有するエンドキャップをそれぞれ備える、請求項１１〜１６のいずれか一項に記載のヘッドギアアセンブリ。
【請求項１８】
前記エンドキャップが、前記第１弾性側方部分および前記第２弾性側方部分のそれぞれの上にオーバモールドされている、請求項１７に記載のヘッドギアアセンブリ。
【請求項１９】
前記エンドキャップが、前記非弾性前方部分に結合されている、請求項１７または１８に記載のヘッドギアアセンブリ。
【請求項２０】
前記非弾性後方部分、前記非弾性前方部分、前記第１弾性側方部分および前記第２弾性側方部分が、閉ループ外周部を画定する、請求項１１〜１９のいずれか一項に記載のヘッドギアアセンブリ。
【請求項２１】
使用者の上で呼吸インタフェースを支持するヘッドギアアセンブリであって、
前記使用者の頭部の後方部分および／または上方部分と接触するように構成された後方ヘッドギア部分であって、プラスチックコアおよびテキスタイルケーシングを備え、前記プラスチックコアおよび前記テキスタイルケーシングが、前記テキスタイルケーシング内に溶融プラスチック材料を加えることによって一体構造として形成され、前記後方ヘッドギア部分の各側部が、使用時に前記使用者の耳の前方に位置するように構成された取付部分を備える、後方ヘッドギア部分と、
前記ヘッドギアアセンブリの各側部の前記取付部分に設けられたインタフェース接続機構であって、各々が、前記呼吸インタフェースに直接または間接的に結合されるように構成され、各々が、
少なくとも１つの長さ調整機構であって、各々が、弾性要素、コア部材および制限機構を備え、前記コア部材が、前記弾性要素に関連付けられ、かつ前記弾性要素の一端に対して固定されており、前記コア部材が、前記制限機構を通過し、前記制限機構が、前記制限機構に対する前記コア部材の移動に抵抗するように前記コア部材と選択的に係合するように構成されている、少なくとも１つの長さ調整機構
を備える、インタフェース接続機構と、
を備えるヘッドギアアセンブリ。
【請求項２２】
前記後方ヘッドギア部分が、前記後方ヘッドギア部分の上方向における取外しを阻止する、前記使用者の前記耳の下を通過する構造を有していない、請求項２１に記載のヘッドギアアセンブリ。
【請求項２３】
前記インタフェース接続機構の各々が、少なくとも第１長さ調整機構および第２長さ調整機構を備える、請求項２１または２２に記載のヘッドギアアセンブリ。
【請求項２４】
前記取付部分における前記第１長さ調整機構および前記第２長さ調整機構のうちの少なくとも一方の位置が、調整可能である、請求項２３に記載のヘッドギアアセンブリ。
【請求項２５】
前記取付部分の各々が、前記第１長さ調整機構および前記第２長さ調整機構に対する複数の取付位置を備え、前記取付位置が、前記プラスチックコアと一体的に形成されている、請求項２４に記載のヘッドギアアセンブリ。
【請求項２６】
前記インタフェース接続機構を前記呼吸インタフェースに接続するように構成された少なくとも１つのコネクタをさらに備える、請求項２１〜２５のいずれか一項に記載のヘッドギアアセンブリ。
【請求項２７】
前記少なくとも１つのコネクタが、前記コア部材の一部を受け入れるように構成された少なくとも１つの収集通路を備える、請求項２６に記載のヘッドギアアセンブリ。
【請求項２８】
前記制限機構が、前記後方ヘッドギア部分に位置している、請求項２１〜２６のいずれか一項に記載のヘッドギアアセンブリ。
【請求項２９】
前記後方ヘッドギア部分が、前記コア部材の一部を受け入れるように構成された少なくとも１つの収集通路を画定する、請求項２８に記載のヘッドギアアセンブリ。
【請求項３０】
前記少なくとも１つの収集通路が、前記プラスチックコアによって、または前記プラスチックコアと前記テキスタイルケーシングとの間に画定されている、請求項２９に記載のヘッドギアアセンブリ。
【請求項３１】
前記制限機構が、前記弾性要素の端部から離れて位置している、請求項２８に記載のヘッドギアアセンブリ。
【請求項３２】
前記弾性要素の前記端部と前記制限機構との間の前記コア部材の部分に対するガイドをさらに備える、請求項３１に記載のヘッドギアアセンブリ。
【請求項３３】
前記弾性要素が、前記弾性要素を最大長さに制限する非弾性部分を備える、請求項２１〜３２のいずれか一項に記載のヘッドギアアセンブリ。
【発明の詳細な説明】
【技術分野】
【０００１】
あらゆる優先権出願に対する参照による援用
本出願に関連して外国または国内の優先権主張がなされるありとあらゆる出願は、参照により本明細書に組み込まれ、本開示の一部とされる。
【背景技術】
【０００２】
本開示は、呼吸治療で使用されるヘッドギアおよびインタフェースアセンブリに関する。より詳細には、本開示は、実質的に非弾性の３次元ヘッドギア、その一部、およびこうしたヘッドギアを成形するプロセスに関する。成形プロセスのさらなる応用も開示する。
【０００３】
ＮＩＶ、バイレベル（Ｂｉ−ｌｅｖｅｌ）またはＣＰＡＰ等の療法による呼吸疾患または呼吸状態の治療では、導管および呼吸装置（たとえば、マスクまたはカニューレ）を介してヒトの気道に加圧空気を送達する必要がある。通常、マスクは、使用者の鼻および／または口の上または周囲に少なくとも実質的な「シール」をもたらし、一方、カニューレは、シールを提供しないが、補助呼吸ガスの送達のための送達経路を提供する。
【０００４】
この「シール」をもたらす結果、呼吸装置の囲い領域とその内圧との組合せにより、顔面から呼吸装置を押しのけようとする、結果としての力がもたらされる。この力を阻止するために、通常、使用者の頭部の後部および／または頂部の周囲を通る一連のストラップを備えたヘッドギアを用いる。このようなヘッドギアは、通常、Ｂｒｅａｔｈ−ｏ−ｐｒｅｎｅTM等の高コンプライアンス材料から作製される。こうした材料を使用することにより、ヘッドギアは、装着されていないときに比較的小さい構造を有することになる。このように構造が不十分であることにより、ヘッドギアのストラップがもつれることになる可能性があり、それにより、使用者がヘッドギアおよび呼吸装置を着用することが困難になる可能性がある。
【０００５】
ストラップには、頭部サイズのばらつきを考慮するように何らかの形態の調整が必要であり、この調整機構は、通常、マスク本体とヘッドギアとの間の調整ループを介して提供される。調整ループは、フック・ループまたは同様のファスナを有することができ、それにより、ストラップの端部をマスクの取付位置に通すかまたはマスクに取り付けられたクリップに通し、その後ストラップの別の部分に取り付けることができる。こうした構成により、調整ループのサイズを変更するようにストラップの端部をストラップの他の部分の所望の位置に配置することによって、ヘッドギアを調整することができる。
【発明の概要】
【発明が解決しようとする課題】
【０００６】
この種の機構は、ヘッドギア、したがってインタフェースアセンブリ用の調整機構を提供することに対する１つの解決法である。こうしたシステムは、適度なレベルの使用者の相互作用も必要とし、その結果、誤った使い方をされるかまたは正しく調整されない（たとえば、過度に締め付ける）ことになりやすい。実際問題として、こうしたシステムの微調整は、達成するのが困難でありかつ時間がかかる。これに対する実用的な解決法およびそれほど実用的でない解決法をもたらすことは、多数の組織からのかなりの開発努力の対象となっており、その結果、多数の特許がもたらされた。
【０００７】
さらに、これらの従来のヘッドギアは、通常、幾分かの弾性を有するように構成されている。これにより、ヘッドギアが、使用者の頭部の上で伸張し、使用者の頭部に締付け力を加えることになる可能性があり、それは不快である可能性がある。使用が容易でありかつ装着が快適であるヘッドギアおよび呼吸装置を作製することが望ましく、それは、これによって、提供されている治療への使用者のコンプライアンスを向上させることができるためである。
【課題を解決するための手段】
【０００８】
本明細書に記載するシステム、方法および装置は、革新的な態様を有しており、それらの態様のうちのいずれも、それらの望ましい属性に対して不可欠であるかまたはそれのみが関与するものではない。ここで、請求項の範囲を限定することなく、有利な特徴のうちのいくつかについて概説する。
【０００９】
使用者の頭部に取り付けられると、正しいサイズに自動的に調整され、使用されると、弾性のある（ｅｌａｓｔｉｃａｔｅｄ）「伸縮性」ストラップ／ストラッピングから「非弾性」ストラップ／ストラッピングに特性が変容する、ヘッドギアシステムおよび／またはヘッドギアシステムを組み込んだインタフェースアセンブリ。
【００１０】
いくつかの構成では、使用者の上で呼吸インタフェースを支持するヘッドギアアセンブリは、使用者の頭部の後方部分および／または上方部分と接触するように構成された後方ヘッドギア部分を備える。後方ヘッドギア部分は、プラスチックコアおよびテキスタイルケーシングを備える。プラスチックコアおよびテキスタイルケーシングは、テキスタイルケーシング内に溶融プラスチック材料を加えることによって一体構造として形成される。後方ヘッドギア部分の各側部は、使用時に使用者の耳の前方に位置するように構成された取付部分を備える。ヘッドギアアセンブリの各側部の取付部分に、インタフェース接続機構が設けられている。各インタフェース接続機構は、呼吸インタフェースに直接または間接的に結合されるように構成されている。各インタフェース接続機構は、少なくとも１つの長さ調整機構を含む。各長さ調整機構は、弾性要素、コア部材および制限機構を備える。コア部材は、弾性要素に関連付けられ、かつ弾性要素の一端に対して固定されている。コア部材は、制限機構を通過する。制限機構は、制限機構に対するコア部材の移動に抵抗するようにコア部材と選択的に係合するように構成されている。
【００１１】
いくつかの構成では、後方ヘッドギア部分は、後方ヘッドギア部分の上方向における取外しを阻止する、使用者の耳の下を通過する構造を有していない。
【００１２】
いくつかの構成では、インタフェース接続機構の各々は、少なくとも第１長さ調整機構および第２長さ調整機構を備える。
【００１３】
いくつかの構成では、取付部分における第１長さ調整機構および第２長さ調整機構のうちの少なくとも一方の位置は、調整可能である。
【００１４】
いくつかの構成では、取付部分の各々は、第１長さ調整機構および第２長さ調整機構に対する複数の取付位置を備え、取付位置は、プラスチックコアと一体的に形成されている。
【００１５】
いくつかの構成では、少なくとも１つのコネクタが、インタフェース接続機構を前記呼吸インタフェースに接続するように構成されている。
【００１６】
いくつかの構成では、少なくとも１つのコネクタは、コア部材の一部を受け入れるように構成された少なくとも１つの収集通路を備える。
【００１７】
いくつかの構成では、制限機構は、後方ヘッドギア部分に位置している。
【００１８】
いくつかの構成では、後方ヘッドギア部分は、コア部材の一部を受け入れるように構成された少なくとも１つの収集通路を画定する。
【００１９】
いくつかの構成では、少なくとも１つの収集通路は、プラスチックコアによって、またはプラスチックコアとテキスタイルケーシングとの間に画定されている。
【００２０】
いくつかの構成では、制限機構は、弾性要素の端部から離れて位置している。
【００２１】
いくつかの構成では、弾性要素の端部と制限機構との間に、コア部材の部分に対するガイドが設けられている。
【００２２】
いくつかの構成では、弾性要素は、弾性要素を最大長さに制限する非弾性部分を備える。
【００２３】
いくつかの構成では、使用者の上で呼吸インタフェースを支持するヘッドギアアセンブリは、使用者の頭部の後方部分および／または上方部分と接触するように構成された後方ヘッドギア部分を備える。後方ヘッドギア部分は、プラスチックコアおよびテキスタイルケーシングを備える。プラスチックコアおよびテキスタイルケーシングは、テキスタイルケーシング内に溶融プラスチック材料を加えることによって一体構造として形成される。ヘッドギアアセンブリの各側部に、インタフェース接続機構が設けられている。各インタフェース接続機構は、呼吸インタフェースに直接または間接的に結合されるように構成されている。各インタフェース接続機構は、少なくとも１つの長さ調整機構を含む。各長さ調整機構は、弾性要素、コア部材および制限機構を備える。コア部材は、弾性要素に関連付けられ、かつ弾性要素の一端に対して固定されている。コア部材は、制限機構を通過する。制限機構は、制限機構に対するコア部材の移動に抵抗するようにコア部材と選択的に係合するように構成されている。少なくとも１つの制限機構は、後方ヘッドギア部分に位置している。
【００２４】
いくつかの構成では、後方ヘッドギア部分は、後方ヘッドギア部分の上方向における取外しを阻止する、使用者の耳の下を通過する構造を有していない。
【００２５】
いくつかの構成では、後方ヘッドギア部分は、コア部材の一部を受け入れるように構成された少なくとも１つの収集通路を画定する。
【００２６】
いくつかの構成では、少なくとも１つの収集通路は、プラスチックコアによって、またはプラスチックコアとテキスタイルケーシングとの間に画定されている。
【００２７】
いくつかの構成では、制限機構は、弾性要素の端部から離れて位置している。
【００２８】
いくつかの構成では、弾性要素の端部と制限機構との間に、コア部材の部分に対するガイドが設けられている。
【００２９】
いくつかの構成では、弾性要素は、弾性要素を最大長さに制限する非弾性部分を備える。
【００３０】
使用者の頭部に取り付けられると、正しいサイズに自動的に調整され、使用されると、弾性のある「伸縮性」ストラップ／ストラッピングから「非弾性」ストラップ／ストラッピングに特性が変容する、ヘッドギアシステムおよび／またはヘッドギアシステムを組み込んだインタフェースアセンブリ。
【００３１】
いくつかの構成では、使用者の上で呼吸インタフェースを支持するヘッドギアアセンブリは、実質的非弾性後方部分と、実質的非弾性前方部分と、ヘッドギアアセンブリの第１側部の第１弾性側方部分と、ヘッドギアアセンブリの第２側部の第２弾性側方部分とを含む。少なくとも１つのフィラメントが、第１弾性側方部分および第２弾性側方部分を通してまたはそれに沿って延在する。非弾性後方部分および非弾性前方部分のうちの一方と、少なくとも１つの制限機構とに結合された少なくとも１つのフィラメント。少なくとも１つのフィラメントは、少なくとも１つの制限機構を通過する。少なくとも１つの制限機構は、少なくとも１つの制限機構に対する少なくとも１つのフィラメントの移動に抵抗するように少なくとも１つのフィラメントと選択的に係合するように構成されている。
【００３２】
いくつかの構成では、少なくとも１つの制限機構は、非弾性後方部分および非弾性前方部分が互いから離れる方向に移動するのを可能にする方向における少なくとも１つのフィラメントの移動または移動の試行に対して、第１抵抗力を提供するように構成されている。
【００３３】
いくつかの構成では、少なくとも１つの制限機構は、非弾性後方部分および非弾性前方部分が互いから離れる方向に移動するのを可能にする方向における少なくとも１つのフィラメントの移動または移動の試行に対して、第２抵抗力を提供するように構成されており、第２抵抗力は第１抵抗力より小さい。
【００３４】
いくつかの構成では、非弾性前方部分は剛性を有する。
【００３５】
いくつかの構成では、非弾性前方部分は、呼吸インタフェースに接続されるように構成されている。
【００３６】
いくつかの構成では、非弾性前方部分は、少なくとも１つのフィラメントの一部を収容する少なくとも１つの収集通路を画定する。
【００３７】
いくつかの構成では、第１弾性側方部分および第２弾性側方部分は、少なくとも１つのフィラメントが通過する開口部を有するエンドキャップを備える。エンドキャップは、第１弾性側方部分および第２弾性側方部分のそれぞれの上にオーバモールドすることができる。エンドキャップは、非弾性前方部分に結合することができる。
【００３８】
いくつかの構成では、非弾性後方部分、非弾性前方部分、第１弾性側方部分および第２弾性側方部分は、閉ループ外周部を画定する。
【００３９】
いくつかの構成では、少なくとも１つのフィラメントは、第１弾性側方部分に関連する第１フィラメントと第２弾性側方部分に関連する第２フィラメントとを備える。少なくとも１つの制限機構は、第１弾性側方部分に関連する第１制限機構と、第２弾性側方部分に関連する第２制限機構とを備えることができる。
【００４０】
いくつかの構成では、少なくとも１つの収集通路は、第１フィラメントの一部を収容する第１収集通路と、第２フィラメントの一部を収容する第２収集通路とを備える。
【００４１】
いくつかの構成では、制限機構は、フィラメントが通過する空間を間に画定する一対のロックジョーを備える。ロックジョーは、フィラメントと係合して第１抵抗力を与える第１相対位置と、第２抵抗力を与える第２相対位置とを有する。
【００４２】
いくつかの構成では、インタフェースは額支持部を含み、少なくとも１つの収集通路は額支持部に位置している。
【００４３】
いくつかの構成では、ヘッドギアは、各側部における上部弾性側方部分および下部弾性側方部分と、上部フィラメントおよび下部フィラメントと、上部制限機構および下部制限機構とを備える。いくつかのこうした構成では、上部収集通路および下部収集通路がある。ヘッドギアの各側部におけるこれらの上部収集通路および下部収集通路は、互いに別個であり得る。
【００４４】
いくつかの構成では、非弾性正面部分が、呼吸インタフェースの一部を受け入れるように構成された開口部を画定し、少なくとも１つの収集通路は、第１収集通路および第２収集通路を備え、第１収集通路の少なくとも一部は、開口部の上方に位置し、第２収集通路の少なくとも一部は、開口部の下方に位置する。
【００４５】
いくつかの構成では、非弾性正面部分は、複数の異なるインタフェースに接続するように構成されている。
【００４６】
いくつかの構成では、非弾性正面部分は、ヘッドギアアセンブリの各側部に別個の部分を備える。
【００４７】
いくつかの構成では、使用者の上で呼吸インタフェースを支持するヘッドギアアセンブリは、使用者の頭部を包囲する外周部を画定する。ヘッドギアアセンブリは、外周部に沿って固定長を有する第１部分と、外周部に沿って固定長を有する第２部分とを含むことができる。少なくとも１つの弾性部分が、外周部に沿って可変長を有し、少なくとも１つの弾性部分は、第１長さと第１長さより大きい第２長さとを有する。少なくとも１つのフィラメントが第１部分および第２部分のうちの一方に固定され、少なくとも１つの弾性部分を通って、第１部分および第２部分のうちの他方の少なくとも１つの収集通路内に延在する。少なくとも１つのフィラメントは、少なくとも１つの弾性部分の第２長さより大きいフィラメント長を有する。少なくとも１つの制限機構が、少なくとも１つの制限機構に対する少なくとも１つのフィラメントの移動を制限するように、少なくとも１つのフィラメントと選択的に係合するように構成されている。少なくとも１つの制限機構は、少なくとも１つの収集通路への入口に位置している。
【００４８】
いくつかの構成では、第１部分はヘッドギアアセンブリの前方部分である。
【００４９】
いくつかの構成では、第２部分はヘッドギアアセンブリの後方部分である。
【００５０】
いくつかの構成では、第１部分は、少なくとも１つの収集通路を画定する。
【００５１】
いくつかの構成では、少なくとも１つの弾性部分は最大長さに制限される。
【００５２】
いくつかの構成では、少なくとも１つの弾性部分は、最大長さを画定する非弾性要素を備える。
【００５３】
いくつかの構成では、少なくとも１つの弾性部分は、第１弾性部分および第２弾性部分を備え、第１弾性部分および第２弾性部分の各々は、第１部分と第２部分との間に延在している。
【００５４】
いくつかの構成では、少なくとも１つのフィラメントは、第１弾性部分に関連する第１フィラメントと、第２弾性部分に関連する第２フィラメントとを備える。少なくとも１つの制限機構は、第１弾性側方部分に関連する第１制限機構と、第２弾性側方部分に関連する第２制限機構とを備える。
【００５５】
いくつかの構成では、少なくとも１つの収集通路は、第１フィラメントの一部を収集する第１収集通路と、第２フィラメントの一部を収集する第２収集通路とを備える。
【００５６】
いくつかの構成では、制限機構は、フィラメントが通過する空間を間に画定する一対のロックジョーを備える。ロックジョーは、フィラメントと係合して第１抵抗力を与える第１相対位置と、第２抵抗力を与える第２相対位置とを有する。
【００５７】
いくつかの構成では、方向性ロックは、内部空間、第１開口部および第２開口部を画定するハウジングを含む。第１開口部および第２開口部の各々は、内部空間と連通する。少なくとも１つのロック要素が、固定枢支軸を中心に回転するようにハウジングに枢支結合されている。ロック要素は、コア要素を受け入れるように構成されたアパーチャを有する。ロック要素は、アパーチャが第１開口部および第２開口部と位置合せされる第１位置と、アパーチャが第１開口部および第２開口部と位置合せされない第２位置との間で移動可能である。
【００５８】
いくつかの構成では、ロック要素はロックワッシャである。
【００５９】
いくつかの構成では、第１開口部および第２開口部のうちの少なくとも一方は、枢支軸に対して垂直な方向に細長く、それにより、第１開口部および第２開口部のうちの少なくとも一方は、第１位置および第２位置の両方において少なくとも１つのロック要素のアパーチャを通過するコア要素を収容することができる。
【００６０】
いくつかの構成では、少なくとも１つのロック要素は、第１ロック要素および第２ロック要素を備える。
【００６１】
いくつかの構成では、ハウジングは、第１ロック要素と第２ロック要素との間に配置された内壁を備える。
【００６２】
いくつかの構成では、使用者の上で呼吸インタフェースを支持するヘッドギアアセンブリは、使用者の頭部の後方部分および／または上方部分と接触するように構成された後方ヘッドギア部分を含む。後方ヘッドギア部分の各側部は、使用時に使用者の耳の前方に位置するように構成された取付部分を備える。後方ヘッドギア部分は、後方ヘッドギア部分の上方向における取外しを阻止する、使用者の耳の下方を通る構造を有していない。ヘッドギアアセンブリの各側部の取付部分に、インタフェース接続機構が設けられている。各インタフェース接続機構は、呼吸インタフェースに直接または間接的に結合されるように構成されている。各インタフェース接続機構は、少なくとも１つの長さ調整機構を備える。各長さ調整機構は、弾性要素、コア部材および制限機構を備える。コア部材は、弾性要素に関連し、弾性要素の一端に固定されている。コア部材は、制限機構を通過する。制限機構は、制限機構に対するコア部材の移動に抵抗するようにコア部材と選択的に係合するように構成されている。
【００６３】
いくつかの構成では、インタフェース接続機構の各々は、少なくとも第１長さ調整機構および第２長さ調整機構を備える。
【００６４】
いくつかの構成では、第１長さ調整機構および第２長さ調整機構は、取付部分において互いから間隔を空けて配置されている。
【００６５】
いくつかの構成では、取付部分における第１長さ調整機構および第２長さ調整機構のうちの少なくとも一方の位置は、調整可能である。
【００６６】
いくつかの構成では、少なくとも１つのコネクタが、インタフェース接続機構を呼吸インタフェースに接続するように構成されている。
【００６７】
いくつかの構成では、少なくとも１つのコネクタは、コア部材の一部を受け入れるように構成された少なくとも１つの収集通路を備える。
【００６８】
いくつかの構成では、単一コネクタが、インタフェース接続機構の両方を呼吸インタフェースに接続するように構成されている。
【００６９】
いくつかの構成では、コネクタは、呼吸インタフェースの一部を受け入れるように構成された開口部を画定し、少なくとも１つの収集通路は、第１収集通路および第２収集通路を備え、第１収集通路の少なくとも一部は開口部の上方に位置し、第２収集通路の少なくとも一部は開口部の下方に位置する。
【００７０】
いくつかの構成では、コネクタは、複数の異なるインタフェースに接続するように構成されている。
【００７１】
いくつかの構成では、少なくとも１つのコネクタは、ヘッドギアアセンブリの各側部のコネクタを備える。
【００７２】
いくつかの構成では、制限機構は、コア部材が通過する空間を間に画定する一対のロックジョーを備える。ロックジョーは、フィラメントと係合して第１レベルの抵抗を与える第１相対位置と、第１レベルより低い第２レベルまたは抵抗を与える第２相対位置とを有する。
【００７３】
いくつかの構成では、使用者の上で呼吸インタフェースを支持するヘッドギアアセンブリは、少なくとも１つの非弾性部分と、第１端部および第２端部を有する少なくとも１つの弾性部分とを備える。少なくとも１つのフィラメントが、少なくとも１つの弾性部分を通ってまたはそれに沿って延在する。少なくとも１つの弾性部分の第１端部は、少なくとも１つの非弾性部分および少なくとも１つのフィラメントに対して固定されている。少なくとも１つの弾性部分の第２端部は、少なくとも１つの非弾性部分および少なくとも１つのフィラメントに対して移動可能である。ヘッドギアアセンブリはまた、少なくとも１つの制限機構も備える。少なくとも１つのフィラメントは、少なくとも１つの制限機構を通過する。少なくとも１つの制限機構は、少なくとも１つの制限機構に対する少なくとも１つのフィラメントの移動に抵抗するように、少なくとも１つのフィラメントと選択的に係合するように構成されている。少なくとも１つの制限機構は、少なくとも１つの弾性部分の第１端部および第２端部の各々から離れて位置している。
【００７４】
いくつかの構成では、非弾性部分は、使用時に使用者の頭部の後方部分および／または上方部分と接触するように構成された後方ヘッドギア部分であり、少なくとも１つの制限機構は、後方ヘッドギア部分に位置している。
【００７５】
いくつかの構成では、後方ヘッドギア部分は頂部ストラップを備え、少なくとも１つの制限機構は頂部ストラップに位置している。
【００７６】
いくつかの構成では、ヘッドギアアセンブリは、少なくとも１つの制限機構が使用時に使用者の頭部の頂部に位置するように構成されている。
【００７７】
いくつかの構成では、後方ヘッドギア部分は後部ストラップを備え、少なくとも１つの制限機構は後部ストラップに位置する。
【００７８】
いくつかの構成では、ヘッドギアアセンブリは、少なくとも１つの制限機構が使用時に使用者の耳の後方に位置するように構成されている。
【００７９】
いくつかの構成では、少なくとも１つのフィラメント用のガイドが、制限機構と少なくとも１つの弾性部分の第１端部および第２端部のうちの一方との間に設けられている。
【００８０】
いくつかの構成では、制限機構は、フィラメントが通過する空間を間に画定する一対のロックジョーを備える。ロックジョーは、フィラメントと係合して第１レベルの抵抗を与える第１相対位置と、第１レベルより低い第２レベルまたは抵抗を与える第２相対位置とを有する。
【００８１】
いくつかの構成では、患者インタフェースシステムは、使用者の鼻および／または口を包囲するようなサイズおよび形状でありかつ少なくとも実質的に使用者の顔面とシールを生成するように適合された、本体部分を備える。継手により、患者インタフェースをガス送達システムに結合することができる。ヘッドギアシステムにより、本体部分を使用者の頭部に配置しかつ保持することができ、ヘッドギアシステムは、インタフェースシステムが使用されるときに弾性タイプの伸長挙動から非伸長タイプの挙動に変容するのを可能にする。
【００８２】
いくつかの構成では、変容ロック挙動は、方向性ロック機構群によって提供される。
【００８３】
いくつかの構成では、変容ロック挙動は、保持面に位置する方向性ロック機構群によって提供される。
【００８４】
いくつかの構成では、変容ロック挙動は、互いに独立した相対移動を可能にする方向性ロック機構群によって提供される。
【００８５】
いくつかの構成では、変容ロック挙動は、互いに依存して移動する方向性ロック機構群によって提供される。
【００８６】
いくつかの構成では、インタフェースシステムは、独立した移動および依存した移動の組合せを含む。
【００８７】
いくつかの構成では、変容ロック挙動は、マスク本体の上に位置する方向性ロック機構によって提供される。
【００８８】
いくつかの構成では、変容ロック挙動は、ヘッドギアシステムの上または中に位置する方向性ロック機構によって提供される。
【００８９】
いくつかの構成では、マスク本体の上に位置する方向性ロック機構およびヘッドギアシステムの上または中に位置する方向性ロック機構の組合せが用いられる。
【００９０】
いくつかの構成では、方向性ロックは、ヘッドギアへの接続箇所と基端側の位置に配置されている。
【００９１】
いくつかの構成では、方向性ロックは、ヘッドギアへの接続箇所と先端側の位置に配置されている。
【００９２】
いくつかの構成では、方向性ロックは、それとマスク本体との間の使用者取付／取外しを可能にする機構を組み込んでいる。
【００９３】
いくつかの構成では、方向性ロックモジュールは、それとヘッドギアシステムの残りの部分との間の使用者取付／取外しを可能にする機構を組み込んでいる。
【００９４】
いくつかの構成では、ヘッドギアシステムの非伸縮挙動により、患者インタフェースシステムが可変圧力波形を受けたときに４ｍｍ未満のマスク移動がある。
【００９５】
いくつかの構成では、患者インタフェースは、鼻孔内にカニューレ式ガス送達システムを提供するようなサイズおよび形状である本体部分を備える。継手により、患者インタフェースをガス送達システムに結合することができる。ヘッドギアシステムにより、本体部分を使用者の頭部に配置しかつ保持することができ、インタフェースシステムが使用されるとき、ヘッドギアシステムは、弾性タイプの伸長挙動から非伸長タイプの挙動に変容するのを可能にする。
【００９６】
いくつかの構成では、患者インタフェースシステムは、使用者の鼻および／または口を包囲するサイズおよび形状でありかつ少なくとも使用者の顔面と実質的なシールを生成するように適合された、本体部分を含む。継手により、患者インタフェースをガス送達システムに結合することができる。ヘッドギアシステムにより、本体部分を使用者の頭部に配置しかつ保持することができ、インタフェースシステムが使用されるとき、ヘッドギアシステムは、弾性タイプの伸長挙動から非伸長タイプの挙動に変容するのを可能にする。
【００９７】
いくつかの構成では、ヘッドギアシステムの位置安定性は、２つの主な部分、すなわち後頭突出部の上または下方を通過する一方の部分と、緩く頭部の頭頂の位置において頭部の頂部の上を通過する他方の部分とを介して達成される。これらの２つの相対位置は、ヘッドギアの材料が形状を維持することによって維持される。
【００９８】
いくつかの構成では、ヘッドギアシステムの位置安定性は、２つの主な部分、すなわち後頭突出部の上または下方を通過する一方の部分と、緩く頭部の頭頂の位置において頭部の頂部の上を通過する他方の部分とを介して達成される。これらの２つの相対位置は、ガセットまたは接続部材によって維持される。
【００９９】
いくつかの構成では、ヘッドギアの本体部分の非伸縮挙動は、それを単一非弾性材料および可変断面形状から構成することによって達成される。
【０１００】
いくつかの構成では、ヘッドギアの本体部分の非伸縮挙動は、それを単一熱可塑性材料および可変断面形状から構成することによって達成される。
【０１０１】
いくつかの構成では、ヘッドギアの本体部分の非伸縮挙動は、それを単一熱硬化性材料および可変断面形状から構成することによって達成される。
【０１０２】
いくつかの構成では、ヘッドギアの本体部分の非伸縮挙動は、それを複数の熱可塑性材料から構成することによって達成される。
【０１０３】
いくつかの構成では、ヘッドギアの本体部分の非伸縮挙動は、それを複数の熱硬化性材料から構成することによって達成される。
【０１０４】
いくつかの構成では、ヘッドギアの本体部分の非伸縮挙動は、それを複数の熱可塑性材料および可変断面形状から構成することによって達成される。
【０１０５】
いくつかの構成では、ヘッドギアの本体部分の非伸縮挙動は、それを熱可塑性材料および組み込まれた裏当てまたは詰物から構成することによって達成される。
【０１０６】
いくつかの構成では、ヘッドギアの本体部分の非伸縮挙動は、それを熱硬化性材料および組み込まれた裏当てまたは詰物から構成することによって達成される。
【０１０７】
いくつかの構成では、呼吸インタフェース用のヘッドギアアセンブリは、後方ヘッドギア部分と、インタフェース結合部分と、呼吸インタフェースに結合されたときにヘッドギアアセンブリの長さまたはインタフェースアセンブリの周囲長を調整する長さ調整部分とを含む。ヘッドギアアセンブリは、ヘッドギア長または周囲長を収縮させる傾向がある弾性力と、ヘッドギア長または周囲長の伸長を阻止する傾向がある非弾性ロック力とを示す。
【０１０８】
いくつかの構成では、ヘッドギアアセンブリは少なくとも１つの保持面を備える。
【０１０９】
いくつかの構成では、ヘッドギアアセンブリは２つの保持面を備える。
【０１１０】
いくつかの構成では、保持面は、後方から前方に移動する方向に収束する。
【０１１１】
いくつかの構成では、保持面は、前方から後方に移動する方向に収束する。
【０１１２】
いくつかの構成では、保持面のうちの一方は、他方の保持面に対して角度が付けられている。
【０１１３】
いくつかの構成では、保持面は、インタフェース取付位置において互いから分離されている。
【０１１４】
いくつかの構成では、保持面は、概して互いに平行である。
【０１１５】
いくつかの構成では、保持面は、概して水平である。
【０１１６】
いくつかの構成では、ヘッドギアアセンブリは、手動調整可能な長さ調整部分をさらに備える。
【０１１７】
いくつかの構成では、インタフェース結合部分は複数のタイプのインタフェースに接続することができる。
【０１１８】
いくつかの構成では、長さ調整部分は少なくとも第１部分および第２部分を備える。
【０１１９】
いくつかの構成では、第１部分および第２部分はヘッドギアアセンブリの両側にある。
【０１２０】
いくつかの構成では、インタフェース結合部分は、第１部分と第２部分との間に延在している。
【０１２１】
いくつかの構成では、第１部分および第２部分はヘッドギアアセンブリの同じ側にある。
【０１２２】
いくつかの構成では、インタフェース結合部分は、第１部分と第２部分との間に延在している。
【０１２３】
いくつかの構成では、少なくとも１つのコアが、ヘッドギア長または周囲長の一部を形成し、ヘッドギア長または周囲長の伸長を阻止するように、ヘッドギアアセンブリまたはインタフェースアセンブリの別の部分に対してロックすることができる。
【０１２４】
いくつかの構成では、コア部材の長さは、長さ調整部分の最大伸長長さより大きい。
【０１２５】
いくつかの構成では、後方ヘッドギア部分の長さは、コア部材の長さ以上である。
【０１２６】
いくつかの構成では、後方ヘッドギア部分の長さは、コア部材の長さ以上である。
【０１２７】
いくつかの構成では、少なくとも１つの収集部が、任意の特定のヘッドギア長または周囲長において、ヘッドギア長または周囲長の一部を形成しないコアの余分な部分を収容する。
【０１２８】
いくつかの構成では、コア部材の長さは、コア収集部および長さ調整部分の最大伸長長さの結合された長さより小さい。
【０１２９】
いくつかの構成では、後方ヘッドギア部分の長さおよびコア収集部の長さは固定であり、長さ調整部材の長さの調整により、ヘッドギア長または周囲長の長さ調整の実質的にすべてが提供される。
【０１３０】
いくつかの構成では、鼻カニューレシステムは鼻カニューレおよびヘッドギアを備える。少なくとも１つの調整機構により、鼻カニューレシステムの周囲長の調整が可能になる。少なくとも１つの調整機構は、ヘッドギアおよび鼻カニューレのうちの一方に結合されたコア部材とヘッドギアおよび鼻カニューレのうちの他方に結合されたロックとを含む。ロックは、コア部材と係合して、鼻カニューレシステムを所望の調整された周囲長で保持することができる。
【０１３１】
いくつかの構成では、ロックは、たとえば鼻カニューレの重量およびホース引張力等、使用時の通常のまたは予測される力に応じて、所望の調整された周囲長を維持することができる。
【０１３２】
いくつかの構成では、ロックにより、閾値を超える力でのコア部材の滑動が可能になり、それにより、所望の調整された周囲長を超えて周囲長を増大させることができる。
【０１３３】
いくつかの構成では、ロックは、方向性ロックであり、使用時に通常のまたは予測される力より低い比較的低い力で周囲長を低減させる方向におけるコア部材の移動を可能にする。
【０１３４】
いくつかの構成では、方向性ロックは、本明細書に開示する任意の構造または構成である。
【０１３５】
いくつかの構成では、少なくとも１つの付勢要素が、周囲長を低減させる傾向がある力を鼻カニューレシステムに加える。
【０１３６】
いくつかの構成では、付勢要素により、鼻カニューレシステムが自己フィットするかまたは自動的に調整可能である。
【０１３７】
いくつかの構成では、鼻カニューレシステムは、鼻カニューレシステムを使用者から取り外すかまたは使用者にあてがうため等、周囲ループが迅速かつ容易に破断されるのを可能にする少なくとも１つのクイックリリース機構を備える。
【０１３８】
いくつかの構成では、ヘッドギアは、単一ストラップ構成または二又ストラップ構成である。
【０１３９】
いくつかの構成では、鼻カニューレは、剛性フレーム部分およびより軟質な使用者接触部分を有する本体を備える。
【０１４０】
いくつかの構成では、周囲長の一部を有効に画定しない少なくとも１つのコア部材の余分な部分は、鼻カニューレまたはヘッドギアのいずれかに収容される。いくつかのこうした構成では、余分な部分は鼻カニューレまたはヘッドギアの内部にある。いくつかのこうした構成では、余分な部分は、円形蓄積部内に収容される。
【０１４１】
いくつかの構成では、複数の調整機構が設けられる。いくつかのこうした構成では、調整機構は、鼻カニューレシステムの各側部に設けられる。いくつかのこうした構成では、各側のコア部材の余分な部分は、鼻カニューレの上または中で上下に配置される。
【０１４２】
いくつかの構成では、鼻カニューレシステムは、鼻カニューレおよびヘッドギアを備える。少なくとも１つの調整機構により、鼻カニューレシステムの周囲長の調整が可能になる。少なくとも１つの調整機構は、ヘッドギアの一部に結合されたコア部材と、第１部分に対して移動可能なヘッドギアの別の部分に結合されたロックとを含む。ロックは、コア部材と係合して、鼻カニューレシステムを所望の調整された周囲長で維持することができる。
【０１４３】
いくつかの構成では、ロックは、たとえば、鼻カニューレの重量およびホース引張力等、使用時に通常のまたは予期された力に応じて、所望の調整された周囲長を維持することができる。
【０１４４】
いくつかの構成では、ロックにより、閾値を超える力でのコア部材の滑動が可能になり、それにより、所望の調整された周囲長を超えて周囲長を増大させることができる。
【０１４５】
いくつかの構成では、ロックは、方向性ロックであり、使用時に通常のまたは予測される力より低い比較的低い力で周囲長を低減させる方向におけるコア部材の移動を可能にする。
【０１４６】
いくつかの構成では、方向性ロックは、本明細書に開示する任意の構造または構成である。
【０１４７】
いくつかの構成では、少なくとも１つの付勢要素が、周囲長を低減させる傾向がある力を鼻カニューレシステムに加える。
【０１４８】
いくつかの構成では、付勢要素により、鼻カニューレが自己フィットするかまたは自動的に調整可能である。
【０１４９】
いくつかの構成では、鼻カニューレシステムは、鼻カニューレシステムを使用者から取り外すかまたは使用者にあてがうため等、周囲ループが迅速かつ容易に破断されるのを可能にする少なくとも１つのクイックリリース機構を備える。
【０１５０】
いくつかの構成では、ヘッドギアは、単一ストラップ構成または二又ストラップ構成である。
【０１５１】
いくつかの構成では、鼻カニューレは、剛性フレーム部分およびより軟質な使用者接触部分を有する本体を備える。
【０１５２】
いくつかの構成では、周囲長の一部を有効に画定しない少なくとも１つのコア部材の余分な部分は、ヘッドギアに収容される。いくつかのこうした構成では、余分な部分はヘッドギアの内部にある。いくつかのこうした構成では、余分な部分は、円形蓄積部内に収容される。
【０１５３】
いくつかの構成では、複数の調整機構が設けられる。いくつかのこうした構成では、調整機構は、鼻カニューレシステムの各側部に設けられる。
【０１５４】
いくつかの構成では、方向性ロックは、アパーチャまたは開口部を有するロック部材を含み、開口部を通過するコア部材またはフィラメントと係合するように構成されている。開口部は、ロック部材の一方の側とロック部材の他方の側との間の断面寸法を変化させることができ、かつ／または開口部の輪郭をテーパ状とすることができる。
【０１５５】
いくつかの構成では、ロック位置でコア部材と係合するロック部材の作用縁（ｗｏｒｋｉｎｇ  ｅｄｇｅ）を画定する開口部の側は、開口部の反対側より小さい。
【０１５６】
いくつかの構成では、開口部の輪郭は、ロック部材の枢支軸に向かってテーパ状である。
【０１５７】
いくつかの構成では、方向性ロックは、各々がアパーチャまたは開口部を有する、第１ロック部材および第２ロック部材を含み、開口部を通過するコア部材またはフィラメントと係合するように構成されている。動き伝達要素により、第１ロック部材の移動に応じて第２ロック部材が移動する。
【０１５８】
いくつかの構成では、動き伝達要素は、第１ロック部材の移動に応じて第２ロック部材を押すが、第２ロック部材が第１ロック部材から離れるように移動するのを可能にする。
【０１５９】
いくつかの構成では、動き伝達要素は連結機構であり、それは、第２ロック部材が第１ロック部材から離れるように移動するのを可能にするように偏向する。
【０１６０】
本明細書に開示する実施形態のうちの少なくとも１つによれば、頂部ストラップ、後部ストラップ、前部ストラップ、ヨークおよびコネクタを備えるヘッドギアが提供される。ヘッドギアは、実質的に非弾性であり構造が３次元であるように構成されている。
【０１６１】
さらなる態様によれば、ヘッドギアは、複合材料から構成され、テキスタイルケーシングがプラスチックコアの周囲に一体的に形成されている。
【０１６２】
さらなる態様によれば、ヘッドギアは、一体成形されたラベル、接続部および／または調整機構を備える。
【０１６３】
さらなる態様によれば、ヘッドギア構成要素が、テキスタイルストラップに成形されるグリップを備える。
【０１６４】
さらなる態様によれば、テキスタイルケーシングは、ヘッドギアの内側に面する面を覆う第１部分を備える。
【０１６５】
さらなる態様によれば、テキスタイルケーシングは、ヘッドギアの外側に面する面を覆う第２部分を備える。
【０１６６】
さらなる態様によれば、テキスタイルケーシングの第１部分および第２部分は、第１縁部および第２縁部で接している。
【０１６７】
さらなる態様によれば、第１部分および第２部分は、第１縁部および第２縁部において互いに接続されていない。
【０１６８】
さらなる態様によれば、テキスタイルケーシングは、成形型の保持ピンと係合するように構成された１つまたは複数のリテーナ孔を備える。
【０１６９】
さらなる態様によれば、ヘッドギアは、ストラップが曲がるのを可能にする少なくとも１つの可撓性接合部を備える。
【０１７０】
さらなる態様によれば、少なくとも１つの可撓性接合部は、プラスチックコアの複数の部分の間の間隙を含み、テキスタイルケーシングは、プラスチックコアのその部分を接続するように間隙内に延在している。
【０１７１】
さらなる態様によれば、ヘッドギアは、テキスタイル接合部内でプラスチックコアの上記部分の間に延在する少なくとも１つのブリッジ部分を備える。
【０１７２】
さらなる態様によれば、少なくとも１つのブリッジ部分は、プラスチックコアの上記部分と一体的に形成されている。
【０１７３】
さらなる態様によれば、ヘッドギアアセンブリは、頂部ストラップと、使用者の額の側部に位置する上部接続箇所において頂部ストラップに接続された後部ストラップと、上部接続箇所において頂部ストラップおよび後部ストラップに接続された下部側部ストラップとを備える。ヘッドギアアセンブリはまた、上部接続箇所と呼吸インタフェースのフレームとの間の距離を調整する第１長さ調整部分と、使用者の耳の前方に位置する下部接続箇所において下部側部ストラップに接続されかつ使用者の口とおよそ一列に並ぶ第２長さ調整部分とを備え、第２調整機構は、下部接続箇所と呼吸インタフェースのフレームとの間の距離を調整する。
【０１７４】
さらなる態様によれば、頂部ストラップおよび後部ストラップは、一体型構造として一体的に形成される。
【０１７５】
さらなる態様によれば、頂部ストラップ、後部ストラップおよび前部ストラップは、一体型構造として一体的に形成されている。
【０１７６】
さらなる態様によれば、第１長さ調整部分は、フック・ループファスナ機構を有する布ストラップを含む。
【０１７７】
さらなる態様によれば、第２長さ調整部分は、複数の長さ調整機構を含む。
【０１７８】
さらなる態様によれば、ヘッドギアアセンブリは、頂部ストラップと、使用者の額の側部に位置する上部接続箇所において頂部ストラップに接続された後部ストラップとを備える。ヘッドギアアセンブリはまた、上部接続箇所において頂部ストラップおよび後部ストラップに接続され、かつ呼吸インタフェースのフレームに接続された上部側部ストラップも備える。上部側部ストラップは、使用者の耳と眼との間に、かつ使用者の頬を横切って呼吸インタフェースのフレームに向かって延在する。ヘッドギアアセンブリは、使用者の耳の後方に位置する後部接続箇所において後部ストラップに接続された下部側部ストラップをさらに備える。下部側部ストラップは、使用者の耳の下方に、かつ使用者の頬を横切って呼吸インタフェースのフレームに向かって延在する。ヘッドギアアセンブリは、下部側部ストラップと呼吸インタフェースのフレームとに接続された第１長さ調整部分をさらに備える。第１長さ調整部分は、下部側部ストラップと呼吸インタフェースのフレームとの間の距離を調整する。
【０１７９】
さらなる態様によれば、頂部ストラップおよび後部ストラップは、一体型構造として一体的に形成されている。
【０１８０】
さらなる態様によれば、頂部ストラップ、後部ストラップ、上部側部ストラップおよび下部側部ストラップは、一体型構造として一体的に形成されている。
【０１８１】
さらなる態様によれば、第１長さ調整部分は一方向調整機構を含む。
【０１８２】
さらなる態様によれば、ヘッドギアアセンブリは、上部側部ストラップと呼吸インタフェースのフレームとの間に接続された第２長さ調整部分をさらに備え、第２長さ調整部分は、上部側部ストラップと呼吸インタフェースのフレームとの間の距離を調整する。
【０１８３】
さらなる態様によれば、ヘッドギアアセンブリは、頂部ストラップと、使用者の額の側部に位置する上部接続箇所において頂部ストラップに接続された後部ストラップと、上部接続箇所において頂部ストラップおよび後部ストラップに接続されかつ呼吸インタフェースに接続された前部ストラップとを備える。前部ストラップは、使用者の耳と眼との間にかつ使用者の鼻の底部に向かって延在する。
【０１８４】
さらなる態様によれば、頂部ストラップおよび後部ストラップは、一体型構造として一体的に形成されている。
【０１８５】
さらなる態様によれば、頂部ストラップ、後部ストラップおよび前部ストラップは、一体型構造として一体的に形成されている。
【０１８６】
さらなる態様によれば、前部ストラップは呼吸インタフェースの正面を横切って延在し、呼吸インタフェースのフレームの一部を形成する。
【０１８７】
さらなる態様によれば、ヘッドギアアセンブリは、前部ストラップと呼吸インタフェースとの間に接続された長さ調整部分をさらに備え、長さ調整部分は前部ストラップと呼吸インタフェースとの間の距離を調整する。
【０１８８】
さらなる態様によれば、ヘッドギアアセンブリは、頂部ストラップと、使用者の額の側部に位置する上部接続箇所において頂部ストラップに接続された後部ストラップと、上部接続箇所において頂部ストラップおよび後部ストラップに接続され、かつ実質的に垂直方向に上部接続箇所から離れるように延在する下部側部ストラップとを備える。下部ストラップは、使用者の耳の正面に配置される。ヘッドギアアセンブリはまた、第１下部接続箇所において下部ストラップに接続された第１長さ調整部分も備え、第１長さ調整部分は、第１下部接続箇所と呼吸インタフェースのフレームとの間の距離を調整する。第１下部接続箇所は、使用者の耳と一列に並んで配置され、第１長さ調整部分は、使用者の眼の真下の頬を横切って延在する。ヘッドギアアセンブリは、第２下部接続箇所において下部ストラップに接続された第２長さ調整部分をさらに備え、第２長さ調整部分は、第２下部接続箇所と呼吸インタフェースのフレームとの間に距離を調整する。第２下部接続箇所は、使用者の鼻の底部とおよそ一列に並んで配置され、第２長さ調整部分は、使用者の頬を横切って実質的に水平に延在する。
【０１８９】
さらなる態様によれば、頂部ストラップおよび後部ストラップは、一体型構造として一体的に形成されている。
【０１９０】
さらなる態様によれば、頂部ストラップ、後部ストラップおよび下部側部ストラップは、一体型構造として一体的に形成されている。
【０１９１】
さらなる態様によれば、第１長さ調整部分または第２長さ調整部分の少なくとも一方は、一方向調整機構を含む。
【０１９２】
本明細書に開示する実施形態のうちの少なくとも１つによれば、ヘッドギアは、プラスチックコアおよびテキスタイルケーシングを備える。プラスチックコアおよびテキスタイルケーシングは、溶融プラスチック材料をテキスタイルケーシング内に加えることによって一体構造として形成されている。
【０１９３】
さらなる態様によれば、テキスタイルケーシングは、ヘッドギアの内側に面する面を覆う第１部分を備える。
【０１９４】
さらなる態様によれば、テキスタイルケーシングは、ヘッドギアの外側に面する面を覆う第２部分を備える。
【０１９５】
さらなる態様によれば、テキスタイルケーシングの第１部分および第２部分は、第１縁部および第２縁部において接している。
【０１９６】
さらなる態様によれば、第１部分および第２部分は、第１縁部および第２縁部において互いに接続されていない。
【０１９７】
さらなる態様によれば、テキスタイルケーシングは、成形型の保持ピンと係合するように構成された１つまたは複数のリテーナ孔を備える。
【０１９８】
さらなる態様によれば、ヘッドギアは、ヘッドギアが曲がりかつ／または折れ曲がるのを可能にする少なくとも１つの可撓性接合部を備える。
【０１９９】
さらなる態様によれば、少なくとも１つの可撓性接合部は、プラスチックコアの複数の部分の間の間隙を含み、テキスタイルケーシングは、プラスチックコアの上記部分を接続するようにギャップ内に延在している。
【０２００】
さらなる態様によれば、ヘッドギアは、プラスチックコアの上記部分の間で可撓性接合部内に延在する少なくとも１つのブリッジ部分を備える。
【０２０１】
さらなる態様によれば、少なくとも１つのブリッジ部分は、プラスチックコアの部分と一体的に形成されている。
【０２０２】
本明細書に開示する実施形態のうちの少なくとも１つによれば、ヘッドギアを製造する方法は、成形型内にテキスタイルケーシングを配置するステップと、成形型内にかつテキスタイルケーシングと接触するように溶融プラスチック材料を導入するステップと、溶融プラスチック材料がテキスタイルケーシングの上で凝固してプラスチックコアを形成するのを可能にするステップとを含む。
【０２０３】
さらなる態様によれば、成形型内にテキスタイルケーシングを配置するステップは、成形型内に第１テキスタイル部分および第２テキスタイル部分を配置することを含み、成形型内に溶融プラスチック材料を導入するステップは、第１テキスタイル部分と第２テキスタイル部分との間に溶融プラスチック材料を導入することを含む。
【０２０４】
さらなる態様によれば、本方法は、溶融プラスチック材料が成形型の保持機構内に導入される、第１テキスタイル部分および第２テキスタイル部分の各々の端部を保持するステップをさらに含む。
【０２０５】
さらなる態様によれば、本方法は、成形型の別個の第１部分と第２部分との間にテキスタイルケーシングの少なくとも１つの縁部を取り込むことをさらに含む。
【０２０６】
さらなる態様によれば、本方法は、テキスタイルケーシングの開口部を成形型の保持ピンと係合させるステップをさらに含む。
【０２０７】
さらなる態様によれば、本方法は、溶融プラスチック材料を導入する前に成形型内でテキスタイルケーシングを固定するステップを更に含む。
【０２０８】
さらなる態様によれば、テキスタイルケーシングを固定するステップは、静電荷、空気圧、成形型内に挿入された別の構成要素によってテキスタイルケーシングを保持すること、または成形型の各側に成形型を通って延在するテキスタイルケーシングを形成する材料のストリップを支持することのうちの１つまたは複数によってテキスタイルケーシングを固定することを含む。
【０２０９】
さらなる態様によれば、材料のストリップを支持することは、一端をロール上で支持することと、成形型に対して自由端を固定することとを含む。
【０２１０】
さらなる態様によれば、本方法は、ヘッドギアの長さに沿ってプラスチックコアに間隙を設けることにより可撓性接合部を形成するステップと、間隙に沿ってテキスタイルケーシングを延在させるステップとをさらに含む。
【０２１１】
さらなる態様によれば、本方法は、可撓性接合部を通して間隙の一方の側のプラスチックコアの一部から間隙の反対側のプラスチックコアの部分まで、プラスチック材料の可撓性ブリッジ部分を延在させるステップをさらに含む。
【０２１２】
本明細書に開示する少なくとも１つの実施形態によれば、ヘッドギアは、第１ストラップと第２ストラップとを備え、第１ストラップおよび第２ストラップは、協働して、ヘッドギアの頂部ストラップ、後部ストラップおよび前部ストラップのうちの少なくとも１つを形成する。
【０２１３】
本明細書に開示する実施形態のうちの少なくとも１つによれば、ヘッドギアを製造する方法は、成形型内にテキスタイルケーシングを配置するステップと、成形型内にかつテキスタイルケーシングと接触するように溶融プラスチック材料を導入するステップと、溶融プラスチック材料がテキスタイルケーシング内で凝固してプラスチックコアを形成するのを可能にするステップとを含む。
【０２１４】
さらなる態様によれば、第１ストラップおよび第２ストラップは協働して後部ストラップを形成し、第１ストラップおよび第２ストラップは後部ストラップ内で互いに重なり、第１ストラップおよび第２ストラップのうちの一方のみが頂部ストラップを画定する。
【０２１５】
さらなる態様によれば、第１ストラップおよび第２ストラップは協働して前部ストラップを形成し、第１ストラップおよび第２ストラップは前部ストラップ内で積層され、第１ストラップおよび第２ストラップのみが頂部ストラップおよび後部ストラップのそれぞれ１つを画定する。
【０２１６】
さらなる態様によれば、ストラップのうちの一方または両方は、プラスチックコアおよびテキスタイルケーシングから構成され、それらは、テキスタイルケーシングの上に溶融プラスチック材料を加えることによって一体型構造として形成されている。
【０２１７】
本明細書に開示する少なくとも１つの実施形態によれば、ヘッドギアは、内部コアと、使用時に使用者に面するヘッドギアの内面を画定する第１外層と、使用時に使用者から離れる方向に面するヘッドギアの外面を画定する第２外層とを含む。第１層および第２層は、異なる色、テクスチャ、または内面および対面の触覚的または視覚的識別を可能にする他の指標を有する。
【０２１８】
さらなる態様によれば、第１外層または第２外層は、ポリウレタン（模造皮革）、パターニングされたポリエステル、メッシュ状編物を含むウール、連続ループ、ナイロン、スペーサ布および連続ループの複合材、またはフォーム連続ループの複合材のうちの１つを含む。
【０２１９】
さらなる態様によれば、第１外層および第２外層のうちの一方または両方の縁部は、内部コアを越えて延在している。
【０２２０】
さらなる態様によれば、内部コアは内側切取り部を備える。
【０２２１】
本明細書に開示する少なくとも１つの実施形態によれば、ヘッドギアは、第１ストラップと、第２ストラップと、第１ストラップを第２ストラップに結合するコネクタとを備え、コネクタは、第１ストラップおよび第２ストラップの上にオーバモールドすることによって形成される。
【０２２２】
さらなる態様によれば、第１ストラップおよび第２ストラップは、コネクタ内で垂直方向に積層されている。
【０２２３】
さらなる態様によれば、コネクタは、第１ストラップと第２ストラップとの間に延在しかつ第２ストラップから第１ストラップを分離する部分を含む。
【０２２４】
さらなる態様によれば、コネクタは、ブリッジ部分によって分離された前方バンド部分および後方バンド部分を含み、ブリッジ部分は第１ストラップおよび第２ストラップの両方の全体は包囲していない。
【０２２５】
さらなる態様によれば、コネクタは前方バンド部分および後方ガセットを含む。
【０２２６】
さらなる態様によれば、前方バンド部分および後方ガセットはブリッジ部分によって分離され、ブリッジ部分は第１ストラップおよび第２ストラップの両方の全体は包囲していない。
【０２２７】
本明細書に開示する少なくとも１つの実施形態によれば、ヘッドギアのストラップは、内部コアと、少なくとも部分的に内部コアを包囲する少なくとも１つの外層と、外層内の少なくとも１つのエアギャップとを備える。
【０２２８】
さらなる態様によれば、少なくとも１つのエアギャップは、ストラップの一方の側縁部の第１エアギャップと、ストラップの反対側の側縁部の第２エアギャップとを備える。
【０２２９】
さらなる態様によれば、内部コアの一部は外側に露出している。
【０２３０】
さらなる態様によれば、エアギャップ内に導管が配置されている。
【０２３１】
さらなる態様によれば、エアギャップは内部コアによって画定される。
【０２３２】
本明細書に開示する少なくとも１つの実施形態によれば、ヘッドギアのストラップは、内部コアと、少なくとも１つの外層と、ストラップに沿って縦方向にかつ外層内に延在する少なくとも１つの導管とを備える。
【０２３３】
さらなる態様によれば、導管は、内部コアの凹部内に少なくとも部分的に受け入れられている。
【０２３４】
さらなる態様によれば、導管は、内部コア内に完全に封入されている。
【０２３５】
さらなる態様によれば、少なくとも１つの導管は、第１導管および第２導管を備える。
【０２３６】
さらなる態様によれば、少なくとも１つの導管はコアによって画定される。
【０２３７】
本明細書に開示する少なくとも１つの実施形態によれば、ヘッドギアのストラップは、内部コアと、少なくとも１つの外層と、少なくとも１つの補強部材とを含む。
【０２３８】
さらなる態様によれば、補強部材はコア内に埋め込まれている。
【０２３９】
さらなる態様によれば、補強部材は、内部コアを形成する前に対向する外層または外層の対向する側面を互いから分離して保持するように構成されている。
【０２４０】
本明細書に開示する少なくとも１つの実施形態によれば、ヘッドギアのストラップは、内部コアと、少なくとも１つの外層と、少なくとも１つの緩衝層とを備える。
【０２４１】
さらなる態様によれば、緩衝層は内部コアを包囲している。
【０２４２】
さらなる態様によれば、緩衝層の一部は外側に露出している。
【０２４３】
本明細書に開示する少なくとも１つの実施形態によれば、ヘッドギアのストラップは、内部コアと、内部コアを少なくとも部分的に包囲する外層とを備え、外層は縁部を備える。縁部は、内部コア内に埋め込まれている。
【０２４４】
さらなる態様によれば、外層は２つ以上の部片または３つ以上の部片を備える。
【０２４５】
さらなる態様によれば、外層の第１部片はストラップの一方の側に位置し、外層の第２部片はストラップの反対側に位置している。
【０２４６】
さらなる態様によれば、外層の第３部片がストラップの一方の縁部に位置し、外層の第４部片がストラップの反対側の縁部に位置している。
【０２４７】
さらなる態様によれば、外層の少なくとも２つの部片がストラップの一方の側に位置している。
【０２４８】
本明細書に開示する少なくとも１つの実施形態によれば、ヘッドギアのストラップは内部コアおよび外層を備え、外層はテクスチャ加工されている。
【０２４９】
さらなる態様によれば、外層はリブ付きであるかまたはキルティングされている。
【０２５０】
さらなる態様によれば、コアは、外層にテクスチャを与えるようにテクスチャ加工されている。
【０２５１】
本明細書に開示する少なくとも１つの実施形態によれば、ヘッドギア、ストラップもしくはヘッドギアの他の部分は、本明細書に記載する１つまたは複数の特徴、またはこうしたヘッドギア、ストラップもしくはヘッドギアの他の部分を製造する方法を有する。
【０２５２】
本発明の好ましい実施形態について、添付図面を参照して記載する。
【図面の簡単な説明】
【０２５３】
【図１】マスクの囲いが加圧されるときに生成される力とあり得る患者のヘッドギアサイジング範囲との関係を表す動作エンベロープを示すグラフである。
【図２】弾性のあるヘッドギアシステムの力曲線が重ね合わされている、図１の動作エンベロープを示す。
【図３】例示的な実施形態の力曲線が重ね合わされている、図１の動作エンベロープを示す。
【図４】例示的なヘッドギア装置の力−たわみ曲線のグラフである。
【図４．１】使用者への着用開始時における例示的なヘッドギア装置の位置を示す。
【図４．２】収縮の開始時における例示的なヘッドギア装置の位置を示す。
【図４．３】着用の終了時における例示的なヘッドギア装置の位置を示す。
【図５】例示的な「複合」力−たわみ曲線を含むグラフである。
【図６】インタフェースを封止接触して維持する力−面積グラフである。
【図７】ヘッドギア力、突出シール面積および頭部サイズの間の関係の３次元グラフである。
【図８Ａ】弾性ヘッドギアシステムおよび非弾性ヘッドギアシステムに対する定圧治療の力プロファイルおよび伸長プロファイルを示す。
【図８Ｂ】弾性ヘッドギアシステムおよび非弾性ヘッドギアシステムに対する可変圧治療の力プロファイルおよび伸長プロファイルを示す。
【図９】単一の保持面を有する鼻インタフェースの側面図である。
【図１０】２つの保持面を有する鼻インタフェースの側面図である。
【図１１】２つの保持面を有するフルフェイスマスクの側面図である。
【図１２】２つの保持面を有する鼻マスクの側面図である。
【図１３】単一の点に収束する２つの保持面を有するマスクの側面図である。
【図１３．１】さまざまなヘッドギアタイプの安定性の表である。
【図１３．２】単一保持面インタフェースアセンブリを示す。
【図１４】ヘッドギアとマスクとの間の接続部に配置された方向性ロック機構を有する額支持部を備えたフルフェイスマスクの側面図である。
【図１５】ヘッドギア内に配置された方向性ロック機構を有する額支持部を備えたフルフェイスマスクの側面図である。
【図１６】平坦ストラップに方向性ロック機構を有する鼻マスクの側面図である。
【図１７】可撓性コア設計を備えた方向性ロック機構を有する鼻マスクの側面図である。
【図１８】マスクまたは他のインタフェースと方向性ロック機構を組み込んだヘッドギアの後方部分との間に延在するように構成されたインタフェースアセンブリのモジュールを示す。
【図１９】マスクまたは他のインタフェースと付勢機構から間隔を空けて配置されている方向性ロック機構を組み込んだヘッドギアの後方部分との間に延在するように構成されたインタフェースアセンブリの代替モジュールを示す。
【図２０】例示的なインタフェースアセンブリの側面図である。
【図２１】例示的なフルフェイスマスクの側面図である。
【図２２】例示的な鼻ピローマスクの側面図である。
【図２３】使用者の上に配置された例示的なヘッドギアアセンブリの背面斜視図である。
【図２４】図２３における例示的なヘッドギアアセンブリの背面斜視図である。
【図２５】使用者の上にある例示的なヘッドギアアセンブリの背面斜視図である。
【図２６】図２５における線２６−２６に沿った例示的なヘッドギアアセンブリの断面図である。
【図２７】図２５における線２７−２７に沿った例示的なヘッドギアアセンブリの断面図である。
【図２８】図２５における線２８−２８に沿った例示的なヘッドギアアセンブリの断面図である。
【図２９】さまざまな材料タイプから構成された例示的なヘッドギアのいくつかの部分を示す例示的なヘッドギアアセンブリの背面斜視図である。
【図３０】例示的なヘッドギアアセンブリ内における自動調節器を配置することができる位置を示す。
【図３１】使用者が装着している例示的なヘッドギアアセンブリ内における自動調節器を配置することができる位置を示す。
【図３２】組立形態にある例示的なストラップ調整機構を示す。
【図３３】第１部分および第２部分に分離された図３２における例示的なストラップ調整機構の平面図である。
【図３４】図３２における例示的なストラップ調整機構の第２部分の斜視図である。
【図３５】ロック位置および解除位置にある方向性ロックの断面図である。
【図３６】方向性ロックを組み込んだヘッドギアに対する動作サイクルを示す。
【図３７】１つまたは複数の方向性ロックを組み込んだ例示的なヘッドギアアセンブリの斜視図である。
【図３８】１つまたは複数の方向性ロックを組み込んだ例示的なヘッドギアアセンブリの斜視図である。
【図３９】図３８における例示的なヘッドギアアセンブリのヘッドギア後方部分に取り付けられた取付部材の側面図である。
【図４０】例示的なインタフェースアセンブリの斜視図である。
【図４１】インタフェース結合部分に取り付けられた例示的なインタフェースアセンブリの左側斜視図である。
【図４２】例示的なインタフェースアセンブリの側面図である。
【図４３】インタフェース結合部分に取り付けられたインタフェース部材のフレーム要素の斜視図である。
【図４４】インタフェース部材のフレーム要素およびインタフェース結合部分の正面図である。
【図４５】インタフェース結合部分に取り付けられたインタフェース部材のフレーム要素の正面図である。
【図４６】インタフェース結合部分に取り付けられた例示的なインタフェースアセンブリの右側斜視図である。
【図４７】インタフェース結合部分の第２部品に取り付けられた例示的なインタフェースアセンブリの上面斜視図である。
【図４８】インタフェース結合部分の第１部品の上面斜視図である。
【図４９】インタフェース結合部分の第２部品の上面斜視図である。
【図５０】例示的なインタフェースアセンブリの右側斜視図である。
【図５１】例示的なインタフェースアセンブリの組立分解図である。
【図５２】例示的なインタフェース結合部分の組立分解図である。
【図５３】例示的なインタフェース結合部分の反転した組立分解図である。
【図５４】例示的な折畳み式ヘッドギアアセンブリの上面図である。
【図５５】例示的な折畳み式ヘッドギアアセンブリの背面図である。
【図５６】例示的な折畳み式ヘッドギアアセンブリの側面図である。
【図５７】フルフェイスマスク型インタフェースに結合された例示的なヘッドギアアセンブリを示す。
【図５８】鼻マスクに結合された図５７の例示的なヘッドギアアセンブリを示す。
【図５９】鼻ピロー／プロングマスクに結合された図５７の例示的なヘッドギアアセンブリを示す。
【図６０】例示的なヘッドギアとＴピースを備えたインタフェースアセンブリとを示す。
【図６１】例示的なヘッドギアとＴピースのないインタフェースアセンブリとを示す。
【図６２】例示的なヘッドギアと、インタフェースに取外し可能に取り付けられているインタフェース結合部分を備えるインタフェースアセンブリとを示す。
【図６３】図６２の例示的なインタフェースアセンブリを着用しているときの第１位置を示す。
【図６４】図６２の例示的なインタフェースアセンブリを着用しているときの第２位置を示す。
【図６５】図６２の例示的なインタフェースアセンブリを着用しているときの第３位置を示す。
【図６６】最小長さにある調整可能なインタフェースアセンブリまたはヘッドギアアセンブリの外周部を示す。
【図６７】最大長さにある調整可能なインタフェースアセンブリまたはヘッドギアアセンブリの外周部を示す。
【図６８Ａ】ロック位置にある方向性ロックの断面図である。
【図６８Ｂ】ロック位置にある図６８Ａの方向性ロックの断面斜視図である。
【図６８Ｃ】ロック解除位置にある図６８Ａの方向性ロックの断面図である。
【図６８Ｄ】ロック解除位置にある図６８Ａの方向性ロックの断面斜視図である。
【図６９Ａ】例示的な方向性ロックのハウジングにロックワッシャを取り付ける第１組立ステップの図である。
【図６９Ｂ】図６９Ａの例示的な方向性ロックのハウジングにロックワッシャを取り付ける第２組立ステップの図である。
【図７０Ａ】複数の例示的な方向性ロックのハウジングにロックワッシャを取り付ける第１組立ステップの図である。
【図７０Ｂ】図７０Ａの複数の例示的な方向性ロックのハウジングにロックワッシャを取り付ける第２組立ステップの図である。
【図７１】例示的な方向性ロックのハウジングにロックワッシャを取り付ける組立ステップの図である。
【図７２】例示的な方向性ロックのハウジングにロックワッシャを取り付ける組立ステップの図である。
【図７３】額支持部のない例示的なフルフェイスマスクの側面図である。
【図７４】額支持部のない別の例示的なフルフェイスマスクの側面図である。
【図７５】例示的な鼻マスクの側面図である。
【図７６】ヘッドギア後方部分および２つ保持面を有する例示的なヘッドギアシステムである。
【図７７】別の例示的なヘッドギアの正面斜視図である。
【図７８】図７７の例示的なヘッドギアシステムの正面図である。
【図７９】図７７の例示的なヘッドギアシステムの背面斜視図である。
【図８０】嵌合する鼻マスク装置を備えた、図７７の例示的なヘッドギアシステムの正面図である。
【図８１】例示的なクッションモジュールおよびフレームアセンブリの正面斜視図である。
【図８２】ヘッドギアシステムのハウジングに接続されたフレームアセンブリの正面斜視図である。
【図８３】ヘッドギアシステムのハウジングに接続されたフレームアセンブリの背面図である。
【図８４】ヘッドギアのハウジングから取り外されたフレームアセンブリの背面図である。
【図８５】少なくとも１つの方向性ロックモジュールを含むヘッドギア装置の機能の検証試験を示す。
【図８６】力と試験済みの例示的なヘッドギア装置の伸長との間の関係を示すグラフである。
【図８７】遷移後の伸長中の力の変動を示す力−伸長グラフである。
【図８８】少なくとも１つの方向性ロック機構を含むことができる、本開示のヘッドギア装置を組み込んだ呼吸カニューレの斜視図である。
【図８９ａ−ｃ】本開示のヘッドギア装置を組み込んださらなる呼吸カニューレの斜視図であり、このヘッドギア装置は、少なくとも１つの方向性ロック機構およびヘッドギアクイックリリース機構を含むことができる。
【図９０】少なくとも１つの方向性ロック機構を含むことができる、本開示のヘッドギア装置を組み込んだ別の呼吸カニューレの斜視図である。
【図９１】少なくとも１つの方向性ロック機構およびヘッドギアクイックリリース機構を含むことができる、本開示のヘッドギア装置を組み込んだ呼吸カニューレの斜視図である。
【図９２】少なくとも１つの方向性ロック機構を含むことができる、本開示のヘッドギア装置を組み込んだ呼吸カニューレの斜視図である。
【図９３】少なくとも１つの方向性ロック機構およびヘッドギアクイックリリース機構を含むことができる、本開示のヘッドギア装置を組み込んだ呼吸カニューレの斜視図である。
【図９４】少なくとも１つの方向性ロック機構を含むことができる、本開示のヘッドギア装置を組み込んだ呼吸カニューレの斜視図である。
【図９５】少なくとも１つの方向性ロック機構およびヘッドギアクイックリリース機構を含むことができる、本開示のヘッドギア装置を組み込んだ呼吸カニューレの斜視図である。
【図９６】一対の方向性ロック機構および一対のヘッドギアクイックリリース機構を含むことができる、本開示のヘッドギア装置を組み込んだ呼吸カニューレの斜視図である。
【図９７】一対の方向性ロック機構および一対のヘッドギアクイックリリース機構を含むことができる、本開示のヘッドギア装置を組み込んだ呼吸カニューレの斜視図である。
【図９８】一対の方向性ロック機構およびヘッドギアクイックリリース機構を含むことができる、本開示のヘッドギア装置を組み込んだ呼吸カニューレの斜視図である。
【図９９】一対の方向性ロック機構およびヘッドギアクイックリリース機構を含むことができる、本開示のヘッドギア装置を組み込んだ呼吸カニューレの斜視図である。
【図１００】一対の方向性ロック機構および一対のヘッドギアクイックリリース機構を含むことができる、本開示のヘッドギア装置を組み込んだ呼吸カニューレの斜視図である。
【図１０１】少なくとも１つの方向性ロック機構および一対のヘッドギアクイックリリース機構を含むことができる、本開示のヘッドギア装置を組み込んだ呼吸カニューレの斜視図である。
【図１０２】一対の方向性ロック機構を含むことができる、本開示のヘッドギア装置を組み込んだ呼吸カニューレの斜視図である。
【図１０３】ネーザルハイフローカニューレ（ｎａｓａｌ  ｈｉｇｈ  ｆｌｏｗ  ｃａｎｎｕｌａ）と組み合わせて使用される呼吸マスクを備えた、上昇または制御呼吸圧システムの斜視図である。呼吸マスクは、１つまたは複数の方向性ロック機構を備えることができる。
【図１０４】図１０３の呼吸マスクの斜視図である。
【図１０５】方向性ロック機構のロック部材およびコア部材の側面図である。
【図１０６】ロック部材に対する好ましい動作エンベロープを示す、ロック部材縁部の鋭利度対ロック部材の厚さのグラフである。
【図１０７】ロック位置にあるロック部材の拡大図である。
【図１０８】ロック解除位置にある図１０７のロック部材の拡大図である。
【図１０９ａ−ｂ】異なるあり得る断面開口部形状を有するいくつかのロック部材を示す。
【図１１０】テーパ状孔形状を有するロック部材の斜視図である。
【図１１１ａ−ｂ】代替的なテーパ状孔形状を有するロック部材を示す。
【図１１２】線形保持力プロファイルと比較してテーパ状孔形状の漸進的な保持力プロファイルを示す力対距離のグラフである。
【図１１３ａ−ｂ】一対のロック部材とロック部材の間で動きを伝達する動き伝達要素とを備える方向性ロック機構を示す。図１１３ａは、ロック解除位置にある方向性ロック機構を示し、図１１３ｂは、ロック位置にある方向性ロック機構を示す。
【図１１４ａ−ｂ】一対のロック部材とロック部材の間で動きを伝達する代替的な動き伝達要素とを備える、別の方向性ロック機構を示す。図１１４ａは、ロック解除位置にある方向性ロック機構を示し、図１１４ｂは、ロック位置にある方向性ロック機構を示す。
【図１１５】少なくとも１つの方向性ロック機構を組み込んだヘッドギア装置を備える呼吸マスクシステムを示す。方向性ロック機構は、使用者の耳の後方に位置する。
【図１１６】使用者の上に方向性ロック機構を配置するためのあり得る位置を示す。
【図１１７】頭蓋骨に対して配置領域が示されている、使用者の耳の後方に方向性ロックを配置するためのあり得る位置を示す。
【図１１８Ａ】使用者が装着している本開示のヘッドギアの側面図である。
【図１１８Ｂ】本開示のヘッドギアの斜視図である。
【図１１９】本明細書に開示するヘッドギアの一部を形成するストラップの断面図である。
【図１２０】本開示のヘッドギアと同様のストラップ構成要素を成形するように構成された射出成形型の１つの半体の第三角正投影図である。
【図１２１】図１２０の射出成形型によって製造されたストラップ構成要素の等角図である。
【図１２２】テキスタイルケーシングが内部に配置されている、図１２０の射出成形型の断面図ＢＢである。
【図１２３】テキスタイルケーシングが内部に配置されている、図１２０の射出成形型の断面ＡＡの拡大図である。
【図１２４Ａ】本開示のヘッドギアの第２実施形態の斜視図である。
【図１２４Ｂ】本開示のヘッドギアの第２実施形態のサイズ調整システムの拡大断面図である。
【図１２５Ａ】図１２４Ａおよび図１２４Ｂのサイズ調整システムの第２実施形態の断面図である。
【図１２５Ｂ】図８Ａのサイズ調整システムの第１ストラップの平面図である。
【図１２５Ｃ】代替的なサイズ調整システムの第１ストラップの斜視図である。
【図１２５Ｄ】図１２５Ｃのサイズ調整システムの接続された第１ストラップおよび第２ストラップの断面図である。
【図１２５Ｅ】図１２５Ｃのサイズ調整システムの接続されていない第１ストラップおよび第２ストラップの断面図である。
【図１２５Ｆ】別の代替的なサイズ調整システムの組立分解斜視図である。
【図１２５Ｇ】図１２５Ｆのサイズ調整システムのクローズアップ組立分解斜視図である。
【図１２５Ｈ】図１２５Ｆのサイズ調整システムの第１ストラップの上から見た図である。
【図１２５Ｉ】図１２５Ｆのサイズ調整システムの第２ストラップの断面図である。
【図１２６】図１２４Ａおよび図１２４Ｂのサイズ調整システムを用いて接続されるクッションパッドを備えた呼吸装置の斜視図である。
【図１２７Ａ−Ｂ】呼吸装置構成要素間の接続部の平面図である。
【図１２８】成形グリップを備えたヘッドギア構成要素の平面図である。
【図１２９】図１２８のヘッドギア構成要素を形成するように構成された成形型の断面図である。
【図１３０】比較的非弾性のコアと、コアの少なくとも１つの面にある布ケーシングと、コアのいくつかの部分の間の可撓性接合部とを有するヘッドギアストラップ部分の側面図である。
【図１３１】図１３０の線１４−１４に沿った図１３０のヘッドギアストラップ部分の断面図である。
【図１３２】比較的非弾性のコアと、コアの少なくとも１つの面にある布ケーシングと、コアのいくつかの部分の間の可撓性接合部とを有するヘッドギアストラップ部分の側面図であり、可撓性接合部は、コアのその部分の間に延在する可撓性ブリッジ部分を備えている。
【図１３３】図１３２の線１６−１６に沿った図１３２のヘッドギアストラップ部分の断面図である。
【図１３４】布ケーシングを成形金型内の適所に保持するために静電荷を利用する、ヘッドギアストラップ部分を形成するシステムを示す。
【図１３５】布ケーシングを成形金型内の適所に保持するために空気圧を利用する、ヘッドギアストラップ部分を形成するシステムを示す。
【図１３６】布ケーシングを成形金型内の適所に保持するために１つまたは複数の構成要素を利用する、ヘッドギアストラップ部分を形成するシステムを示す。
【図１３７】成形金型内に布ケーシングを送り込むためにロール状の材料を利用する、ヘッドギアストラップ部分を形成するシステムを示す。
【図１３８】第１ストラップおよび第２ストラップを有するヘッドギアを示す。
【図１３９Ａ】第２ストラップの断面図である。
【図１３９Ｂ】第１ストラップの断面図である。
【図１３９Ｃ】ストラップのコアが、ストラップのカバー層の継目を受け入れるように構成された凹部を含む、代替的なストラップの断面図である。
【図１３９Ｄ】コアが、コアの幅方向の実質的な部分を占有する１つまたは複数の凹部を有し、カバー層の継目が凹部内に位置している、別の代替的なストラップの断面図である。
【図１３９Ｅ】カバー層の継目がカバー層の表面の上に折り重ねられている、代替的な継目構成を示すさらに別の代替的なストラップの断面図である。
【図１４０Ａ】第１ストラップの外層の図である。
【図１４０Ｂ】第２ストラップの外層の図である。
【図１４１】第１ストラップおよび第２ストラップを有するヘッドギアを示す。
【図１４２Ａ】第１ストラップの断面図である。
【図１４２Ｂ】第２ストラップの断面図である。
【図１４３Ａ】第１ストラップの外層の図である。
【図１４３Ｂ】第２ストラップの外層の図である。
【図１４４】内部コア、第１外層および第２外層を有するヘッドギアを示す。
【図１４５】図１４４のヘッドギアの一部の断面図である。
【図１４６Ａ】図１４４のヘッドギアの第１外層の図である。
【図１４６Ｂ】図１４４のヘッドギアの第２外層の図である。
【図１４７】内部コア、第１外層および第２外層を有するヘッドギアを示す。
【図１４８】図１４７のヘッドギアの一部の断面図である。
【図１４９Ａ】図１４７のヘッドギアの第１外層の図である。
【図１４８Ｂ】図１４７のヘッドギアの第２外層の図である。
【図１５０】内部コア、第１外層および第２外層を有するヘッドギアを示す。
【図１５１】図１５０のヘッドギアの一部の断面図である。
【図１５２Ａ】図１５０のヘッドギアの第１外層の図である。
【図１５２Ｂ】図１５０のヘッドギアの第２外層の図である。
【図１５３】内部コア、第１外層および第２外層を有するヘッドギアを示す。
【図１５４】図１５３のヘッドギアの一部の断面図である。
【図１５５】内部コア、第１外層および第２外層を有するヘッドギアを示す。
【図１５６】図１５５のヘッドギアの一部の断面図である。
【図１５７Ａ】図１５５のヘッドギアの第１外層の図である。
【図１５７Ｂ】図１５５のヘッドギアの第２外層の図である。
【図１５８】コアおよび１つまたは複数の外層を有するヘッドギアストラップ装置の断面図である。
【図１５９】図１５８のヘッドギアストラップ装置のコアの側面図である。
【図１６０】コアおよび１つまたは複数の外層を有するヘッドギアストラップ装置の断面図である。
【図１６１】図１６０のヘッドギアストラップ装置のコアの側面図である。
【図１６２】コアおよび１つまたは複数の外層を有するヘッドギアストラップ装置の断面図である。
【図１６３】図１６２のヘッドギアストラップ装置のコアの側面図である。
【図１６４】コアおよび１つまたは複数の外層を有するヘッドギアストラップ装置の断面図である。
【図１６５】図１６４のヘッドギアストラップ装置のコアの側面図である。
【図１６６】コアおよび１つまたは複数の外層を有するヘッドギアストラップ装置の断面図である。
【図１６７】図１６６のヘッドギアストラップ装置のコアの側面図である。
【図１６８】コアおよび１つまたは複数の外層を有するヘッドギアストラップ装置の断面図である。
【図１６９】図１６８のヘッドギアストラップ装置のコアの側面図である。
【図１７０】コアおよび１つまたは複数の外層を有するヘッドギアストラップ装置の断面図である。
【図１７１】図１７０のヘッドギアストラップ装置のコアの側面図である。
【図１７２】コアおよび１つまたは複数の外層を有するヘッドギアストラップ装置の断面図である。
【図１７３】図１７２のヘッドギアストラップ装置のコアの側面図である。
【図１７４】第１ストラップおよび第２ストラップを有するヘッドギアの斜視図である。
【図１７５Ａ】図１７４のヘッドギアの一部の断面図である。
【図１７５Ｂ】図１７４のヘッドギアのストラップの代替構成の断面図である。
【図１７５Ｃ】図１７４のヘッドギアのストラップの別の代替構成の断面図である。
【図１７６】少なくとも第１ストラップおよび第２ストラップを有するヘッドギアの斜視図である。
【図１７７】少なくとも第１ストラップおよび第２ストラップを結合する結合機構を含む図１７６のヘッドギアの拡大図である。
【図１７８】図１７７の結合機構を通る図１７６のヘッドギアの一部の断面図である。
【図１７９】少なくとも第１ストラップおよび第２ストラップを有するヘッドギアの斜視図である。
【図１８０】少なくとも第１ストラップおよび第２ストラップを結合する結合機構を含む図１７９のヘッドギアの拡大図である。
【図１８１】図１８０の結合機構を通る図１７９のヘッドギアの一部の断面図である。
【図１８２】少なくとも第１ストラップおよび第２ストラップを有するヘッドギアの斜視図である。
【図１８３】少なくとも第１ストラップおよび第２ストラップを結合する結合機構を含む図１８２のヘッドギアの拡大図である。
【図１８７】図１８３の結合機構を通る図１８２のヘッドギアの一部の断面図である。
【図１８５】少なくとも第１ストラップおよび第２ストラップを有するヘッドギアの斜視図である。
【図１８６】少なくとも第１ストラップおよび第２ストラップを結合する結合機構を含む図１８５のヘッドギアの拡大図である。
【図１８７】図１８６の結合機構を通る図１８５のヘッドギアの一部の断面図である。
【図１８８】少なくとも第１ストラップおよび第２ストラップを有するヘッドギアの斜視図である。
【図１８９】少なくとも第１ストラップおよび第２ストラップを結合する結合機構を含む図１８８のヘッドギアの拡大図である。
【図１９０】図１８９の結合機構を通る図１８８のヘッドギアの一部の断面図である。
【図１９１】少なくとも第１ストラップおよび第２ストラップを有するヘッドギアの斜視図である。
【図１９２】少なくとも第１ストラップおよび第２ストラップを結合する結合機構を含む図１９１のヘッドギアの拡大図である。
【図１９３】図１９２の結合機構を通る図１９１のヘッドギアの一部の断面図である。
【図１９４】コアおよび外層を有し、外層とコアとの間に１つまたは複数のエアギャップまたは空隙がある、ヘッドギアストラップの断面図である。
【図１９５】コアおよび外層を有し、外層とコアとの間に１つまたは複数の導管がある、ヘッドギアストラップの断面図である。
【図１９６】コアおよび外層を有し、外層とコアとの間に１つまたは複数の導管がある、別のヘッドギアストラップの断面図である。
【図１９７】コアおよび外層を有し、１つまたは複数の導管がコアによって少なくとも部分的に包囲されている、ヘッドギアストラップの断面図である。
【図１９８】コアおよび外層を有し、１つまたは複数の導管がコアによって少なくとも部分的に包囲されている、別のヘッドギアストラップの断面図である。
【図１９９】コアおよび外層を有し、一対の導管がコアによって画定されている、ヘッドギアストラップの断面図である。
【図２００】コアおよび外層を有し、外層とコアとの間にエアギャップがある、ヘッドギアストラップの断面図である。
【図２０１Ａ】表面に対して第１位置にある図２００のヘッドギアストラップの断面図である。
【図２０１Ｂ】表面に対して第２位置にある図２００のヘッドギアストラップの断面図である。
【図２０２】コアおよび外層を有し、外層とコアとの間にエアギャップがあり、コアの一部が外側に露出している、ヘッドギアストラップの断面図である。
【図２０３】コアおよび外層を有し、外層とコアとの間にエアギャップがあり、コアの一部が外側に露出している、別のヘッドギアストラップの断面図である。
【図２０４】ヘッドギアストラップの外層および補強部材の組立分解図である。
【図２０５】図２０４の外層および補強部材を組み込んだヘッドギアストラップの断面図である。
【図２０６】コア、第１外層、第２外層、およびコア材料の導入」前に外層を分離する１つまたは複数の補強または分離部材を有するヘッドギアアセンブリの断面図である。
【図２０７】コア、第１外層、第２外層、およびコア内に封入された補強部材を有するヘッドギアストラップの断面図である。
【図２０８】コア、緩衝層および外層を有するヘッドギアストラップの断面図である。
【図２０９】コア、緩衝層および外層を有し、緩衝層の一部が外側に露出している、別のヘッドギアストラップの断面図である。
【図２１０】いくつかのストラップとストラップのうちの２つ以上を接続するコネクタとを有するヘッドギアの一部の側面図である。
【図２１１】図２１０のコネクタおよびストラップのうちの１つの断面図である。
【図２１２】コアと単一部片の継目なし外層とを有するヘッドギアストラップの断面図である。
【図２１３】コアと、継目を有する単一部片の外層とを有し、外層の縁部がコア内に埋め込まれている、ヘッドギアストラップの断面図である。
【図２１４】コアと、継目を有する単一部片の外層とを有し、外層の縁部がコア内に埋め込まれている、別のヘッドギアストラップの断面図である。
【図２１５】コアと、一対の継目を有する２部片の外層とを有し、外層部片の縁部がコア内に埋め込まれている、ヘッドギアストラップの断面図である。
【図２１６Ａ】コアのない２部片の外層の断面図である。
【図２１６Ｂ】コアが形成された後の２部片の外層の断面図である。
【図２１７】コアと４つの継目を有する４部片の外層とを有し、外層部片の縁部がコア内に埋め込まれている、ヘッドギアストラップの断面図である。
【図２１８】コアと３つの継目を有する３部片の外層とを有し、外層部片の縁部がコア内に埋め込まれている、別のヘッドギアストラップの断面図である。
【図２１９】コアおよびテクスチャ加工された外層を有し、外層の一部がコアを露出させるように切り取られている、ヘッドギアストラップの斜視図である。
【図２２０】コアおよびキルティングされた外層を有し、外層の一部がコアを露出させるように切り取られている、ヘッドギアストラップの斜視図である。
【図２２１】コアおよび外層を有し、コアが外層にテクスチャ加工形状を与える、ヘッドギア層の断面図である。
【図２２２】第１ストラップおよび第２ストラップを有するヘッドギアの斜視図である。
【図２２３】図２２２のヘッドギアの第１ストラップの断面図である。
【図２２４】図２２２のヘッドギアの第２ストラップの断面図である。
【図２２５】第１ストラップ、第２ストラップ、および第１ストラップと第２ストラップとの間の接続部を有するヘッドギアの斜視図である。
【図２２６】接続部を含む図２２５のヘッドギアの一部の拡大図である。
【図２２７】図２２６の接続部の断面図である。
【図２２８】第１ストラップ、第２ストラップ、および第１ストラップと第２ストラップとの間の接続部を有するヘッドギアの斜視図である。
【図２２９】図２２８のヘッドギアの接続部を含む部分の拡大図である。
【図２３０】接続部内のストラップのいくつかのあり得る断面図を示した。
【図２３１】図２２８のヘッドギアの第２ストラップの断面図である。
【図２３２Ａ】型内成形（ｉｎｔｒａ−ｍｏｕｌｄｅｄ）二又ヘッドギアの正面ストラップおよび二又ストラップの上から見た図である。
【図２３２Ｂ】図２３２Ａの型内成形された二又ヘッドギアのストラップを形成するように互いに接合された第１カバー層および第２カバー層の斜視図である。
【図２３２Ｃ】図２３２Ａの型内成形された二又ヘッドギアのストラップを形成するように互いに接合された第１カバー層および第２カバー層の断面図である。
【図２３３】部分的に剛性の正面ストラップを有する図２３２Ａの型内成形された二又ヘッドギアの斜視図である。
【図２３４】剛性正面ストラップと部分的剛性二又ストラップとを有する図２３２Ａの型内成形された二又ヘッドギアの斜視図である。
【図２３５】剛性正面ストラップおよび二又ストラップを有する図２３２Ａの型内成形された二又ヘッドギアの斜視図である。
【図２３６Ａ】図２３２Ａ〜図２３５の型内成形された二又ヘッドギア構成を形成するように構成された成形型の斜視図である。
【図２３６Ｂ】図２３６Ａの成形型の線Ａ−Ａに沿った断面図である。
【図２３６Ｃ】布ケーシングを内部の適所に固定するように構成された成形型の断面図である。
【図２３６Ｄ】布ケーシングを内部の適所に固定するように保持スパイクを有する成形型の断面図である。
【図２３６Ｅ】布ケーシングを内部の適所に固定する保持スパイクを示す、図２３６Ｄの成形型の部分斜視図である。
【図２３６Ｆ】布ケーシングに突き刺すがそれを貫通して延在はしない保持スパイクを示す、図２３６Ｄの成形型の断面図である。
【図２３６Ｇ】布ケーシングを貫通して突き刺す保持スパイクを示す、図２３６Ｄの成形型の断面図である。
【図２３７Ａ】織布ケーシングを用いてヘッドギアを形成する成形型の斜視図である。
【図２３７Ｂ】図２３７Ａの成形型の断面図である。
【図２３８】コア、カバー層およびレールを有する型内成形されたストラップの代替構造の断面斜視図である。
【図２３９Ａ】エアポケットコア、カバー層および型内成形レールを有する型内成形されたストラップの代替構造の断面図である。
【図２３９Ｂ】図２３９Ａの型内成形されたストラップの斜視図である。
【図２３９Ｃ】使用者が着用しているときの図２３９Ａの型内成形されたストラップの断面図である。
【図２４０Ａ】構造化コアを有する型内成形されたストラップの代替構造の断面斜視図である。
【図２４０Ｂ】図２４０Ａの型内成形されたストラップの構造化コアを構築するための成形型の断面図である。
【図２４１Ａ】形状および断面が長さに沿って連続的に変化する複雑な３Ｄ形状を有する、型内成形されたストラップの代替構造の斜視図である。
【図２４１Ｂ】図２４１Ａの型内成形されたストラップの線Ａ−Ａに沿った断面図である。
【図２４１Ｃ】図２４１Ａの型内成形されたストラップの線Ｂ−Ｂに沿った断面図である。
【図２４２Ａ】エンボス加工されたブランドロゴを有する代替的な型内成形されたストラップの断面斜視図である。
【図２４２Ｂ】レーザ切断されたブランドロゴを有する代替的な型内成形されたストラップの断面斜視図である。
【図２４２Ｃ】図２４２Ｂの代替的な型内成形されたストラップの断面斜視図である。
【図２４２Ｄ】コア材料を露出させるためにレーザ切断部分が除去されている、代替的な型内成形されたストラップの断面斜視図である。
【図２４２Ｅ】エンボス加工された指標と突出する露出したコア材料から形成された突出指標とを有する代替的な型内成形されたストラップの断面斜視図である。
【図２４２Ｆ】エンボス加工された特徴を備えた突出するグリップバンプを有する代替的な型内成形されたストラップの断面斜視図である。
【図２４２Ｇ】エンボス加工された突出するグリップバンプを有する代替的な型内成形されたストラップの断面斜視図である。
【図２４３Ａ】オーバモールドされたブランドロゴを有する代替的な型内成形されたストラップの断面斜視図である。
【図２４３Ｂ】オーバモールドされた把持用出っ張り（ｇｒｉｐ  ｂｕｍｐ）を有する代替的な型内成形されたストラップの断面斜視図である。
【図２４３Ｃ】図２４３Ｂのオーバモールドされた把持用出っ張りを有する代替的な型内成形されたストラップの線Ａ−Ａに知った断面図である。
【図２４４Ａ】単一の後部ストラップを有する成形されたヘッドギア構成の背面斜視図である。
【図２４４Ｂ】図２４４Ａの成形されたヘッドギア構成の線Ａ−Ａに沿った断面図である。
【図２４５Ａ】アーチ形コネクタによって頭頂ストラップに接続された下部ストラップを有する成形されたヘッドギア構成の側面斜視図である。
【図２４５Ｂ】図２４５Ａの成形されたヘッドギア構成の線Ａ−Ａに沿った断面図である。
【図２４５Ｃ】図２４５Ａの成形されたヘッドギア構成の側面図である。
【図２４６】剛性正面ストラップと弾性後部ストラップおよび頭頂ストラップとを有する成形されたヘッドギア構成の背面斜視図である。
【図２４７Ａ】型内成形された可変編物を有する成形された二又ヘッドギア構成の背面斜視図である。
【図２４７Ｂ】図２４７Ａの成形されたヘッドギア構成の線Ａ−Ａに沿った断面図である。
【図２４７Ｃ】図２４７Ａの成形されたヘッドギア構成の線Ｂ−Ｂに沿った断面図である。
【図２４７Ｄ】図２４７Ａの成形されたヘッドギア構成を形成する成形型である。
【図２４８Ａ】完全に一体化された二又後部ストラップおよび頭頂ストラップを有する成形されたヘッドギア構成の側面斜視図である。
【図２４８Ｂ】図２４８Ａの成形されたヘッドギア構成の部分組立分解斜視図である。
【図２４８Ｃ】図２４８Ａの成形されたヘッドギア構成の線Ａ−Ａに沿った断面斜視図である。
【図２４９Ａ】露出しかつ外側カバーの外面に形成されたコア材料を有する成形されたヘッドギア構成の側面斜視図である。
【図２４９Ｂ】外側カバーの凹部に配置されたコア材料を有する図２４８Ａの成形されたヘッドギア構成の断面斜視図である。
【図２４９Ｃ】外側カバーの凹部に配置されることなく外側カバーの上に配置されたコア材料を有する、図２４８Ａの成形されたヘッドギア構成の代替構造を示す断面斜視図である。
【図２５０】フルフェイスマスクと組み合わせて使用される例示的な型内成形されたヘッドギア構成の側面図である。
【図２５１】鼻マスクと組み合わせて使用される耳下下部ストラップを有する例示的な型内成形されたヘッドギア構成の側面図である。
【図２５２】鼻ピローマスクと組み合わせて使用される例示的な型内成形されたヘッドギア構成の側面図である。
【図２５３】鼻マスクと組合せて使用される例示的な型内成形されたヘッドギア構成の側面図である。
【発明を実施するための形態】
【０２５４】
図面を通して、参照要素間の全体的な対応関係を示すために参照番号を再使用する場合がある。図面は、本明細書に記載する実施形態例を例示するために提供され、本開示の範囲を限定するようには意図されていない。ここで、添付図面を参照して、システム、構成要素、ならびに組立方法および製造方法の実施形態について説明する。図面を通して、同様の数字は同様のまたは類似する要素を指す。以下、いくつかの実施形態、例および例示について開示するが、本明細書に記載する発明は、具体的に開示する実施形態、例および例示の範囲を越えて広がり、本発明およびその明らかな変更形態および均等物の他の使用を含むことができることが、当業者には理解されよう。本明細書に提示する記載において使用する術語は、いかなるようにも限定または制限するように解釈されるようには意図されておらず、それは単に、本発明のいくつかの具体的な実施形態の詳細な説明に関連して使用されているためである。さらに、本発明の実施形態は、いくつかの新規な特徴を含むことができ、いかなる単一の特徴もその望ましい属性に対してそれのみが関与するものではなく、または本明細書に記載する発明を実施するために必須ではない。
【０２５５】
以下の説明においていくつかの術語を、単に参照の目的で用いる場合があり、したがって、それらの術語は、限定するようには意図されていない。たとえば、「上方」および「下方」という用語は、参照する図面における方向を指す。「前」、「後」、「左」、「右」、「背面」および「側部」等の用語は、考察されている構成要素または要素について記載する本文および関連する図面を参照することによって明らかとなる、一貫したただし任意の評価基準系内の構成要素または要素の部分の向きおよび／または位置を記述する。さらに、「第１」、「第２」、「第３」等の用語は、別個の構成要素について記載するために使用する場合がある。こうした術語は、具体的に上述した用語、その派生語および同様の意味の用語を含む可能性がある。
【０２５６】
本明細書で用いる「実質的に非弾性」という用語は、ヘッドギアまたは材料が、それが受ける可能性がある荷重に対する伸張に抵抗する能力を指すものとする。したがって、ヘッドギアまたは材料は、一方向において実質的に非弾性である可能性があり、別の方向において幾分か弾性である場合がある。いくつかの構成では、ヘッドギアまたは材料は、ヘッドギアまたは材料が使用されるように意図されている治療によって荷重が加えられる方向において実質的に非弾性であるように構成されている。実質的非弾性ヘッドギアまたは材料は、たとえば、通常のまたは予期された状態の下で封止されたシステムにおいて呼吸マスクのシールを損なう伸張に抵抗することができる。非封止システムでは、実質的非弾性ヘッドギアまたは材料は、たとえば、ホース引張力または使用者の移動等、通常のまたは予期された状態に応じて呼吸インタフェースの適切な配置を損なう伸張に抵抗することができる。予期された荷重力が比較的低い場合、荷重は伸張をもたらすほど十分でないため、ヘッドギアまたは材料は、より大きい弾性を有する可能性がある。逆に、ヘッドギアおよび／または材料が高い荷重力を受けることが予期される場合、伸張に抵抗するためにより大きい非弾性が必要となる。
【０２５７】
本明細書で開示するいくつかの実施形態は、使用者の頭部に取り付けたときに、正しいサイズに自動的に調整され、使用状態になると、特性が弾性のある「伸縮性」ストラップ／ストラッピングから「非弾性」ストラップ／ストラッピングに変容する、ヘッドギアシステム、および／またはヘッドギアシステムを組み込んだインタフェースアセンブリを含む。いくつかの構成では、ヘッドギアは（単独でまたはインタフェースアセンブリに一体化されたものとして）、ヘッドギアを短くする傾向がある比較的小さい収縮力を示す。マスクに結合されると、ヘッドギアおよびマスクは協働して、インタフェースアセンブリの外周部を画定し、その長さは、最小周囲長に向かう収縮力の結果として低減する。完全に円形である可能性は低いが、周囲長は、「円周」と呼ばれることが多い。したがって、こうした構成では、インタフェースアセンブリは使用者の頭部に配置することができ、弾性のあるまたは「伸縮性」ヘッドギアと同様に、適切な頭部サイズまでまたはその非常に近くまで自動的に収縮する。収縮力は、好ましくは、インタフェースアセンブリの重量を支持し、インタフェースアセンブリを使用者の頭部で適所に、最小頭部サイズまたはインタフェースアセンブリの最小の有用周囲長（最小周囲長と一致する場合もあれば一致しない場合もある）で少なくとも実質的に維持するために十分である。いくつかの構成では、収縮力は、たとえば、約５０グラムの重量を有する可能性がある、鼻カニューレまたは他の小さいインタフェースの重量を支持するために十分であり得る。他の構成では、収縮力は、約０．５ニュートン〜約５．２ニュートン、または約１ニュートン〜約２．６ニュートン、または約１ニュートン〜約１．５ニュートン（これらの範囲内の任意の値および部分範囲を含む）であり得る。他の構成では、収縮力は、インタフェースの重量を支持するためには不十分である可能性があり、使用者の顔面の封止位置までインタフェースを移動させるために手動の補助を必要とする場合がある。しかしながら、好ましくは、ヘッドギアは、十分に収縮すると、たとえば方向性ロックによって適所に保持される。いくつかの構成では、収縮力は、ヘッドギアの重量を支持するのに十分であるのみであり、または支持するように構成される。
【０２５８】
しかしながら、少なくともいくつかの構成では、収縮力は、治療／使用中に使用者の顔面と封止接触してマスクを維持するために必要であるより小さい。すなわち、収縮力のみでは、吹出力（ｂｌｏｗ−ｏｆｆ  ｆｏｒｃｅ）に抵抗することができない。いくつかの構成では、収縮力は、使用可能な周囲長またはヘッドギアサイズの範囲を通して吹出力に抵抗するために不十分である。したがって、ヘッドギアおよび／またはインタフェースアセンブリはまた、ヘッドギアを伸長させるかまたはインタフェースアセンブリの周囲長を増大させる傾向がある力に応じて、非弾性挙動を示す。ヘッドギアおよび／またはインタフェースアセンブリは、周囲長の拡張、伸長または延長に抵抗する傾向があるロック力をもたらすことができるロックモードを有することができる。ロック力は、吹出力に応じて周囲長の伸長または少なくとも任意の著しい伸長に抵抗するために十分であり得る。いくつかの構成では、ロック力は、種々の使用または治療（たとえば、バイレベルまたはＣＰＡＰ、ＮＩＶ等）で予測される最高の吹出力に応じて伸長に抵抗するのに十分である。いくつかの構成では、ロック力は、１つまたは複数の特定の使用／療法に対して選択することができるが、すべての使用／療法には好適ではない可能性がある。いくつかの構成では、ロック力は、たとえば、ホース引張力等、吹出力に加えていくつかの力に応じて伸長に抵抗するように選択することができる。こうしたさらなる力は、本明細書ではまとめて「ホース引張力」と呼ぶ場合があり、伸長に対するこうしたさらなる抵抗は、本明細書では「予備力（ｒｅｓｅｒｖｅ）」と呼ぶ場合がある。
【０２５９】
いくつかの構成では、ヘッドギアおよび／またはインタフェースアセンブリは降伏力も示し、それを超えると、周囲長の拡張または伸長が可能になる。好ましくは、降伏力は、予測される吹出力より大きい。いくつかの構成では、降伏力は、予測される吹出力およびホース引張力より大きい。したがって、こうしたヘッドギアおよび／またはインタフェースアセンブリは予備力を有する。好ましくは、使用者が、インタフェースアセンブリを延長して使用者の頭部にあてがうことができるために降伏力を超えるのに十分な伸長力を、ヘッドギアおよび／またはインタフェースアセンブリに少なくとも比較的好都合に加えることができるように、降伏力は十分に低く設定される。上述したように、収縮力は、適切な頭部サイズに向かって周囲長を低減させる。
【０２６０】
いくつかの構成では、ヘッドギアおよび／またはインタフェースアセンブリは、外力の存在または不在に応じて、収縮モード、ロックモードおよび降伏モードの間で自動的に遷移する。たとえば、ヘッドギアおよび／またはインタフェースアセンブリは、外部延長または伸長力が存在しないときは最小周囲長に向かってまたは最小周囲長まで移動する。降伏力より大きい延長または拡張力を加えて、インタフェースアセンブリを使用者の頭部に配置することができるように十分な長さまで、ヘッドギアおよび／またはインタフェースアセンブリの周囲長を増大させることができる。延長または拡張力が取り除かれる（または、収縮力未満まで低減する）と、収縮力は、インタフェースアセンブリが使用者の頭部上で支持されるように適切な頭部サイズまでまたは実質的にそうした頭部サイズまで、周囲長を自動的に低減させるように作用する。治療が開始し（吹出力が加わり）かつ／またはホース引張力が加わると、ヘッドギアおよび／またはインタフェースアセンブリは、周囲長の伸長もしくは増大に抵抗し、または少なくとも任意の著しい伸長もしくは増大に抵抗するように、ロックモードに変容する。治療の終了時、または要求に応じて任意の時点で、ヘッドギアおよび／またはインタフェースアセンブリに降伏力を超える力を加えて、周囲長を増大させ、使用者の頭部からインタフェースアセンブリを取り除くのを可能にすることができる。
【０２６１】
有利には、こうした構成により、ヘッドギアおよび／またはインタフェースアセンブリの周囲長の微調整を、迅速にかつ好都合に達成することができる。たとえば、治療または使用中、周囲長の微調整を行うようにマスクを操作することができる。たとえば、マスクと使用者の顔面との間に漏れがある場合、マスクをゆするかまたは他の方法で移動させて、漏れに対処するように周囲長を未調整することができる。場合によっては、使用者の顔面に対してマスクのシールを加圧することができ、それにより、収縮力が周囲長を自動的に低減させることができる。マスクを解放すると、ヘッドギアおよび／またはインタフェースアセンブリは、低減した首位長でまたはその非常に近くでロックする。したがって、こうした構成により、マスクのわずかな操作（たとえば、ゆすり）の結果として、ヘッドギアおよび／またはインタフェースアセンブリを調整済み周囲長に微調整するかまたは移動させることができる。インタフェースアセンブリの他の部分（たとえば、ヘッドギアまたは呼吸チューブ／ガス導管）の操作によっても同様に、微調整をもたらすことができる。ヒトの頭部の性質および／またはインタフェースアセンブリが使用される状態のために、迅速かつ好都合な微調整により、インタフェースアセンブリの性能および使用者の満足度を劇的に向上させることができる。治療は、夜間に、かつ／または使用者が横になっているときに他の状況下で行われることが多い。したがって、ヘッドギアは、枕またはベッド等の表面と接触している可能性がある。こうした表面に対して使用者の頭部が移動することにより、ヘッドギアが移動する可能性があり、それにより、ヘッドギアのフィット性が変化する可能性がある。たとえば、ヘッドギアの真下で頭髪が移動するかまたは「圧縮される」場合があり、それによりフィット性が変化する可能性がある。ヘッドギアストラップは、頭部の上で上方に、下方にまたは回転して移動する可能性があり、それによりフィット性が変化する可能性がある。こうしたフィット性の変化により、マスクと使用者の顔面の間に漏れがもたらされる可能性がある。上述した調整技術により、こうしたフィット性の変化を、自動的に、またはインタフェースアセンブリのマスクまたは他の部分のわずかな操作により、対処することができる。さらに、インタフェースアセンブリは、取り外しかつ再度あてがって、適切なヘッドギアサイズにまたはそれに非常に近いサイズまで自動的に調整することができる。対照的に、従来の非伸縮ヘッドギアは、間違いによりまたは清掃の結果として等、その所望の調整位置から移動した場合、所望の調整位置を再度確立することが困難であり時間がかかる可能性がある。従来の弾性のあるヘッドギアは、調整問題に対処するが、収縮力は、使用可能な最小ヘッドギアサイズで、予測される最高の吹出力およびホース引張力に抵抗しなければならないため、弾性のあるヘッドギアは、使用者の頭部に対して、吹出力を加えることによって部分的にのみ緩和される比較的大きい圧力を加える。こうした圧力は、比較的大きい頭部サイズを有し低治療圧での使用者に対して相当なものである可能性がある。
【０２６２】
具体的な方向性ロック機構に関して後述するように、いくつかの構成では、ヘッドギアおよび／またはインタフェースアセンブリにおいて、弾性モードからロックモードへの遷移中、幾分かの量の移動が発生する。たとえば、いくつかの方向性ロック機構により、弾性モードからロックモードへの遷移中、周囲長がわずかに増大する可能性がある。場合によっては、遷移中、降伏力の増大と周囲長変化の低減との間に妥協が存在する。したがって、ヘッドギアおよび／またはインタフェースアセンブリの任意の特定の位置または周囲長に対する言及は、存在する場合、遷移中にこうしたわずかな長さの変化を含む可能性がある。
【０２６３】
上述した調整技術の以下の例は、ＣＰＡＰの送達に基づく。一連のグラフは、ヘッドギアシステムが動作するように設計されなければならない典型的な動作エンベロープと、さまざまな現実施形態がそのエンベロープに対していかに動作するかを記載している。エンベロープは、ＣＰＡＰ治療領域全体、すなわち、典型的な、あり得るまたは可能なＣＰＡＰ圧力の全範囲と、典型的な、あり得るまたは可能な頭部サイズの全範囲とを含むことができる。または、エンベロープは、圧力の一部（たとえば、低圧ＣＰＡＰもしくは高圧ＣＰＡＰ）または頭部サイズ（ヘッドギアもしくはインタフェースアセンブリのサイズ）（たとえば、小、中または大）等、ＣＰＡＰ治療領域の一部を含むことができる。ＣＰＡＰ治療に関連して考察する原理は、他の治療にも同様に適用することができる。
【０２６４】
図１は、マスクの囲いが加圧されているときに生成される力と、あり得る患者の範囲にわたって発生する可能性があるヘッドギアサイジング範囲との関係を示すグラフである。動作エンベロープは、最小の力と最大の力との間および最大の頭部サイズ（周囲長）と最小の頭部サイズとの間で画定される矩形領域として示す。
【０２６５】
図２は、弾性のあるヘッドギアシステムの性能特徴（力曲線）が重ね合わされている、図１の動作エンベロープを示す。弾性のあるシステムがマスクシステム動作エンベロープにわたって十分な性能を提供するためには、マスクシステムが発生する可能性がある力より大きい力を提供しなければならないことが明らかである。したがって、低いＣＰＡＰ圧力では、ヘッドギアは、吹出力を抑制するために必要であるよりはるかに大きい力を提供する。マスクおよびヘッドギアによって画定される領域にわたって、さらなる力により使用者に対して圧力が加えられ、それは、主にマスクにおいて、頭部の後部において集中する。ヘッドギアの面積は、より大きい面積にわたって力を加えるように増大させることができ、それにより、加えられる圧力が低減する。しかしながら、大型のヘッドギアは、邪魔であるかまたは不快である可能性がある。たとえば、こうした大型のヘッドギアは、望ましい面積より広い面積にわたって熱を保持する可能性がある。
【０２６６】
図３は、上述した自動調整技術を有するヘッドギアシステムの例の性能が重ね合わされている、図１の動作エンベロープを示す。図示する例では、ヘッドギアおよび／またはインタフェースアセンブリによって発生する力は、マスクの囲まれた領域の加圧によって発生する力と平衡するには十分である。本質的に、ヘッドギアシステム例は、比較的低い収縮力で適切な頭部サイズ（頭囲または周囲長）に自動的に調整され、その後、実際のＣＰＡＰ圧力に一致する保持力を「要求時に」提供する。したがって、ヘッドギアシステム例は、ＣＰＡＰエンベロープ内の任意のあり得る点の必要を満たすように自動的に調整することができる。
【０２６７】
図４は、ヘッドギア装置またはヘッドギア装置を備えるインタフェースアセンブリの例の力−たわみ曲線のグラフを示す。グラフのたわみ軸は、ヘッドギア装置またはインタフェースアセンブリの円周または周囲長を表すことができる。そして、円周または周囲長は、ヘッドギア装置またはインタフェースアセンブリが特定の使用者に取り付けられたときのその使用者の頭囲を表すことができる。図４．１〜図４．３は、使用者がヘッドギア装置を備えるインタフェースアセンブリ例を身に着け（「着用し」）かつ微調整するいくつかの別個の位置を示す。図４のグラフについては、図４．１〜図４．３の着用位置をさらに参照して後述する。
【０２６８】
図４のグラフはまた、ヘッドギア装置またはインタフェースアセンブリに関する動作エンベロープ１０も示し、それは、図１〜図３を参照して図示し上述したものと同じ動作エンベロープであり得る。動作エンベロープ１０は、治療の結果としてヘッドギア装置またはインタフェースアセンブリに加えられる最小の力と最大の力との間、およびヘッドギア装置の最小の頭部サイズまたは頭囲／周囲長と最大の頭部サイズまたは頭囲／周囲長との間で画定される矩形領域として示す。動作エンベロープ１０は、治療（たとえば、ＣＰＡＰまたはバイレベルＰＡＰ）に特有であり得るか、または複数の治療をカバーすることができる。同様に、頭部サイズまたは頭囲／周囲長は、ヘッドギア装置のサイズに特有であり得るか、または複数のサイズをカバーすることができる。動作エンベロープ１０を用いて、特定のヘッドギア装置の機能的または挙動基準を確立することができ、本明細書では、動作エンベロープ１０を利用して、いくつかの開示する実施形態の特徴または挙動を例示する。
【０２６９】
例としての動作エンベロープ１０に関して、ヘッドギア装置またはインタフェースアセンブリ例（グラフの考察においては便宜上「ヘッドギア」と呼ぶ）の力−たわみ曲線例を含むグラフを示す。曲線は、グラフの原点またはその近くで発生し、原点は、およそゼロの力とヘッドギアの最小円周または周囲長（グラフの考察においては便宜上「円周」と呼ぶ）とを表すことができる。最小円周はゼロより大きいが、典型的には、意図された使用者または使用者の範囲の（あるとすれば、インタフェースを考慮して）最小頭囲未満の値である。
【０２７０】
図４．１に示すように、ヘッドギア１００を使用者の上に配置するために、通常、ヘッドギア１００を、使用者の実際の頭囲より大きい円周まで伸長させる。通常、ヘッドギア１００の後方部分を使用者の頭部の後部に配置し、使用者は、ヘッドギア１００（たとえば、マスクまたは他のインタフェース）の正面を把持して、引張力を加えてヘッドギア１００を伸長させ、頭部の頭頂部にわたってかつ顔面に向かってマスクまたは他のインタフェースを移動させる。
【０２７１】
図４のグラフに示すように、力−たわみ曲線例は、最初、急峻なピッチで上昇し、そこでは、力は、円周の比較的小さい増大で実質的な量増大する。いくつかの構成では、力−たわみ曲線は、動作エンベロープ１０の最小円周に達する前に動作エンベロープ１０の最小力レベルを超えて上昇する。この曲線の部分は、初期伸長部分１２ａと呼ぶことができる。
【０２７２】
動作エンベロープ１０の最大力を超えるいずれかの位置において、力−たわみ曲線はより浅いピッチに遷移し、そこでは、比較的小さい力の増大で円周は実質的な量増大する。力−たわみ曲線のこの浅いピッチ部分は、ヘッドギア１００の保持機構の降伏力に関連することができる。好ましくは、力−たわみ曲線の伸長部分１２ｂと呼ぶことができる浅いピッチ部分は、動作エンベロープ１０の円周範囲の一部または全体に沿って動作エンベロープ１０の最大力レベルでまたはそれを超えて広がる。いくつかの構成では、伸長部分１２ｂは、動作エンベロープ１０の最大円周レベルを超えて広がる。すなわち、意図された最大頭囲より大きい円周を達成して、ヘッドギア１００の動作エンベロープ１０の最大頭囲を有する使用者の上にヘッドギア１００を好都合に配置することができるように、ヘッドギア１００を構成することができる。使用時、特に、動作エンベロープ１０の小さい方の端部に頭部サイズを有する使用者の場合、ヘッドギア１００は、着用中に最大円周まで伸長しない可能性があり、場合によっては、動作エンベロープ１０の最大円周レベルを超えて伸長しない可能性がある。
【０２７３】
ヘッドギア１００を最大円周まで、動作エンベロープ１０を上回る円周まで、または使用時に使用者への着用を可能にするのに十分な他の何らかの円周まで伸長させた後、図示する力−たわみ曲線は、急峻に低下し（初期収縮部分１４ａ）、その後、比較的浅い部分に遷移し、そこでは、円周は、比較的小さい力の変化で実質的に低減する。この曲線の浅い部分を、収縮部分１４ｂと呼ぶことができ、図４．２によって部分的に示す。好ましくは、収縮部分１４ｂにおいて、ヘッドギア１００は、使用者の頭部にフィットするのに適切な円周に達するまで、比較的低い力レベルで円周を低減させる。治療を開始するまで、またはヘッドギア１００を伸長させようとする別の力が加えられるまで、この低い力レベル（収縮部分１４ｂの左端すなわち「フィット点１６」）において使用者の頭部の上にヘッドギア１００を配置することができる。
【０２７４】
有利には、比較的低い力レベルにより、ヘッドギア１００を使用者に対して快適なものとすることができる。いくつかの構成では、力−たわみ曲線の収縮部分１４ｂは、動作エンベロープ１０の最小力レベルまたはそれ未満である。したがって、こうした構成では、ヘッドギア１００の収縮力は、治療（たとえば、低ＣＰＡＰレベル）によってヘッドギア１００に引き起こされる最小の力に抵抗するために必要であるかまたは望ましい力より低い可能性がある。したがって、低治療レベルにおいてさえも、治療によって引き起こされる力に抵抗するのに十分な保持力のみを生成するようにヘッドギア１００を構成することができ、それは、動作エンベロープ１０の最小力レベルが力−たわみ曲線の収縮部分１４ｂを超えるためである。いくつかの構成では、後述するように、力たわみ曲線の収縮部分１４ｂは、動作エンベロープ１０内になる可能性がある。こうした構成は、「複合」挙動を示すと言うことができる。しかしながら、好ましくは、複合挙動ヘッドギア力−たわみ曲線の収縮部分１４ｂは、動作エンベロープ１０の最大力レベル未満のままである。
【０２７５】
治療が開始するか、またはヘッドギア１００に別の伸長力が加えられると、力たわみ曲線は、フィット点１６から、ヘッドギア１００の保持力が、ヘッドギア１００を伸長させようとする治療および／または他の力（たとえば、ホース引張力）によって引き起こされる力と平衡する、動作エンベロープ１０内の点まで比較的急峻に上昇する。こうした点は、平衡フィット点１８と呼ぶことができる。フィット点１６と平衡フィット点１８との間の力−たわみ曲線は、初期伸長部分１２ａと実質的に同じ勾配を有することができる。平衡フィット点１８の実際の位置は、治療および使用者の実際の頭部サイズによって引き起こされる実際の力に応じて、動作エンベロープ１０内の任意の位置であり得る。任意の特定の場合において、使用者に対する圧力としてヘッドギアサイズに関連する領域にわたって加えられる、ヘッドギア１００における力は、実質的に、治療によって引き起こされる力を抑制するために必要な力のみである。したがって、少なくともいくつかの構成では、使用者に加えられる圧力は、利用される特定の治療のレベルに対して任意の特定のヘッドギアサイズおよび形状に対して最小化することができる。力−たわみ曲線の伸長部分１２ｂを動作エンベロープ１０の最大力レベルの上方に間隔を空けて配置して、ヘッドギア１００の伸長なしでさらなる力（たとえば、ホース引張力）を加えることができる予備力を提供することができる。力−たわみ曲線の伸長部分１２ｂに達するようにヘッドギア１００に十分な力が加えられると、ヘッドギア１００の伸長が発生することができる。しかしながら、予期されたまたは通常の治療の力およびホース引張力またはそれらの任意の組合せに適応する力−たわみ曲線を有するように、ヘッドギア１００を設計しまたは構成することができる。
【０２７６】
上述したように、少なくともいくつかの構成では、使用者は、ヘッドギア１００を操作して、周囲長の微調整をもたらすことができる。有利には、こうした構成により、使用者は、図４．３に示すように、単に、マスクもしくは他のインタフェースを把持し、使用者の顔面およびヘッドギア１００の後方部分に対してマスクまたは他のインタフェースを移動させる（たとえばゆする）ことにより、たとえば、漏れに対処し、またはヘッドギア１００を所望のレベルまで締め付けるかもしくは緩める（周囲長を低減させる）ことができる。図４．３において矢印によって示すように、使用者の顔面に向かいかつそこから離れる方向にまたは（たとえば、垂直軸もしくは水平／横軸を中心に）回転するように等、複数の方向に、マスクまたは他のインタフェースを移動させるかまたは調整することができる。顔面に向かう移動により、周囲長を低減させるかまたはヘッドギア１００を締め付けて、たとえば、許容可能なまたは望ましいフィットの範囲の堅い限界（「タイトフィット」と呼ぶことができる）に向かうフィットを達成することができる。顔面から離れる移動により、周囲長を延長するかまたはヘッドギア１００を緩めて、たとえば、許容可能なまたは望ましいフィットの範囲の緩い限界（「ルーズフィット」と呼ぶことができる）に向かうフィットを達成することができる。垂直軸を中心として回転移動させることにより、ヘッドギア１００の一方の側を締め付け、他方の側を同じまま維持するかまたは緩めることができる。水平または横軸を中心として回転させることにより、ヘッドギア１００の上部または下部のうちの一方を締め付け、上部または下部のうちの他方を緩めることができる。
【０２７７】
上述したように、すべての構成において、力−たわみ曲線の収縮部分１４ｂが動作エンベロープ１０の最小力レベルより下に位置することが必須ではない。力−たわみ曲線の収縮部分１４ｂを動作エンベロープ１０内にかつ使用者に対して十分な程度の快適さを提供するレベルで配置するように、ヘッドギア１００を設計するかまたは構成することができる。場合によっては、使用者は、ヘッドギア１００が、ヘッドギア１００がインタフェースを適所に固定して保持しているという快適さの感覚を与える何らかの触覚フィードバックを使用者に与えるために、ある程度の力を加えることを望む場合がある。ヘッドギア１００によって加えられるこうした力は、使用者によっては、特定の治療の動作エンベロープ１０内になる可能性がある。したがって、こうした構成により、少なくともいくつかの条件下では、ヘッドギア１００の収縮力は、少なくともいくつかの低い治療レベルおよび／またはいくつかの大きい頭部サイズとして治療の力に抵抗するのに十分であり得る。
【０２７８】
図５は、「複合」力−たわみ曲線例を含むグラフを示す。例示の目的で、グラフには、複合力−たわみ曲線に加えて、弾性ヘッドギア力−たわみ曲線の例を示す。複合力−たわみ曲線は、図４に関連して上述した力−たわみ曲線と実質的に同様または同一であり得るが、複合力−たわみ曲線が収縮部分１４ｂを動作エンベロープ内に配置するという点が異なる。力−たわみ曲線の収縮部分１４ｂは、動作エンベロープを下方部分２０および上方部分２２に分割する。ヘッドギアは、１つまたは複数の弾性要素によって提供することができる、ヘッドギアの収縮力を利用して、力−たわみ曲線の収縮部分１４ｂより下の下方部分２０における力を吸収することができる。力−たわみ曲線の収縮部分１４ｂより上の上方部分２２における力は、図４に関連して上述した方法と同様に、１つまたは複数の保持要素（たとえば、ロック）によって提供することができる、ヘッドギアの保持力によって吸収することができる。
【０２７９】
力−たわみ曲線の収縮部分１４の上に重ねて、弾性ヘッドギア力曲線１５の例を示す。弾性ヘッドギア力曲線１５は、ヘッドギア内の内部摩擦損失またはヒステリシスを表す比較的小さい垂直距離によって分離された上方曲線部分および下方曲線部分を含む。ヘッドギアを伸長させるために必要な力は、ヘッドギアの収縮力よりわずかに大きい。図示する弾性力−たわみ曲線１５を示す弾性ヘッドギアは、力−たわみ曲線１５の下の適用される治療または他の力のみに適応することができる。力−たわみ曲線１５の上の力が加えられることにより、弾性ヘッドギアは伸長することになる。したがって、弾性ヘッドギアの力−たわみ曲線１５は、少なくともいくつかの条件（たとえば、高い治療の力または小さい頭部サイズ）下での望ましくない伸長を回避するために、動作エンベロープの最大力レベルより上方に配置しなければならない。こうした力−たわみ曲線１５の結果として使用者に加えられる圧力のレベルは、少なくともいくつかの条件（たとえば、低い治療の力または大きい頭部サイズ）下では不快である可能性がある。
【０２８０】
対照的に、複合力−たわみ曲線（または、図４に関連して図示し記載した平衡フィット力−たわみ曲線）は、曲線の上方部分１２ｂと曲線の下方部分１４ｂとの間に比較的大きい垂直距離を示す。動作エンベロープの少なくとも一部は、曲線の上方部分１２ｂと曲線の下方部分１４ｂとの間の垂直空間内に入る。したがって、こうした力−たわみ曲線を示すヘッドギアは、治療または他の伸長力がない場合は使用者に対して比較的低い力または圧力を加える一方で、比較的高い力に抵抗することができる。さらに、治療が開始すると、使用者に加えられる力または圧力は、（複合構成において力−たわみ曲線の収縮部分１４ｂより下である場合）同じままであり、または、実質的に、加えられる力に抵抗するために必要なレベルまでしか増大しない。
【０２８１】
インタフェースによってヘッドギアに加えられる力は、通常、インタフェースのシールの突出領域に関連する。鼻ピローまたは鼻マスク等、小さいインタフェースは、フルフェイスマスク等の大きいインタフェースに対して比較的小さい領域の周囲で封止し、したがって、より小さい力をもたらす。いくつかのインタフェース（たとえば、鼻カニューレ）は、使用者の顔面とのシールをもたらさない可能性があり、したがって、ヘッドギアに加えられる力は、主に、インタフェースの重量に関連する可能性がある。図６は、シールの突出面積に関連して、インタフェースを使用者の顔面と封止接触して維持するために必要な力のグラフを示す。概して、シールの突出面積が大きいほど、インタフェースを使用者の顔面と封止接触して維持するために必要な力が大きくなり、したがって、ヘッドギアによって抵抗する必要がある力が大きくなる。こうした力は、ヘッドギアの保持力と呼ぶことができる。
【０２８２】
図６のグラフは、異なる突出シール面積を有するインタフェースに対する許容可能な保持力の範囲の上限および下限を画定する２つの線２４、２６を含む。２つの線２４、２６は、互いから垂直に間隔が空けられ、適度の勾配で左から右に上方に延びている。下方の線２４は、使用者の顔面とのシールを維持するために必要なまたは望ましい最小の力を表すことができる。上方の線２６は、シールを維持するために必要な力より大きい可能性があるが、好ましくは、使用者の快適さを維持するかまたは過度なシール崩壊を回避するために十分低い、望ましい最大の力を表すことができる。下方の線２４と上方の線２６との間の空間は、使用者の選好に適応する調整の使用可能なまたは目標範囲２８を表すことができ、下方の線２４は使用可能なまたは許容可能なルーズフィットを表し、上方の線２６は使用可能なまたは許容可能なタイトフィットを表す。下方の線２４は、鼻ピローから鼻マスクおよび鼻マスクからフルフェイスマスク等、インタフェースのタイプ間での遷移を表す、１つまたは複数の比較的短い、急峻な上向きの傾斜部を含むことができる。上方の線２６は、直線として示すが、一定の目標調整範囲を維持するために下方の線２４のものに対応する急峻な傾斜部を含む場合がある。
【０２８３】
図６のグラフはまた、目標範囲または目標ゾーン２８の上方の力レベルにおける平坦なまたは水平な線３０を含む。この線３０は、特定のヘッドギアを連続して使用する比較的短い期間にわたって使用者に皮膚損傷をもたらすかまたはもたらす可能性のある力を表す。この線３０を最大力線３０と呼ぶことができる。実際の力の値は、接触面積または材料のタイプ等、特定のヘッドギアの特徴によって変化する可能性がある。目標ゾーン２８と最大力線３０との間の垂直距離は、ヘッドギア力の調整に対する誤差範囲３２を表す。図示するように、誤差範囲３２は、鼻ピローまたは鼻マスク等、突出シール面積の小さいインタフェースと比較して、フルフェイスマスク等、突出シール面積の大きいインタフェースに対して低減する。したがって、特に突出シール面積の大きいインタフェースでは、ヘッドギアは、目標ゾーン２８内またはその近くまでの調整を容易にまたは好都合に可能であることが望ましい。従来の非弾性ヘッドギアは、フック・ループファスナで固定される１つまたは複数の調整可能ループ等、比較的粗い調整を組み込んでいる。こうしたヘッドギアは、特に、たとえば、病院内で起こることが多い、ヘッドギアの装着者が調整を行っている人ではない環境において、目標ゾーン２８内に調整することが困難である可能性がある。
【０２８４】
図７は、ヘッドギア力、突出シール面積および円周の関係の３次元グラフを示す。図７のグラフは、図６のグラフと図４のグラフとの組合せである。図７のグラフは、インタフェースと使用者の顔面との間にシールをもたらす最小の力２４（図６の目標ゾーン２８の下方の線２４）を示す。最小力線２４の下では、ヘッドギア力は、シールをもたらすかまたは維持するために不十分である可能性がある。図７のグラフは、超えると皮膚損傷が発生する可能性がある最大力線３０も示す。最小力線２４と最大力線３０との間に、ヘッドギア力に対する安全な動作エンベロープがある。目標範囲の上方の線は、明確にするために省略している。
【０２８５】
図７のグラフは、ヘッドギア例の力−たわみ曲線も示す。力−たわみ曲線は、特定の突出シール面積を有する特定のタイプのインタフェースと使用するように意図されたヘッドギアに対する設計基準を示すように、突出シール面積軸に沿った任意の平面内に位置することができる。ヘッドギアはまた、複数のタイプのインタフェースと動作し、または（少なくとも特定の治療に関して）すべてのタイプのインタフェースに対して汎用であるヘッドギアを設計するように、突出シール面積軸の一部または全体に沿ったヘッドギア力および円周を考慮して設計することができる。いくつかの構成では、図７において力−たわみ曲線によって示すように、力−たわみ曲線の伸長部分１２は、最大力線３０より上に位置することができる。
【０２８６】
少なくともいくつかの構成では、上述したような平衡フィットまたは複合力−たわみ曲線を示すヘッドギアは、有利には、安全な動作エンベロープ内、好ましくは目標ゾーン内に入る保持力を提供する。少なくともいくつかの構成では、こうしたヘッドギアは、好適な保持力を安全な動作エンベロープ内に、好ましくは目標ゾーン内に自動的に調整する。したがって、使用者によるかまたは別の人による締付け不足または過度な締付けを低減させるかまたはなくすことができる。
【０２８７】
上述したように、ヘッドギアシステム例は、インタフェースまたはマスクシステムを取り付け、使用し、取り外すプロセスにおいていくつかの機能を実行する。たとえば、ヘッドギアシステムは、使用者の頭部の上に配置することができるように長さが伸長する。ヘッドギアシステムは、「取付け」プロセス中に長さを収縮し、マスクシステムが固定されていると使用者が感じるようにマスクシステムに対して十分な力を与える。気道内圧が加えられると、ヘッドギアシステムは、弾性または伸縮性挙動から非弾性挙動に性能が「変容する」。ヘッドギアシステムはまた、使用中の使用者の選好に基づいてマスクを締め付けるかまたは緩める微調整も可能にする。取り外すために、ヘッドギアシステムは、使用者の頭部の上で取り外すことができるように長さを伸長する。これらの特徴のうちのすべてを含む１つまたは複数の組合せは、取り付けかつ取り除くために必要な使用者の相互作用が最小限であるマスクシステムを提供する。これは、誤用の可能性をなくし、マスクシステムの改善された使用可能性に役立つことができる。ヘッドギアシステム例はまた、ヘッドギアの過度な締付けの蓋然性またはさらには可能性を低減させることにより、皮膚に対する過度な圧力の影響を軽減することも可能である。ヘッドギアシステム例は、治療に対する全体的なコンプライアンスを向上させることができる。これに対するさらなる特徴は、高度な位置決めおよび安定性を有するものである。これは、マスクの取外しおよび再取付という行為と使用中との両方に関する。本明細書では、患者または使用者の頭部へのヘッドギアおよび関連するインタフェースアセンブリの繰返し可能なかつ安定した位置決めを達成するための１つまたは複数の概念について開示する。本明細書ではまた、選択的に弾性または非弾性にすることができる部分と、非弾性挙動を提供する部分とを提供することにより、変容可能な挙動を支持するヘッドギアシステムを達成するための１つまたは複数の概念も開示する。
【０２８８】
図８Ａおよび図８Ｂは、フルフェイスマスクに対して、弾性ヘッドギアシステムおよび非弾性ヘッドギアシステムの関連する伸長挙動とともに、それぞれ定圧治療および可変圧治療の力プロファイルをグラフ形式で示す。図８Ａは、１０ｃｍのＨ２ＯでのＣＰＡＰ等、定圧治療を適用することにより経時的にヘッドギア内に引き起こされる、それぞれ力および伸長の２つのグラフを含む。上のグラフは、加えられたガス圧およびマスク囲い面積、または単にマスク面積の組合せによってヘッドギア内に引き起こされる力を示す。治療の送達圧力は一定であるが、力曲線は、使用者が呼吸しマスク内の圧力変化をもたらすことによって生じる小さい振動を含む。下のグラフは、力が加えられる結果としてヘッドギアシステム、したがってマスク本体内における結果としての伸長または移動を示す。下の伸長グラフに、２つの伸長線３４、３６が示されている。第１線３４は、力が加えられることに応じて伸長する、最新技術による弾性ヘッドギアの伸長挙動を示す。図示する例では、弾性ヘッドギアは、ＣＰＡＰ圧なしの長さに比較してＣＰＡＰ圧で約８ｍｍ伸長する。第２線３６は、最新技術による非弾性ヘッドギアの伸長挙動を示す。図示するように、非弾性ヘッドギアは、加えられる力に応じて非常にわずかな伸長を示す。
【０２８９】
図８Ｂも同様に、ＮＩＶまたはバイレベルＰＡＰ等、振動または可変圧治療を適用することにより経時的にヘッドギア内に引き起こされる、それぞれ力および伸長のグラフを含む。たとえば、例示的な治療は、約５ｃｍのＨ２Ｏの圧力（たとえば、呼気気道陽圧−ＥＰＡＰ）と約１２ｃｍのＨ２Ｏ（たとえば、吸気気道陽圧−ＩＰＡＰ）との間で変化する。上のグラフは、加えられたガス圧およびマスク囲い面積または単にマスク面積の組合せによってヘッドギア内に引き起こされる力を示す。下のグラフは、加えられた力の結果としてのヘッドギアシステム、したがってマスク本体内における結果としての伸長または移動を示す。伸長グラフに２つの伸長線３４、３６が示されている。第１線３４は、加えられた力の増大および低減とともに伸長し収縮する、最新技術による弾性ヘッドギアの伸長挙動を示す。図示する例では、弾性ヘッドギアは、ＣＰＡＰ圧なしの長さと比較して可変力曲線に応じて約４ｍｍ〜約１２ｍｍ（それぞれ、低圧および高圧で）伸長する。この移動を低減させるかまたは防止するためには、通常、ヘッドギアを伸長させるために必要な力がマスク面積と換気圧との組合せによって生成されている力より大きいように、ヘッドギアシステムを過度に締め付けることが実施される。この実施の適用により、皮膚が損傷することになり、創傷ケアを実施する結果となる。第２線３６は、図８Ａと同様に、非常にわずかな伸長を示すが、上述した限界および欠点を有する、最新技術による非弾性ヘッドギアの伸長挙動を示す。
【０２９０】
例に示すように、フルフェイスマスクと使用される場合の、過度に締め付けられなかった最新技術によるヘッドギアシステムは、ＮＩＶの場合はピーク吸気圧から最終呼気圧への変化、またはバイレベル換気の場合はＩＰＡＰからＥＰＡＰへの変化の間、約８ｍｍから約１２ｍｍ移動するように、長さが伸長する。少なくともいくつかの構成では、本方向性ロックヘッドギアシステムは、ヘッドギアを伸長させる傾向がある方向に力が加えられることに応じて、非弾性ヘッドギアと同様の挙動を示す。しかしながら、方向性ロックヘッドギアシステムのこうした構成は、非弾性ヘッドギアに関連する欠点（たとえば、時間がかかりかつ困難な調整）なしに、弾性ヘッドギアの１つまたは複数の利点（たとえば、自動サイズ調整または自動フィット）を示す。少なくともいくつかの構成では、方向性ロック機構を組み込んだヘッドギアシステムでは、システム圧なしであることを除き使用者に適用される際の条件と比較して、治療中に加えられる力に応じて、約４ｍｍ未満のヘッドギア伸長またはマスク移動をもたらす。いくつかの構成では、方向性ロック機構を組み込んだヘッドギアシステムでは、高いまたは最大の治療圧状態と低いまたは最小の治療圧状態との間（たとえば、ＮＩＶの場合はピーク吸気圧と最終呼気圧との間）で、約４ｍｍ未満のヘッドギア伸長またはマスク移動がもたらされる。
【０２９１】
ヘッドギアシステム例の機能的挙動は、設計特有の位置における伸長特性を有するさまざまなヘッドギア要素を含み、それにより、好ましくは、本明細書に開示する方向性ロックおよび／または方向性摩擦機構のうちの１つまたは複数により、弾性のあるまたは伸縮する挙動を要求時にオンおよびオフに切り替えることができる。これは、ヘッドギアのさまざまな特徴が、所定の位置において所定の性能属性を提供するように構成されていることを含むことができる。呼吸用途で使用される患者インタフェースでは、これらの特徴の位置は、所望のインタフェースタイプと保持面の数とによって決まる可能性がある。保持面は、インタフェースアセンブリ内で発生する力を分解するための１つまたは複数の平面として定義することができる。
【０２９２】
たとえば、図９は、単一の保持面を有する、鼻ピローマスク、鼻マスクまたは鼻カニューレ等の鼻インタフェースを示す。第１線は、鼻インタフェースの第１側の取付箇所とヘッドギアの後方部分の第１側の取付箇所との間に延在している。第２線は、鼻インタフェースの第２側の取付箇所とヘッドギアの後方部分の第２側の取付箇所との間に延在している。第１線および第２線は、協働して、単一保持面を画定している。保持面は、たとえば、幾何中心または垂直中心であり得る鼻インタフェースの中心を通ってまたはその近くに延在することができる。いくつかの構成では、保持面は、鼻インタフェースに付勢力（たとえば、上方付勢または下方付勢）を加えることが望ましい可能性がある構成等では、中心からずれている場合がある。保持面は、概して、使用者の鼻の下側またはその近く（たとえば、幾分か下方）の位置から、使用者の耳に近いが幾分か上方の位置まで延在することができる。こうした構成により、保持面は、前後方向に上向きの傾きを有することができる。
【０２９３】
図１０は、複数（たとえば、２つ）の保持面を有する鼻ピローマスク、鼻マスクまたは鼻カニューレ等の鼻インタフェースを示す。図９を参照して記載したように、インタフェースアセンブリの各側における線によって、各保持面が画定され、それらの線は、鼻インタフェースの点とヘッドギアの後方部分の点との間に延在している。図１０の構成では、保持面は互いにずれて、前後方向にまたは側面から角度を画定している。図示する構成では、第１保持面は、鼻インタフェースの比較的上方の点を通って延在し、第２保持面は、鼻インタフェースの比較的下方の点を通って延在している。第１保持面および第２保持面は、ヘッドギアの後方部分の単一の点を通って（または互いに非常に近くに）延在することができ、またはヘッドギアの後方部分において間隔を空けて配置することができ、それらの面は、鼻インタフェースとヘッドギアの後方部分との間で互いを二分する（互いに交差する）か、または鼻インタフェースとヘッドギアの後方部分との間で間隔を空けて配置することができる。図示する構成では、第１保持面は、入口、呼吸チューブコネクタまたはガス導管コネクタの上縁部にまたはその近くに配置され、第２保持面は、入口、呼吸チューブまたはガス導管の下縁部にまたはその近くに配置される。いくつかの構成では、保持面は、ヘッドギアまたはインタフェースアセンブリの物理的な部分に沿って延在することができる。しかしながら、他の構成では、保持面は、ヘッドギアまたはインタフェースアセンブリの物理的な部分に沿って延在しない場合がある。すなわち、たとえば、保持面は、ヘッドギアのストラップと位置合わせされない場合がある。
【０２９４】
他のタイプのインタフェースアセンブリも同様に、インタフェースとヘッドギアの後方部分との間の保持面を利用することができる。たとえば、図１１は、２つの保持面を有するフルフェイスマスクを示す。図示するフルフェイスマスクは、上方に延在するフレーム部分またはＴピースを含み、それは、マスクの下方部分から使用者の額に向かってまたは額まで延在する。図示する構成では、第１保持面すなわち上部保持面は、Ｔピースとヘッドギアの後方部分の上方位置との間に延在している。上部保持面は、使用者の眼および耳の上方に延在することができる。上部保持面は、概して水平であり得るが、前後方向に幾分か傾斜することができる。たとえば、上部保持面は、前後方向において幾分か下方に傾斜して、使用者の額と使用者の頭部の後部の中心または最後方点との間を通過することができる。第２保持面すなわち下部保持面は、マスクの基礎部分とヘッドギアの後方部分の下方位置との間に延在する。下部保持面は、使用者の口の周囲の点から使用者の耳の下方の点まで延在することができる。下部保持面は、概して水平であり得るが、前後方向に幾分か傾斜することができる。たとえば、下部保持面は、前後方向において幾分か上方に傾斜することができる。上部保持面は、ヘッドギアの上部ストラップに沿って延在することができる。下部保持面は、概してヘッドギアの下部ストラップに沿って延在することができるが、下部ストラップは、下部保持面が下部ストラップの端部に重なるが下部ストラップの少なくとも中間部分には重ならないように、使用者の耳に適応するように湾曲することができる。他の構成では、上部保持面および下部保持面の一方または両方は、関連するストラップの上に部分的にもしくは完全に重なることができ、関連するストラップから部分的にもしくは完全に間隔を空けて配置することができ、または２つのうちの任意の組合せであり得る。
【０２９５】
図１２は、２つの保持面を有する鼻マスクを示す。図１１のフルフェイスマスクと同様に、図示する鼻マスクは、上方に延在するフレーム部分またはＴピースを含み、それは、マスクの下方部分から使用者の額に向かってまたは額まで延在する。図示する構成では、第１保持面すなわち上部保持面は、Ｔピースとヘッドギアの後方部分の上方位置との間に延在している。上部保持面は、使用者の眼および耳の上方に延在することができる。上部保持面は、概して水平であり得るが、前後方向に幾分か傾斜することができる。たとえば、上部保持面は、前後方向において幾分か下方に傾斜して、使用者の額と使用者の頭部の後部の中心または最後方点との間を通過することができる。第２保持面すなわち下部保持面は、マスクの基礎部分とヘッドギアの後方部分の下方位置との間に延在する。下部保持面は、使用者の鼻の周囲の点から使用者の耳と位置合わせされるかまたはその下方の点まで延在することができる。下部保持面は、概して水平であり得るが、前後に幾分か傾斜することができる。たとえば、下部保持面は、前後方向においいて幾分か下方に傾斜することができる。上部保持面は、ヘッドギアの上部ストラップに沿って延在することができる。下部保持面は、ヘッドギアの下部ストラップの前方端部と後方端部との間に延在することができる。図示する下部ストラップは、下部保持面が下部ストラップの中間部分の上に重ならないように、使用者の耳に適応するように湾曲することができる。図１１および図１２のインタフェースアセンブリのいずれにおいても、下部保持面は、インタフェースの入口、呼吸チューブコネクタまたはガス導管コネクタを通って（入口またはコネクタを通ってまたはその近く等を）通過することができる。
【０２９６】
図１３は、ヘッドギアシステム内の単一点に収束する２つの保持面がある、フルフェイスマスクまたは鼻マスクのいずれかに適用可能な代替構成を示す。保持面は、インタフェース上で互いに垂直に間隔を空けて配置されて、インタフェースに対してある程度の安定性を与えることができる。たとえば、フルフェイスマスクでは、上部保持面は、使用者の鼻の下側を通ってまたはその上方を通過することができ、下部保持面は、使用者の口の近くまたはその下方を通過することができる。鼻マスクでは、上部保持面は、使用者の鼻の下側の上方を通過することができ、下部保持面は、使用者の鼻の下側の上方を通過することができる。保持面は、使用者の耳の概して上方および／または前方の点において交差することができる。マスクをヘッドギアの後方部分に結合するインタフェースアセンブリの部分は、別個であるか、または相互接続することができ、それにより、１回の調整で、少なくとも上方部分および下方部分の長さを変更することができる可能性がある。上方部分および下方部分の長さの比は、ヘッドギア接続箇所に位置する相互接続部分の点を移動させることによって容易に調整することができる。図示するフルフェイスマスクは、額当てまたは「Ｔピース」を含まない。しかしながら、いくつかの構成では、Ｔピースを設けることができる。望ましい場合は、追加のヘッドギア要素またはストラップが、ヘッドギアの後方部分をマスクのＴピースに結合することができる。
【０２９７】
図１３．１は、保持面の数および／または相対的な位置決めに基づいてヘッドギアタイプの複数の一般的なカテゴリを識別する表である。表はまた、複数のインタフェースタイプを識別し、ヘッドギアタイプおよびインタフェースタイプの結果としての組合せの望ましさまたは実用性の指標を提供する。本明細書に開示するヘッドギアアセンブリのうちの少なくともいくつかが自動的にフィットするため、複数タイプのインタフェースと単一のヘッドギアタイプを利用することができる可能性がある。あり得る組合せの例について、図１３．１を参照して記載する。インタフェースの回転に対する外部抵抗源がほとんどまたはまったく提供されない構成等、少なくともいくつかの構成において、比較的低い安定性を与えるものから比較的高い安定性を与えるものまでの順序で、ヘッドギアタイプを上から下まで列挙している。図１３．１の表に列挙されたヘッドギアタイプは排他的ではない。本明細書に開示する概念とともに、図示するヘッドギアタイプの変更および混成を含む他のヘッドギアタイプを使用することができる。
【０２９８】
概して、安定性の高いヘッドギア構成は、汎用的である可能性があり、または多くのもしくはすべてのインタフェースタイプ、または少なくとも図示するインタフェースタイプに対して少なくとも許容可能なレベルの支持を提供することができる。対照的に、安定性の低いヘッドギア構成は、少なくとも、固有に安定性の低い構成の安定性を増大させるために所定の対応を行わなければ、すべてのインタフェースタイプに望ましいかまたは許容可能なレベルの支持を提供することができない可能性がある。概して、大きいインタフェースほど、より大きい安定性を提供するヘッドギアを必要としまたはそれから利益を得る。フルフェイスマスク等、大きいインタフェースに対して、少なくとも２つの保持面を与えることが、望ましいことが多いかまたは必要な場合がある。２つの保持面が、インタフェースにおけるインタフェースの垂直または高さ方向において（たとえば、インタフェースへの取付箇所において）互いに分離されていることが有利である可能性がある。概して、所与のヘッドギア構成に対して、インタフェースにおける保持面の離隔距離が離れているほど、構成が安定する。いくつかの構成では、保持面のうちの少なくとも１つが上向きベクトル成分を含むことが有利である場合がある。
【０２９９】
一例としてのヘッドギアタイプは、単一の保持面を提供する。こうした構成の例について、本明細書では図９を参照して考察している。概して、単一保持面ヘッドギアは、フルフェイスインタフェースタイプと使用するためには実用的でない可能性があり、それは、単一保持面ヘッドギアは、マスクに対して望ましいレベルの安定性を与えないためである。したがって、ヘッドギアは、マスクを適所に固定しシールを維持することはできる可能性があるが、マスクが、比較的容易にシールを移動させ破壊する可能性があり、または、インタフェースアセンブリが、動作可能であるが、使用者に確かな感覚を与えない可能性がある。場合によっては、単一保持面ヘッドギアは、マスクに対して許容可能なレベルの安定性を与えない可能性がある。しかしながら、単一保持面ヘッドギアのいくつかの構成は、フルフェイスマスクと使用するために好適であり得る可能性がある。たとえば、剛性材料および／または構成（たとえば、形状）を利用する単一保持面ヘッドギアは、横軸を中心とするマスクの回転に対して抵抗を与えることにより、フルフェイスマスクと使用するために好適である可能性がある。さらに、単一保持面ヘッドギアは、図１３．２に図示しかつそれを参照して後述するように、フルフェイスマスクに対して単一保持面を注意深く配置することにより、フルフェイスマスクと使用するために好適である可能性がある。単一保持面インタフェースは、鼻マスク、鼻ピローまたはプロングおよびカニューレ等、鼻インタフェースと使用するために好適であるかまたは実用的である可能性がある。
【０３００】
図１３．２は、ヘッドギアアセンブリと、フルフェイスマスクの形態であるインタフェースとを備える、単一保持面インタフェースアセンブリを示した。図示するマスクは、額当てまたはＴピースを省いているが、他の構成では、Ｔピースを設けることができる。ヘッドギアアセンブリは、ヘッドギア後方部分と、ヘッドギア後方部分に対するマスクの位置の調整を可能にするヘッドギア長または周囲長調整部分とを含む。単一保持面は、たとえば、マスクから、使用者の耳の上方の位置におけるヘッドギア後方部分まで延在することができる。
【０３０１】
マスクに作用している力は、使用者の顔面の封止領域に作用しかつマスクを使用者の顔面から離れるように移動させようとする、マスク内の圧力によってもたらされる吹出力、吹出力に抵抗するようにマスクに対して作用するヘッドギア力、マスクと使用者の顔面との間の接触領域に沿って使用者の顔面によって加えられる力、ならびにマスクおよびＣＰＡＰホースの大部分に作用する重力として要約することができる。使用者の顔面によって加えられる力は、上方の力と下方の力とによって要約することができる。上方の力は、概して垂直方向において最高接触点または領域であり得る使用者の鼻の鼻梁にまたはその近くに位置する力（「鼻梁力」）であり得る。下方の力は、概して垂直方向において最低接触点または領域であり得る使用者の顎先にまたはその近くに位置する力（「顎先力」）であり得る。
【０３０２】
分散された重力は、マスクの特定のサイズおよび形状によって決まる可能性がある、重心においてマスクおよびＣＰＡＰに作用している単点力（「重力」）として要約することができる。いくつかの構成では、単一保持面は、垂直方向において顎先力と吹出力との間に延在するかまたはその間の点を通過する。
【０３０３】
分散された吹出力は、マスクの特定のサイズおよび形状ならびに／または使用者の顔面の所定の形状によって決まる可能性がある、特定の位置においてマスクに作用している単点力（「吹出力」）として要約することができる。吹出力は、概して、マスクの幾何中心またはその近く等、マスク高さの下半分に位置する可能性がある。概して三角形のマスクを想定すると、吹出力は、マスクの底部からおよそ１／３の高さに位置する可能性がある。いくつかの構成では、単一保持面は、垂直方向において顎先力と吹出力との間に延在するかまたはその間の点を通過する。有利には、こうした構成により、単一保持面を有するフルフェイスマスクに対して望ましいレベルの安定性を与えることができる。しかしながら、この構成は、複数保持面構成にも同様に適用することができ、追加の保持面がさらなる安定性を与える。
【０３０４】
鼻梁領域は、敏感な解剖学的部位である可能性があり、この部位において過度な力または圧力を回避することが望ましい可能性がある。したがって、鼻梁力がゼロまたは最小である場合、ヘッドギア力は、吹出力を抑制する唯一の力である可能性がある。ヘッドギア力が、吹出力より垂直方向に高い点を通過する場合、鼻梁力は増大し、それは概して望ましくない。ヘッドギア力は、低すぎるかまたは顎先力に近すぎる場合、吹出力を抑制することができない可能性があり、または、吹出力の望ましくないほど低いレベルの抑制を提供する可能性があり、それにより、インタフェースアセンブリの封止性能が損なわれる。本明細書に記載するように、好ましくは、保持面は、吹出力に応じたヘッドギアの伸長に対して適切な抵抗を与える方向性ロック機構を備える。本明細書に記載するような保持面の位置決めと組み合わせて、結果としてのインタフェースまたはヘッドギアアセンブリは、単一保持面タイプヘッドギアによりフルフェイスマスクに対して好適なレベルの安定性を与えることができる。本明細書に記載する他のヘッドギアアセンブリと同様に、従来技術によるヘッドギア装置で発生することが多いヘッドギアの過度の締付けなしに、適切な安定性を達成することができる。
【０３０５】
別の例としてのヘッドギアタイプは、前方位置で（すなわち、インタフェースに向かうかまたはインタフェースにおいて）収束する２つの保持面を提供する。本明細書において図１３．１に関連して使用する「収束する」という用語は、インタフェースまたは取付位置において互いからの実質的な分離がない保持面を述べるように意図される。保持面は、単一取付箇所で接する可能性があるが、収束ヘッドギアタイプはまた、保持面が互いに隣接してまたは近接して取り付けられるものも含むことができる可能性がある。２保持面、前方収束ヘッドギアタイプは、フルフェイスヘッドギアと使用するのに好適であるかまたは少なくとも幾分か実用的である可能性があり、それは、追加の保持面が、単一保持面ヘッドギアに対して十分な追加の安定性を与えることができるためである。単一保持面ヘッドギアタイプに関して記載したように、２保持面、前方収束ヘッドギアタイプは、フルフェイスマスクによって改善された性能を提供するように回転抵抗材料および／または構成を採用することができる。２保持面、前方収束ヘッドギアタイプは、鼻マスク、鼻ピローまたはプロングおよびカニューレ等、鼻インタフェースと使用するのに好適であるかまたは実用的である可能性がある。
【０３０６】
さらに別の例としてのヘッドギアタイプは、後方位置で（すなわち、ヘッドギアの後方部分における等、インタフェースから離れるように）収束する２つの保持面を提供する。２保持面、後方収束ヘッドギアタイプは、フルフェイスマスクとの使用および鼻マスクとの使用に好適であるかまたは実用的であるように十分なレベルの安定性を与えることができる。こうしたヘッドギアタイプの例については、それぞれ鼻インタフェースおよびフルフェイスインタフェースを含む図１０および図１３に関連して、本明細書に図示し記載している。２保持面、後方収束ヘッドギアタイプは、ピローまたはプロングインタフェースタイプと使用するには実用性が低い可能性があり、それは、こうしたインタフェースタイプは、通常、比較的小さい垂直または高さ寸法を有するためである。ピローおよびプロングインタフェースタイプの高さが小さいことにより、少なくとも、必要な高さより高さ寸法を増大させなければ、インタフェース上の保持面の取付位置の間隔をあけかつ保持面の三角法を提供する能力が制限される可能性があり、高さ寸法を増大させることは、ピローおよびプロングが、まさにそれらが比較的小さい高さ寸法であるために使用者に選択されることが多いため、望ましくない可能性がある。２保持面、後方収束ヘッドギアタイプは、カニューレとの使用には実用的でない可能性があり、それは、カニューレに対して封止力をもたらす必要でないためである。したがって、２保持面ヘッドギアタイプは、カニューレと使用するには必要以上である可能性がある。さらに、２保持面、後方収束ヘッドギアタイプは、ピローおよびプロングと同じ理由でカニューレと使用するには実用的でない可能性がある。カニューレは、一般に、ピローおよびプロングより高さ寸法がさらに小さい。しかしながら、少なくともいくつかの構成では、またはいくつかの環境下では、ピロー、プロングまたはカニューレとともに２保持面後方収束ヘッドギアタイプを使用することが実用的であるかまたはさらには望ましい場合がある。
【０３０７】
さらに別の例としてのヘッドギアタイプは、分離されかつ互いに対して角度をなしているかまたは非平行である２つの保持面を提供する。いくつかの構成では、上部保持面に対して、前後方向において上方に角度を付けることができる。下部保持面は、概して水平であるかまたは角度を付けることができる。他の構成では、下部保持面をいずれかの方向において角度を付けることができる。上部保持面は、概して水平であるかまたは角度を付けることができる。２保持面、分離／角度付きヘッドギアタイプは、フルフェイスマスクとの使用および鼻マスクとの使用に対して好適であるかまたは実用的であるように十分なレベルの安定性を与えることができる。２保持面、分離／角度付きヘッドギアタイプは、ピローまたはプロングインタフェースタイプと使用するのには実用性が低い可能性があり、それは、こうしたインタフェースタイプは、通常、２保持面、後方収束ヘッドギアタイプに関して上述した理由で、比較的小さい垂直または高さ寸法を有するためである。同様に、２保持面、分離／角度付きヘッドギアタイプは、上述したように、ピローおよびプロングと同じ理由でカニューレと使用するのには実用的ではない可能性がある。
【０３０８】
別の例としてのヘッドギアタイプは、相対的に、概してまたは実質的に水平であるかまたは互いに平行である２つの保持面を提供する。こうした２保持面、平行ヘッドギアタイプの例については、図１１および図１２に関連して図示し記載している。２保持面、平行ヘッドギアタイプは、フルフェイスマスクとの使用および鼻マスクとの使用に対して好適であるかまたは実用的であるように十分なレベルの安定性を与えることができる。２保持面、平行ヘッドギアタイプは、ピローまたはプロングインタフェースタイプと使用するには実用的が低い可能性があり、それは、２保持面、後方収束ヘッドギアタイプに関して上述した理由で、こうしたインタフェースタイプは、通常、比較的小さい垂直または高さ寸法を有するためである。２保持面、平行ヘッドギアタイプは、２保持面、後方収束ヘッドギアタイプに関して記載した理由で、ピローおよびプロングと同じ理由でカニューレと使用するには実用的でない可能性がある。
【０３０９】
保持面または線のうちの少なくとも１つに沿って作用するように配置されるかまたは他の方法で構成されるのは、伸長挙動から非伸長挙動にヘッドギアの機能を変容させることができる少なくとも１つの機構または特徴（「ロック機構」）である。この面に沿って、方向性ロック機能は、所与の保持面に対する単一機構として動作し、または好ましくは２つの独立したロック機構を提供するように構成することができる。単一機構構成は、ヘッドギアまたはインタフェースアセンブリの円周または周囲長を変更することができる。２ロック機構構成（たとえば、ヘッドギアまたはインタフェースアセンブリの各側部に１つの機構）により、マスクまたは他のインタフェースを取り付けるための微調整に対して独立した左右の制御が提供される。他の構成では、３つ以上のロック機構を設けることができる。こうした構成では、ヘッドギアまたはインタフェースアセンブリの各側部に複数のロック機構を設けることができる。別法として、ロック機構を他の方法で配置することができ（たとえば、各側部に１つならびに頂部および／または後部に追加の機構）、ロック機構は、協働して、ヘッドギアまたはインタフェースアセンブリの円周または周囲長の調整を可能にすることができる。
【０３１０】
いくつかの構成では、マスク（または他のインタフェース）とヘッドギアの後方部分との間においてインタフェースアセンブリの各側部に、少なくとも１つのロック機構が設けられる。図１４および図１５に示すような額支持部またはＴピースを備えたフルフェイスマスク２１０等、いくつかの構成では、マスク２１０は、インタフェースアセンブリ２００の各側部において、たとえばストラップ２３０の形態の上方接続部分および下方接続部分によって、ヘッドギア２２０の後方部分に接続される。図１４および図１５の構成は、ロック機能または機構２４０を配置することができる複数の位置の例を示す。図示する構成では、インタフェースアセンブリ２００は、方向性ロック機構２４０と組み合わせて、または方向性ロック機構２４０と協働して作用する、弾性のある収縮機能または機構２５０を含む。弾性のある収縮機構２５０および方向性ロック機構２４０は、本明細書では方向性ロックモジュールまたは単にモジュールと呼ぶことができるモジュールに一体化することができる。図示する構成では、方向性ロック機構２４０は、図１４に示すようにマスク本体への取付固定具２６０（たとえば、クリップ）に組み込まれる等、ヘッドギア２２０とマスク２１０との間の接続部に配置することができる。別法として、図１５に示すように、方向性ロック機構は、図１５に示すように、ヘッドギア２２０の後方部分とヘッドギア２２０の後方部分をマスク２１０と接続するストラップ部分２３０との間等、ヘッドギア２２０内の好適な位置に配置することができる。他の構成において、複数の保持面を使用する同様の構成を利用することができる。
【０３１１】
いくつかの構成では、方向性ロック機構またはモジュールは、インタフェースアセンブリの一部分に結合されるかまたは他の方法でそれとともに移動可能なロックと、インタフェースアセンブリの第２部分に結合されるかまたは他の方法でそれとともに移動可能な調整部材とを利用する。調整部材は、ロックに対して移動して、ヘッドギアまたはインタフェースアセンブリの円周または周囲長の調整を可能にすることができる。調整部材は、ワイヤまたはフィラメントであり得るコア部材の形態であり得るか、またはたとえばストラップであり得る。調整部材の一部を利用して、インタフェースアセンブリの任意の所与のサイズ調整時に円周または周囲長の一部が画定され、別の部分は、所与の調整サイズにおいて利用されない余分なまたは余剰長さである可能性がある。余剰長さは、ヘッドギアまたはインタフェースアセンブリの円周または周囲長の変化とともに変化する。余剰長さの蓄積は、マスクフレーム内またはヘッドギアシステム内の一体構成要素内に収容する等、任意の好適な構成によって収容することができる。
【０３１２】
図１６および図１７は、鼻マスク３１０（額当てまたはＴピースはあってもなくてもよいが、ない場合が多い）または鼻カニューレ等、鼻インタフェース３００に適用可能な構成を示す。これらの構成では、方向性ロック機構３４０は、上述したように、平坦ストラップ３３０またはウェブの上に一体化するかまたはそこで動作することができる。平坦ストラップ３３０の使用は、加圧されるマスクシールとヘッドギアとの間の力ベクトルが位置合せされない応用において特に有益である。これにより、好ましくはヘッドギアシステム内の剛性によって十分に分解されるモーメントが発生する状況になる。これは、ヘッドギアストラップのねじり剛性および曲げ剛性の特徴を選択することによって達成可能であり、それらの組合せにより、マスクシステムに対する回転安定性のレベルが著しく向上する。
【０３１３】
ヘッドギアの取付箇所とマスク４１０の取付箇所との間の直線によって、ヘッドギア構成要素またはマスクとヘッドギア４２０の後方部分との間の接続を提供する構成要素に対して許容可能な位置が提供される状況では、図１７に示すように、可撓性コア設計４３０の使用が望ましい可能性がある。すなわち、変更された形状に制約されない限り、可撓性コアは、取り付け点の間に直線を想定する。したがって、可撓性コア設計は、方向性ロック機構４４０に対する（たとえば、ヘッドギア４２０の後方部分とマスク４３０との間の）直線経路が機構４４０に対して望ましいかまたは許容可能な位置である構成において使用するのに適している。
【０３１４】
いくつかの構成では、２つ以上の保持面が望ましいかまたは必要である用途等において、平坦ストラップ構成および可撓性コア構成を組み合わせて使用することができる。たとえば、図１１および図１２の構成または図１４および図１５の構成は、上部保持面または下部保持面のうちの一方に沿った平坦ストラップ構成と、上部保持面または下部保持面のうちの他方に沿った可撓性コア構成とを利用することができる。いくつかの構成では、平坦ストラップ構成を使用するように下部ストラップを構成することができ、可撓性コア構成を使用するように頂部ストラップを構成することができる。たとえば、図示するように、下部ストラップは、その長さに沿って湾曲形状を有して、使用者の耳の下方を通過しかつ使用者の耳に適応する空間を提供することができる。しかしながら、上部ストラップは、その長さに沿って概して直線であり得る。いくつかの構成では、上部ストラップは、平坦ストラップ構成を利用することができ、下部ストラップは、可撓性コア構成を利用することができる。たとえば、ヘッドギアの後方部分は、ヘッドギア取付箇所とマスクの取付箇所との間の直線が適切に位置するように取付箇所を配置するように構成することができる。さらに図１８および図２０に示すように、可撓性コア構成と一列に接続されたときに、平坦なまたは比較的剛性のヘッドギア部分を使用して使用者の頭部の側部に沿ったねじりまたは曲げ安定性に役立つことにより、方向性ロック機構の位置決めとの柔軟性が可能になる。
【０３１５】
非侵襲性換気またはバイレベル換気等、高定圧波形または可変圧波形のいずれかがある呼吸換気パターンに関連して使用される場合、ヘッドギアシステムまたはインタフェースアセンブリの方向性ロックタイプの著しい性能利益が発生し、それは、ヘッドギアシステムが、ヘッドギアシステムが使用中に伸長せず、またはインタフェースアセンブリの円周または周囲長が一定のままであるためである。上述したように、現時点での最新技術によるヘッドギア装置は、概して、弾性システムまたは非弾性システムに分類することができる。記載したように、非弾性システムは、高定圧または可変圧に適応することができるが、こうしたシステムは、過度な締付けを受けやすく、調整が困難でありかつ時間がかかる。現時点での最新技術による弾性ヘッドギアシステムは、高定圧に応じて伸長するか、または可変圧波形における圧力波に応じて伸長し収縮する傾向がある。こうした伸長および収縮により、使用者の顔面でマスクが周期的に移動することになり、漏れが発生する可能性がある。そして、漏れにより、マスク内の結果としての容積および関連する圧力変化のために、治療の損失および／または呼吸の間違った誘因に至る可能性がある。さらに、マスクが周期的に移動することにより、使用者の顔面でのマスクの運動または移動のために擦傷および場合によっては皮膚損傷がもたらされる可能性がある。
【０３１６】
図１８および図１９は、マスクまたは他のインタフェースと方向性ロック機構を組み込んだヘッドギアの後方部分との間に延在するように構成されたインタフェースアセンブリの一部またはモジュールの例を示す。図示するモジュール構成の各々は、マスク本体とモジュールを含むヘッドギアシステム全体との間の結合部を画定する着脱可能なクリップ５１０を備えている。モジュールは、着脱可能なクリップ５１０と方向性ロック５３０との間に延在する弾性セクション５２０を含み、それは、クリップ５１０および方向性ロック５３０を互いに向かって移動させる傾向がある収縮力をもたらす。弾性セクション５２０は、たとえば、１つまたは複数の弾性要素を含む編組部材等、任意の好適な構成であり得る。図１８は、弾性セクション５２０の後端部にかつ／またはモジュールとヘッドギアの後方部分との間の接続箇所に位置する方向性ロック５３０を有する変形を示し、それは、たとえば図１５および図１７に示す位置等において、マスクから間隔を空けて方向性ロック５３０を配置する。
【０３１７】
図１９は、モジュールから間隔が空けられた位置および／またはモジュールとヘッドギアの後方部分との間の接続箇所に方向性ロック５３０を配置する代替的な変形を示す。こうした構成は、本明細書では、「リモート」ロック機構と呼ぶことができる。いくつかの構成では、ヘッドギアの後方部分内等、ヘッドギアシステム内の別の場所にロックを配置することができ、モジュールとヘッドギアの後方部分との間の接続箇所と方向性ロックの位置との間の距離を中空導管が橋渡ししている。こうした構成により、たとえば、図２０に示す位置等、ヘッドギアシステム内のより好適なまたは望ましい位置に方向性ロックを配置することができる。
【０３１８】
図２０を参照すると、インタフェースアセンブリ６００は、マスク６１０またはインタフェース（図示する構成では鼻インタフェース等）と、使用者の頭部の後部およびまたは上部と係合する後方ヘッドギア部分６２０を備えたヘッドギア装置とを含む。インタフェースアセンブリ６００はまた、マスク６１０とヘッドギア６２０の後方部分との間の距離の調整を可能にする調整部分６３０も含む。調整部分６３０は、ヘッドギア装置の一部、またはインタフェースの一部であり得るか、またはインタフェースアセンブリの別個の構成要素であり得る。
【０３１９】
図示する構成では、調整部分６３０は伸縮性材料６４０を含み、それは、その非伸張位置に向かって戻るように構成することができる。したがって、伸縮性材料６４０は、インタフェースアセンブリの円周または周囲長を低減させる傾向がある収縮力を示すことができる。いくつかの構成では、伸縮性材料６４０は、非伸縮要素および伸縮要素を組み込んだ編組材料である。非伸縮要素は、ハードストップまたは最大伸張を提供することができ、伸縮要素は、収縮力を提供することができる。他の構成では、伸縮要素６４０または他の付勢機構は、調整部分６３０の伸縮性材料から遠くに配置することができる。
【０３２０】
図示するインタフェースアセンブリはまた、方向性ロック機構等、変容可能なロック機構を備える。図示する方向性ロック機構は、方向性ロック６５０、フィラメントコア６６０、およびフィラメントガイド６７０またはハウジング（たとえば、導管またはチューブ）を備える。こうした構成により、方向性ロック６５０を、調整部分６３０と後方ヘッドギア部分６２０との間の取付位置６８０から間隔が空けるかまたは遠くにすることができる。さらに、フィラメント構成により、方向性ロック６５０を、調整部分６３０とともに非線形構成で配置することができる。言い換えれば、方向性ロック６５０の機能軸は、調整部分６３０の軸および／またはインタフェースアセンブリ６００の保持面に対してずれているかまたは角度をなすことができる。
【０３２１】
フィラメントハウジング６７０は、方向性ロック６５０と、調整部分６３０と後方ヘッドギア部分６２０との間の取付位置６８０との間に延在することができる。図示する構成では、フィラメントハウジング６７０は、方向性ロック６５０と、調整部分６３０と後方ヘッドギア部分６２０との間の取付位置６８０との間の湾曲経路に従う。たとえば、方向性ロック６５０は、後方ヘッドギア部分６２０の頭頂ストラップ６９０に配置することができ、フィラメントハウジング６７０は、頭頂ストラップ６９０上の取付位置６８０の後方の箇所において上方に湾曲することができる。方向性ロック６５０は、たとえば、側部または上部もしくは頂部を含む頭頂ストラップ６９０の任意の所望の箇所に配置することができる。他の構成では、方向性ロック６５０は、後方ヘッドギア部分６２０の後部ストラップの側部または後部等、後方ヘッドギア部分６２０の他の部分にまたは他の位置に配置することができる。こうした構成により、調整部分６３０と後方ヘッドギア部分６２０との間の取付箇所より望ましい位置に、方向性ロック６５０を設けることができる（本明細書では「リモート」取付と呼ぶ）。たとえば、頭頂ストラップ６９０の頂部に方向性ロック６５０を配置することにより、多くの環境（たとえば、使用者が仰向けにまたは横向きに寝ている）下で他の物体（たとえば枕）との接触を回避することができる。方向性ロック６５０の特定の位置は、特に快適さ、（たとえば眼鏡のための）隙間、フィラメント長等、種々の関連する要素に基づいて選択することができる。
【０３２２】
いくつかの構成では、フィラメントハウジング６７０は、インタフェースアセンブリ６００内の荷重を支持するために利用されていない余分なフィラメント６６０を収容するように、方向性ロック６５０を越えて延在する。方向性ロック６５０を越えるフィラメントハウジング６７０の部分は、蓄積部分７００または蓄積導管と呼ぶことができる。方向性ロック６５０と、調整部分６３０と後方ヘッドギア部分６２０との間の取付位置６８０との間のフィラメントハウジング６７０の部分は、接続部分７１０または接続導管と呼ぶことができる。本明細書ではチューブとして示すが、フィラメントハウジング６７０は、たとえばフィラメントガイド等、同様に他の形態で設けることができる。フィラメントガイド構成は、フィラメントを完全には封入しない可能性があり、単に、所望の経路に沿ってフィラメントを向けるために、特定の別個の位置にガイド面を提供するのみである可能性がある。
【０３２３】
インタフェースアセンブリの各側部に、１つまたは複数の調整部分および／または変容可能なロック機構を設けることができる。インタフェースアセンブリの両側における変容可能なロック機構の部分は、互いに一体化されるかまたは構成要素を共有することができる。たとえば、フィラメントハウジングの蓄積部分は、インタフェースアセンブリの一方の側の方向性ロックをインタフェースアセンブリの他方の側の方向性ロックと接続することができる。いくつかの構成では、インタフェースアセンブリの頂部または後部に単一のハウジングを設けることができ、それは、２つの別個のロック機構を収容することができ、それらのロック機構は、インタフェースアセンブリの両側の変容可能なロック機構に関連する要素（たとえば、フィラメント）と相互作用する。別法として、インタフェースアセンブリの両側のロック機構に関連する別個の変容可能なまたは方向性ロックハウジングを、たとえば後方ヘッドギア部分の頂部または後部において互いにの近くに（長手方向にまたは横方向に隣接して）配置することができる。
【０３２４】
ヘッドギアの一部を非弾性型挙動から弾性型挙動に選択的に切り替えて、好都合な取付および取外しを可能にすることができる、開示したような変容可能な機構を組み込んだヘッドギアシステムには、使用者にとっての多数の利点がある。この挙動を達成する機構例は、本明細書に、かつ本出願人の出願ＰＣＴ／ＮＺ２０１４／００００７４号明細書に開示されており、その出願の全体が参照により本明細書に組み込まれる。いくつかの構成では、それらの利点のうちの１つまたは複数は、使用者に対して自動調整、自己サイジングまたはより直観的な調整相互作用を提供することができることに関連する。さらに、少なくともいくつかの構成では、開示するような変容可能な機構を組み込んだヘッドギアシステムにより、通常、縫合するまたは縫合された構成要素を加えた弾性のある材料の積層体からまたは弾性のある編構造から構成される、最新技術によるヘッドギアシステムと比較して、マスク本体の望ましくない移動を低減させるかまたは最小限にすることができる。これらの従来の設計により、ホース引張または加えられた呼吸圧のマスクとの相互作用によってもたらされるマスクの移動が発生する可能性がある。こうした移動により、漏れ、治療の損失、結果としての容積および圧力変化による呼吸パターンの誤った誘因から、皮膚の擦傷またはあり得る皮膚損傷までおよぶ状態がもたらされる可能性がある。この移動を抑制するために、一般に行われているのは、（弾性システムにおいて高弾性力を与えるか、または調整可能な非弾性システムにおいて手で過度に締め付けることにより）ヘッドギアを過度に締め付けて、ヘッドギアを伸長させるために必要な力が、ホース引張によって生成されるかまたはマスクの加圧を介して発生する力より大きくなるようにすることである。この過剰な締付けの結果として使用者にさらなる圧力が加えられることにより、使用者の不快感、皮膚の刺激または皮膚の損傷がもたらされる可能性がある。
【０３２５】
本明細書に開示する自動フィットまたは変容可能ヘッドギアシステムのうちの１つまたは複数の機能により、弾性のある挙動は、ヘッドギアシステムの所定領域に制約することができ、そこでは、弾性のある挙動は、ヘッドギアの包括的な特性ではなく、有用性条件に応じて選択的にオンまたはオフに切り替えられる。これにより、所定の性能属性を提供するようにヘッドギアシステムの残りの部分を「画策する」機会がもたらされる。少なくともいくつかの構成では、画策された変容可能なヘッドギアシステムの組合せの主な結果は、使用時にマスク本体の移動がほとんどまたはまったくない挙動を提供することである。
【０３２６】
図２１および図２２は、フルフェイスマスク８１０（図２１）および鼻ピローマスク８１２（図２２）に対する例としてのヘッドギアシステム８００を示す。示されている領域８４０は、選択可能な弾性／非弾性機能性が存在する部分に対して目下好ましい位置を示す。各用途において、選択可能な弾性／非弾性部分８３０は、マスク８００とヘッドギアシステム８２０の後方部分との間に配置され、使用者の頭部の側部に沿って延在する。ヘッドギアシステムの残りの後方部分は、理想的には、比較的剛性のある３次元（３Ｄ）構造であり、それは、通常のまたは予期される使用中に発生する力の範囲において非常にわずかな弾性挙動を有する。こうした挙動を達成するために、いくつかの構成では、ヘッドギアの形態および材料構造の両方が著しい影響を与える。
【０３２７】
形態
図２３および図２４を参照すると、本明細書に開示するような頂部または頭頂ストラップ９４０および使用者の頭部の後部の周囲を通るストラップ（後部ストラップ９１０）の使用は、ヒトの頭部の形状を利用して、フィラメント位置によって繰返し性を与え、使用するときにヘッドギア９００の安定性を与える。この基本的な頭頂ストラップ９４０および後部ストラップ９１０構成に対してさらなる設計特徴を追加して、すなわち、図２３および図２４に示すように、後部または下部ストラップ９１０を頭頂ストラップ９４０に連結するガセット９２０またはウェブを追加して、これらの望ましい特性をさらに向上させることができる。ガセット９２０またはウェブ部材を追加することにより、後部ストラップ９１０と頭頂ストラップ９４０との間の相対的な移動が低減し、その結果、より横方向に安定した設計になる。
【０３２８】
ガセット９２０は、後部ストラップ９１０および頭頂ストラップ９４０の任意の好適な位置に取り付けることができる。後部ストラップ９１０および頭頂ストラップ９４０におけるガセット９３０の取付箇所９３０、９６０は、後部ストラップ９１０と頭頂ストラップ９４０との間の接合部９５０から実質的に等距離であるかもしくは等距離であり得るか、または、接合部９５０から異なる距離において間隔を空けて配置することができる。図示する構成では、ガセット９２０は、ガセット９２０が後部ストラップ９１０に取り付けられる接合部９５０からの距離より接合部９５０から離れた距離において頭頂ストラップ９４０に取り付けられる。頭頂ストラップ９４０における接合部９５０からガセット９２０までの距離は、後部ストラップ９１０における接合部９５０からガセット９２０までの距離のおよそ２倍以上であり得る。図示する構成では、ヘッドギア９００の各側部におけるガセット９２０の取付箇所９６０の間の距離は、頭頂ストラップ９４０における接合部９５０とガセット９２０のうちの一方の取付箇所９６０との間の距離未満であり得る。すなわち、頭頂ストラップ９４０におけるガセット９２０間の距離の長さは、頭頂ストラップ９４０の全長の１／３未満である。後部ストラップ９１０および／または頭頂ストラップ９４０は、連続している場合があり、または不連続である場合がある。不連続な後部ストラップ９１０または頭頂ストラップ９４０のいくつかのセクションを、固定長、弾性または調整可能であり得る好適な結合部によって接続することができる。
【０３２９】
構築／製造
ヘッドギアの全体的な形態は、複数の異なる技法によって製造することができる。たとえば、ヘッドギアは、少なくとも相対的にまたは実質的に非弾性の１枚のシート状の材料から切断することができる。他の構成では、ヘッドギアは、単一のまたは複数の熱可塑性または熱硬化性材料から射出成形することができる。いくつかの構成では、ヘッドギアまたはヘッドフレームは、図２５〜図２８に示すように、ヘッドギアがヒトの頭部形態に平滑に沿うのを可能にするように、ねじり剛性および／または曲げ剛性が増大または低減した部分を提供するさまざまな断面形状を備えた、単一材料から構成される。他の構成では、ヘッドギアは、図２９に示すように、同じかまたは同様の挙動を達成するように、さまざまな部分で異なる材料をコモールドするかまたはマルチモールドすることによって構築することができる。
【０３３０】
ヘッドギアのさまざまな部分を、ヘッドギアの望ましい部分または領域に望ましい特性があるように構築することができる。たとえば、使用者の耳の上に延在する部分（セクション１）の場合、横軸を中心とする曲げ運動または縦軸を中心とするねじり運動が制限されるように、限られた可撓性を提供することが望ましい可能性がある。セクション１の後方部分（セクション２およびセクション３）は、望ましくは、ヒトの頭部の形状に密接に沿う。望ましくは、セクション１、セクション２およびセクション３の各々は、使用時に通常発生するかまたは予測される力範囲において比較的非弾性の挙動を示す。こうした挙動を達成するために、材料のさまざまな組合せを使用することができる。図示する例では、所望の挙動を達成するために、さまざまなショア硬度の熱可塑性エラストマーまたは熱可塑性ウレタンが使用される。
【０３３１】
上述したように、ヘッドギアは、ヘッドギアの異なる領域でヘッドギアの特性を変化させることができるようにさまざまな断面寸法を有するさまざまな部分を備えることができる。図２５〜図２８を参照すると、概して使用者の耳の前方でかつ上方で終端する後方ヘッドギア部分が示され、単にヘッドギア１０００と呼ぶ。ヘッドギア１０００の３つの垂直セクションを示す。セクション１は、使用者の耳の上方にかつ前方に延在するヘッドギア１０００の部分において取り出される。セクション２は、セクション１の後方であるヘッドギア１０００の部分において取り出され、概して使用者の耳の後方に配置することができる。図示する構成では、セクション２は、頭頂ストラップ１０１０とガセット１０３０との間に位置している。セクション３は、セクション１及びセクション２の後方のヘッドギアの位置において取り出される。図示する構成では、セクション３は、使用者の頭部の後部と接触することができる、ヘッドギア１０００の後部の位置において取り出される。
【０３３２】
好ましくは、セクション１を含む部分は、比較的縦長であり、垂直方向においてヘッドギア１０００の前端を移動させようとする垂直曲げ荷重に対する抵抗を提供する。図示する構成では、セクション１を含む部分は、セクション２を含む部分より高さが大きい。いくつかの構成では、セクション３を含む部分は、セクション２を含む部分より高さが大きい。いくつかの構成では、セクション３を含む部分は、セクション１を含む部分より高さが大きい。使用者の頭部の後部におけるヘッドギア１０００の一部（たとえば、セクション３を含む部分）は、典型的には、インタフェースの吹出力に直接対向する結果として、使用者の頭部に対してより大きい力を加える。その結果、使用者の快適さを向上させるために後方部分に比較的大きい高さを与えることにより、後方部分の面積を拡大することが好ましい場合がある。図示する構成では、セクション１における高さは約１０ｍｍであり、セクション２における高さは約３ｍｍであり、セクション３における高さは約１５ｍｍである。他の構成では、他の寸法を使用することができる。たとえば、寸法は異なる場合があり、ヘッドギア１０００は、セクション１、セクション２およびセクション３のありとあらゆるものの間で同じ高さ比を保持することができる。他の構成では、寸法は、所定数（たとえば、１ｍｍ、２ｍｍまたは３ｍｍ）、または図示する寸法より高いまたは低いパーセンテージで変化することができる。いくつかの構成では、ヘッドギア１０００の高さは、セクション１、セクション２およびセクション３の間で徐々に変化する。ヘッドギア１０００の任意の箇所における実際の高さは、曲げに対する抵抗、力分布、およびフィットまたは隙間の考慮事項等、適切な性能パラメータに対処するように選択することができる。
【０３３３】
いくつかの構成では、ヘッドギア１０００は、前端から後端に向かう方向に厚さを低減することができる。たとえば、セクション１を含む部分は、セクション２およびセクション３を含む部分に対して厚い断面を有することができ、それにより、セクション１を含む部分（前端部分）はねじり荷重に対してより大きい抵抗を有する。さらに、セクション２を含む部分は、セクション３を含む部分に対して厚い断面を有することができる。したがって、セクション２を含む部分は、セクション３を含む部分よりねじり荷重に対して大きい抵抗を有する。いくつかの構成では、セクション１を含む部分とセクション２を含む部分との間の厚さの差は、セクション２を含む部分とセクション３を含む部分との厚さの差より大きい。セクション２およびセクション３を含む部分の厚さが低減していることにより、それらの部分が横方向に曲がって、使用者の頭部の特定の形状によりよく沿うことができる。図示する構成では、セクション１における厚さは約１．５ｍｍであり、セクション２における厚さは約１ｍｍであり、セクション３における厚さは約０．８ｍｍである。他の構成では、他の寸法を使用することができる。たとえば、寸法は異なる可能性があるが、ヘッドギア１０００は、セクション１、セクション２およびセクション３のありとあらゆるものの間で同じ厚さ比を保持することができる。他の構成では、寸法は、所定数（たとえば、０．１ｍｍ、０．２ｍｍまたは０．３ｍｍ）、または図示する寸法より厚いかまたは薄いパーセンテージで変化することができる。いくつかの構成では、ヘッドギア１０００の厚さは、セクション１、セクション２およびセクション３の間で徐々に変化する。ヘッドギア１０００の任意の箇所における実際の厚さは、ねじり荷重に対する抵抗およびフィット性を向上させる横方向の可撓性等、適切な性能パラメータに対処するように選択することができる。
【０３３４】
図２９を参照すると、上述したように、ヘッドギア１１００は、別法としてまたはさらに、ヘッドギア１１００の異なる部分において異なる特性を与えるように、ヘッドギア１１００を通して材料タイプが異なる可能性がある。図２９のヘッドギア１１００は、図２５〜図２８のヘッドギア１１００の位置と同じかまたは実質的に同じであり得る、ヘッドギア１１００内の３つの異なる位置で取り出された３つのセクションを示す。セクション１を含む部分は、たとえばポリプロピレン等、第１材料または材料の組合せから構成することができる。図２５〜図２８のヘッドギア１０００と同様に、セクション１を含む部分に対する材料選択は、垂直方向における曲げに対する抵抗を与えたいという要求を考慮することができる。セクション２を含む部分の材料または材料の組合せは、セクション１およびセクション３を含む部分のうちの一方または両方の材料とは異なる可能性がある。たとえば、セクション２を含む部分は、第２材料、または熱可塑性プリウレタン（ＴＰＵ）および熱可塑性エラストマー（ＴＰＥ）の組合せ等の材料の組合せから構成することができる。セクション３を含む部分の材料または材料の組合せは、セクション１およびセクション２を含む部分のうちの一方または両方の材料と異なる場合がある。たとえば、セクション３を含む部分は、ＴＰＥ等、第３材料または材料の組合せから構成することができる。ヘッドギア１１００の異なる部分に対する材料選択に対する考慮事項は、図２５〜図２８における寸法選択に関して記載した考慮事項と同じであるかまたは同様であり得る。
【０３３５】
いくつかの構成では、材料選択により、ヘッドギア１１００は、異なる部分に異なるデュロメータ硬さまたは硬度を有することにある。たとえば、セクション１を含む部分は、最高のデュロメータ硬さを有することができる。いくつかの構成では、セクション１を含む部分は、約６５ショアＤ〜７０ショアＤのデュロメータ硬さを有することができる。セクション２を含む部分は、セクション１を含む部分のデュロメータ硬さ未満のデュロメータ硬さを有することができる。いくつかの構成では、セクション２を含む部分は、セクション１、セクション２およびセクション３を含む部分の最低のデュロメータ硬さを有する。たとえば、セクション２を含む部分は、約７０ショアＡのデュロメータ硬さを有することができる。セクション３を含む部分は、セクション１およびセクション２を含む部分のデュロメータ硬さの間のデュロメータ硬さを有することができる。たとえば、セクション３を含む部分は、約４０ショアＤのデュロメータ硬さを有することができる。ヘッドギア１１００の異なる部分に対する硬度選択における考慮事項は、図２５〜図２８における寸法選択に関して記載した考慮事項と同じであるかまたは同様であり得る。硬度の変化は、たとえば、材料選択、または材料の操作等の他の方法によって達成することができる。
【０３３６】
これらの技法の組合せも可能である。たとえば、ヘッドギアを通して特性が変化するように、寸法、材料および硬度のうちの２つ以上を選択することができる。場合によっては、ヘッドギアは、ヒトの頭部に沿い、実質的に非弾性的に挙動し、変容可能なロック機構に対して安定した接続箇所を提供する３Ｄ形態である。
【０３３７】
ヘッドギアの１つまたは複数の部分に対する材料選択は、他の考慮事項を同様に含むことができる。たとえば、いくつかの構成では、一部またはヘッドギア全体が、水分を吸収する傾向をほとんどかまたはまったく示さない材料を含むことができる。いくつかの構成では、一部またはヘッドギア全体が、水蒸気透過性を示す材料を含むことができる。有利には、こうした構成により、ヘッドギアは、汗等の水分の吸収を回避するかもしくは防止することができ、または、ヘッドギア材料を通して水分を移動させることができる。いずれの構成も使用者に対する快適さを向上させることができる。
【０３３８】
ヘッドギアの感触および／または戦術的な特性を画策するように内面または外面のいずれかまたは両方にテキスタイル系の裏打ちまたは詰物を組み込むことによって、ヘッドギアをさらに改善することができる。いくつかの構成では、髪の引張りおよび／または着用者が感知するヘッドギアの縁部が低減しまたは最小限になる。裏打ちまたは詰物がヘッドギアの一方の側（内面または外面）のみに設けられ、または他の方法で面が識別可能である（たとえば、内面の色が外面と異なる）とき、その特徴は、使用者に対してヘッドギアを取り付ける向きに関する視覚的手がかりを与えるため、装置全体の有用性に役立つ。
【０３３９】
いくつかの構成では、ヘッドギアは、ヘッドギアのサイズが調整されるのを可能にする１つまたは複数のアジャスタを備えることができる。たとえば、ストラップ部分の長さを調整することができるように、ヘッドギアのストラップ部分にアジャスタを設けることができる。ストラップ部分の相対的な位置を調整することができるように、ストラップ部分の間にアジャスタを設けることも可能である。いくつかの構成では、アジャスタは、自動調整型であり、またはヘッドギアの自動調整を可能にする。本明細書で用いる自動調整とは、ヘッドギアの第１位置（たとえば、第１長さまたは相対位置）から第２位置（たとえば、第２長さまたは相対位置）への調整を可能にするアジャスタを指し、使用者による操作（たとえば、手動ロック）なしにヘッドギアを第２位置に保持する。いくつかの構成では、アジャスタは付勢要素または機構を備えることができる。たとえば、アジャスタは、ストラップ部分を第１方向に（たとえば、長さを縮小する方向に）付勢する傾向がある付勢機構を備えることができる。したがって、アジャスタは、単に、使用者がヘッドギアを操作し、それにより、ヘッドギアを所望の位置に自動的に固定するのを可能にすることができ、または、アジャスタは、ヘッドギアを適切なフィット位置に向かって移動させるのに役立ち、その後、ヘッドギアを適切なフィット位置で自動的に固定することができる。こうしたアジャスタは、本出願人の出願ＰＣＴ／ＮＺ２０１４／００００７４号明細書に開示されている変容可能なロック機構のうちの任意のものを備えることができる。
【０３４０】
図３０および図３１は、ヘッドギア１２００内に自動アジャスタを配置することができる位置の例を示す。たとえば、頂部または頭頂ストラップ部分と使用者の耳の上方に位置する円周部分または上方部分との間の接合部またはその近くにある位置１２００Ａに、自動アジャスタを配置することができる。ヘッドギア１２００の各側部の位置１２００Ａに、自動アジャスタを配置することができる。位置１２００Ａにおける自動アジャスタにより、ヘッドギア１２００の上方部分の相対位置を、前後方向における等、頭頂ストラップ１２１０に対して調整することができる。別法として、位置１２００Ａにおける自動アジャスタにより、ヘッドギア１２００の一部の周囲長を調整することができる。言い換えれば、位置１２００Ａにおける自動アジャスタにより、ヘッドギア１２００の上方部分の長さを調整することができる。頂部または頭頂ストラップ１２１０内にある位置１２００Ｂに、自動アジャスタを配置することができる。位置１２００Ｂにおける自動アジャスタにより、頭頂ストラップ１２１０の長さを調整することができる。ヘッドギア１２００の後方または下方部分内にある位置１２００Ｃに、自動アジャスタを配置することができる。後方部分内に単一の自動アジャスタを配置することができ、またはヘッドギア１２００の下方部分の各側部内に自動アジャスタを設けることができる。位置１２００Ｃにおける自動アジャスタにより、ヘッドギア１２００の下方部分の円周長を調整することができる。
【０３４１】
自動アジャスタは、位置１２００Ａ、１２００Ｂおよび１２００Ｃのうちの任意の１つ、任意の組合せもしくはすべて、および／またはヘッドギア内の他の場所に配置することができる。いくつかの構成では、自動アジャスタを設けることにより、後方ヘッドギア部分を使用者の頭部にフィットするように調整することができる。したがって、こうした自動アジャスタは、ヘッドギア部分とインタフェースとの間の変容可能なロック機構に加えることができ、インタフェースおよび後方ヘッドギア部分の相対位置を調整するとともに、インタフェースに対して適切な封止または保持力を加えるように構成することができる。
【０３４２】
図３２〜図３４を参照すると、特定のストラップ調整機構１３００が示されている。図３２〜図３４の調整機構１３００は、本出願人のＰＣＴ出願ＰＣＴ／ＮＺ２０１４／００００７４号明細書において図４０〜図４２に関連して図示されかつ記載されている平坦ストラップ調整または方向性ロック機構と実質的に同様である。しかしながら、いくつかの構成では、図３２〜図３４のストラップ調整機構１３００は、上述したように、一体化した詰物または裏当てを組み込む。いくつかの構成では、ストラップ調整機構１３００の構成要素は、テキスタイル系材料の上に成形可能材料を成形することによって構成される。
【０３４３】
図３２〜図３４は、調整可能ストラップ１３００を組み立てられた形態で示し、分離された調整可能ストラップの部分を平面図で示すことにより、調整機構のさまざまな構成要素を示す。調整機構１３００は、複数の調整位置で第２部分１３２０に結合することができる第１部分１３１０を備える。いくつかの構成では、第１部分１３１０および第２部分１３２０は、提供された調整範囲内で無限に調整可能であり得る。図示する第１部分１３１０および第２部分１３２０は、調整可能な頂部または頭頂ストラップの第１部分および第２部分であるが、たとえば、図３０および図３１に関連して記載したように、他の位置に調整可能ストラップを設けることができる。上述したように、第１部分１３１０および第２部分１３２０を、たとえば縮小位置に向かう等、互いに対して付勢するように、付勢機構を設けることができる。
【０３４４】
好ましくは、調整機構１３００は、方向性ロック１３３０を備え、それは、第１方向における（たとえば、縮小位置に向かう）第１部分１３１０および第２部分１３２０の相対移動を可能にし、第２方向における移動を阻止する降伏力を提供する。降伏力は、好ましくは、通常のまたは予期される動作条件下で第２方向における実質的な移動を防止するのに十分であるが、第１部分１３１０および第２部分１３２０の所望の調整を可能にするように、加えられる力によって克服することができる。
【０３４５】
調整機構１３００の第１部分１３１０は、調整機構１３１０のオス部分を形成する実質的平坦ストラップ１３１２を備えることができる。調整機構の第２部分１３２０は、調整機構のメス部分を形成する受入部またはロックハウジング１３２２を備えることができる。ロックハウジング１３２２は、ロックワッシャ等、ロック部材を受け入れる空間１３２４を備えることができる。平坦ストラップ１３１２は、受入部１３２２内で移動可能であり、ロックワッシャを受け入れる空間１３２４を通過する。平坦ストラップ１３１２はまた、ロックワッシャも通過する。ロックワッシャは、ロックハウジング１３２２の空間１３２４内で解除位置とロック位置との間で移動可能である。いくつかの構成では、解除位置は、ロックワッシャが平坦ストラップ１３１２の長さ方向に対して実質的に垂直に向けられることによって画定され、ロック位置は、ロックワッシャが解除位置の垂直向きから傾斜していることによって画定される。
【０３４６】
ロックワッシャの位置は、ロックハウジング１３２２の空間１３２４の端部によって所望の位置に押し込まれる等、任意の好適な構成によって制御することができる。たとえば、ロックハウジング１３２２の空間１３２４の一端は、垂直表面を有することができ、多端は傾斜した表面を有することができる。平坦ストラップ１３１２が垂直表面に向かう方向に移動するとき、ロックワッシャは垂直向きまたは解除位置になるように付勢され、平坦ストラップ１３１２は、比較的低い抵抗でロックハウジング１３２２に対して移動することができる。平坦ストラップ１３１２が傾斜した表面に向かう方向に移動するとき、ロックワッシャは、傾斜した向きまたはロック位置に付勢され、平坦ストラップ１３１２とロックハウジング１３２２との間の相対移動は、降伏力によって抵抗される。平坦ストラップ１３１２は、ロックワッシャの移動を促進する把持部分を備えることができる。把持部分は、平坦ストラップ１３１２の基礎材料に比較して、高摩擦材料、またはロックワッシャに対して高い把持力を有する材料であり得る。
【０３４７】
いくつかの構成では、平坦ストラップ１３１２およびロックハウジング１３２２の各々が、第１ストラップ部分１３１０および第２ストラップ部分１３２０それぞれのテキスタイル系材料の上に材料を成形することによって構築される。図示する構成では、平坦ストラップ１３１２の一部は、第１ストラップ部分１３１０のテキスタイル系材料の端部を越えて延在する。対照的に、第２ストラップ部分１３２０のテキスタイル系材料は、ロックハウジング１３２２を越えて延在する。望ましくは、平坦ストラップ１３１２のロックハウジング１３２２内に受け入れられる部分は、第１ストラップ部分１３１０のテキスタイル系材料を越えて延在して、調整機構の調整範囲を通して第１ストラップ部分１３１０のテキスタイル系材料と第２ストラップ部分１３２０との間の干渉を回避する。第２ストラップ部分１３２０のロックハウジング１３２２を越えて延在する部分は、第１ストラップ部分１３１０のテキスタイル系材料が、第２ストラップ部分１３２０のテキスタイル系材料に、第１部分１３１０および第２部分１３２０の最大位置または最も分離した位置において当接しまたは重なるように構成することができる。
【０３４８】
いくつかの構成では、成形材は、ストラップ部分のテキスタイル系材料に沿って平坦ストラップおよび／またはロックハウジングを越えて延在する。たとえば、成形材は、ストラップ部分のテキスタイル系材料に対する補強材として、またはその補強部材として設けることができる。追加の成形材を設けて、成形材とテキスタイル系材料との間の表面積を増大させてそれらの間の接続を強化しかつ／またはそれらの間の保持力を増大させることができる。図示する構成では、追加の成形材は、ストラップ部分の幅方向において互いに分離され、かつ概してストラップ部分の長さ方向に延在する、ストリップまたはリブの形態である。
【０３４９】
図示する構成では、ストラップ部分１３１０、１３２０は、望ましくは、一方向において（曲げを阻止するように幅方向において）比較的剛性があるが、別の方向において（ストラップが曲がって使用者の頭部に沿うのを可能にするように厚さ方向において）可撓性を保持する。これは、テキスタイル系ストラップ部分および／またはオーバモールドされた特徴の幾何学的設計により、かつ／または異なるオーバモールド材料を使用することによって達成することができる。調整機構の他の位置等、他の構成では、他の特性が望ましい場合がある。したがって、ストラップ部分に所望の特性を与えるために、他の幾何学的形状および／または材料を選択することができる。
【０３５０】
いくつかの構成では、複合ストラップ部分は、テキスタイルまたは布材料１３５０の上に成形可能材料１３４０を成形することを含むオーバモールドプロセスによって構築される。いくつかの構成では、成形可能材料１３４０はプラスチック材料であり得る。テキスタイルまたは布材料１３５０は、好ましくは、成形可能材料の優れた接着を可能にするように選択される。
【０３５１】
テキスタイル系材料を金型内に配置することができる。金型を閉じることができ、金型の分離可能な部分（たとえば、半体）の間に、テキスタイル系材料の一部（たとえば、縁部）を取り込むことができる。そして、金型内にかつテキスタイル系材料の上に、成形可能材料を射出することができる。
【０３５２】
本出願人の特許出願ＰＣＴ／ＮＺ２０１４／００００７４号明細書に開示されているように、平衡フィット特性を示すヘッドギアにおいて多くの異なるタイプの方向性ロック機構を利用することができる。少なくともいくつかの構成では、方向性ロックは、少なくとも方向性ロックの降伏力を下回る、第１方向におけるヘッドギアの２つの部分の間の相対移動を阻止しまたは防止する。方向性ロックはまた、第１方向とは反対の第２方向においてヘッドギアの２つの部分の相対移動を能にする。好ましくは、第２方向における移動は、単に比較的小さい量の抵抗によって可能になる。
【０３５３】
図３５を参照すると、いくつかの構成では、ヘッドギアの第部分はコア部材１４００を備える。コア部材１４００は、ワイヤ、ワイヤ状要素またはフィラメントであり得る。ヘッドギアの第２部分は、ハウジング１４１０を備えることができる。ヘッドギアの第１部分および第２部分は、ヘッドギアの円周を変更するかまたは調整するように互いに対して移動可能なヘッドギアの任意の好適な部分または構成要素に結合することができる。ハウジング１４１０は、ロック機構１４２０を受け入れる空間１４１２を画定する要素またはレセプタクルであり得る。ハウジング１４１０は、ヘッドギアとは別個の構成要素であり得るか、またはヘッドギアの一体構成要素または部分であり得る。ロック機構１４２０は、コア部材１４００と係合して、少なくとも方向性ロックの降伏力を下回る、第１方向におけるハウジング１４１０に対するコア部材１４００の移動を阻止または防止することができる。ロック機構１４２０はまた、コア部材１４００を係合解除して、第１方向とは反対の第２方向におけるハウジング１４１０に対するコア部材１４００の移動を可能にすることができる。
【０３５４】
ロック機構１４２０は、第１位置すなわちロック位置１４３０と第２位置すなわち解除位置１４４０との間で移動可能な２つ以上のロック要素を備えることができる。図示するロック機構１４２０は、ロックジョー１４２２の形態の一対のロック要素を備える。ロックジョー１４２２の各々は、概して案円筒状部材である。ロックジョー１４２２は協働して、コア部材１４００を包囲する。コア部材１４００に面しているロックジョー１４２２の各々の内面は凹状である。ロックジョー１４２２の各々は、ロック位置１４３０においてコア部材１４００と接触する係合部分１４２４を備え、それにより、ロックジョー１４２２は協働してコア部材１４００と係合する。図示する構成では、係合部分１４２４は、ロックジョー１４２２の各々の端部によって画定される。
【０３５５】
ロックジョー１４２２の各々の反対側の端部は、ハウジング１４１０を通って延在し、半径方向に延在するフランジ１４２６を含む。方向性ロックは付勢機構を備えることができ、付勢機構は、いくつかの構成では、ロック機構をロック位置に向かって、または図３５においてページの左に向かって移動させる傾向がある、比較的軽い付勢力を与える。付勢機構は、ロックジョー１４２２のフランジ１４２６およびハウジング１４１０の端面１４１４に対して作用する、ばね等の付勢要素１４２８を備えることができる。好ましくは、付勢機構は、コア部材１４００がヘッドギアの円周を増大させる傾向がある方向に（図３５において左側に）移動するときに、ロック位置１４３０に向かうロックジョー１４２２の初期移動を補助する軽い付勢力を与える。ロックジョー１４２２は、コア部材が、ヘッドギアの円周を低減させる傾向がある方向に（図３５において右側に）移動するとき、付勢機構の付勢力に抗して、解除位置１４４０に向かって移動することができる。
【０３５６】
上述したように、ハウジング１４１０は、ロックジョー１４２２を受け入れる空間または通路を画定し、そこをコア部材１４００が通過することができる。通路１４１２は、ロックジョー１４２２がロック位置１４３０と解除位置１４４０との間で移動するのを容易にする、面取り、角度付きまたはテーパ状面１４１６を画定することができる。ロックジョー１４２２の各々とハウジング１４１０との間に、１つまたは複数のロックまたはローラ要素１４１８を配置することができる。ロックジョー１４２２が、ハウジング１４１０または通路１４１２の長手方向軸に沿ってロック位置１４３０に向かう方向に移動することにより、ローラ要素１４１８がテーパ状面１４１６と係合し、それにより、ローラ要素１４１８、したがってロックジョー１４２２が互いに近づくように移動し、それによって、コア部材１４００がロックジョー１４２２の間で締め付けられる。ロックジョー１４２２が水平軸に沿って解除位置１４４０に向かう方向に移動すると、ローラ要素１４１８は半径方向においてロックジョー１４２２から離れるように自由に移動し、それにより、ロックジョー１４２２から締付け力が解除され、コア部材１４００が比較的実質的な抵抗なしに移動することができる。コア部材１４００がこのように移動することにより、ロックジョー１４２２が付勢機構の付勢力に対する摩擦力を介して軸方向に移動することができる。
【０３５７】
コア部材１４００、ロックジョー１４２２、テーパ状面１４１６および／またはローラ要素１４１８は、方向性ロックがコア部材１４００に締付力を加えるように構成することができ、この締付力は、降伏力未満の力がヘッドギアを伸長させようとしてコア部材１４００に作用するときに、ハウジング１４１０に対してコア部材１４００の移動を実質的に阻止または防止し、降伏力を超える力がコア部材１４００に作用するときに、ヘッドギアを伸長させようとしてコア部材１４００の移動を可能にする。上述したように、こうした構成により、方向性ロックのうちの１つまたは複数を組み込んだヘッドギアが、使用者への取付または使用者からの取外しのためにヘッドギアの伸長も可能にしながら、治療に関する通常のまたは予測される力に抵抗することができる。方向性ロックは、比較的わずかな抵抗でハウジング１４１０に対するコア部材１４００の移動を可能にするように、ヘッドギアを収縮させようとするコア部材１４００の移動に応じて、コア部材１４００を解除することができる。こうした構成により、方向性ロックのうちの１つまたは複数を組み込んだヘッドギアは、特定の使用者の頭部サイズにフィットするように収縮することができる。ヘッドギアを収縮させる傾向がある収縮力は、手動による収縮、またはヘッドギアの弾性構成または弾性要素によってもたらされる自動収縮を含む、任意の好適な方法または機構によって提供することができる。
【０３５８】
図３６は、上述した方向ロック、本明細書に記載されているかまたは参照により組み込まれた他の任意の方向性ロック、または他の任意の好適な方向性ロック等、方向性ロックを組み込んだヘッドギアに対する動作サイクルを示す。グラフ式の動作サイクルでは、上方向における矢印の成分は、ヘッドギアの伸長（ヘッドギアの円周の増大）を表し、下方向における矢印の成分は、ヘッドギアの収縮（ヘッドギアの円周の低減）を表す。図３６において右側への矢印の成分は、ヘッドギアの伸長移動を表し、左側への矢印の成分は、ヘッドギアの収縮移動を表す。
【０３５９】
図３６は、すぐ上に記載した方向性ロックの構造を参照して記載されているが、記載によって強調される基本概念は、本明細書に記載されているかまたは組み込まれた他の方向性ロックのうちの多くまたはすべてに等しく適用可能である。上方の中心矢印は、方向性ロックの降伏力を超える力を加えた結果として、コア部材がヘッドギアを伸長させる傾向がある方向に移動することを表す。したがって、コア部材は、ローラ要素とハウジングの通路のテーパ状面との相互作用によってコア部材に対して締め付けられるロックジョーを通って、滑動することができる。こうした力は、ヘッドギアの適用または取外しにおいて加えることができる。
【０３６０】
右回り方向における次の矢印は、コア部材の方向における伸長から収縮への変化を表す。こうした方向の変化により、コア部材において締付力が解除される。
【０３６１】
右回り方向における次の矢印は、コア部材の収縮移動を表す。したがって、コア部材の移動により、ローラ要素がテーパ状面の狭い部分に押し込まれなくなるように、ロックジョーを移動させることができる。その結果、コア部材の比較的自由な収縮運動が発生することができる。こうした移動により、ヘッドギアは、特定の使用者にフィットし、または使用されていないときに最小円周まで収縮することができる。
【０３６２】
右回り方向における次の矢印は、コア部材の方向における収縮から伸長への変化を表す。こうした方向の変化により、コア部材に締付力が加えられる。方向の変化の各場合において、締付力の変化または方向ロックの位置の変化が発生する前に、コア部材の幾分かの移動が発生する可能性があり、または完全に到達される。このサイクルは、ヘッドギアが使用者にあてがわれるかまたは使用者から取り除かれる度に繰り返すことができる。場合によっては、使用者が、ヘッドギアに対して微調整を行うときに、このサイクルが発生する可能性がある。
【０３６３】
図３７〜図５３は、１つまたは複数の方向性ロック１５１０を組み込んだヘッドギアアセンブリ１５００の例を示す。図示するヘッドギアアセンブリ１５００は、インタフェース１５２０の一部に結合されるように構成されている。特に、図示するヘッドギアアセンブリ１５００は、ヘッドギア後方部分１５３０と、インタフェース結合部分１５４０と、ヘッドギア後方部分１５３０とインタフェース結合部分１５４０との間に挿入される長さまたは円周調整部分１５５０とを含む。ヘッドギア後方部分１５３０は、使用時に使用者の頭部の後方部分と接触するように構成されている。インタフェース結合部分１５４０は、ヘッドギアアセンブリ１５００が使用者の顔面の適切な位置でインタフェース１５２０を支持することができるように、使用時にインタフェース１５２０に結合されるように構成されている。長さまたは円周調整部分１５５０は、ヘッドギアアセンブリ１５００を特定の使用者の頭部サイズに調整することができるように、使用時に、インタフェース結合部分１５４０の位置をヘッドギア後方部分１５３０に対して調整することができるように構成されている。したがって、長さまたは円周調整部分１５５０により、ヘッドギアアセンブリ１５００が特定の使用者の頭部サイズにフィットすることができるように、ヘッドギアの周囲長または円周を調整することができる。
【０３６４】
ヘッドギアアセンブリ１５００として図示し記載しているが、いくつかの構成では、図示するヘッドギアアセンブリ１５００の一部を、インタフェースアセンブリ全体の他の任意の好適な部分に組み込むことができる。たとえば、インタフェース結合部分１５４０は、ヘッドギアアセンブリ１５００とは別個でありかつそれに接続可能であるインタフェースの構成要素または一部を備えることができる。長さまたは円周調整部分１５５０は、ヘッドギアアセンブリ１５００とは別個でありかつそれに接続可能であるインタフェースの構成要素もしくは一部、またはインタフェース１５２０とは別個でありかつそれに接続可能なヘッドギアアセンブリ１５００の構成要素もしくは一部を備えることができる。しかしながら、有利には、さらに後述するように、図示するヘッドギアアセンブリ１５００は、平衡フィット特性を示す、内蔵型の自動フィットヘッドギアユニットを備えることができ、少なくとも１つ場合によっては複数のタイプのインタフェースに結合することができる。したがって、少なくともいくつかの構成では、複数のタイプのインタフェースとともに、１つのタイプの図示するヘッドギアアセンブリ１５００を利用することができる。したがって、販売業者は、同じインタフェースオプションを提供しながら、より少ない数の一意の製品をストックすることができる。さらに、使用者は、別のインタフェースに交換するときにヘッドギアアセンブリの手動による調整を必要とすることなく、単一のヘッドギアアセンブリを利用し要求に応じてインタフェースを交換することができる。
【０３６５】
図示する構成では、ヘッドギア後方部分１５３０は、使用者の頭部と接触する少なくとも１つのストラップ部分１５６０を備える。好ましくは、少なくとも１つのストラップ部分１５６０は、治療中にインタフェースの加圧によってヘッドギアアセンブリ５００内に引き起こされる力を抑制することができるように、使用者の頭部の後方部分または後部と接触する。いくつかの構成では、ストラップ部分１５６０は、概してまたは実質的に使用者の頭部の後部の周囲に横方向に延在し、使用者の頭部の各側部に端部を有する。各端部は、たとえば、円周調整部分１５５０等、ヘッドギアアセンブリ１５００の別の部分に結合することができる。
【０３６６】
いくつかの構成では、少なくとも１つのストラップ部分１５６０は、第１ストラップ部分および第２ストラップ部分を備える。第１ストラップ部分は、使用者の頭部の後部の周囲に延在する後方ストラップ部分１５６２とすることができ、第２ストラップ部分は、使用者の頭部の頂部の上に延在する頂部または上方ストラップ部分１５６４とすることができる。後方ストラップ部分１５６２は、使用者の頭部の後頭骨または頭頂骨のうちの一方または両方に対応する部分と接触するように配置することができる。頂部ストラップ部分１５６４は、使用者の頭部の頭頂骨または前頭骨のうちの一方または両方に対応する部分と接触するように配置することができる。したがって、頂部ストラップ１５６４は、頭頂ストラップまたは額ストラップのいずれか一方として構成することができ、それはこうしたストラップは本技術分野において特徴付けられる場合があるためである。他の好適な構成も使用することができる。
【０３６７】
好ましくは、ヘッドギア後方部分１５３０は、使用者の頭部と係合し、インタフェース結合部分１５４０および円周調整部分１５５０を利用する等、インタフェースの接続のために比較的安定したプラットフォームを提供する。したがって、少なくともいくつかの構成では、ヘッドギア後方部分１５３０は、意図された用途に対して典型的であるかまたは予測される範囲内の加えられる力に応じて、その形状および有効長さを保持するように、実質的に非弾性である。いくつかの構成では、ヘッドギア後方部分１５３０は、布材料の１つまたは複数の層に結合された、プラスチック材料等、比較的剛性のある材料から構成された層を備えることができる。好ましくは、布層は、少なくとも、剛性材料層の使用者と接触する面に設けられる。いくつかの構成では、布層は、剛性材料層の各側に設けられる。さらに、いくつかの構成では、金型内の２つの材料層の間の空間に剛性材料を射出成形すること等により、材料層の間に剛性材料層を形成することができる。こうしたヘッドギアおよびこうしたヘッドギアを製造する方法の例は、本出願人による米国仮特許出願第６２／０５０，９２５号明細書に開示されており、その全体が、参照により本明細書に組み込まれる。
【０３６８】
円周調整部分１５５０は、一対の調整要素１５５２を備えることができ、そこでは、ヘッドギアアセンブリ１５００の各側部に１つの調整要素１５５２が配置されている。特に、調整要素１５５２の各々は、ヘッドギア後方部分１５３０の一方の側をインタフェース結合部分１５４０の一方の側と結合することができる。頂部ストラップ１５６４と後方ストラップ１５６２との間の接合部にまたはその近くに、調整要素１５５２を結合することができる。図示する構成では、調整要素１５５２は、頂部ストラップ１５６４と後方ストラップ１５６２との接合部から前方向に延在するヘッドギア後方部分１５３０の前方延長部に結合される。調整要素１５５２は、収縮長さと伸長長さとの間で長さが調整可能である。いくつかの構成では、調整要素１５５２は、協働して、ヘッドギアアセンブリ１５００の円周の調整のすべてまたは実質的にすべてを提供する。調整要素１５５２の各々はまた、収縮長さまたは伸長長さのうちの一方に向かって調整要素１５５２を付勢する弾性要素または付勢機構も含むことができる。好ましくは、調整要素１５５２は、収縮長さに向かって付勢され、それにより、ヘッドギアアセンブリ１５００はその最小円周に向かって付勢される。こうした構成により、ヘッドギアアセンブリ１５００は伸長することができ、その後、調整要素１５５２の弾性要素または他の付勢機構の付勢力の下で特定の使用者にフィットするように自動的に収縮することができる。さらに、好ましくは、調整要素１５５２は、ヘッドギア１５００の伸長を制限するように最大伸長長さにおいてハードストップを画定し、ヘッドギア１５００の最大円周を画定する。
【０３６９】
いくつかの構成では、調整要素１５５２は、長さを伸長するかまたは収縮することができる編組要素１５５４を備える。編組要素１５５４は、網組要素１５５４と平行な１つまたは複数の弾性要素を備えることができる。弾性要素は、編組要素１５５４とは別個であるか、または編組要素１５５４に組み込むことができる。いくつかの構成では、弾性要素は、編組要素１５５４のフィラメントの間の内部空間内に収容される。好適な編組要素の例は、本出願人の特許出願ＰＣＴ／ＮＺ２０１４／００００７４号明細書の図４６〜図５４に関連して記載されている。しかしながら、他の好適な構造または構成も使用することができる。別法として、インタフェース結合部分内に弾性要素または付勢要素を配置することができ、それがコア部材と相互作用して、コア部材をインタフェース結合部分に引き込むことができる。
【０３７０】
ヘッドギアアセンブリ１５００のインタフェース結合部分１５４０は、円周調整部分１５５０を備える一対の調整要素１５５２の間に延在することができる。いくつかの構成では、インタフェース結合部分１５４０は、調整要素１５５２に直接結合される。上述したように、インタフェース結合部分１５４０は、インタフェース１５２０へのヘッドギアアセンブリ１５００の接続を容易にすることができる。しかしながら、インタフェース結合部分１５４０はまた、１つまたは複数の方向性ロック１５１０の少なくとも一部も収容することができる。図示する構成では、一対の方向性ロック１５１０が設けられ、一方の方向性ロック１５１０が一対の調整要素１５５２のうちの一方に関連付けられている。方向性ロック１５１０の一部（たとえば、ハウジング１５１２）は、インタフェース結合部分１５４０の各端部に位置することができる。いくつかの構成では、方向性ロック１５１０の各々に関連するコア部材１５７０が、ヘッドギア後方部分１５３０に結合され、調整要素１５５２に沿うかまたはそれを通り、方向性ロック１５１０のハウジング１５１２を通ってインタフェース結合部分１５４０の収集空間１５４２内に延在する。方向性ロック１５１０のハウジング１５１２は、コア部材１５７０と相互作用して、ヘッドギアアセンブリ１５００の収縮を選択的に可能にし、または、ヘッドギアアセンブリ１５００を特定の円周でロックし、少なくとも方向性ロック１５１０によって提供される降伏力未満の力でヘッドギア１５００の伸長を阻止または防止する、１つまたは複数の部材または要素（たとえば、ロックワッシャまたはロックジョー）を備えることができる。方向性ロック１５１０の動作のさらなる詳細については、上述し、かつ本出願人の特許出願ＰＣＴ／ＮＺ２０１４／００００７４号明細書に記載されている。
【０３７１】
いくつかの構成では、コア部材１５７０および調整要素１５５２の一方または両方は、ヘッドギア後方部分１５３０内にコア部材１５７０および／または調整要素１５５２を封入することによって、ヘッドギア後方部分１５３０に固定される。たとえば、コア部材１５７０および／または調整要素１５５２は、金型内に配置することができ、ヘッドギア後方部分１５３０の剛性材料部分は、コア部材１５７０および／または調整要素１５５２を封入するように、射出成形によって形成することができる。図示する構成では、調整要素１５５２の端部およびコア部材１５７０の端部が、ヘッドギア後方部分１５３０の剛性材料部分内に封入される。しかしながら、他の好適な構成を使用することも可能である。
【０３７２】
いくつかの構成では、調整要素１５５２は、編組要素１５５４を弾性要素と結合するエンドキャップ部分１５５６を含む。エンドキャップ部分１５５６は、オーバモールドプロセスによって調整要素１５５２の端部に付与することができる。特に、金型内に編組要素１５５４および弾性要素を配置することができ、編組要素１５５４および弾性要素の端部の上に射出成形することにより、エンドキャップ部分１５５６を生成することができる。いくつかの構成では、編組要素１５５４および／または弾性要素は、オーバモールドプロセス中、伸張状態で保持される。いくつかの構成では、その後、調整要素サブアセンブリは、上述したオーバモールドプロセス等により、ヘッドギア後方部分１５３０に結合される。したがって、調整要素１５５２のエンドキャップ部分１５５６をヘッドギア後方部分１５３０によって封入することができる。
【０３７３】
ヘッドギア後方部分１５３０と対向する調整要素１５５２の各々のエンドキャップ部分１５５６を、任意の好適な構成によってインタフェース結合部分１５４０に結合することができる。図示する構成では、調整要素１５５２のエンドキャップ部分１５５６はフェルールまたはソケット１５８０に結合され、フェルールまたはソケット１５８０は、インタフェース結合部分１５４０に結合される。たとえば、エンドキャップ部分１５５６をソケット１５８０内に圧入するかまたは他の方法で固定することができる。ソケット１５８０は、保持部分１５８４をソケット１５８０の本体１５８６から間隔を空けて配置する首部分１５８２を備えることができる。首部分１５８２は、インタフェース結合部分１５４０における開口部１５４４を通って延在することができ、ソケット１５８０の保持部分１５８４は、インタフェース結合部分１５４０からのソケット１５８０の分離を防止することができる。いくつかの構成では、ソケット１５８０の保持部分１５８４を方向性ロック１５１０のハウジング１５１２と一体化することができる。
【０３７４】
いくつかの構成では、インタフェース結合部分１５４０は、協働して収集空間を画定する複数の部品から構成することができる。複数の部品はまた、協働して、各方向性ロック１５１０のハウジング１５１２を受け入れる空間１５９０を画定することも可能である。図示する構成では、インタフェース結合部分１５４０は、第１部品１５９２および第２部品１５９４を備え、それらを接続して、収集空間１５９６と方向性ロック１５１０のハウジング１５１２を受け入れる一対の空間１５９０とを画定することができる。第１部品１５９２および第２部品１５９４は、それぞれ上方部品および下方部品とすることができる。他の構成では、第１部品１５９２および第２部品１５９４は、たとえば、前方部品および後方部品とすることができる。別個の部品を設けることにより、方向性ロック１５１０のハウジング１５１２、方向性ロック１５１０のコア部材１５７０およびソケット１５８０のインタフェース結合部分１５４０への組付けが容易になる。
【０３７５】
インタフェース結合部分１５４０の収集空間１５９６は、図示する構成では、余分のまたは機能しない部分でありコア部材１５７０の作動部分を形成しないコア部材１５７０の端部を受け入れる、蓄積部として構成されている。すなわち、ヘッドギア後方部分１５３０の取付箇所と方向性ロック１５１０のハウジング１５１２（または、方向性ロックのロック要素における）との間のコア部材１５７０の部分は、機能しており、ヘッドギア円周の一部を形成する。コア部材１５７０のこうした部分は、ヘッドギアを伸長させる傾向がある力が加えられると、張力下に置かれる。機能しているコア部材部分および機能していないコア部材部分の長さは、ヘッドギアアセンブリ１５００の調整されたまたは瞬時の円周の変化とともに変化する。したがって、収集空間１５９６は、コア部材１５７０の機能していない部分を蓄積し保護するための場所を提供する。
【０３７６】
望ましくは、収集空間１５９６の長さは、少なくとも、調整部材１５５２のうちの１つの伸縮距離（伸長長さと収縮長さとの間の距離）程度の大きさである。言い換えれば、調整部材１５５２の伸縮距離は、好ましくは、収集空間１５９６の長さ以下であり、それにより、少なくとも幾分かの余分なコア部材１５７０長が収集空間１５９６内に残っている状態で調整部材１５５２が収縮位置から伸長位置まで移動するのを可能にするのに、十分な長さの余分なコア部材部分に対して、収集空間１５９６内に十分な空間が存在し、それにより、コア部材１５７０は、方向性ロック１５１０のハウジング１５１２を通して完全に引っ張られない。いくつかの構成では、収集空間１５９６は、コア部材１５７０の各々に対して別個の空間またはチャネルを備えることができる。
【０３７７】
インタフェース結合部分１５４０の一部を、インタフェース１５２０またはインタフェース１５２０の一部に接続されるように構成することができる。いくつかの構成では、インタフェース結合部分１５４０は、インタフェース１５２０に選択的に結合されるかまたは取外し可能に結合されることが可能である。図示する構成では、収集空間１５９６を画定するインタフェース結合部分１５４０の一部は、インタフェース部材１５２４の受入チャネル１５２２内に受け入れられるように構成される。受入チャネル１５２２は、インタフェース部材１５２４によって画定されかつスナップフィット構成においてインタフェース結合部分１５４０を受け入れるように構成された、半円筒状空間であり得る。収集空間１５４２を画定するインタフェース結合部分１５４０の中心部分は、外側形状が概して円柱状または円筒状であり得る。図示する構成では、インタフェース結合部分１５４０の中心部分は、その長さに沿って湾曲している。
【０３７８】
インタフェース部材１５２４は、インタフェース１５２０の任意の部分であり得る。たとえば、インタフェース部材１５２４は、シェルまたはフレーム要素１５２６等、インタフェース１５２０の比較的剛性の部分であり得る。図示する構成では、インタフェース部材１５２４は、マスクシール１５２８、クッション１５３２または他のインタフェース要素を直接または間接的に支持することができるフレーム要素１５２６である。フレーム要素１５２６（またはインタフェースの別の部分）は、エルボ１５３４等の導管コネクタを支持することができる。いくつかの構成では、インタフェース部材１５２４は、いくつかの異なるタイプのマスクシール１５２８、クッション１５３２または他のインタフェース要素を支持するように構成することができる。いくつかの構成では、インタフェース部材１５２４は、所定のマスクシール１５２８、クッション１５３２または他のインタフェース要素と一体化するかまたはそれと使用されるように設計することができ、マスクシール１５２８、クッション１５３２またはインタフェース要素の各タイプに、異なるインタフェース部材１５２４を一体化するかまたは関連付けることができる。いずれの場合も、少なくともいくつかの構成では、複数のタイプのマスクシール１５２８、クッション１５３２、または、たとえば、鼻カニューレ、鼻ピロー、鼻マスクまたはフルフェイスマスクを含む、他のインタフェース要素とともに、ヘッドギアアセンブリ１５００を利用することができる。
【０３７９】
図５４〜図５６は、すぐ上に記載したヘッドギアアセンブリ１５００と同じであるかまたは実質的に同じであり得るか、または別の好適な構成であり得る、ヘッドギアアセンブリ１５００を組み込んだ、インタフェースアセンブリを示す。図示する構成では、ヘッドギア後方部分１５３０は折畳み式である。いくつかの構成では、ヘッドギア後方部分１５３０は、ヘッドギア後方部分１５３０が３次元形態をとる拡張形態から、比較的平坦に位置することができる折畳み形態に折り畳むかまたは折り曲げることができる。図示する構成では、後部ストラップおよび頂部ストラップの一方または両方に、ヒンジ、接合部または折目が設けられている。ヒンジ、接合部または折目１５３６は、ヘッドギア後方部分１５３０の他の部分より剛性が低い、ヘッドギア後方部分１５３０のセクションを含むことができる。ヒンジ、接合部または折目１５３６は、剛性ヘッドギア材料の厚さが低減した部分、１つまたは複数の布層がヒンジ、接合部または折目１５３６を画定するような剛性ヘッドギア材料部分の間の分離部、またはたとえば縫合接合部等、ヘッドギア後方部分１５３０の別個の部分の間の連結部を含むことができる。ヘッドギア後方部分のいくつかの部分を接合するために、別個のヒンジ部材を利用することができる。
【０３８０】
こうした構成により、ヘッドギアを比較的平坦に置くことができ、それは、使用者がマスクを持って移動している場合にヘッドギアが梱包されるのに役立つことができる。設計された折曲げ点または線があることによりヘッドギアユニットは形状保持挙動を有することができるが、スーツケース等に梱包されなければならない場合、小型ユニットにもなる。折曲げ線またはヒンジ線１５３６は、剛性材料部分の左側および右側の両方をその箇所まで縫合するかまたは射出成形し、その後、ヒンジとして作用するように布の裏のない１つまたは複数の切片を残すということを使用する等、任意の好適なプロセスによって構成することができる。
【０３８１】
図５７〜図５９は、少なくともいくつかの構成では２つ以上のインタフェースタイプと利用することができる別のヘッドギアアセンブリ１６００を示す。たとえば、図５７は、フルフェイスマスク型インタフェース１６５０を備えたインタフェースアセンブリのモジュール式構成要素を形成するものとしてヘッドギアアセンブリ１６００を示す。ヘッドギアアセンブリ１６００は、インタフェース１６５０と係合する部分１６０２を備えることができ、または他の方法でインタフェース１６１０に結合することができる。いくつかの構成では、ヘッドギアアセンブリ１６００の係合または結合部分１６０２を、少なくとも１つの他のタイプのインタフェースと係合させるかまたは結合することができる。たとえば、図５８は、鼻マスク１６６０を支持する図５７のヘッドギアアセンブリ１６００（破線で示す）を示し、図５９は、鼻ピロー／プロングマスク１６７０を支持する図５７のヘッドギアアセンブリ１６００（破線で示す）示す。したがって、こうしたモジュール式構成により、単一のヘッドギアアセンブリを複数のタイプのインタフェースと利用することができる。有利には、本明細書に記載するようなヘッドギアアセンブリの要求時抵抗機能により、単一ヘッドギアアセンブリは、異なるインタフェースタイプと好適に動作することができる。たとえば、ヘッドギアによって与えられる保持力は、使用される特定のインタフェースによってヘッドギアに加えられる力に自動的に調整することができる。係合または結合部分１６０２は、たとえば、図３７〜図５３に関連して開示した構成と同じかまたは同様である等、任意の好適な構成であり得る。
【０３８２】
ヘッドギアアセンブリ１６００は、本明細書に開示するかまたは本出願人の出願ＰＣＴ／ＮＺ２０１４／００００７４号明細書に開示されている他のヘッドギアアセンブリと概して同様であり得る。特に、図示するヘッドギアアセンブリ１６００は、ヘッドギア後方部分１６０４と、インタフェース結合部分１６０２と、ヘッドギア後方部分１６０４とインタフェース結合部分１６０２との間に挿入される長さまたは円周調整部分１６０６とを含む。ヘッドギア後方部分１６０４は、使用時、使用者の頭部の後方部分と接触するように構成されている。インタフェース結合部分１６０２は、使用時、ヘッドギアアセンブリ１６００がインタフェースを使用者の顔面の適切な位置で支持することができるように、インタフェースに結合されるように構成されている。長さまたは円周調整部分１６０６は、使用時、ヘッドギアアセンブリ１６００を特定の使用者の頭部サイズに調整することができるように、インタフェース結合部分１６０２の位置をヘッドギア後方部分１６０４に対して調整することができるように構成されている。したがって、長さまたは円周調整部分１６０６は、ヘッドギアアセンブリ１６００が特定の使用者の頭部サイズにフィットすることができるように、ヘッドギアの周囲長または円周を調整することができようにすることができる。
【０３８３】
ヘッドギア後方部分１６０４は、本明細書にまたは本出願人の出願ＰＣＴ／ＮＺ２０１４／００００７４号明細書に記載されているもののうちの任意のものと同じであるか同様である等、任意の好適な構成であり得る。好ましくは、ヘッドギア後方部分１６０４は、使用者の頭部に係合し、インタフェース結合部分１６０２および円周調整部分１６０６を利用する等、インタフェースの接続のための比較的安定したプラットフォームを提供する。したがって、少なくともいくつかの構成では、ヘッドギア後方部分１６０４は実質的に非弾性であり、それにより、意図された用途に対して典型的であるかまたは予測される範囲内の加えられた力に応じてその形状および有効長さを保持する。ヘッドギア後方部分１６０４は、使用者の頭部の頂部の上に延在する頂部ストラップ部分１６０８と、使用者の頭部の後部の周囲に延在する後方ストラップ部分１６１０とを含むことができる。頂部ストラップ部分１６０８および後方ストラップ部分１６１０は、別個であるか、または中間接続部分１６１２による等、任意の好適な方法で結合することができる。
【０３８４】
長さまたは円周調整部分１６０６は、本明細書にまたは本出願人の出願ＰＣＴ／ＮＺ２０１４／００００７４号明細書に記載されているもののうちの任意のものと同じであるか同様である等、任意の好適な構成であり得る。円周調整部分１６０６は２つの対の調整要素１６１４を備えることができ、そこでは、調整要素１６１４の一方の対がヘッドギアアセンブリ１６００の各側部に配置されている。したがって、図示するヘッドギア装置１６００は、概して、２保持面ヘッドギアタイプと述べるかまたは分類することができる。ヘッドギア装置１６００について、２保持面、前方収束ヘッドギアタイプ、または場合によっては、２保持面、前方収束ヘッドギアタイプと２保持面、分離／角度付きヘッドギアタイプの混成として述べることができる。
【０３８５】
調整要素１６１４の各対は、ヘッドギア後方部分１６０４の一方の側をインタフェース結合部分１６０２の一方の側と結合することができる。各側の調整要素１６１４の対は、間隔が空けられた場所においてヘッドギア後方部分１６０４に結合されている。たとえば、調整要素１６１４のうちの一方は、頂部ストラップ１６０８の一部でまたはその近くでヘッドギア後方部分１６０４に結合され、調整要素１６１４のうちの他方は、後方ストラップ１６１０の一部でまたはその近くでヘッドギア後方部分１６０４に結合されている。図示する構成では、上部調整要素１６１４は、使用者の耳の上方の位置でまたはその近くで頂部ストラップ１６０８の一部から前方向に延在するヘッドギア後方部分１６０４の前方拡張部に結合されている。下部調整要素１６１４は、ヘッドギア後方部分１６０４の後方ストラップ１６１０の端部に結合されている。
【０３８６】
調整要素１６１４は、収縮長さと伸長長さとの間で長さが調整可能である。いくつかの構成では、調整要素１６１４は、協働して、ヘッドギアアセンブリ１６００の円周の調整のすべてまたは実質的にすべてを提供する。調整要素１６１４の各々はまた、調整要素１６１４を収縮長さまたは伸長長さのうちの一方に向かって付勢する弾性要素または付勢機構も含むことができる。好ましくは、調整要素１６１４は、収縮長さに向かって付勢され、それにより、ヘッドギアアセンブリ１６００はその最小円周に向かって付勢される。こうした構成により、ヘッドギアアセンブリ１６００は、伸長し、その後、調整要素１６１４の弾性要素または他の付勢機構の付勢力の下で自動的に収縮して、特定の使用者にフィットすることができる。さらに、好ましくは、調整要素１６１４は、ヘッドギア１６００の伸長を制限するように最大伸長長さにおいてハードストップを画定し、ヘッドギア１６００の最大円周を画定する。
【０３８７】
いくつかの構成では、調整要素１６１４の各々は、長さを伸長しまたは収縮することができる編組要素を備えている。編組要素は、編組要素と平行な１つまたは複数の弾性要素を備えることができる。弾性要素は、編組要素とは別個であり、または編組要素に組み込むことができる。いくつかの構成では、弾性要素は、網組要素のフィラメントの間の内部空間に収容される。好適な編組要素の例は、本出願人の特許出願ＰＣＴ／ＮＺ２０１４／００００７４号明細書の図４６〜図５４に関連して記載されている。しかしながら、他の好適な構造または構成も使用することができる。別法として、インタフェース結合部分内に弾性要素または付勢要素を配置することができ、それはコア部材と相互作用して、コア部材をインタフェース結合部分に引き込むことができる。
【０３８８】
ヘッドギアアセンブリ１６００のインタフェース結合部分１６０２は、円周調整部分１６０６を備える調整要素１６１４の対の間に延在することができる。いくつかの構成では、インタフェース結合部分１６０２は比較的剛性があり得る。いくつかの構成では、インタフェース結合部分１６２０は調整要素１６１４に直接結合される。上述したように、インタフェース結合部１６０２は、インタフェースへのヘッドギアアセンブリ１６００の接続を容易にすることができる。しかしながら、インタフェース結合部分１６０２はまた、１つまたは複数の方向性ロック１６１６の少なくとも一部を収容することも可能である。図示する構成では、方向性ロック１６１６の２つの対が設けられ、１つの方向性ロック１６１６が調整要素１６１４のうちの各々１つに関連付けられている。方向性ロック１６１６の一部（たとえば、ハウジング１６１８）は、インタフェース結合部分１６０２の各々に位置することができる。いくつかの構成では、方向性ロック１６１６の各々に関連するコア部材１６２０は、ヘッドギア後方部分１６０４に結合され、調整要素１６１４に沿うかまたはそこを通り、方向性ロック１６１６のハウジング１６１８を通って収集空間１６２２内に延在する。収集空間１６２２は、インタフェース結合部分１６０２とは別個の部材であり得るかまたはそこに組み込むことができる収集チューブまたは導管によって画定することができる。方向性ロック１６１６のハウジング１６２０は、コア部材１６１８と相互作用して、選択的にヘッドギアアセンブリ１６００の収縮を可能にするかまたはヘッドギアアセンブリ１６００を特定の円周でロックし、少なくとも方向性ロックによって与えられる降伏力未満の力でヘッドギアの伸長を阻止または防止する、１つまたは複数の部材または要素（たとえば、ロックワッシャまたはロックジョー）を備えることができる。方向性ロック１６１６の動作のさらなる詳細については、上述しかつ本出願人の特許出願ＰＣＴ／ＮＺ２０１４／００００７４号明細書に記載されている。
【０３８９】
図示する構成では、インタフェース結合部分１６０２の各側部における方向性ロック１６１６は、垂直に積み重ねられるかまたは横に並べて配置される。方向性ロック１６１６は別個のユニットとして図示されているが、いくつかの構成では、方向性ロック１６１６の一部を一体化することができる。たとえば、単一ハウジングが、各調整要素の別個のコア部材と相互作用する個々のロック要素を含むことができる。
【０３９０】
インタフェース結合部分１６０２は湾曲することができ、（たとえば、収集チューブまたはチャネルによって画定される）収集空間１６２２は、インタフェース結合部分１６２０に沿って湾曲することができる。図示する構成では、インタフェース結合部分１６０２の中心部分は、インタフェース結合部分１６０２の端部の上方に位置している。さらに、正面から見ると、インタフェース結合部分１６０２の側部は、中心部分から下方に湾曲している。したがって、インタフェース結合部分１６０２は、フルフェイスマスクインタフェース１６５０の本体またはシェル部分の形状を補間するかまたはそれに対応することができる。インタフェース結合部分１６０２の中心部分は、マスク１６５０のエルボまたは他の導管コネクタの上方に位置することができる。同様に、鼻マスクインタフェース１６６０の本体またはシェル部分の形状を補間するかまたはそれに対応するように、インタフェース結合部分１６０２を構成することができる。インタフェース結合部分１６０２の中心部分は、鼻マスク１６６０のエルボまたは他の導管コネクタの上方に位置することができる。インタフェース結合部分１６０２は、鼻ピロー／プロングマスク１６７０の本体の形状を補間するかまたはそれに対応するように構成することができる。インタフェース結合部分１６０２の中心部分は、鼻ピロー／プロングマスク１６７０のエルボまたは他の導管コネクタの上方に位置することができる。いくつかの構成では、インタフェース結合部分１６０２は、エルボまたは他の導管コネクタと鼻ピロー／プロングマスク１６７０のピロー／プロングとの間に位置することができる。
【０３９１】
図６０は、図３７〜図５３および図５７〜図５９のインタフェースアセンブリ等、本明細書に開示する他のインタフェースアセンブリに多くの点で類似するインタフェースアセンブリ１６８０を示す。図６０のインタフェースアセンブリ１６８０は、ヘッドギアアセンブリ１６００と、フルフェイスマスク１６５０または鼻マスクの形態のインタフェースとを備える。ヘッドギアアセンブリ１６００は、概して、ヘッドギア後方部分１６０４、長さまたは円周調整部分１６０６およびインタフェース結合部分１６０２を備える。図６０のヘッドギア１６００について、図３７〜図５３および図５７〜図５９のインタフェースアセンブリに対する相違に関して記載する。記載しない特徴または詳細は、図３７〜図５３、図５７〜図５９のインタフェースアセンブリ、本明細書に開示しているかまたは本出願人の出願ＰＣＴ／ＮＺ２０１４／００００７４号明細書に開示されている他のインタフェースアセンブリの対応する特徴または詳細と同じかもしくは同様であり得るか、または他の任意の好適な構成であり得る。
【０３９２】
図６０のヘッドギアアセンブリ１６００は、２保持面、平行ヘッドギアタイプとして述べるかまたは分類することができる。図示するヘッドギア後方部分１６０４は、頂部ストラップ１６０８、一対の上部ストラップ１６２４および一対の下部ストラップ１６２６を備える。ヘッドギア後方部分１６０４は、上部ストラップ１６２４と下部ストラップ１６２６との間に延在しかつそれらを結合する垂直に伸長した中間後方部分１６２８を備える。図示するインタフェース結合部分１６０２は、フルフェイスマスクまたは鼻マスクのシェル部分１６８２に対する支持フレーム１６３０の形態である。シェル部分１６８２およびエルボ１６８４または他の導管コネクタ（まとめて「エルボ」と呼ぶ）は、任意の好適な構成によって支持フレーム１６３０に直接または間接的に固定することができる。たとえば、シェル部分１６８２およびエルボ１６８４は、支持フレーム１６３０に（直接または間接的に）別個に結合することができ、シェル部分１６８２はフレーム１６３０に直接結合することができ、エルボ１６８４はシェル部分１６８２に結合することができ、またはエルボ１６８４はフレーム１６３０に直接結合することができ、シェル部分１６８２はエルボ１６８４に結合することができる。
【０３９３】
図示する構成では、インタフェース結合部分または支持フレームは、額当てまたはＴピース１６３２を画定する。円柱調整部分１６０６を備える調整要素１６１４の上方の対は、上部調整要素１６１４が使用者の眼の上方に配置されかつ使用者の耳の上方に延在するように、Ｔピース１６３２に結合することができる。円周調整部分１６０６を備える調整要素１６１４の下方の対は、下部調整要素１６１４が使用者の眼および耳の下方に配置されるように、支持フレーム１６３０の下方部分に（直接、またはシェル等の別の部材を通して）結合することができる。上部調整要素１６１４に対する（たとえば、収集チューブまたはチャネルによって画定された）収集空間１６２２は、湾曲し、エルボに向かってＴピース１６３２に沿って下方に延在することができる。上部方向性ロック１６１６は、Ｔピース１６３２によって支持することができる。下部方向性ロック１６１６は、支持フレーム１６３０の下方部分によって（直接または間接的に）支持することができる。
【０３９４】
図６０のヘッドギアアセンブリまたはインタフェースアセンブリ１６８０によって提供される微調整能力は、Ｔピース構成において特に有利であり、それは、特に敏感な領域であり得る使用者の鼻の鼻梁の周囲のフィットのわずかな調整を、迅速にかつ容易に達成することができるためである。ヘッドギア後方部分１６０４とインタフェース結合部分１６０２またはインタフェースとの間の各接続について、自動調整構成として示すが、いくつかの構成では、自動調整構成および手動調整構成の組合せを使用することができる。たとえば、（たとえば、Ｔピース１６３２に対する）上部接続部は、手動で調整可能とすることができ（フック・ループ締結ストラップ等）、下部接続部は自動的に調整可能とすることができる。こうした構成により、下部接続部がヘッドギアアセンブリまたはインタフェースアセンブリ１６００を着用し取り外す（「外す（ｄｏｆｆ）」）ために必要な伸長のすべてを提供する状態で、上部接続部を、複数のフィッティングサイクルを通して適所に設定し維持することができる。こうした構成により、たとえば、より低いプライスポイントで自動調整の利点のうちのいくつかを提供することができる。下部手動調整および上部自動調整、または一方の側の手動調整および反対側の自動調整等、他の好適な組合せも使用することができる。
【０３９５】
図６１は、図３７〜図５３、図５７〜図５９および図６０のインタフェースアセンブリ等、本明細書に開示する他のインタフェースアセンブリと多くの点で類似するインタフェースアセンブリ１６８０を示す。図６１のヘッドギア１６００については、図３７〜図５３、図５７〜図５９および図６０のインタフェースアセンブリに対する相違に関して記載する。記載していない特徴または詳細は、図３７〜図５３、図５７〜図５９および図６０のインタフェースアセンブリ、本明細書に開示しているかまたは本出願人の出願ＰＣＴ／ＮＺ２０１４／００００７４号明細書に開示されている他のインタフェースアセンブリの対応する特徴または詳細と同じかもしくは同様であり得るか、または他の任意の好適な構成であり得る。
【０３９６】
図６１のインタフェースアセンブリ１６８０は、ヘッドギアアセンブリ１６００とフルフェイスマスク１６５０または鼻マスクの形態であるインタフェースとを備える。ヘッドギアアセンブリは、概して、ヘッドギア後方部分１６０４、長さまたは円周調整部分１６０６およびインタフェース結合部分１６０２を備える。しかしながら、図６０のインタフェースアセンブリとは異なり、図６１のインタフェースアセンブリ１６８０は、額当てまたはＴピース１６３２を含まない。その結果、調整要素１６１４の上方の対の各々は、図６０のインタフェースアセンブリ１６８０に対して下方の位置で、インタフェース結合部分１６０２またはインタフェースに接続する。たとえば、上部調整要素１６１４は、概して、使用者の頬に沿ってかつ眼の下方を通過することができる。
【０３９７】
図６１のヘッドギアアセンブリ１６００は、２保持面、分離／角度ヘッドギアタイプとして述べるかまたは特徴付けることができる。上部調整要素１６１４および下部調整要素１６１４は、マスク１６５０において互いから間隔を空けて配置されて、間隔が空けられた垂直位置においてマスク１６５０に保持力を与え、それにより、マスク１６５０に安定性を与えることができる。マスク１６５０にヘッドギアアセンブリ１６００を別個のインタフェース結合部分１６０２によって結合することができ、インタフェース結合部分１６０２の各々は、図５７〜図６０に関連して記載したインタフェース結合部分１６０２と実質的に同様であり得る。インタフェース結合部分１６０２の一方は、マスク１６５０の下方部分（たとえば、下半分）に位置することができ、インタフェース結合部分１６０２の他方は、マスク１６５０の上方部分（たとえば、上半分）に位置することができる。下部インタフェース結合部１６０２は、エルボまたは他の導管コネクタの上方を通過することができる。いくつかの構成では、上部インタフェース結合部分１６０２および下部インタフェース結合部分１６０２を互いに結合するかまたは互いに一体化することができる。たとえば、ブリッジ部分が、上部インタフェース結合部分１６０２と下部インタフェース結合部分１６０２との間に延在しかつそれらを接続することができる。ブリッジ部分は、インタフェース結合部分の一方または両方から別個であるかまたは一体的であり得る。
【０３９８】
図６２は、図３７〜図５３、図５７〜図５９、図６０および図６１のインタフェースアセンブリ等、本明細書に開示する他のインタフェースアセンブリと多くの点で類似するインタフェースアセンブリ１６８０を示す。図６２のヘッドギア１６００については、図３７〜図５３、図５７〜図５９、図６０および図６１のインタフェースアセンブリに対する相違に関して記載する。記載していない特徴または詳細は、図３７〜図５３、図５７〜図５９、図６０および図６１のインタフェースアセンブリ、本明細書に開示しているかまたは本出願人の出願ＰＣＴ／ＮＺ２０１４／００００７４号明細書に開示されている他のインタフェースアセンブリの対応する特徴または詳細と同じかもしくは同様であり得るか、または他の任意の好適な構成であり得る。
【０３９９】
図６２のインタフェースアセンブリ１６８０は、ヘッドギアアセンブリ１６００と、たとえばフルフェイスマスク１６５０または鼻マスクの形態であるインタフェースとを備える。ヘッドギアアセンブリ１６００は、概して、ヘッドギア後方部分１６０４、長さまたは円周調整部分１６０６およびインタフェース結合部分１６０２を備える。しかしながら、図６０および図６１のインタフェースアセンブリ１６８０とは異なり、たとえば、図６２のインタフェースアセンブリ１６８０のインタフェース結合部分１６０２は、インタフェースアセンブリ１６８０またはヘッドギアアセンブリ１６００の反対側の調整要素の間に延在していない。代わりに、インタフェース結合部分１６０２は、インタフェースアセンブリ１６８０またはヘッドギアアセンブリ１６００の同じ側の調整要素１６１４を結合する。すなわち、インタフェース結合部分１６０２の対の各々は、インタフェースアセンブリ１６８０またはヘッドギアアセンブリ１６００の一方の側の上部調整要素１６１４および下部調整要素１６１４を互いに結合する。
【０４００】
図示する構成では、インタフェース結合部分１６０２は、概してＵ字型部材であり、上部調整要素１６１４に結合された上端部１６３４と、下部調整要素１６１４に結合された下端部１６３６とを有している。インタフェース結合部分１６０２の湾曲部分が、上端部１６３４と下端部１６３６との間に延在している。上部調整要素１６１４および下部調整要素１６１４に対する方向性ロック１６１６は、それぞれの上端部１６３４および下端部１６３６によって支持することができる。（たとえば、収集チューブまたは他のチャネルによって画定される）収集空間１６２２は、インタフェース結合部分１６０２の中心湾曲本体部分に沿って湾曲することができ、いくつかの構成では互いに重なる場合がある。
【０４０１】
図６２の構成では、ヘッドギアアセンブリ１６００自体は、閉鎖外周部全体を画定しない場合がある。むしろ、インタフェース１６５０は、閉鎖外周部の一部、したがって、インタフェースアセンブリ１６８０の円周または周囲長の一部を形成することができる。有利には、こうした構成により、インタフェースアセンブリ１６８０は、任意選択的に、インタフェースアセンブリ１６８０を着用するかまたは外すために閉鎖外周部を迅速にかつ容易に開放するように構成することができる。すなわち、インタフェース結合部分１６０２の一方（または両方）を、（１つまたは複数のクリップ等により）インタフェース１６５０に取外し可能に取り付けることができ、それにより、インタフェース結合部分１６０２の一方（または両方）を分離することができ、閉鎖外周部を開放することができる。いくつかの構成では、インタフェースアセンブリの一方の側にのみ、自動調整機構を設けることができる。同様に、本明細書に開示するかまたは本出願人の出願ＰＣＴ／ＮＺ２０１４／００００７４号明細書に開示されている他のインタフェースアセンブリまたはヘッドギアアセンブリは、一方の側にのみ自動調整機構を設けることができる片側または非対称構成であり得る。
【０４０２】
図６３〜図６５は、図６２のインタフェースアセンブリ１６８０を着用する一連の別個の位置またはステップを示す。図６３は、使用者が、インタフェース結合部分１６０２を頭部の一方の側に取り付けてインタフェースを配置し、頭部の後部の周囲でインタフェースアセンブリ１６００をループにし、分離されたインタフェース結合部分１６０２を顔面に向かって引っ張っている状態を示す。図６４において、インタフェースは顔面の適切な位置に向けられ、分離されたインタフェース結合部分１６０２はインタフェース１６８０に向けられる。図６５は、使用者の顔面の適所にあるインタフェース１６８０と、使用者が、緩んだまたは分離したインタフェース結合部分１６０２を再接続して外周部ループを閉鎖している状態を示す。図６４と図６５との間の移動の一部またはすべてが、上述したように、方向性ロックの降伏力に打ち勝つことが必要である可能性がある。インタフェースアセンブリ１６８０を取り外すかまたは外すためには、手順を逆に行うことができる。
【０４０３】
図６６および図６７は、それぞれ、第１位置（たとえば、最小周囲長）および第２位置（たとえば、最大周囲長）にある自動調整可能インタフェースアセンブリまたはヘッドギアアセンブリ１７００の外周部を示す。本明細書に開示したインタフェースアセンブリおよびヘッドギアアセンブリに関して記載したように、外周部は、ヘッドギア後方部分１７０４によって画定される長さＬrearを含むことができる。いくつかの構成では、Ｌrearはゼロであり得る。言い換えれば、固定長ヘッドギア後方部分１７０４を省くことができ、長さ調整部分または弾性構成要素によって後方セクションを形成することができる。さらに、図示する外周部の複数の部分のうちの１つまたは複数を代替的な位置に配置することができ、または複数の部分に分割することができる。
【０４０４】
外周部はまた、円周または長さ調整部分１７０６によって画定された長さＬelasticも含むことができ、それは、図示する構成では、一対の弾性または調整可能要素１７１４によって画定される。しかしながら、他の構成では、他の好適な構成もあるが特に、１つの弾性もしくは調整可能要素１７１４、または３つ以上の弾性もしくは調整可能要素１７１４によって、円周または長さ調整部分７０６を画定することができる。上述したように、いくつかの構成では、長さＬrearを画定するヘッドギア後方部分１７０４を省くことができ、長さ調整部分１７０６は、インタフェース結合部分１７０２の一端からインタフェース結合部分１７０２の他端まで外周部分全体を通して延在することができる。図６６および図６７では、Ｌelastic長さには、最小長さＬminおよび最大長さＬmaxそれぞれの相対位置指標が標識されている。
【０４０５】
外周部は、収集部長さＬcollectorを更に含むことができ、それは、方向性ロック機構のコア要素の余分な部分を受け入れる収集空間１７２２の個々のまたは全体的な利用可能な長さを表すことができる。上述したように、収集部空間１７２２は、必ずしも、一方の調整可能要素１７１４から他方の調整可能要素１７１４まで延在しておらず、それにより、周囲長の物理的なセクションを画定する。たとえば、図６２のインタフェースアセンブリ１６８０では、収集部空間１６２２は、対向する調整可能要素１６１４の間に延在していない。したがって、物理的な意味で、インタフェース結合部分１６０２、インタフェース１６５０または他の構造は、周囲長の一部を画定することができる。しかしながら、概念的な意味では、弾性長さＬelastic(最小長さＬminおよび最大長さＬmax）は、６６および図６７の外周部の長さ調整可能部分を画定し、残りの部分（ヘッドギア後方部分長さＬrearおよび収集部長さＬcollector）は固定長である。
【０４０６】
図示する構成では、周囲長は、ヘッドギア後方部分長さＬrearと、収集部長さＬcollectorと、図示する構成では、２つの等しい長さ調整要素１７１４が設けられているためＬelasticの２倍である、総弾性長さＬelasticとの和を含むかまたはそれによって画定することができる。任意の時点におけるまたはインタフェースもしくはヘッドギアアセンブリ１７００の任意の特定の位置に対する総弾性長さＬelasticは、最大長さＬmaxと最小長さＬminとの間に等しいかまたはその間のいずれかである。本明細書に記載したように、各コア部材の長さＬcoreは、好ましくは、各調整要素の最大長さＬmax以上であり、したがって、総コア部材長さＬcoreは、好ましくは、総最大長さＬmax以上であり、それにより、方向性ロック要素を通してコア部材を完全に引っ張ることなく、ヘッドギアアセンブリをその最大周囲長まで伸張させることができる。言い換えれば、ヘッドギアアセンブリがその最大周囲長まで伸張すると、コア部材の一部に対して、方向性ロック要素が係合することができることが好ましい。
【０４０７】
さらに、収集部長さＬcollectorは、ヘッドギアアセンブリの最大周囲長および最小周囲長でコア部材の総余分または未利用部分を収容するのに十分であることが好ましい。したがって、少なくともいくつかの構成では、個々のまたは総コア長さＬcoreは、個々のまたは総最大長さＬmaxに個々のまたは総収集部長さＬcollectorを足した値以下である。少なくともいくつかの構成では、個々のまたは総コア長さＬcoreは、個々のまたは総最小長さＬmaxに個々のまたは総収集部長さＬcollectorを足した値以下である。いくつかの構成では、個々のまたは総最大長さＬmaxは、個々のまたは総最大長さＬmaxに個々のまたは総収集部長さＬcollectorを足した値未満である個々のまたは総コア長さＬcore以下である。方向性ロック機構の長さは、外周部内に具体的に示されていないが、ヘッドギア後方部分の長さＬrear、弾性長さＬelasticまたは収集部長さＬcollectorのうちの任意のものの一部を形成するものとみなすことができる。いずれの場合も、方向性ロック機構の長さは、コアの最小長さＬcoreを求める際に考慮することができる。
【０４０８】
少なくともいくつかの構成では、個々のまたは総コア長さＬcoreは、個々のまたは総弾性長さＬelasticと収集部長さＬcollectorとの和より大きい場合がある。少なくともいくつかの構成では、個々のまたは総コア長さＬcoreは、個々のまたは総最大長さＬmaxとヘッドギア後方部分長さＬrearとの間である場合があり、または、個々のまたは総最大長さＬmaxおよびヘッドギア後方部分長さＬrearのうちのいずれか一方に等しい場合がある。
【０４０９】
図６６および図６７の外周部は、インタフェースアセンブリまたはヘッドギアアセンブリの実際の外周部を表すことができる。すなわち、図６６および図６７の外周部は、単一保持面インタフェースもしくはヘッドギアアセンブリの物理的構造、または複数保持面インタフェースもしくはヘッドギアアセンブリにおける１つの保持面の物理的構造を表すことができる。しかしながら、記載したように、図６６および図６７の外周部は、概念的な意味では他のインタフェースまたはヘッドギアタイプを表すことができる。図示する外周部は、たとえばかつ限定なしに、複数保持面ヘッドギアタイプの単一保持面（たとえば、上部保持面または下部保持面）を表すことができ、または、複数保持面ヘッドギアタイプの２つ以上の保持面の平均を表すことができる。
【０４１０】
図６８Ａ〜図６８Ｄは、ハウジング１８１０と、第１ロック要素および第２ロック要素（たとえば、ワッシャ１８２０、１８２２）と、コア部材１８３０とを備える方向性ロックの実施形態を示す。ハウジングは、第１チャンバ１８４０および第２チャンバ１８４２を備え、第１チャンバ１８４０および第２チャンバ１８４２は、それぞれ、第１ロックワッシャ１８２０および第２ロックワッシャ１８２２を収容するように構成されている。図示する構成では、第１チャンバ１８４０および第２チャンバ１８４２は、ハウジング１８１０の内壁１８１２によって分離されている。しかしながら、他の構成では、第１チャンバ１８４０および第２チャンバ１８４２は、必ずしも物理的に別個の空間ではなく、１つのチャンバの一部であり得る。ハウジング１８１０は、２つの端壁１８１４を有し、それらは、内壁１８１２とともに、コア部材１８３０が通過するための細長いコア開口部１８６０を有している。コア開口部１８６０は、互いに実質的に位置合せされている。図の右側に示す端壁１８１４のコア開口部１８６０は、図の左側に示す内壁１８１２および端壁１８１４のコア開口部より大きい。これにより、ハウジング１８１０を通してコア部材１８３０の経路を操作することができる。第１チャンバ１８４０および第２チャンバ１８４２は、各々、内壁１８１２と、端壁１８１４のうちの１つと、一対の側壁１８１６とによって境界が定められ、側壁１８１６は、ハウジング１８１０の端壁１８１４の間に延在している。第１チャンバ１８４０および第２チャンバ１８４２は、ハウジング１８１０の頂部および底部の一方または両方において開放しているように構成されている。
【０４１１】
第１チャンバ１８４０および第２チャンバ１８４２の各々は、ハウジング１８１０の対向する側壁１８１６に位置合せされる一対のワッシャリテーナ１８５０を有する。ワッシャリテーナ１８５０の各対は、第１ロックワッシャ１８２０または第２ロックワッシャ１８２２のうちの一方を、それぞれの第１チャンバ１８４０または第２チャンバ１８４２内で枢動可能に保持するように構成されている。ワッシャリテーナは、円形ブッシュ１８５２および細長いスロット１８５４を備え、円形ブッシュ１８５２は、ハウジングの底部と交差して入口が形成されるようにする。入口は、第１ロックワッシャ１８２０および／または第２ロックワッシャ１８２２がワッシャリテーナ１８５０内に受け入れられるのを可能にするように構成されている。スロット１８５４は、円形ブッシュ１８５２からハウジング１８１０の頂部に向かって半径方向に延在している。
【０４１２】
第１ワッシャ１８２０および第２ワッシャ１８２２は、円筒状シャフト１８２４とシャフト１８２４から延在するアーム１８２６とを備える。円筒状シャフト１８２４は、ハウジング１８１０と実質的に同じ幅Ｗであり、アーム１８２６は、第１チャンバ１８４０および第２チャンバ１８４２内に適合するように細くなっている。図示する構成では、アーム１８２６は、第１セクション１８７２および第２セクション１８７４を備え、第１セクション１８７２は、円筒状シャフト１８２４から半径方向にまたは垂直に延在し、第２セクション１８７４は、第１セクション１８７２の端部から鈍角で延在している。第１ワッシャ１８２０のアーム１８２６の第１セクション１８７２は、第２ワッシャ１８２２のアーム１８２６の第１セクション１８７２より短い。第１ワッシャ１８２０のアーム１８２６の第１セクション１８７２と第２セクション１８７４との間の角度は、第２ワッシャ１８２２の対応する角度より大きい。角度は、第１ワッシャ１８２０および第２ワッシャ１８２２の一方または両方の第２セクション１８７４が、ワッシャ１８２０、１８２２の１つの位置においてハウジング１８１０の対応する壁（たとえば、それぞれ内壁１８１２および端壁１８１４）に対して実質的に平坦に位置するように選択することができる。アーム１８２６の第２セクション１８７４は、コア部材１８３０を受け入れるように構成された中心に位置する円形アパーチャ１８７６を備える。第１チャンバ１８４０および第２チャンバ１８４２は、内部に収容されるワッシャのサイズに従ってサイズが異なり、すなわち、第１ワッシャ１８２０が第２ワッシャ１８２２より小さいため、第１チャンバ１８４０は第２チャンバ１８４２より小さい。
【０４１３】
第１ロックワッシャ１８２０および第２ロックワッシャ１８２２の円筒状シャフト１８２４は、ワッシャリテーナ１８５０の円形ブッシュ１８５２の直径と実質的に同じ直径を有し、スナップフィット構成で円形ブッシュ１８５２によって受け入れられかつ保持されるように構成されている。スナップフィット構成は、円形ブッシュ１８５２の入口が円筒状シャフト１８２４の直径より狭いことによって提供される。ワッシャリテーナ１８５０のスロット１８５４は、入口が開放するように撓んで、第１ロックワッシャ１８２０および第２ロックワッシャ１８２２が入口に押し通されてハウジング１８１０と組み付けられることができるのをより容易にすることができるように構成されている。ハウジング１８１０の第１チャンバ１８４０および第２チャンバ１８４２内に組み付けられると、第１ワッシャ１８２０および第２ワッシャ１８２２は、円筒状シャフト１８２４を通って伸びる中心軸を中心に前後に枢動することができる。
【０４１４】
コア部材１８３０は、ハウジング１８１０のコア開口部１８６０と第１ワッシャ１８２０および第２ワッシャ１８２２のアパーチャ１８７６とを通過するように構成されている。コア部材１８３０に張力を加えることにより、第１ロックワッシャ１８２０および第２ロックワッシャ１８２２は、ロック位置および／または開放位置の間で後方にかつ／または前方に枢動する。図６８Ａおよび図６８Ｂは、（矢印によって示すように）図の左側に向かう方向においてコア部材１８３０に力が加えられるロック形態にある方向性ロックを示す。この形態においてコア部材１８３０に加えられる力により、第１ロックワッシャ１８２０および第２ロックワッシャ１８２２は、左回り方向に枢動し、それにより、方向性ロック１８００を通るコア部材１８３０の通路は非線形であるか曲がりくねり、コア部材１８３０の移動が制限される。図６８Ｃ及び図６８Ｄは、（矢印によって示すように）図の右側に向かう方向においてコア部材１８３０に力が加えられている開放形態にある方向性ロックを示す。この形態では、第１ロックワッシャ１８２０および第２ロックワッシャ１８２２は、右回り方向に枢動し、それにより、円形アパーチャ１８７６およびコア開口部１８６０が実質的に直線で位置合わせされる。これにより、コア部材１８３０が方向性ロック１８００を通って実質的に自由に引っ張られる平滑な通路が提供される。方向性ロック１８００の動作のさらなる詳細については、上述し、かつ本出願人の出願ＰＣＴ／ＮＺ２０１４／００００７４号明細書に記載されている。
【０４１５】
図６９Ａおよび図６９Ｂは、ハウジング１８１０ならびに第１ロックワッシャ１８２０および第２ロックワッシャ１８２２の限定しない例示的な実施形態を示す。第１ロックワッシャ１８２０および第２ロックワッシャ１８２２は、本技術分野において既知であるように、それらがランナおよびゲートシステム１９００によって接続される、単一構成要素として成形されるように構成されている。ランナおよびゲートシステムは、第１ロックワッシャ１８２０および第２ロックワッシャ１８２２に対する組立補助として使用されるように構成されており、そこでは、第１ワッシャ１８２０および第２ワッシャ１８２２をハウジング１８１０のワッシャリテーナ１８５０と位置合わせするために、人または機械がランナおよびゲートシステム１９００を把持することができる。ゲートおよびランナシステム１９００を通してロックワッシャ１８２０、１８２２に（矢印によって示すような）力を加えて、ハウジング１８１０とロックワッシャ１８２０、１８２２との間の相対移動をもたらすことができる。こうした相対移動を利用して、第１ロックワッシャ１８２０および第２ロックワッシャ１８２２をハウジング１８１０に係合させることができ、それにより、ロックワッシャ１８２０、１８２２の円筒状シャフト１８２４は、ワッシャリテーナ１８５０の円形ブッシュ１８５２内にスナップフィットされる。
【０４１６】
図６９Ｂに示すように、第１ロックワッシャ１８２０および第２ロックワッシャ１８２２がハウジング１８１０内で組み付けられると、ゲートおよびランナシステム１９００をロックワッシャ１８２０、１８２２から分離するかまたは切り離すことができる。組付け力が加えられる方向（図６９における矢印）に対して実質的に垂直な方向において、ゲートおよびランナシステム１９００に（矢印によって示す）力を加えて、ロックワッシャ１８２０、１８２２からゲートおよびランナシステム１９００を取り外すことができる。ゲートおよびランナシステム１９００が取り外されるとき、ロックワッシャ１８２０、１８２２は、ハウジング１８１０と組み立てられたままである。ゲートおよびランナシステム１９００のゲート１９１０は、ロックワッシャ１８２０、１８２２の円筒状シャフト１８２４に対して可能な限り近接して破断させる脆弱点を有するように設計することができ、それにより、ロックワッシャ１８２０、１８２２の枢動の範囲は、余分なゲート材料によって制限されない。
【０４１７】
図７０Ａ及び図７０Ｂは、単一のゲートおよびランナシステム１９００の上に第１ロックワッシャ１８２０および第２ロックワッシャ１８２２の複数の組が成形されている実施形態を示す。この構成により、複数の方向性ロック１８２０、１８２２を一度にまたは逐次組み立てることができ、したがって、製造効率が向上する。ロックワッシャ１８２０、１８２２の組をハウジング１８１０に組み付けるために、第１ワッシャ１８２０および第２ワッシャ１８２２をハウジング１８１０の各々のワッシャリテーナ１８５０と位置合わせするために、人または機械がランナおよびゲートシステム１９００を把持することができる。ゲートおよびランナシステム１９００を通して（矢印によって示すような）力を加えて、第１ロックワッシャ１８２０および第２ロックワッシャ１８２２の組をハウジング１８１０に係合させることができ、それにより、ロックワッシャ１８２０、１８２２の円筒状シャフト１８２４は、ワッシャリテーナ１８５０の円形ブッシュ１８５２内にスナップフィットする。
【０４１８】
図７１は、第１ロックワッシャ１８２０および第２ロックワッシャ１８２２を方向性ロック１８００のハウジング１８１０に組み付ける限定しない例示的な構成を示す。この構成は、ロックワッシャ１８２０、１８２２を位置合わせしかつそれらに組付け力を加えるために使用される、グリップタブ１９３０等のグリップ部分または要素を含む。グリップタブ１９３０は、ロックワッシャ１８２０、１８２２とゲートおよびランナシステム１９００との間に形成され、人または機械が容易に把持するように特に構成された形状を有することができる。いくつかの構成では、ゲートおよびランナシステム１９００は、成形プロセス中にグリップタブ１９３０から取り除かれるように構成されている。この構成の変形（図示せず）では、単一グリップタブ１９３０によって第１ロックワッシャ１８２０および第２ロックワッシャ１８２２の複数の対を接続することができ、単一グリップタブ１９３０は、単一動作で方向性ロックを組み立てるために使用される。
【０４１９】
図７２は、方向ロックの限定しない例示的な実施形態を示す。この実施形態では、ワッシャリテーナ１８５０は、対向する配置で位置決めされており、そこでは、第１ワッシャリテーナ１８５０は、ハウジングの頂部から下方に延在し、第２ワッシャリテーナ１８５０は、ハウジングの底部から上方に延在している。第１ロックワッシャ１８２０および第２ロックワッシャ１８２２は、反対方向においてハウジング１８１０に組み付けられる。たとえば、ロックワッシャ１８２０、１８２２のハウジング１８１０への組付けに役立つように、図６９ａ〜図７１の実施形態に関連して記載したようなグリップタブ１９３０またはゲートおよびランナシステム１９００を用いることができる。
【０４２０】
図７３〜図８０は、インタフェースを野球帽のように着用し外すことができるように構成されたヘッドギア装置を備えたインタフェースを示す。好ましくは、ヘッドギア装置は、使用者の耳の下方を通過するストラップを含まない。したがって、こうしたヘッドギア装置を備えたインタフェースは、インタフェースを使用者の頭部の上に上方から通すことによって取り付けるかまたは着用することができる。ヘッドギア装置を使用者の頭部の後方に配置することができ、その後、インタフェース機構を下方に回転させ、インタフェースを使用者の顔面に配置することができ、またはその逆も可能である。ヘッドギア装置は、使用者の耳の前方に、インタフェースに方向または間接的に接続するための取付位置を提供することができる部分を含むことができる。いくつかの構成では、ヘッドギア装置の後方部分は、比較的剛性がある（たとえば、使用者の上に載っているときに開放形状を維持するため）かつ／または比較的伸張不能である。
【０４２１】
図７３は、額支持部のないフルフェイスマスク２１００と組み合わせて使用されるように構成されたヘッドギアシステム２０００に対する代替構成を示す。しかしながら、ヘッドギアシステム２０００またはその一部はまた、望ましい場合は、額支持部を有するインタフェースを含む他のタイプのインタフェースと組み合わせて使用することも可能である。フルフェイスマスク２１００は、使用者の鼻および口の周囲を封止するように構成され、鼻梁、頬および下唇または顎先領域と接触する。ヘッドギアシステム２０００は、ヘッドギア後方部分２０１０、上部保持面２０２０および下部保持面２０３０を備える。
【０４２２】
好ましくは、ヘッドギア後方部分２０１０は、使用者の頭部と係合し、インタフェース結合部分２０４０および円周調整部分（たとえば、方向性ロックモジュール２０６０）を利用する等、インタフェースの接続のための比較的安定したプラットフォームを提供する。したがって、少なくともいくつかの構成では、ヘッドギア後方部分２０１０は実質的に非弾性であり、それにより、意図された用途に対して典型的であるかまたは予測される範囲内の加えられる力に応じて、その形状および有効長を維持する。いくつかの構成では、ヘッドギア後方部分２０１０は、布材料の１つまたは複数の層に結合された、プラスチック材料等の比較的剛性材料から構成された層を備えることができる。好ましくは、布層は、少なくとも剛性材料層の使用者と接触する面に設けられる。いくつかの構成では、剛性材料層の各側に布層が設けられる。さらに、いくつかの構成では、金型内の２つの材料層の間の空間内に剛性材料を射出成形することによる等、材料層の間に剛性材料層を形成することができる。こうしたヘッドギアおよびこうしたヘッドギアを製造する方法の例は、本出願人の米国仮特許出願第６２／０５０，９２５号明細書に開示されており、その全体が参照により本明細書に組み込まれる。
【０４２３】
ヘッドギア後方部分２０１０は、使用者の耳の正面に延在するアーム２０１２を備える。アーム２０１２は、１つまたは複数の方向性ロックモジュール２０６０を接続することができる一連の場所を提供するように構成された複数の垂直に間隔を空けて配置されたコネクタ２０１４を備える。フルフェイスマスクは、先の実施形態のダイレクトネーザルマスクより概して大きくかつ重量がある。この結果、フルフェイスマスクは、使用者の顔面との実質的気密シールを達成するために望ましいかまたは必要なレベルの安定性を提供するために２つ以上の保持面が必要である可能性がある。
【０４２４】
２つの保持面２０２０、２０３０は、フルフェイスマスク２１００の側部または場合によっては前方の単一点に向かって収束し、それらは、交差する場合もあれば交差しない場合もある。保持面２０２０、２０３０は、互いに垂直に間隔を空けて配置することができ、それにより、それらは、マスクと接触する箇所より、ヘッドギアに接続する箇所においてより間隔を空けて配置される。これにより、インタフェースに対してある程度の安定性が与えられる。たとえば、上部保持面２０２０は、使用者の耳の頂部から鼻の下側を通るかまたはその上方を通過することができ、下部保持面２０３０は、使用者の耳の底部から口の近くまたは下方まで通過することができる。
【０４２５】
２つの保持面２０２０、２０３０の各々は、２つの方向性ロックモジュール２０６０によって提供することができ、ヘッドギアシステム２０００の各側部に１つの方向性ロックモジュール２０６０が位置する。方向性ロックモジュール２０６０は、各々、方向性ロック２０６２および弾性部分２０６４を備え、弾性部分２０６４は、一端は方向性ロック２０６２に接続され他端は複数のコネクタ２０１４のうちの１つに接続される。保持面２０２０、２０３０の角度は、弾性部分２０６４の端部をヘッドギアアーム２０１２の異なるコネクタ２０１４に接続することによって調整することができる。図示するフルフェイスマスク２１００は、額当てまたは「Ｔピース」を含まない。しかしながら、いくつかの構成では、Ｔピースを設けることができる。望ましい場合は、さらなるヘッドギア要素またはストラップがヘッドギアの後方部分をマスクのＴピースに結合することができる。
【０４２６】
図７４は、ヘッドギア後方部分２０１０と、フルフェイスマスク２１００を使用者の顔面に固定するように構成された２つの保持面２０２０、２０３０とを備える、ヘッドギアシステム装置２０００を示す。この構成では、フルフェイスマスク２１００は、使用者の鼻の下側および使用者の口の周囲で封止するように構成されており、それにより、鼻梁にマスク２１００が接触しない。先の実施形態に対する異なる封止場所により、マスクに対して最適なまたは望ましい方向に力を加えるために、保持面２０２０、２０３０の角度が異なる必要があり、または少なくとも望ましくなる。図７４において、２つの保持面２０２０、２０３０は、垂直に間隔が空けられ、ヘッドギア後方部分２０１０のアーム２０１２に取り付けられ、それにより、互いに実質的に平行である上部保持面２０２０および下部保持面２０３０があるように示されている。上部保持面２０２０は、先の実施形態の上部保持面２０２０より水平であり、使用者の顔面でより低く位置する。保持面２０２０、２０３０の角度は、図７３の実施形態に示すもの等、複数のコネクタ２０１４を介して調整可能であり得る。
【０４２７】
保持面２０２０、２０３０の各々は、方向性ロックモジュール２０６０を備えるように示されており、方向性ロックモジュール２０６０は、弾性部分２０６４および方向性ロック２０６２をさらに備える。この構成の変形では、各方向性ロックモジュール２０６０は、２つ以上の方向性ロック２０６２を備えることができる。
【０４２８】
図７５は、鼻マスク２１１０と組み合わせた図７３のヘッドギアシステム２０００を示す。鼻マスク２１１０は、使用者の鼻の周囲を封止し、鼻梁、頬および上唇と接触するように構成されている。使用者の顔面に取り付けられるときにマスク２１１０に対して適切な安定性を与えるために、２つの保持面２０２０、２０３０が望ましいかまたは場合によっては必要である。
【０４２９】
図７６は、ヘッドギア後方部分２０１０と、鼻マスク２１１０を使用者の顔面に固定するように構成された２つの保持面２０２０、２０３０とを備えたヘッドギアシステム２０００の限定しない例示的な実施形態を示す。ヘッドギア後方部分２０１０は、使用者の耳の正面で下方に延在するアームを有する、一体的に形成された布カバーを備えた成形プラスチック構造２０１６を備える。上部保持面２０２０および下部保持面２０３０は、ヘッドギアの各側部における方向性ロックモジュール２０６０によって提供される。上部保持面２０２０は、アーム２０１２の頂部から使用者の鼻の先端のすぐ上の場所まで延在する。下部保持面２０３０は、アーム２０１２の底部からおよそ使用者の鼻の下側である位置まで延在する。図示する構成では、方向性ロックモジュール２０６０は、編組弾性部分、コアフィラメント（図示せず）および方向性ロックを備え、編組弾性部分およびコアフィラメントは、ヘッドギアのアーム２０１２および方向性ロック２０６０に、オーバモールド接続部によって永久的に接合される。保持面２０２０、２０３０の角度は、オーバモールド接続部２０１６によって固定される。
【０４３０】
図７７〜図７９は、本明細書で開示されている主題によるヘッドギアシステム２２００の図を示す。ヘッドギアシステム２２００は、閉ループであり、ヘッドギア２２１０、２つの上部方向性ロックモジュール２２２０、２つの下部方向性ロックモジュール２２３０およびハウジング２２４０を備える。ヘッドギア後方部分２２５０は、一体的に形成された布カバーを備える二又成形プラスチック構造と、使用時に使用者の耳の正面で下方に延在するように構成された一対のアーム２２５２とを備える。
【０４３１】
上部方向性ロックモジュール２２２０および下部方向性ロックモジュール２２３０は、弾性部分２２２２、コアフィラメント（図示せず）および方向性ロック２２２４を備える。コアフィラメントは、弾性部分２２２２の長さを部分的にまたは全体を通して、かつ方向性ロック２２２４を通して延在するように構成されている。方向性ロック２２２４は、コアフィラメントと相互作用して、方向性ロックモジュール２２２０、２２３０の長さを自動的に調整することができるように構成されている。コアフィラメントおよび弾性部分２２２２は、オーバモールド接続部２２６０によってヘッドギア２２１０のアーム２２５２に永久的に接合され、上部方向性ロックモジュール２２２０はアーム２２５２の上方領域に接合され、下部方向性ロックモジュール２２３０はアーム２２５２の下方領域に接合される。弾性部分２２２２は、オーバモールド接続部２２６０によって方向性ロック２２２０、２２３０に永久的に接合される。方向性ロック２２２０、２２３０は、ハウジング２２４０内に収容される。２つの上部方向性ロックモジュール２２２０が上部保持面を形成し、２つの下部方向性ロックモジュール２２３０が下部保持面を形成し、それらは、図７６におけるものと実質的に同じである。
【０４３２】
ハウジング２２４０は、４つの方向性ロックブラケット２２４２と、上部導管２２４４と、下部導管２２４６と、それらの間に形成された中心開口部２２４８とを有する実質的剛性体を備える。２つの方向性ロックブラケット２２４２が、ハウジング２２４０の側端部の各々において、上下に配置されている。方向性ロックブラケット２２４２は、方向性ロック２２２４を保持するように構成されている。上部導管２２４４は、２つの上部ロックブラケット２２４２の間を横方向に延在し、下部導管２２４６は、下部ロックブラケット２２４２の間を横方向に延在している。上部導管２２４４および下部導管２２４６は、コアフィラメントの自由端を収容するように構成されている。上部導管２２４４と下部導管２２４６との間に形成される中心開口部２２４８は、鼻マスク装置を受け入れるように構成されている。
【０４３３】
図８０は、図７９のヘッドギアアセンブリを、それと組み立てられるように構成された鼻マスク装置２２７０とともに示す。鼻マスク装置２２７０は、フレームアセンブリ２２８０およびクッションモジュール２２９０を備える。フレームアセンブリ２２８０は、フレーム２２８２、エルボ２２８４およびチューブコネクタ２２８６を含む。フレーム２２８２およびエルボ２２８４は、ボール・ソケット接続によって互いに接合されるように構成されており、フレーム２２８２がソケット２４１０を含み、エルボ２２８４がボール２４００を含む。フレーム２２８２は、ヘッドギアシステム２２００のハウジング２２４０と繰り返し取外し可能なスナップフィット接続を提供する形状を備えたナイロン構成要素を備える。いくつかの構成では、エルボは、ポリカーボネート等、フレーム２２８２とは異なる材料から作製され、それにより、組み立てられたときに２つの部品は互いに貼り付かない。これにより、そのエルボがフレーム２２８２に対して移動することができる自由度を向上させることができ、ホースの引きずりを低減させることができる。他の材料の組合せも使用することができることが考えられる。
【０４３４】
チューブコネクタ２２８６は、フレーム２２８２に接続される端部に対向するエルボ２２８４の端部に、スナップフィット構成で接続する。チューブコネクタ２２８６は、エルボ２２８４の端部を中心に旋回または回転することができる。いくつかの実施形態では、チューブコネクタ２２８６は、ナイロン等、エルボ２２８４とは異なる材料から作製することができる。チューブコネクタ２２８６は、鼻マスク装置２２７０を、加圧空気供給を提供するＣＰＡＰチューブに接続する手段を提供するように構成されている。
【０４３５】
クッションモジュール２２９０は、限定されないがオーバモールド等の手段により、コネクタ部分２２９４に一体的に形成される封止クッション２２９２を備える。封止クッション２２９２は、限定されないがシリコーンまたは熱可塑性エラストマー等の可撓性弾性材料から作製される高コンプライアンスインタフェースを備える。それは、使用者の鼻の周囲を封止する実質的に気密の呼吸チャンバを形成するように構成されている。コネクタ部分２２９４は、限定されないがポリカーボネート等、実質的剛性材料から作製され、封止クッション２２９２に対向する円形開口部２２９６を備える。それは、クッションモジュール２２９０とフレームアセンブリ２２８０との間の繰返し取外し可能な接続を提供するように構成される。クッションモジュール２２９０およびフレームアセンブリ２２８０は、図８１に示すように、チューブコネクタ２２８６およびエルボ２２８４を通ってクッションモジュール２２９０内に空気路が形成されるように、互いに接続する。
【０４３６】
図８２および図８３は、フレームアセンブリ２２８０がヘッドギアシステム２２００のハウジング２２４０にいかに接続するかを示す。エルボ２２８４およびチューブコネクタ２２８６は、フレーム２２８２をハウジング２２４０の背面２３１０に接続するためにハウジング２２４０の中心開口部を通過するように構成されている。フレーム２２８２の一部は、ハウジング２２４０の中心開口部２２４８を通って延在し、ハウジング２２４０の正面２３００と実質的に同一平面で位置する。
【０４３７】
図８３および図８４に、フレーム２２８２の背面２３２０を示す。フレーム２２８２の背面２３２０は、ボール２４００およびソケット２４１０接続のソケットの外周部の周囲に円形内側カフ２４２０を形成する複数の突起を備えることが分かる。内側カフ２４２０は、可撓性を与える複数の切取り部２４３０を有する。内側カフ２４２０の外周部の周囲に凹状チャネル２４５０が延在している。凹状チャネル２４５０は、クッションモジュール２２９０の円形開口部２２９６をスナップフィット構成で保持する。凹状チャネル２４５０の下方外周部に位置する１つまたは複数（たとえば、一対）の固定（ｋｅｙｉｎｇ）機構２４４０がある。固定機構２４４０は、クッションモジュール２２９０のコネクタ部分２２９４の対応する機構と相互作用するように構成されており、それにより、クッションモジュール２２９０の回転が防止される。
【０４３８】
上述した実施形態で開示したヘッドギア調整システムの利点は、静かな調整手段を提供するということである。呼吸マスク用のヘッドギアシステムに対してサイズ調整を可能にするために、本技術分野では、フック・ループ締結システム（Ｖｅｌｃｒｏ等）が一般に使用される。ヘッドギアシステムの締付けの調整が必要である場合、フック・ループファスナ構成要素を互いから分離しなければならない。フック・ループファスナ構成要素の分離により、通常、引裂き音が発生し、それは、マスク使用者には不快である可能性があり、環境によっては、使用者の同床者を起こす可能性がある。本開示のヘッドギアシステムは、サイズおよびフィット性を向上させるために、使用者が手動の調整を行う必要がある可能性が低く、必要ないかなる調整も、ノイズを発生させず、または少なくとも著しいレベルのノイズを発生させず、したがって、使用者および使用者の同床者に対して使用の容易さおよび快適さを向上させる。
【０４３９】
ヘッドギア試験
図８５は、少なくとも１つの方向性ロックモジュール２５１０を含むヘッドギア装置２５００の機能を検証する試験設定を示す。図８５において試験されているヘッドギア装置２５００は、一対の横方向性ロックモジュール２５１０によって互いに接続されているヘッドギア２５０２およびマスクフレーム２５０４を備える。フレーム２５０４は、鼻ピローシールを受け入れるように構成されている。ヘッドギア２５００に接続される方向性ロックモジュール２５１０の端部は、ヘッドギア装置２５００を汎用試験機の可動クロスヘッド２５３０に固定する試験冶具２５２０内に保持される。マスクフレーム２５０４は、汎用試験機の固定クロスヘッド２５４０に固定される。汎用試験機は、いくつかの段階でマスクの着用および装着をシミュレーションする試験を行うことができる。この試験設定は、フルフェイスマスクおよび鼻マスク等、異なるマスクタイプで使用されるように構成されるヘッドギア装置を試験するように変更することができることが理解されるべきである。
【０４４０】
試験の第１段階は、マスクおよびヘッドギア装置の着用をシミュレーションする。可動クロスヘッドは、ヘッドギア装置がその最大円周近くになるまで、ヘッドギアをフレームから離れるように引っ張り、方向性ロックモジュールを伸長させるようにプログラムされている。試験の第２段階は、マスクおよびヘッドギア装置の使用者の頭部への取付をシミュレーションする。汎用試験機は、ヘッドギアをマスクフレームに向かって、ヘッドギア装置の円周が最大円周と最小円周とのおよそ半分である距離まで戻すようにプログラムされている。これは、ヘッドギア装置の円周が使用者の頭部の円周と一致する時点をシミュレーションする。試験の第３ステップは、ヘッドギア装置をその最大円周に戻るように伸長させることを含み、それは、ＣＰＡＰ圧を加えることとマスクシステムの使用とをシミュレーションする。３つのすべての試験段階中、力プロファイルが記録される。
【０４４１】
試験の第１段階中、力−伸長プロットが、ヘッドギア装置の伸長中に方向性ロック機構のロックが係合する際に力の初期の急峻な上昇を示すはずであることが予測される。プロットがこれを示さない場合、ヘッドギアおよび冶具に、方向性ロック機構が始動する前に取り除く必要がある幾分かのゆるみがある可能性がある。力のこの急峻な上昇に続き、遷移点は、所定の降伏力にまたはその近くに達する。降伏力に達すると、力の増大率は低減し、最大ヘッドギア円周に達するまで実質的に一定のままである。
【０４４２】
試験の第２段階は、力−伸長プロットにおいて、方向性ロック機構の瞬時の解除を示すことが予期される。力の初期の急激な低下は、ヘッドギア装置から伸長力が解放されるとき、ワッシャ（または、他の適切なロック機構）の保持の瞬時の解除を示す。方向性ロックモジュールの弾性のある構成要素により、戻り力が駆動される。この特定の場合では、編組スリーブにおけるライクラの４本のストランド。弾性のある構成要素の材料およびその製造方法の選択により、戻り力を制御することができる。戻り力は、タイプマスク（すなわち、フルフェイスマスク、鼻マスクまたは鼻ピロー等）によって変化する予測される吹出力を下回るべきである。
【０４４３】
第３段階は、使用をシミュレーションし、そこでは、ヘッドギアは、仮想の使用者の頭囲まで収縮している。ＣＰＡＰ圧（吹出力）をマスクに加えることにより、力−伸長プロットは、降伏力に達する前に、初期伸長力と実質的に同じ速度で、力の急峻な上昇を示すはずである。ＣＰＡＰ圧を加えることにより、ワッシャ（または他のロック機構）が作動し、短い伸長に対して力の急激な上昇が示されるはずである。マスクおよびヘッドギア装置の平衡フィットは、この力−伸長曲線に沿ったいずれかの場所に入るはずであり、加えられるＣＰＡＰ圧によって決まる。ヘッドギア装置の伸長が最大円周に向かって続くに従い、降伏力に達する。プロットのこの部分は、試験の第１段階中の降伏点の後のヘッドギアの伸長に従うかまたは近似するはずである。密接な重なりが、繰返し可能な降伏力を示す。
【０４４４】
図８６および図８７は、上述した試験設定を用いて得られた２つのヘッドギア装置およびマスクサンプルの力−伸長プロットを示す。図８６および図８７両方のプロットは、試験されたヘッドギア装置およびマスクサンプルが上述したような所望の基準を満たすことを示す。両方のプロットが、初期伸長３０００中の力の急峻な上昇と、続く、遷移点３０１０に達した後の上昇率の低下３０２０とを示す。図８７において、遷移点３０１０の後の伸長３０２０中に力が変動することが分かる。これは、方向性ロックモジュールの構成要素間の不完全な公差、または試験中にいかにサンプルが保持されるかにおける不正確さの結果である可能性がある。２つのプロットはまた、両サンプルが、方向性ロック機構の瞬時の解除を示す力の急激な低下３０３０と、低い戻り力とを表示することも示す。使用をシミュレーションする第３段階中に両サンプルに対して力の急激な上昇３０４０が示された。降伏力の後の力−伸長曲線もまた、初期伸長曲線と密接に整列した。
【０４４５】
図８６および図８７両方において、力の急峻な上昇のおよそ半分でヘジテーション／伸長３０５０を見ることができる。これは、方向性ロック機構の構造に対応する。試験されたサンプルにおいて、方向性ロック機構は、図６８Ａ〜図６８Ｄの実施形態等、２つのワッシャを含んでいた。ヘジテーションは、降伏力が低い方の第１ワッシャが、第２ワッシャが係合し急峻な勾配を続ける前にわずかな量の伸長を可能にすることによって、もたらされる。
【０４４６】
図８８〜図１０２は、少なくとも１つの方向性ロック機構を含むことができる、本開示のヘッドギア装置を組み込んだいくつかの鼻カニューレシステムを示す。いくつかの鼻カニューレシステムについて、いくつかのシステムの間の相違に重きをおいて後述する。具体的に記載していない部分、構成要素または特徴は、他の鼻カニューレシステムの対応する部分、構成要素または特徴と同じかまたは同様であり得るか、または別の好適な構成であり得る。多数の鼻カニューレ装置例は、本出願人のＰＣＴ出願ＰＣＴ／ＩＢ２０１５／０５４５８５号明細書およびＰＣＴ出願国際公開第２０１４／１４２６８１号パンフレットに開示されており、それらの全体が参照により本明細書に組み込まれる。さらに、いくつかの鼻カニューレシステムの特徴を置き換えて、具体的に例示されているものに加えて組合せをもたらすことができる。同じ参照番号を用いて、いくつかの鼻カニューレシステムの同じか又は対応する部分、特徴または構成要素について言及する。
【０４４７】
いくつかの構成では、鼻カニューレシステムは、ハイフロー療法（ＨＦＴ）に対して構成され、封止されない場合があり、または使用者の鼻孔と実質的なシールを形成しない場合がある。しかしながら、他の構成では、鼻カニューレシステムは、封止カニューレを備えることができる。さらに、鼻カニューレシステムと使用するのに適しているが、開示するヘッドギア装置は、たとえばかつ限定なしに、鼻ピロー、鼻下鼻マスク、鼻下フルフェイスマスクまたは従来の鼻マスクもしくはフルフェイスマスク等、他のタイプのインタフェースを利用するシステムとともに採用することも可能である。ヘッドギアは、任意の好適な構成であり得る。たとえば、ヘッドギアは、少なくとも１つの平面において比較的剛性がある場合があり、または軟質である場合がある。ヘッドギアは、弾性（伸長可能もしくは伸縮性）または実質的に非弾性（非伸長可能もしくは非伸縮性）であり得る。
【０４４８】
鼻カニューレシステムの各々は、好ましくは少なくとも１つの方向性ロック機構を含み、それは、異なる方向におけるシステムの一部の相対移動に対して異なる抵抗を提供するように構成することができる。たとえば、方向性ロック機構は、有効周囲長または円周を長くする傾向がある移動より低い抵抗で、システムの有効周囲長または円周を短くする傾向がある移動を可能にするように構成することができる。いくつかの構成では、鼻カニューレシステムはまた、付勢機構も含むことができ、それは、システムを最小有効周囲長または円周に向かってまたはそれに付勢するように構成することができる。結果としての鼻カニューレシステムを使用者の頭部にあてがうことができ、そうしたシステムは、特定の使用者に対して適切なサイズに向かってまたはそれに自動的に調整されるように周囲長または円周を自動的に低減させることができる。こうした自動調整可能な機構は、使用者の鼻孔内でプロングの位置を維持する鼻カニューレ用途において有用である。鼻カニューレ用途では、同様の容易に調整可能な機構（たとえば、手動でまたは他の方法で調整可能）もまた有用であり得る。場合によっては、鼻カニューレはシールを必要としない（したがって、いかなるまたは少なくとも実質的な吹出力を生成しない）が、依然として、システムに作用している他の力もあり得るが特に、鼻カニューレの重量および／またはホース引張力の結果として存在するモーメントアームがある。本明細書に開示する構成の少なくともいくつかは、所望の周囲長または円周に自動的にまたは他の方法で調整され、鼻カニューレに作用している通常のまたは予測される力に抵抗することによる等、動作位置において鼻カニューレを収容するのに役立つ。方向性ロック機構および付勢機構は、本明細書に開示するものと同じかまたは同様であり、全体が参照により本明細書に組み込まれる、２０１４年１０月３０日に公開された、「ＡＵＴＯＭＡＴＩＣＡＬＬＹ  ＡＤＪＵＳＴＩＮＧ  ＨＥＡＤＧＥＡＲ  ＦＯＲ  ＰＡＴＩＥＮＴ  ＩＮＴＥＲＦＡＣＥ」と題する本出願人のＰＣＴ出願国際公開第２０１４／１７５７５２号パンフレットに開示されているもののうちの任意ものと同じかまたは同様であり、または他の任意の好適な構成であり得る。
【０４４９】
図８８を参照すると、鼻カニューレシステム３１００は、カニューレ本体３１０４と一対のノズル３１０６等の少なくとも１つのノズル３１０６とを有するカニューレ３１０２を備える。カニューレ本体３１０４は、ノズル３０１６の開口部と連通する内部ガス空間を備えることができる。カニューレ本体３１０４に好適な導管を接続して、内部ガス空間に、最終的に使用者に呼吸ガスの流れを送達することができる。鼻カニューレシステム３１００はまた、ヘッドギア３１１０を備えることができ、それは、図示する構成では、一対のストラップ（たとえば、上部ストラップおよび下部ストラップ）を備える二又ヘッドギアである。ヘッドギア３１１０の両端は、カニューレ本体３１０４の両側に直接または間接的に接続する。図示するヘッドギア３１１０は、内部コアおよびカバーを備えることができる、比較的剛性の非伸縮ヘッドギアである。カバーは、内部コアを部分的にまたは完全に包囲する１つまたは複数の層を備えることができる。いくつかの構成では、内部コアはプラスチック材料であり、カバーは、１つまたは複数の布またはテキスタイル材料を含む。
【０４５０】
いくつかの構成では、鼻カニューレシステム３１００の周囲長または円周（以降、「円周」）の調整を可能にするように、鼻カニューレシステム３１００内に少なくとも１つ好ましくは一対の調整機構３１１２が配置されている。図示する構成では、鼻カニューレ３１０２とヘッドギア３１１０との間に、一対の調整機構３１１２が配置されている。調整機構３１１２は、鼻カニューレ３１０２およびヘッドギア３１１０の一方または両方の一部を構成するかもしくはそれと一体化され得るか、または鼻カニューレ３１０２およびヘッドギア３１１０の一方または両方とは別個の構成要素であり得る。調整機構３１１２は、各々、方向性ロック３１１４と、方向性ロック３１１４に対して移動しかつ方向性ロック３１４４が選択的に係合するコア部材またはフィラメント３１１６と、付勢要素または機構３１１８（以下、「付勢要素」）とを備えることができる。図示する構成では、付勢要素３１１８は、鼻カニューレシステム３１００の円周を短くするように構成されている。方向性ロック３１１４は、円周が短くなることより円周が長くなることに対してより大きい抵抗を与えるように構成されている。好ましくは、方向性ロック３１１４は、少なくとも、治療中にガス流によってもたらされる力、カニューレシステム３１００の重量および／またはホース引張力等、治療中に加えられる通常のまたは予期される力に応じて、鼻カニューレシステム３１００の円周が長くなるのを実質的に阻止または防止するように構成されている。方向性ロック３１１４、コア部材３１１６および付勢要素３１１８を、合わせてまたは互いの近くに配置してサブアセンブリを形成することができ、または鼻カニューレアセンブリ３１００を通して分散させることができる。
【０４５１】
図８８の図示するシステム３１００では、コア部材３１１６はヘッドギア３１１０に結合され、方向性ロック３１１４は鼻カニューレ３１０２に結合されている。付勢要素３１１８は、ヘッドギア３１１０に結合された一端と、鼻カニューレ３１０２に結合された一端とを有する。コア部材３１１６は、ヘッドギア３１１０の各側部から鼻カニューレシステム３１００の正面に向かって延在している。コア部材３１１６は、たとえばガイド等により、鼻カニューレ３１０２に固定することができる。調整機構３１１２は、鼻カニューレシステム３１００の各側部において対称的に配置されている。こうした構成により、鼻カニューレシステム３１００の円周の調整は対称とすることができ、それにより、ヘッドギア３１１０の中心線は鼻カニューレ３１０２の中心線と整列したままである。調整機構３１１２の対は、単一の調整機構３１１２と比較してより広い範囲の円周調整を可能にする。こうした構成により、いくつかの構成では、単一サイズの鼻カニューレシステム３１００が、意図された使用者集団（たとえば、成人集団）の実質的な部分または全体をカバーすることができる。さらに、調整機構３１１２が鼻カニューレシステム３１００の両側部に配置されていることにより、調整機構３１１２は、鼻カニューレシステム３１００をあてがう（着用する）かまたは取り外す（外す）ときに把持されることが多い位置である鼻カニューレシステム３１００の正面および背面から離れて維持される。
【０４５２】
図８９ａを参照すると、図示する鼻カニューレシステム３１００は図８８のものと同様であるが、図８９ａの鼻カニューレシステム３１００は、鼻カニューレシステム３１００の一方の側の調整機構３１１２と、鼻カニューレシステム３１００の反対側のクイックリリース機構３１２０とを含む。図示する構成では、クイックリリース機構３１２０はバックルである。しかしながら、他の好適な機構（たとえば、クリップ、ラッチ、磁石等）も使用することができる。クイックリリース機構３１２０により、鼻カニューレシステム３１００を迅速にかつ容易に使用者にあてがいかつ使用者から取り外すことができる。たとえば、病院環境における等、反応しない患者に関して、クイックリリース機構３１２０は、介護者が鼻カニューレシステム３１００の閉ループを迅速にかつ容易に破断して使用者からのシステム３１００の取外しを容易にすることができる。さらに、単一調整機構３１１２により、２つ以上の調整機構を有する同様のシステムと比較して製造コストを下げることができる。図８９ｂは、図８９ａのシステム３１００の二又ヘッドギア３１１０の代わりに単一ストラップヘッドギア３１１０を組み込んだ同様のシステム３１００を示す。図８９ｃは、単一ストラップヘッドギア３１１０に組み込まれた調整機構３１１２を有する鼻カニューレシステム３１００を示す。図示する構成では、調整機構３１１２は、ヘッドギア３１１０の後方部分に配置されているが、他の場所に同様に調整機構３１１２を配置することができる。
【０４５３】
図９０は、図８８のシステムと同様の鼻カニューレシステム３１００を示すが、図９０のシステム３１００では、調整機構３１１２の方向が図８８の機構３１１２に対して逆であることが異なる。特に、コア部材３１１６は鼻カニューレ３１０２に結合され、方向性ロック３１１４はヘッドギア３１１０に結合されている。ヘッドギア３１１０がないように示されているが、コア部材３１１６の余分な部分は、望ましい場合はガイドまたは蓄積部等によりヘッドギア３１１０に固定することができる。コア部材３１１６の余分な部分をヘッドギア３１１０に配置することにより、より大きい蓄積部長さを提供することができ、したがって、図９０のシステム３１００は、図８８のシステム３１００等の他のシステムより大きい調整範囲を有することができる。
【０４５４】
図９１は、図８９ａのシステム３１００と同様の鼻カニューレシステム３１００を示すが、図９１のシステム３１００では、調整機構３１１２の方向が８９ａの機構３１１２に対して逆であることが異なる。特に、コア部材３１１６は鼻カニューレ３１０２に結合され、方向性ロック３１１４はヘッドギア３１１０に結合されている。ヘッドギア３１１０がないように示されているが、コア部材３１１６の余分な部分は、望ましい場合はガイドまたは蓄積部等によりヘッドギア３１１０に固定することができる。コア部材３１１６の余分な部分をヘッドギア３１１０に配置することにより、より大きい蓄積部長さを提供することができ、したがって、図９１のシステム３１００は、図８９ａのシステム３１００等の他のシステムより大きい調整範囲を有することができる。
【０４５５】
図９２は、図９０のシステム３１００と同様の鼻カニューレシステム３１００を示すが、図９２のシステム３１００では、コア部材３１１６の余分な部分が鼻カニューレシステム３１００内に収容されることが異なる。特に、コア部材３１１６は鼻カニューレ３１０２に結合され、方向性ロック３１１４はヘッドギア３１１０に結合されている。コア部材３１１６は、いくつかの構成では弾性管状部材であり得る付勢要素３１１８を通って延在する。付勢要素３１１８は、付勢要素３１１８の付勢力のうちの一部またはすべてを与える弾性要素を組み込んだ編組管状要素であり得る。コア部材３１１６の余分な部分は、ガイドまたは蓄積部内等、ヘッドギア３１１０の内部に受け入れられる。コア部材３１１６の余分な部分をヘッドギア３１１０内に配置することにより、性能を低下させる可能性があるコア部材３１１６に対する損傷を阻止または防止するように、コア部材３１１６の余分な部分を保護することができる。いくつかの構成では、ヘッドギア３１１０は、上述したように内部コアおよびカバーを備える。ヘッドギア３１１０は、コア部材３１１６の余分な部分を内部コア内に、内部コアとカバーとの間に、または別の場所（たとえば、専用ガイド要素）に受け入れるように構成された細長い内部空間を画定することができる。図９２には、呼吸ガス供給導管３１２２を示す。
【０４５６】
図９３は、図８９ａ〜図８９ｃのシステム３１００に類似するクイックリリース機構３１２０と組み合わせて単一の調整機構３１１２を備える鼻カニューレシステム３１００を示す。図示する構成では、調整機構３１１２は、システム３１００の一方の側に位置し、クイックリリース機構３１２０は、システム３１００の反対側に位置する。しかしながら、調整機構３１１２およびクイックリリース機構３１２０の一方または両方に対する他の場所（たとえば、後方位置）もまた使用することができる。さらに、鼻カニューレシステム３１００は、調整機構３１１２のコア部材３１１６の余分な部分が、図９２のシステム３１００と同様にヘッドギア３１１０内に収容されるように、構成されている。すなわち、ヘッドギア３１１０は、コア部材３１１６の余分な部分を受け入れるように構成された内部空間を備える。図示するシステム３１００では、ヘッドギア３１１０は単一ストラップ構成であるが、他のタイプのヘッドギア装置も使用することができる。
【０４５７】
図９４は、図８８のシステム３１００と同様の鼻カニューレシステム３１００を示すが、図９４のシステム３１００は、コア部材３１１６の余分な部分が内部に収容されるように構成されている。特に、鼻カニューレ３１０２は、コア部材３１１６の余分な部分を受け入れるように構成された内部空間（たとえば、導管）を備えることができる。カニューレ本体３１０４により、ガイド部材により、または別の好適な構成要素もしくは構成によって、内部空間を画定することができる。図示する構成では、カニューレ本体３１０４は、ヘッドギア３１１０／調整機構３１１２に結合される剛性部分またはフレーム３１２４と、フレーム３１２４によって支持される、より軟質な使用者接触部分３１２６とを備える。使用者接触部分３１２６は、プロング３１０６を画定するかまたは支持することができる。使用者接触部分３１３６をフレーム３１２４に永久的にまたは取外し可能に結合することができる。こうした構成により、フレーム３１２４と使用者接触部分３１２６との間の幾分かの量の分離または独立した移動が可能になる。コア部材３１１６の余分な部分を受け入れる内部空間は、フレーム３１２４内に成形された空間であり得る。他の構成では、フレーム３１２４と使用者接触部分３１２６との間に内部空間を画定することができる。付勢要素３１１８は、図９２のものと同じかもしくは同様であり得るか、または別の好適な構成であり得る。
【０４５８】
図９５は、図９４のシステム３１００と同様の鼻カニューレシステム３１００を示す。特に、図９５のシステム３１００は、ヘッドギア３１１０／調整機構３１１２に結合される剛性部分またはフレーム３１２４と、フレーム３１２４によって支持されるより軟質な使用者接触部分３１２６とを有するカニューレ本体３１０４を備えている。鼻カニューレ３１０２は、コア部材３１１６の余分な部分を受け入れるように構成された内部空間を備えることができる。しかしながら、図８９ａのシステム３１００と同様に、図９５の鼻カニューレシステム３１００は、単一の調整機構３１１２とクイックリリース機構３１２０とを含む。図示する構成では、調整機構３１１２は、鼻カニューレシステム３１００およびクイックリリース機構３１２０の一方の側に位置する。
【０４５９】
図９６は、コア部材３１１６の余分な部分が鼻カニューレシステム３１００内に収容されるという点で、図９２のシステム３１００と同様の鼻カニューレシステム３１００を示す。特に、コア部材３１１６は鼻カニューレ３１０２に結合され、方向性ロック３１１４はヘッドギア３１１０に結合されている。コア部材３１１６は、いくつかの構成では弾性管状部材であり得る付勢要素３１１８を通って延在する。図示する構成では、コア部材３１１６の余分な部分は、ガイドまたは蓄積部内等、ヘッドギア３１１０の内部に受け入れられる。いくつかの構成では、上述したように、ヘッドギア３１１０は内部コアおよびカバーを備える。ヘッドギア３１１０は、コア部材３１１６の余分な部分を、内部コア内、内部コアとカバーとの間、または別の場所（たとえば、専用ガイド要素）に受け入れるように構成された細長い内部空間を画定することができる。図９２のシステム３１００とは異なり、図９６の図示する構成では、鼻カニューレシステム３１００はまた、ヘッドギア３１１０／調整機構３１１２と鼻カニューレ３１０２との間に１つまたは複数のクイックリリース機構３１２０を備える。好ましくは、鼻カニューレシステム３１００の各側部に１つ、一対のクイックリリース機構３１２０が設けられる。
【０４６０】
図９７は、図９７のシステム３１００が一対の調整機構３１１２および一対のクイックリリース機構３１２０を含むという点で図９６のシステム３１００と同様である鼻カニューレシステム３１００を示す。しかしながら、図９７のシステムでは、クイックリリース機構３１２０は、ヘッドギア３１１０と調整機構３１１２との間に位置している。さらに、方向性ロック３１１４は、鼻カニューレ３１０２のカニューレ本体３１０４の端部に、または付勢要素３１１８の前端に位置している。コア部材３１１６の余分な部分は、図９４および図９５の構成に類似するフレーム３１２４および使用者接触部分３１２６を含むカニューレ本体３１０４の内部空間内に受け入れられる。
【０４６１】
図９８は、図９２のシステム３１００と同様の鼻カニューレシステム３１００を示す。たとえば、調整機構３１１２は、鼻カニューレシステム３１００の各側部に設けられ、コア部材３１１６の余分な部分はヘッドギア３１１０内に受け入れられる。しかしながら、図９８のシステム３１００は、単一のクイックリリース機構３１２０を含む。図示する構成では、クイックリリース機構３１２０は、鼻カニューレシステム３１００の一方の側に位置している。特に、クイックリリース機構３１２０は、調整機構３１１２の一方の前端（たとえば、付勢要素３１１８の前端にある）と鼻カニューレ３１０２との間に位置している。図示するクイックリリース機構３１２０はフック・ポスト接続を備え、そこでは、フック３１２８が調整機構３１１２によって支持され、ポスト３１３０が鼻カニューレ３１０２によって支持される。しかしながら、この配置を逆にすることも可能である。限定されないが本明細書に開示するもののうちの任意の物を含む、他の好適なクイックリリース機構を使用することも可能である。
【０４６２】
図９９は、図９８のシステム３１００と同様の鼻カニューレシステム３１００を示すが、図９９のシステム３１００では、調整機構３１１２の方向が逆である。すなわち、方向性ロック３１１４は、ヘッドギア３１１０より鼻カニューレ３１０２の近くに位置している。いくつかの構成では、方向性ロック３１１４はカニューレ本体３１０４によって支持することができ、コア部材３１１６の余分な部分は鼻カニューレ３１０２内に収容することができる。さらに、クイックリリース機構３１２０は、調整機構３１１２とヘッドギア３１１０との間に位置している。特に、フック３１２８は調整機構３１１２によって支持され、ポスト３１３０はヘッドギア３１１０によって支持される。しかしながら、この配置を逆にすることができ、かつ／または他の好適なクイックリリース機構を用いることができる。
【０４６３】
図１００は、図示する構成では単一ストラップヘッドギアであるヘッドギア３１１０内に調整機構３１１２が一体化されている、鼻カニューレシステム３１００を示す。図示するシステム３１００では、一対の調整機構３１１２が設けられている。さらに、ヘッドギア３１１０の各端部は、フック３１２８およびポスト３１３０結合機構等、クイックリリース機構３１２０によって鼻カニューレ３１０２に接続されている。調整機構３１１２は、ヘッドギア３１１０の後方に向かって位置している。調整機構３１１２の端部は、直接、またはいくつかの構成では非伸縮または非伸長可能ストラップであり得る後方ヘッドストラップ部分３１３２を介して、互いに結合されている。各コア部材３１１６の一端は、ヘッドストラップ部分３１３２に結合することができ、付勢要素３１１８、方向性ロック３１１４のそれぞれ１つを通って前方に、前方ヘッドストラップ部分３１３４の内部蓄積部空間内に延在することができる。前方ヘッドストラップ部分３１３４は、いくつかの構成では非伸縮または非伸長可能ストラップであり得る。
【０４６４】
図１０１は、図１００のシステム３１００と同様の鼻カニューレシステム３１００を示す。しかしながら、図１０１の鼻カニューレシステム３１００は単一の調整機構３１１２を含む。単一の調整機構は、ヘッドギア３１１０に組み込まれる。ヘッドギア３１１０は、付勢要素３１１８によって結合された第１部分３１３２および第２部分３１３４を有する単一ストラップヘッドギア装置である。コア部材３１１６は、第１ヘッドギア部分３１３２に結合され、第２ヘッドギア部分３１３４の内部蓄積空間内に延在する。方向性ロック３１１４は、第２ヘッドギア部分３１３４に結合され、選択的にコア部材３１１６と係合して、鼻カニューレシステム３１００の円周の所望の調整位置にヘッドギア３１１０を固定する。
【０４６５】
図１０２は、図９０のシステム３１００と同様の鼻カニューレシステム３１００を示す。特に、鼻カニューレシステム３１００は、鼻カニューレシステム３１００の各側部に調整機構３１１２を備える。図示する構成では、コア部材３１１６の余分な部分は、ディスク状蓄積部３１３６内に蓄積される。こうした構成により、ヘッドギア３１１０内にコア部材３１１６の余分な部分を蓄積する必要がなくなる。図示する構成では、調整機構は、付勢要素３１１８を含む。しかしながら、他の構成では、蓄積部３１１６は、コア部材３１１６を巻き取るかまたは解放するダイヤルアジャスタの形態であり得る。こうした構成により、鼻カニューレシステム３１００の円周を、円周を短くするかまたは長くするように蓄積部を一方の方向または他方の方向に回転させることによって調整することができる。さらに、具体的には示さないが、図１０２のシステム３１００は、１つまたは複数のクイックリリース機構３１２０を含むことができる。
【０４６６】
少なくともいくつかの構成では、コア部材（「フィラメント」）は、断面形状が円形であり、フィラメントの余分な部分は、同様に断面形状が円形である蓄積部（たとえば、チューブまたは管状通路、以下「チューブ」）内に受け入れられる。少なくともいくつかの構成では、フィラメントは、直径が０．６ｍｍ〜０．８ｍｍの範囲であり得る。少なくともいくつかの構成では、フィラメントがナイロンであり、チューブがポリエチレン（ＰＥ）である場合、チューブの直径（内径）はフィラメント径よりおよそ０．１ｍｍ大きい。したがって、いくつかの構成では、チューブの直径は、フィラメントの直径より約１０％〜２０％、約１２％〜１７％、または約１２．５％〜１６．６７％（上記範囲内の任意の部分範囲または値を含む）大きい。
【０４６７】
一般に、フィラメント径に対するチューブ径が小さいほど、チューブによってフィラメントに加えられる摩擦が大きくなる。しかしながら、チューブの直径が大きくなるほど、フィラメントに対して提供される誘導が小さくなり、それは、場合によっては、チューブ内のフィラメントの移動に悪影響を与える可能性がある。その結果、インタフェース円周またはヘッドギア長の「戻り挙動」または短縮が、より粗くかつ／またはより一貫しないように感じられる可能性がある。さらに、チューブ内のフィラメントの過剰な移動は、チューブの内壁に損傷を与える可能性がある。０．８ｍｍの内径のＰＥチューブ内部での０．７ｍｍ径のナイロンフィラメントの摺動により、作動方向において約１Ｎ、調整機構に対する全体の力が増大すると判断された。作動（長くする）方向および戻り（短くする）方向の両方において、同様の過剰な力が存在することにある可能性がある。チューブ内のフィラメントの移動の結果として加えられる過剰な力は、好ましくは低減するかまたは最小化され、それにより、付勢要素によって与えられる戻り力を低く維持することができる。
【０４６８】
フィラメント径およびチューブ径の比は、少なくとも一部には、チューブの曲率、チューブおよびフィラメント両方の曲げ弾性率、ならびにチューブおよびフィラメントの特定の材料に基づく可能性がある。さらに、チューブ設計の要素は、内壁に対する外壁の比を含むことができ、その比（外壁／内壁）が高いほど、チューブの曲げ弾性率が高くなる。曲げ弾性率が高すぎることにより、チューブの可撓性が低減する可能性がある。可撓性が低減することにより、チューブは、使用時に曲げられるかまたは湾曲する場合、キンクが発生する可能性がある。異なる材料は、異なる曲げ弾性率とともに、チューブ内を摺動するフィラメントからもたらされる力に影響を与える他の特性も有する可能性がある。いくつかの構成では、チューブは、フィラメントに対するガイドとして作用するため、フィラメントに対してヤング率が高いことが望ましい。したがって、フィラメントがチューブを損傷させるかまたはチューブの過剰な摩損をもたらす可能性を低減させることが望ましい。いくつかの構成では、チューブに対するフィラメントの摺動によってもたらされる摩擦による冷間圧接を回避するために、チューブおよびフィラメントが異なる材料から作製されることが好ましい。
【０４６９】
図１０３は、鼻カニューレ３２０４（たとえば、ネーザルハイフローカニューレ）を覆うマスク３２０２を備え、単独で鼻カニューレ３２０４に対して上昇したまたは制御された呼吸圧を与える呼吸治療システム３２００を示す。図１０４は、マスク３２０２のみを示す。こうしたシステムは、「ＣＡＮＮＵＬＡ  ＰＲＥＳＳＵＲＩＺＩＧＮ  ＭＡＳＫ」と題する本出願人のＰＣＴ出願ＰＣＴ／ＩＢ２０１５／０５２２５７号明細書に開示されており、その全体が参照により本明細書に組み込まれる。マスク３２０２および鼻カニューレ３２０４はシステムまたはキットとして販売される場合があり、そこでは、マスク３２０２および鼻カニューレ３２０４は、一緒にまたは単一パッケージで販売される。他の構成では、鼻カニューレ３２０４の１つまたは複数の特定のモデルと組み合わせて使用されるようにマスク３２０２を構成することができるが、こうした鼻カニューレ３２０４とは別個にマスク３２０２を販売することができる。
【０４７０】
鼻カニューレ３２０４を用いて、使用者に呼吸ガス流を提供することができる。したがって、使用者に対して鼻カニューレ３２０４をマスク３２０２とは別個にあてがうことができる。鼻カニューレ３２０４を取り外すことなく、好ましくは鼻カニューレ３２０４の著しい移動または他の操作なしに、使用者に対してマスク３２０２を選択的にあてがうことができる。同様に、鼻カニューレ３２０４を取り外すことなく、好ましくは鼻カニューレ３２０４の著しい移動または他の操作なしに、使用者からマスク３２０２を取り外すことができる。
【０４７１】
鼻カニューレ３２０４は、ハイフロー（ＨＦ）鼻療法等、意図された用途に対して任意の好適な構成であり得る。鼻カニューレ３２０４は本体３２０６を有することができ、そこから少なくとも１つの鼻プロング３２０８が延出している。図示する構成では、一対の鼻プロング３２０８が設けられている。好ましくは、鼻カニューレ３２０４が使用者の頭部に適切に配置されると、鼻プロング３２０８は使用者の鼻孔に向かってまたはその中に延在するが、鼻孔を完全には封止しない。鼻カニューレ３２０４は、鼻プロング３２０８と連通するガスまたは呼吸回路を含む。図示する構成では、ガス回路は、鼻プロング３２０８に呼吸ガス流を供給する少なくとも１本のガスチューブ３２１０を備え、したがって、それは、供給チューブと呼ぶことができる。図示する構成では、単一供給チューブ３２１０が設けられ、鼻カニューレ３２０４の一方の側部まで延在している。他の構成では、供給チューブ３２１０は他の方向に延在することができ、かつ／または複数の供給チューブ３２１０を設けることができる。たとえば、いくつかの構成では、供給チューブ３２１０は、鼻カニューレ３２０４の各側部に設けられ、かつそこまで延在することができる。使用時、供給チューブ３２１０は、加圧ガス源（たとえば、流れ発生器）および任意選択的に加湿器に接続することができる。加圧ガス源は、使用者に補助酸素を供給するように構成することができる。任意の好適な加圧ガス源を使用することができる。
【０４７２】
鼻カニューレ３２０４は、好ましくは、使用者の頭部において鼻カニューレ３２０４を固定するかまたは保持する保持機構またはヘッドギア装置も含む。図示するカニューレ３２０４では、ヘッドギア装置は、使用者の頭部の周囲をカニューレ本体３２０６の一方の側からカニューレ本体３２０６の他方の側まで延在する単一ストラップ３２１２の形態である。しかしながら、他の構成では、ヘッドギア装置は、複数のストラップまたは複数のストラップ部分を含む等、より複雑である場合がある。ヘッドギア装置は、使用者の頭部の後部の周囲に延在する後方部分、および／または使用者の頭部の頂部の上に延在する上方部分を含むことができる。ヘッドギア装置は、可撓性もしくは比較的剛性部分、弾性もしくは比較的非弾性部分またはそれらの任意の組合せを含むことができる。望ましい場合は、ヘッドギア装置は、本明細書に記載したような１つまたは複数の調整機構を備えることができる。
【０４７３】
マスク３２０２は、封止クッション３２１４、１つまたは複数のカニューレ切取り部３２１６、マスクフレーム３２１８、ヘッドギア装置またはヘッドストラップ３２２０、一方向弁３２２２、可変通気孔３２２４および固定偏流通気孔３２２６を備えることができる。本技術分野において既知である非侵襲性呼吸マスクとは異なり、図示するマスク３２０２は、給気導管または接続ポートを含まない可能性がある。代わりに、使用者への空気流の一部または大部分は、鼻カニューレシステム３２０４によって供給され、いかなる不足分も一方向弁３２２２を通して供給される。こうした構成により、マスク３２０２は、使用者の気道内の呼気圧を上昇させることができる圧力容器として作用することができる。
【０４７４】
マスク３２０２はマスク本体を備えることができ、マスク本体は、全体としてまたは一部にはマスクフレーム３２１８および封止クッション３２１４から作製することができる。本明細書では、封止クッション３２１４は「シール」または「クッション」と呼ぶ場合がある。マスクフレーム３２１８は、クッション３２１４と一体型とすることができ、または他の方法でクッション３２１４を支持することができる。マスクフレーム３２１８は、マスクフレーム３２１８に加えられる外力がない場合に形状を少なくとも実質的に維持することができる材料から構成することができる。いくつかの構成では、マスクフレーム３２１８は弾性であり得る。他の構成では、マスクフレーム３２１８は、比較的剛性があるか、または少なくともクッション３２１４より剛性である場合がある。たとえば、マスクフレーム３２１８は、全体としてまたは一部には、ポリカーボネート、高密度ポリエチレン（ＨＤＰＥ）または別の好適な材料から構成することができる。マスクフレーム３２１８は、一部品構造である場合もあれば、他部品構造である場合もある。たとえば、第１マスクフレーム部分または要素がクッション３２１４を支持することができ、第２マスクフレーム部分または要素がヘッドギア３２２０の接続を提供することができる。第１マスクフレーム部分および第２マスクフレーム部分を互いに永久的に、または好ましくは取外し可能に接続することができる。
【０４７５】
クッション３２１４は、使用者とマスク３２０２との間のインタフェースを提供するように構成することができ、シリコーンゴム、熱可塑性エラストマーまたは他の任意の好適なシール材料等の可撓性材料から作製することができる。任意の好適なプロセスまたは構成によって、マスクフレーム３２１８にクッション３２１４を固定することができる。たとえば、フランジ・溝構成等によって、マスクフレーム３２１８にクッション３２１４を取外し可能に結合することができる。他の構成では、接着剤により、または成形プロセス（たとえば、オーバモールドまたはコモールド)中に、マスクフレーム３２１８にクッション３２１４を取り付けることができる。
【０４７６】
クッション３２１４は、好ましくは、鼻カニューレ３２０４が使用されている間に、マスク３２０２が使用者にあてがわれたときに鼻カニューレ３２０４を収容するように構成された１つまたは複数の特徴を含む。たとえば、クッション３２１４は、少なくとも１つの凹部または切取り部３２１６を含むことができる。他の構成では、クッション３２１４は、クッション３２１４が鼻カニューレ３２０４の上で伸張するのを可能にするコンプライアンスが増大した領域または薄壁領域等、鼻カニューレ３２０４を収容する他の構成を含むことができる。こうした薄壁領域は、クッション３２１４の周囲の部分より著しく薄い壁厚さを有することができ、クッション３２１４のすぐ下を通過する鼻カニューレ３２０４の部分のサイズおよび／または形状に概して対応するようなサイズおよび／または形状であり得る。薄壁領域の例は、２０１５年９月３日に公開された、「ＲＥＳＰＩＲＡＴＯＲＹ  ＭＡＳＫ  ＷＩＴＨ  ＮＡＳＯＧＡＳＴＲＩＣ  ＴＵＢＥ  ＰＡＴＨ」と題する本出願人のＰＣＴ出願国際公開第２０１５／１３０１７９号パンフレットに記載されており、その出願の全体が参照により本明細書に組み込まれる。
【０４７７】
図示する構成では、クッション３２１４は、マスク３２０２の各側部にカニューレ切取り部３２１６を含む。特に、図示するクッション３２１４は、マスク３２０２の各側面に切取り部３２１６を含む。切取り部３２１６は、概して鼻カニューレ、または特定の鼻カニューレ３２０４の横方向の形状に適応し、それを補足しまたはそれと一致するように構成することができる。こうした構成により、カニューレは、好ましくはカニューレとマスク３２０２との間の間隙が最小であるかまたは許容可能であって、マスク３２０２と使用者の顔面との間を通過することができる。好ましくは、マスク３２０２は、鼻カニューレ３２０４と組み合わせて使用者の上に適切に配置されると、マスク３２０２の内部空間もしくは呼吸空洞内の圧力の上昇、および／またはマスク３２０２のない鼻カニューレ３２０４の使用に対して使用者の気道内の呼気圧の上昇を可能にするのに十分なシールを、使用者の顔面と生成することができる。好ましくは、マスク３２０２は、鼻カニューレ３２０４と少なくとも実質的なシールを生成する。好ましくは、使用者の顔面とのシールおよび鼻カニューレ３２０４とのシールの組合せは、マスク３２０２の内部空間もしくは呼吸空洞内の圧力の上昇、および／または使用者の気道内の呼気圧の上昇を可能にするのに十分である。いくつかの構成では、マスク３２０２は、マスク３２０２の内部空間または呼吸空洞内の圧力の上昇、および／またはマスク３２０２のない鼻カニューレ３２０４の使用に対する使用者の気道内の呼気圧の上昇において、治療上著しい上昇を可能にするのに十分なシールを、使用者の顔面と生成することができる。
【０４７８】
好ましくは、マスク３２０２は、本明細書に開示する調整機構のうちの任意のものと同じかもしくは同様であり得るか、別の好適な構成であり得る、少なくとも１つの調整機構３２３０を備える。こうした構成により、治療圧を上昇させるように鼻カニューレ３２０４の上で使用者に迅速にかつ容易にマスク３２０２をあてがうことができる。少なくともいくつかの構成では、マスク３２０２は、特定の使用者に対して適切なサイズに向かってまたはそうしたサイズに自動的に調整することができる。こうした構成は、介護者が、マスク３０２０およびヘッドギア３２２０の円周を特定の使用者に対して調整するために必要な時間を短縮することにより、治療圧の上昇を開始するためにマスク３２０２をあてがうためにかかる時間を短縮することに対して有益である。図示しないが、マスク３２０２は、使用者に対しマスク３２０２をあてがいまたは取り外すのをさらに容易にするように、本明細書に開示するもののうちの任意のもの等、１つまたは複数のクイックリリース機構を含むことができる。
【０４７９】
いくつかの構成では、マスク３２０２は、一対の調整機構３２３０を備え、マスク３２０２の各側部に１つの調整機構３２３０が配置されている。調整機構３２３０は、各々、方向性ロック３２３２と、方向性ロック３２３２に対して移動しかつ方向性ロック３２３２が選択的に係合するコア部材またはフィラメント３２３４と、図示する構成ではマスク３２０２およびヘッドギア３２２０の円周を短くする傾向がある付勢要素または機構３２３６とを備えることができる。図示する構成では、コア部材３２３４の各々の一端は、ヘッドギア３２２０のそれぞれの端部に結合される。コア部材３２３４は、付勢要素３２３６、方向性ロック３２３２を通って、任意の好適な構造によって画定することができる蓄積部３２３８内に延在する。図示する構成では、蓄積部３２３８は、マスクフレーム３２１８の上にクリップ式に留まってヘッドギア３２２０をマスクフレーム３２１８に接続するコネクタである。他の構成では、各コア部材３２３４に対して別個の蓄積部を設けることができる。コア部材３２３４の余分な部分はまた、本明細書に開示したもののうちの任意のもの等、他の好適な構造によって収容することができる。調整機構３２３０の図示する方向は逆にすることも可能である。さらに、調整機構３２３０の数および／または位置を、図１０３および図１０４に示すものから変更することができる。
【０４８０】
図１０５は、コア部材３３０２に対するロック位置にある、図示する構成ではロックワッシャ３３００であるロック部材の例を示す。本発明者らにより、コア部材３３０２が通過するロックワッシャ３３００の開口部３３０６の（ロックワッシャ３３００をロック位置に移動させる傾向があるコア部材３３０２の移動の方向に対する）前縁３３０４が、関連する方向性ロックの望ましい性能を達成するための重要な設計特徴であり得ることが発見された。したがって、ロックワッシャ３３００のロック位置でコア部材３３０２と係合する前縁３３０４または前縁３３０４の一部を、「作用縁」と呼ぶことができる。少なくともいくつかの構成では、ロック位置でコア部材３３０２と係合する前縁３３０４の一部は比較的鋭利であることが望ましい。目下、鋭利な前縁３３０４は、より丸い縁よりコア部材３３０２により優れた把持力を与えると考えられる。前縁３３０４の鋭利度は、Ｉ／Ｒとして定義することができ、そこでは、Ｒは、ロックワッシャ３３００のロック位置でコア部材３３０２と接触するかまたは係合する前縁３３０４または前縁３３０４の少なくとも一部の半径である。
【０４８１】
図１０６は、前縁の鋭利度対ロックワッシャの厚さのグラフを示す。性能および／または実際的な考慮事項により、特定のインタフェースまたは使用の用途に関してこれらの変数に対して設計限界がもたらされる可能性がある。こうした設計限界は、所望のレベルの性能に達するように選択することができ、設計限界外の値は、依然として、少なくともいくつかの用途において使用されるのに機能的でありかつ好適である可能性がある。したがって、本明細書に記載する設計限界は、明示的に指示がない限り、限定するものとはみなされない。さらに、設計限界は、異なるインタフェースまたはヘッドギアタイプ、または異なる使用の用途の間で異なる可能性がある。
【０４８２】
図１０６のグラフは、前縁の鋭利度の下限３３１０および上限３３１２とロックワッシャの厚さの下限３３１４および上限３３１６とによって生成される目標設計エンベロープを示す。上述したように、ロックワッシャ３３００（または他のロック要素）の前縁鋭利度が低すぎる場合、関連する方向性ロックは、コア部材３３０２に所望のレベルの把持力を与えない可能性があり、方向性ロックのロック力は望ましい値より低い可能性がある。したがって、ロックワッシャ鋭利度の下限３３１０は、材料選択、ロック部材角度等、他の関連する設計特徴を鑑みて所望のロック力によって求めることができる。ロックワッシャ鋭利度の上限３３１６は、製造可能性等、実際的な考慮事項を鑑みて求めることができる。すなわち、ロックワッシャ鋭利度の上限３３１６は、製造コストに基づいて選択することができる所与の製造プロセスによってもたらすことができる鋭利度によって求めることができる。
【０４８３】
ロックワッシャ厚さの下限３３１４は、強度要件または製造可能性等、実際的な考慮事項に基づいて求めることができる。ロックワッシャ厚さの上限３３１６もまた、ロックワッシャ３３００および関連する方向性ロックに対して利用可能な空間等、実際的な考慮事項によって求めることができる。したがって、少なくともいくつかの構成では、ロックワッシャ厚さは、関連する方向性ロックを比較的小さくするために、適切な強度（または他の物理的特徴）を与えるために必要である値より実質的に大きくはならない。いくつかの構成では、下限３３１４はおよそ０．５ｍｍである場合があり、上限３３１６はおよそ５ｍｍである場合がある。しかしながら、上述したように、関連する設計基準に応じてこれらの値を変更することができる。
【０４８４】
図１０６は、互いに対して異なる厚さおよび前縁鋭利度を有する２つの異なるロックワッシャ３３００を表す、目標設計エンベロープ内の２つの点３３２０、３３２２を示す。点３３２０は、比較的高い前縁鋭利度および比較的低いワッシャ厚さを有するロックワッシャ３３００を表す。言い換えれば、点３３２０によって表されるロックワッシャ３３００は比較的薄い。点３３２０によって表されるこうしたロックワッシャ３３００は、約０．５ｍｍ〜１ｍｍ（たとえば、０．８ｍｍ）の厚さを有することができる。点３３２２は、目標エンベロープおよび点３３２０によって表されるワッシャ３３００に対して比較的低い前縁鋭利度と比較的高いワッシャ厚さとを有するロックワッシャ３３００を表す。点３３２２によって表されるこうしたロックワッシャ３３００は、約２ｍｍ〜４ｍｍ（たとえば、３ｍｍ）の厚さを有することができる。前縁３３０４の半径は、０．４ｍｍ〜０．６ｍｍ（たとえば、０．５ｍｍ）であり得る。
【０４８５】
図１０７および図１０８は、それぞれロック位置および自由またはロック解除位置にある、ロック部材／ロックワッシャ３３００およびコア部材３３０２の実施形態を示す。図示するように、好ましくは、開口部３３０６を画定しコア部材３３０２と係合するロックワッシャ３３００の一部の前縁３３０４は、上述したように、比較的鋭利であり、または比較的高い鋭利度を有する。好ましくは、コア部材３３０２に対して開口部３３０６を画定するロックワッシャ３３００の一部の後縁３３３０は、前縁３３０４より低い鋭利度を有する。いくつかの構成では、後縁３３３０は丸いかまたは面取されている。好ましくは、後縁３３３０における開口部３３０６の直径（または周囲長）は、前縁３３０４における開口部３３０６の直径（または周囲長）より大きい。こうした構成により、望ましいロック力を与えることができ、また、コア部材３３０２が、一定の直径の開口部３３０６に比較して低下した抵抗レベルで解除方向（図１０８）に移動することができる。さらに、図１０７および図１０８の構成により、方向性ロックの組立中にコア部材３３０２が開口部３３０６を通過するのをより容易にすることによって、製造可能性が向上する。すなわち、コア部材３３０２は、直径（または周囲長）がより大きい後縁３３３０を通して挿入することができ、それは、コア部材３３０２を、直径（または周囲長）がより小さい前縁３３０４を通して挿入しようとするより容易かつ高速であり得る。
【０４８６】
図１０９ａ〜図１０９ｃは、前縁３３０４と後縁３３３０との間に断面形状の異なる開口部３３０６を有するいくつかのコア部材３３００を示す。図１０９ａ、図１０９ｂおよび図１０９ｃのコア部材３３００の各々の開口部３３０６は、前縁３３０４にまたはその近くに、後縁３３３０におけるまたはその近くの直径（または周囲長）より小さい直径（または周囲長）を有する。図１０９ａでは、開口部３３０６は、前縁３３０４から、開口部３３０６の長さの実質的な部分を通して後縁３３３０に向かって延在する、実質的に一定の直径を有する。しかしながら、後縁３３３０の近くの開口部３３０６の部分は丸いかまたは面取されており、それにより、後縁３３３０における開口部３３０６の直径は、前縁３３０４における開口部３３０６の直径より大きい。図１０９ａの開口部３３０６は、図１０７および図１０８の開口部３３０６と実質的に同様である。
【０４８７】
図１０９ｂの開口部３３０６は、その長さの一部または実質的に全体に沿ってテーパ状である。図示する構成では、開口部３３０６は、前縁３３０４における最小径から後縁３３３０における最大径まで一定角度でテーパ状である。しかしながら、他の構成では、テーパは非直線状である場合がある。図１０９ｃの開口部３３０６は、線形のすなわち一定の直径部分とテーパ状部分とを結合する。前縁３３０４において開始しワッシャ３３００の厚さの一部（たとえば、１／３から２／３または約１／２）を通って延在する開口部３３０６の部分は、一定の直径を画定する。開口部３３０６の残りの部分は、外向きテーパ状部分を画定し、それにより、後縁３３３０における開口部３３０６の直径は、前縁３３０４における開口部３３０６の直径より大きい。テーパ状部分は、線形または非線形テーパを含むことができる。
【０４８８】
図１１０、図１１１ａおよび図１１１ｂは、非円形輪郭形状の開口部３３０６を有するロック部材またはロックワッシャ３３００を示す。たとえば、図１１０および図１１１ａのロックワッシャ３３００は、上方部分３３４０から下方部分３３４２までテーパ状である開口部３３０６を含む。図示する構成では、開口部３３０６は、逆涙または雨滴形状を有する。開口部３３０６の上方部分３３４０は概して半円形である。開口部３３０６の下方部分３３４２もまた、形状が半円形とすることができ、開口部３３０６の上方部分の直径または幅より小さい直径または幅を画定する。開口部３３０６の側壁３３４４は、上方部分３３４０から下方部分３３４２に向かってテーパ状であるかまたは幅が低減することができる。開口部３３０６の上方部分３３４０の直径または幅は、好ましくは、コア部材３３０２の直径または幅より大きく、コア部材３３０２の直径または幅よりわずかにしか大きくない可能性がある。こうした構成により、側壁３３４４の各々は、ロックワッシャ３３００のロック位置でコア部材３３０２と係合する開口部３３０６の作用縁を画定することができる。コア部材３３０２と係合する側壁３３４４または作用縁の間の幅または横方向距離は、ロックワッシャがロック位置に向かって回転するとさらに低減する可能性がある。こうした構成により、ロックワッシャ３３００の回転が増大することによって、ロック力が徐々に増大することになる。
【０４８９】
図１１１ｂは、ロックワッシャ３３００の開口部３３０６の代替的な非円形またはテーパ状輪郭形状を示す。図１１１ｂのロックワッシャ３３００の開口部３３０６は、鍵穴形状を画定し、そこでは、上方部分３３４０は形状が円形であり、下方部分３３４２は、円形の上方部分３３４０の直径より小さい幅から開始してテーパ状である。開口部３３０６の作用縁はまた、図１１０および図１１１ａの開口部３３０６と同様に側壁３３４４によって画定することができる。同様に、図１１１ｂの開口部３３０６によってもまた、ロック力を徐々に増大させることができ、それは、図１１０および図１１１ａの開口部３３０６より高い初期値で最初に開始するかまたは急に上昇する可能性がある。
【０４９０】
図１１２は、ロック力または保持力対コア部材変位のグラフを示し、円形開口部３３０６によって提供することができる線形曲線を、非円形（たとえば、テーパ状）開口部３３０６によって提供することができる累進的曲線と比較する。図示するように、図１１０、図１１１ａおよび図１１１ｂの開口部３３０６等の非円形またはテーパ状開口部は、円形開口部３３０６の線形曲線と比較して、コア部材３３０２の変位がより小さく、所望のロック力または保持力まで上昇することができる。したがって、非円形またはテーパ状開口部３３０６を含むロックワッシャ３３００は、円形開口部３３０６より迅速に所望のロック力または保持力に達することができる。
【０４９１】
図１１３ａおよび図１１３ｂは、第１ロック部材またはロックワッシャ３４０２と第２ロック部材またはロックワッシャ３４０４とを有する方向性ロック３４００を示す。方向性ロック３４００は、図６８Ａ〜図６８Ｄに関して図示し記載した方向性ロック１８００と同様であり得る。第１ロックワッシャ３４０２は、自由位置とロック位置との間で、またはその可能な動きの範囲を通して、第２ロックワッシャ３４０４と比較してコア部材３４１０の変位が小さく、移動するように構成することができる。第２ロックワッシャ３４０４は、第１ロックワッシャ３４０２より大きい保持力またはロック力を与えることができるが、その自由位置とそのロック位置との間の動きの範囲はより大きい。
【０４９２】
図１１３ａの方向性ロック３４００は、第１ロックワッシャ３４０２および第２ロックワッシャ３４０４のうちの一方から第１ロックワッシャ３４０２および第２ロックワッシャ３４０４のうちの他方まで動きを伝達する動き伝達機構を含む。図示する構成では、動き伝達機構は、第１ロックワッシャ３４０２と第２ロックワッシャ３４０４との間に配置された動き伝達要素３４２０を備える。図示する動き伝達要素３４２０は、コア部材３４１０に支持されかつ第１ロックワッシャ３４０２と第２ロックワッシャ３４０４との間に配置された管状部材である。動き伝達要素３４２０は、ロックワッシャ３４０２、３４０４の一方または両方の動きの範囲の少なくとも一部を通って、第１ロックワッシャ３４０２の移動とともに第２ロックワッシャ３４０４を移動させるように構成されている。図１１３ａは、自由またはロック解除位置にあるかまたは相対的にそれに向かうロックワッシャ３４０２、３４０４のうちの一方または両方を示す、図１１３ｂは、ロック位置にあるかまた相対的にそれに向かうロックワッシャ３４０２、３４０４のうちの一方または両方を示す。
【０４９３】
したがって、少なくともいくつかの構成では、動き伝達要素３４２０は、第２ロックワッシャ３４０４が第１ロックワッシャ３４０２と実質的に同時に移動を開始し、それにより、動き伝達要素３４２０のない場合より第２ロックワッシャ３４０４が高速に係合することができることを確実にする。上述したように、少なくともいくつかの構成では、第２ロックワッシャ３４０４の動きの範囲は、第１ロックワッシャ３４０２の動きの範囲より大きい可能性がある（またはその逆もあり得る）ため、第１ロックワッシャ３４０２および／または第２ロックワッシャ３４０４は、動き伝達要素３４２０に対して移動することができ、それにより、動き伝達要素３４２０は、ロックワッシャ３４０２、３４０４を互いに固定しない。言い換えれば、図示する構成では、動き伝達要素３４２０は、第２ロックワッシャ３４０４を、その動きの範囲の一部を通して押すが、第２ロックワッシャ３４０４が動き伝達要素３４２０から離れるように移動するのを可能にし、かつ／または動き伝達要素３４２０が第１ロックワッシャ３４０２から離れるように移動するのを可能にし、それにより、第２ロックワッシャ３４０４は、第１ロックワッシャ３４０２より長い動きの範囲を通して移動することができる。
【０４９４】
図１１４ａおよび図１１４ｂは、図１１３ａおよび図１１３ｂと同様の構成を示す。しかしながら、図１１４ａおよび図１１４ｂの構成では、動き伝達要素３４２０は連結要素を備える。連結動き伝達要素３４２０は、第１ロックワッシャ３４０２および第２ロックワッシャ３４０４を結合する。しかしながら、少なくともいくつかの構成では、連結動き伝達要素３４２０は、第２ロックワッシャ３４０４が第１ロックワッシャ３４０２から離れるように移動するのを可能にする（またはその逆もあり得る）ように構成されている。図示する連結動き伝達要素３４２０は、リビングヒンジを画定するビームである。ビーム３４２０は、第１長さを有する第１位置（図１１４ａ）から、第１長さより大きい可能性がある第２長さを有する第２位置（図１１４ｂ）まで変形可能である。ビーム３４２０は、ビーム３４２０の緩和位置であり得る第１位置において湾曲形状を有することができる。ビーム３４２０は、第２位置ではそれほど湾曲していない形状まで撓むかまたは変形することができる。したがって、湾曲形状からそれほど湾曲していない形状までビーム３４２０が変形することにより、第２ロックワッシャ３４０４は、第１ロックワッシャ３４０２から離れるように移動することができる。
【０４９５】
図１１５〜図１１７は、使用者の頭部に対して患者インタフェース３５０４のヘッドギア３５０２内で方向性ロック３５００を配置するためのあり得る場所を示す。方向性ロック３５００は、本明細書に開示するもののうちの任意のもの等、任意の好適な構成であり得る。図１１５は、ヘッドギア３５０２内に組み込まれた方向性ロック３５００を示し、それは、上方部分と位置合わせされるかもしくは使用者の耳のわずかに上方に、かつ／または後方部分と位置合わせされるかもしくは使用者の耳のわずかに後方に、方向性ロック３５００を配置するように構成されている。図示する構成では、コア部材の余分な部分は、ヘッドギア３５０２の後部ストラップ内に蓄積することができるが、他の好適な構成を使用することも可能である。図１１５において方向性ロック３５００が配置される領域は、使用者の耳が使用者の頭部から突出し、方向性ロック３５００に適応することができる空間を生成するという点で有利であり得る。方向性ロック３５００がそのように配置されると、方向性ロック３５００に対する他のあり得る側部位置と比較して、使用者が横向きに寝ているとき、方向性ロック３５００に（使用者の枕等から）加えられる圧力を低くすることができる。場合によっては、方向性ロック３５００をこのように配置することにより、使用者が横向きに寝ているときに方向性ロック３５００にかけられる圧力がほとんどないかまたはわずかである可能性があり、それにより、使用者に対して望ましいレベルの快適さを与えることができる。さらに、方向性ロック３５００に対するあらゆる圧力が低減するかまたはいかなる著しい圧力もないことにより、方向性ロック３５００の破砕を回避して、動作可能性を確実にし、または少なくとも破砕力による動作不良の可能性を低減させることができる。
【０４９６】
図１１６および図１１７は、方向性ロック３５００を配置するための使用者の頭部に対するあり得る望ましいゾーンを示す。たとえば、図１１６は、耳の一部と重なる耳の後方および上方の領域３５１０が、方向性ロック３５００を受け入れ、かつ使用者が横向きに寝ているときに方向性ロック３５００に対する破砕または過剰な圧力を阻止または防止するための自然な空間を提供することができることを示す。耳に重なる領域３５１０の部分は、好ましくは、耳の基部の後方または上方の空間である。さらに、頭部の頂部における領域３５１２もまた、使用者が横向きまたは仰向けに寝ているときに、方向性ロック３５００に対する破砕または過剰な圧力を阻止または防止するように方向性ロック３５００を配置するための望ましい場所を提供することができる。
【０４９７】
図１１７は、頭蓋骨が示されている、使用者の頭部の上に重なった領域３５１０を示す。領域３５１０は、上述したように、耳の一部に重なりかつ耳の後方および上方であり得る。領域３５１０は、側頭骨の上に配置することができ、側頭骨の境界に向かって、境界まで、または境界を幾分か越えて、頭頂骨または後頭骨の上に広がることができる。しかしながら、いくつかの構成では、領域３５１０は、側頭骨の後方または上方の境界を著しく越えて広がらない。許容可能な性能を提供する領域３５１０の厳密な境界は、使用者によって異なる可能性があるが、好ましくは、領域３５１０は、意図された使用者集団の大部分が、横向きに寝ているときに領域３５１０内に配置される方向性ロック３５００を有する患者インタフェース３５０４およびヘッドギア３５０２を快適に利用することができるように構成されている。図１１７には具体的に図示しないが、図１１６に示す領域３５１２は、前頭骨および／または頭頂骨の頂部に配置することができる。好ましくは、領域３５１２は、前頭骨および／または頭頂骨の実質的に上方に面する部分に制限される。許容可能な性能を提供する領域３５１２の厳密な境界は、使用者によって異なる可能性があるが、好ましくは、領域３５１２は、意図された使用者集団の大部分が、横向きまたは仰向けで寝ているときに領域３５１２内に配置される方向性ロック３５００を有する患者インタフェース３５０４およびヘッドギア３５０２を快適に利用することができるように構成されている。
【０４９８】
ヘッドギア
図１１８Ａは、呼吸装置４１１０と組み合わせて使用される本開示のヘッドギア４１００の限定しない例示的な実施形態を示す。図１１８Ａおよび図１１８Ｂは、ヘッドギア４１００が、実質的に非弾性であり構造が３次元（３Ｄ）であるように構成されていることを示す。本明細書で用いる３次元構造とは、単一平面に位置せず、複数平面に広がるような形状である構造である。言い換えれば、３次元構造は平坦ではない。図示するヘッドギア４１００は、右側部４１２０および左側部４１３０を備える。右側部４１２０および左側部４１３０はともに、頂部ストラップ４１４０、後部ストラップ４１５０、前部ストラップ４１６０、ヨーク４１７０およびコネクタ４１８０を備える。頂部ストラップ４１４０は、頂部ストラップ側端部４１４２と頂部ストラップ中心端部４１４４とを有する細長い部材を備える。頂部ストラップ４１４０は、使用者の各耳の概して上方でありかつ使用者の頭部の頭頂領域または前頭領域の上の位置から上方に延在し、その後、頂部ストラップ中心端部４１４４で終端するように構成されている。頂部ストラップ中心端部４１４４は、使用者の頭部の頂部の中心点もしくは位置またはその近くに配置されるように構成されている。右側部４１２０および左側部４１３０の頂部ストラップ中心端部４１４４は、互いに接合されるように構成されている。各頂部ストラップ側端部４１４２は、直接または間接的にヨーク４１７０に隣接するように構成されている。
【０４９９】
後部ストラップ４１５０は、後部ストラップ側端部４１５２と後部ストラップ中心端部４１５４とを有する細長い部材を備える。後部ストラップ４１５０は、使用者の各耳の概して上方の位置から側端部４１５２から後方に使用者の頭部の後頭領域の周囲を延在し、その後、後部ストラップ中心端部４１５４で終端するように構成されている。後部ストラップ中心端部４１５４は、使用者の頭部の後部の中心点もしくは位置にまたはその近くに配置されるように構成されている。右側部４１２０および左側部４１３０の後部ストラップ中心端部４１５４は、互いに接合されるように構成されている。各後部ストラップ側端部４１５２は、直接または間接的にヨーク４１７０に隣接するように構成されている。
【０５００】
前部ストラップ４１６０は、前部ストラップ側端部４１６２においてヨーク４１７０に直接または間接的に隣接し、かつ使用者の側頭を横切って使用者の鼻に向かって前方に延在するように構成された、細長い部材を備える。いくつかの構成では、前部ストラップ４１６０は、頂部ストラップ４１４０または後部ストラップ４１５０のうちの一方または両方より短く、前部ストラップ前端部４１６４において終端する。前部ストラップ前端部４１６４は、コネクタ４１８０を備えるかまたは少なくともそれに取り付けられるように構成されている。コネクタ４１８０は、呼吸装置４１１０のマスクフレーム４１１２に対して着脱可能な接続を提供するように構成された、押しばめ、スナップフィット、または他の好適なコネクタを備える。いくつかの構成では、コネクタ４１８０は、調整機構に接続するように構成することができ、調整機構は、ヘッドギア４１００のサイズを自動的にまたは手動で調整する手段を提供する。
【０５０１】
いくつかの構成では、ヨーク４１７０の各々は、対応する頂部ストラップ４１４０、後部ストラップ４１５０および前部ストラップ４１６０の間に横方向接合部を提供するように構成された比較的三角形のセクションを備える。頂部ストラップ４１４０、後部ストラップ４１５０および前部ストラップ４１６０の各々は、右側部４１２０および左側部４１３０が一体部品として形成されるように連続してヨーク４１７０に直接または間接的に隣接する。ヨーク４１７０の厚さおよび／または形状は、横軸、または頂部ストラップ４１４０、後部ストラップ４１５０および前部ストラップ４１６０の互いに対するヨーク４１７０の厚さ方向に延在する軸を中心とする回転移動に抵抗するように、画定することができる。こうした構成により、呼吸装置に対して使用者の顔面におけるより優れた安定性を与えることができる。
【０５０２】
右側部４１２０および左側部４１３０は、実質的２次元（２Ｄ）部品として形成され、すなわち、それらは平坦構造で形成される。右側部４１２０および左側部４１３０の頂部ストラップ４１４０および後部ストラップ４１５０が互いに接合されると、（図１１８Ｂに示すように）３Ｄ二又構造が形成される。頂部ストラップ４１４０および後部ストラップ４１５０は、限定されないが、永久的でも取外し可能／分離可能でもあり得る、縫合、溶接、オーバモールドまたは機械的接続を含む、本技術分野において既知である任意の適切な方法によって互いに接合することができる。いくつかの構成では、ヘッドギア４１００の構成は、少なくとも右側部４１２０および左側部４１３０が接続されたとき、３Ｄ二又構造が常に維持されるようなものである。この３Ｄ構造により、使用者がヘッドギア４１００および関連する呼吸装置４１１０と相互作用し、それらを取り付けるかまたは着用する際の容易さを向上させることができる。ヘッドギア４１００がその形状を保持するために、ストラップはもつれる可能性が低くなり、使用者がヘッドギア４１００を把持して方向付けることが容易になるはずである。いくつかの構成では、ヘッドギア４１００は、側部４１２０、４１３０の部分的または完全な分離を少なくとも維持する。いくつかの構成では、ヘッドギア４１００は、ヨーク４１７０および／または対向する側部４１２０、４１３０の前部ストラップ４１６０の部分的または完全な分離を少なくとも維持する。
【０５０３】
図１１９に、ヘッドギア４１００の構成の限定しない例示的な実施形態を示し、それは、頂部ストラップ４１４０、後部ストラップ４１５０および／または前部ストラップ４１６０のうちの任意のものを通る断面図を示す。いくつかの構成では、頂部ストラップ４１４０、後部ストラップ４１５０および前部ストラップ４１６０は、第１部分または内側ケーシング４２００、第２部分または外側ケーシング４２１０、コア４２２０およびケーシング縁部４２３０を備えた層状構成を有する。内側ケーシング４２００および外側ケーシング４２１０はテキスタイル層を構成し、内側ケーシングは使用者の頭部と接触するように構成され、外側ケーシング４２１０はそのように構成されず、使用者の頭部から離れる方向に面するように構成することができる。内側ケーシング４２００および外側ケーシング４２１０は、同じテキスタイルからまたは異なるテキスタイルから作製することができ、コア４２２０に対して、柔らかい、いくつかの実施形態ではクッション付きカバーを提供するように構成することができる。しかしながら、少なくともいくつかの好ましい実施形態では、コア４２２０は、ヘッドギア４１００の主な構造を形成し、ケーシング４２００、４２１０を利用して、ケーシング４２００、４２１０のないコア４２２０から構成されたヘッドギアに比較して、より柔らかいテクスチャ、水分吸上げ特性の向上、および／または使用者の顔面との摩擦の増大が、ヘッドギア４１００に与えられる。こうした構成は、局所的に剛化した構造を利用する弾性または可撓性材料から主に構成されるヘッドギア構成とは対照的である。
【０５０４】
いくつかの構成では、コア４２２０は、ヘッドギア４１００に上述した３Ｄ構造を与えるように構成される熱成形または熱硬化性プラスチック材料の比較的矩形の断面を備える。コア４２２０は、ヘッドギア４１００の全体的な構造に対して基礎を提供する。コア４２２０のプラスチック組成により、使用者の個々の頭蓋形状に幾分か沿いながら予め成形された形状を維持することができる弾性構造の利益が提供される。コア４２２０は、幅Ｗおよび深さＤを有し、幅Ｗは実質的に深さＤより大きい。材料選択と組み合わせて図示する断面形状により、ヘッドギア４１００は、幅Ｗに対して垂直な方向（図１１９における垂直方向）において可撓性があり、深さＤに対して垂直な方向（図１１９における水平方向）において比較的可撓性がないものとなる。この一方向における可撓性により、ヘッドギア４１００は、使用者の顔面において呼吸装置４１１０を安定化しその移動を最小限にする方向に剛性を与えながら、使用者の頭部に沿うことができる。
【０５０５】
いくつかの構成では、内側ケーシング４２００および外側ケーシング４２１０は、コア４２２０が完全に入れられ、ヘッドギア４１００が複合材料から形成されるように、コア４２２０に永久的に接合されるように構成されている。ケーシング縁部４２３０は、内側ケーシング４２００および外側ケーシング４２１０が接する場所に形成することができる。内側ケーシング４２００および外側ケーシング４２１０は、コア４２２０との接合により、近接して合わせて保持される。いくつかの構成では、内側ケーシング４２００および外側ケーシング４２１０は、ケーシング縁部４２３０において互いに直接接続されない。図１１９の実施形態では、ケーシング縁部４２３０は、深さＤのおよそ中間点にあると示されている。ある実施形態においては、ケーシング縁部４２３０は、内側ケーシング４２００および外側ケーシング４２１０の一方または他方に向かって傾斜することができる。他の構成では、ケーシング縁部４３２０を結合することができる。さらに他の構成では、ケーシング縁部４２３０は、コア４２２０の一部が露出したままであるように互いから分離することができる。
【０５０６】
ヘッドギア４１００は、たとえば、材料選択の結果として実質的に非弾性であるように構成することができる。複合材料の１つまたは複数の要素が、ヘッドギア４１００に対して実質的非弾性品質を与えることができる。本開示の限定しない第１例示的実施形態では、コア４２００は、たとえば、限定なしに、ポリプロピレンまたはナイロン等、実質的非弾性材料から作製される。ヘッドギア４１００が低い荷重力にさらされることが予期される実施形態では、コア４２２０は、限定されないが熱可塑性エラストマー（ＴＰＥ）またはシリコーン等、他の材料から作製することができる。いくつかの実施形態では、コア４２２０は、ある弾性率を有することができ、内側ケーシング４２００および／または外側ケーシング４２１０の一方または両方は実質的に非弾性であり得る。ヘッドギア４１００に実質的非弾性材料を含めることは、その材料によって、ヘッドギアが使用者の頭部の上で過度に伸張するかまたは引っ張られる可能性が低減しまたはなくなるため、有利である。ヘッドギア４１００が使用者の頭部の上で過度に引っ張られる場合、呼吸装置は、治療を提供するために有効に配置されない可能性があり、使用者の頭部に不快な力が加えられる可能性があり、その結果、治療に対するコンプライアンスが低減する可能性がある。
【０５０７】
右側部４１２０および左側部４１３０は、コア４２２０を、内側ケーシング４２００および／または外側ケーシング４２３０の一方または両方等のテキスタイル材料の上に射出成形することによって形成することができる。こうした方法により、溶融プラスチック材料が、テキスタイル材料の上に加えられるか、またはそれと接触することができ、温度が低下して、接着剤を使用することなく一体構造を形成することができる。いくつかの構成では、右側部４１２０および左側部４１３０は、内側ケーシング４２００および外側ケーシング４２１０によって形成されたスリーブ内にコア４２２０を射出成形することによって形成することができる。ケーシング縁部４２３０は、射出成形型内の圧縮下で互いに保持することができる。こうした構造により、コア４２００のプラスチック材料が、ケーシング縁部４２３０において著しいバリをもたらすことなくスリーブの内側に射出され、それによりそこを充填することができる。いくつかの構成では、ケーシング縁部４２３０は、封止されたスリーブを生成しない場合がある。こうした構成では、他の成形部品で行うように、成形後操作においてバリを除去することができる。
【０５０８】
いくつかの実施形態では、ヘッドギアの一方の側にのみテキスタイルケーシングがある場合があり、または内側ケーシング４２００および外側ケーシング４２１０は異なる材料から作製される場合があるがある。これにより、ヘッドギア４１００に対して、異なる領域に異なる物理特性を与えることができる。
【０５０９】
成形型
図１２０は、上述した前部ストラップ４１６０と同様である（図１２１に示すような）ストラップ４４００を形成するように構成された射出成形型４３００の半体の第三角正投影図を示す。同様の型を用いて、ヘッドギア４１００の任意の部分を形成することができる。ストラップ４４００は、細長いストラップ本体４４１０、ケーシングリテーナ４４２０およびコネクタ４４３０を備え、ケーシングリテーナ４４２０およびコネクタ４４３０は、ストラップ本体４４１０の一端に位置している。ストラップ本体４４１０は、内側ケーシング４４１２、外側ケーシング４４１４、ケーシング縁部４４１６および複数の保持孔４４１８を備える。内側ケーシング４４１２および外側ケーシング４４１４は、テキスタイルから作製され、図示する構成では、内部プラスチックコア（図示せず）を実質的に封入しかつその周囲にスリーブを形成するように構成され、したがって、複合材料構造としてストラップ４４００を形成する。
【０５１０】
射出成形型４３００は、分割面４３１０を中心に実質的に対称である反対側の半体を有するように構成されている。射出成形型４３００の各半体は、スプルー４３２０、ゲート４３２５および金型キャビティ４３３０を備える。スプルー４３２０は、型４３００に対して射出場所を形成する円筒状凹部を備える。ゲート４３２５は、プラスチック材料がスプルー４３２０から金型キャビティ４３３０内に流れ込む通路を備える。いくつかの実施形態では、スプルー４３２０およびゲート４３２５は、射出成形型４３００の一方の半体にのみ設けることができる。金型キャビティ４３３０は、コアキャビティ４３４０、ケーシングクランプ４３５０、ケーシングスロット４３６０、および複合材料およびストラップ部分４４００の形状を形成するように構成されたたコネクタキャビティ４３７０を備える。
【０５１１】
コアキャビティ４３４０は、矩形凹部を備え、いくつかの構成では、１つまたは複数の保持ピン４３４２を含む。いくつかの実施形態では、３つの保持ピン４３４２があり、それらは、コアキャビティ４３４０の一部または深さ全体を通って延在する円筒状ポストを備える。いくつかの実施形態では、任意の適切な断面形状を有することができる任意の好適な数の保持ピン４３４２があり得る。保持ピン４３４２は、ストラップ４４００内に保持孔４４１８を形成するように構成されている。ケーシングクランプ４３５０は、コアキャビティ４３４０の３つの縁部の周囲に延在しかつストラップ４４００のケーシング縁部４４１６を形成するように構成されている、比較的浅い凹部を備える。
【０５１２】
ケーシングクランプ４３５０およびコアキャビティ４３４０は、一端がケーシングスロット４３６０によって終端している。ケーシングスロット４３６０は、コアキャビティ４３４０より深い狭い矩形スロットを含む。ケーシングスロット４３６０は、コアキャビティ４３４０およびケーシングクランプ４３５０の組み合わされた幅と実質的に同じ幅を有するように構成されている。ケーシングスロット４３６０は、ケーシングリテーナ４４２０を形成する。コネクタキャビティ４３７０は、コアキャビティから反対側においてケーシングスロット４３６０に隣接し、実質的に台形の凹部を備える。それは、コアキャビティ４３４０より深いように構成され、ストラップ４４００のコネクタ４４３０を形成する。図示する構成では、ゲート４３２５は、コネクタキャビティ４３７０の短い平行な壁において中心点に接続する。
【０５１３】
成形プロセス
射出成形型４３００を用いてストラップ構成要素４４００を成形するプロセスは、以下のステップを含む。すなわち、内側ケーシング４４１０および外側ケーシング４４２０を形成するテキスタイル層を挿入するステップと、型を閉じるステップと、プラスチックを射出するステップと、型を開いて部品を離型するステップとである。いくつかの構成では、これらのステップはこの順序で達成されるが、他の構成では、順序が変更される場合があり、かつ／または追加のステップが含まれる場合がある。こうした追加のステップは、上述したステップ内に挿入される。
【０５１４】
射出成形型の２つの半体が分離された（たとえば、開かれた）状態で、内側ケーシング４４１２および外側ケーシング４４１４を形成するテキスタイル片が、図１２２に示すように金型キャビティ４３３０内に配置される。内側ケーシング４４１２は、射出成形型４３００の一方の半体内に配置され、外側ケーシング４４１４は、他方の半体内に配置される。内側ケーシング４４１２および外側ケーシング４４１４は、金型キャビティ４３３０内にぴったりと嵌まるようなサイズに切断することができる。別法として、内側ケーシング４４１２および外側ケーシング４４１４の未切断片を金型キャビティ４３３０内に配置し、その後、内側ケーシング４４１２および外側ケーシング４４１４が互いに接合される前にまたは接合された後に、射出成形型４３００によって切断することができる。
【０５１５】
保持ピン４３４２、ケーシングクランプ４３５０およびケーシングスロット４３６０のうちの任意の１つまたは組合せを含む、射出成形型４３００の１つまたは複数の構成要素によって、金型キャビティ４３３０内で、内側ケーシング４４１２または外側ケーシング４４１４を位置合わせし固定することができる。内側ケーシング４４１２および外側ケーシング４４１４を位置合わせして固定することにより、ケーシング４４１２および４４１４がプラスチック材料の射出中に移動する可能性が低減する。プラスチックの射出中のケーシング４４１２、４４１４が移動することにより、ストラップ４４００が正しく形成されない可能性がある。保持ピン４３４２は、内側ケーシング４４１２または外側ケーシング４４１４が、金型キャビティ４３３０内で適切に位置合せされかつ壁に対して適所に保持されるように、少なくとも部分的にリテーナ孔４４１８を通過するように構成することができる。
【０５１６】
ケーシングクランプ４３５０は、射出成形型４３００が閉じられたとき、かつ射出成形型４３００の両半体が一緒になったとき、内側ケーシング４４１２および外側ケーシング４４１４の１つ、２つもしくは３つ（またはそれより多く）の縁部に圧縮力を加えるように構成することができる。凹部は、図１２２に示すように、ケーシングが分割面４３１０から突出して位置するように、内側ケーシング４４１２および／または外側ケーシング４４１４を形成するテキスタイルの厚さより小さい深さを有することができる。射出成形型４３００が閉じられているとき、ケーシングクランプ４３４０の深さにより、内側ケーシング４４１２および外側ケーシング４４１４が互いに圧縮され、縁部を一時的に封止し、ケーシング縁部４４１６および中空のスリーブ状構造を形成することになる。
【０５１７】
ケーシングスロット４３６０は、ケーシングクランプ４３５０によって固定されない、内側ケーシング４４１２または外側ケーシング４４１４の端部を固定するように構成することができる。ケーシング４４１２、４４１４の端部は、図１２３に示すように、ケーシングスロット４３６０の最深部に近接して終端するように、およそ９０°の角度で折り曲げることができる。ケーシングスロット４３６０の深くて狭い形状は、射出成形型４３００の両半体が閉じた位置あるとき、コアキャビティ４３４０の端部において内側ケーシングと外側ケーシングとの間に開口部があるように、内側ケーシング４４１２および外側ケーシング４４１４の端部を分離した位置で保持する。内側ケーシング４４１２と外側ケーシング４４１４との間のこの開口部は、プラスチックがストラップ４４００のコアを形成するようにコアキャビティ内に射出される際に通ることができる通路を提供する。開口部を通る射出により、内側ケーシング４４１２および外側ケーシング４４１４の内側にプラスチックコアが形成される。
【０５１８】
内側ケーシング４４１２および外側ケーシング４４１４が射出成形型４３００の各半体内で位置合わせされかつ固定されると、金型キャビティ４３３０が完全に密閉され、ケーシング縁部４４１６が圧縮によって固定されかつ封止されるように、型４３００が閉じられる。そして、スプルー４３２０およびゲート４３２５を介して、金型キャビティ４３３０内に熱硬化性または熱成形プラスチックが射出される。プラスチックが硬化すると、射出成形型４３００を開くことができ、ストラップ４４００を取り外すことができる。
【０５１９】
いくつかの実施形態では、内側ケーシング４４１２および外側ケーシング４４１４は、限定されないが、仮止め接着剤またはインモールド設計（ＩＭＤ）技法を含む、他の適切な手段によって、金型キャビティ４３３０の壁に対して保持することができる。
【０５２０】
一体成形される特徴部分
従来、ラベル、接続部、および限定されないがバックルまたはボタン等の調整機構は、二次加工においてヘッドギアに取り付けられるかまたは組み付けられる別個の構成部品として形成することができる。いくつかの実施形態では、本開示のヘッドギアは、呼吸装置にヘッドギアを接続するかまたはヘッドギアのサイズおよび／またはフィット性を調整するように構成される、一体成形されたラベルおよび／または接続機構もしくは調整機構を含むことができる。こうした特徴部分の一体成形は、製造プロセス内の組立ステップをなくし、したがってコストを削減するという点で有益である。一体成形はまた、これらの特徴部分およびヘッドギアの接続の強度を向上させる点でも有益であり得る。
【０５２１】
図１２４Ａは、ヘッドギア７００の別の限定しない例示的な実施形態を示し、そこでは、ヘッドギアは、頂部ストラップ４７２０内にボタンおよび孔サイズ調整システム４７１０を組み込んでいる。サイズ調整システム４７１０は、野球帽において通常使用される、「スナップフィット」ボタンおよび孔調整システムと同様であり得るが、ヘッドギア４７００の一部として一体成形されている。サイズ調整システム４７１０は、複数の孔（図１２４Ａでは見えない）を有する上部ストラップ４７３０と、上面に複数のボタン４７５０を有する下部ストラップ４７４０とを備える。具体的には考察しない特徴に関して、ヘッドギア４７００は、本明細書に開示する他のヘッドギアと同じかもしくは同様であり得るか、または別の好適な構成であり得る。
【０５２２】
図１２４Ｂの拡大断面図に図示するように、上部ストラップ４７３０は、上部内側ケーシング４７３２、上部外側ケーシング４７３４、上部コア４７３６および１つまたは複数の孔４７３８を備える。ボタン４７５０は、上部ストラップ４７３０の孔４７３８を通過し、上部ストラップ４７３０および下部ストラップ４７４０を合わせて固定するように構成されている。下部ストラップは、下部内側ケーシング４７４２、下部外側ケーシング４７４４、下部コア４７４６および１つまたは複数のボタン４７５０を備える。下部外側ケーシング４７４４は、下部コアが１つまたは複数のボタン４７５０を形成するように延在する１つまたは複数の開口部を備える。ボタン４７５０は、頭部４７５２および軸４７５４を含むキノコ型形状を含む。ボタンは、図１２４Ａに示すように、実質的に円形または楕円形の輪郭を有することができる。
【０５２３】
図１２５Ａおよび図１２５Ｂは、ヘッドギア構造に一体成形されるサイズ調整システム４８００の別の限定しない例示的な実施形態を示す。サイズ調整システム４８００は、「スナップフィット」ボタン４８１０および孔４８２０構成を備える。１つまたは複数のボタン４８１０があり、それらは、第１ストラップ４８３０の上に直接オーバモールドされて第１ストラップに永久的に接合されるように構成されている。これらのボタン４８１０は、１つまたは複数の孔４８２０内に受け入れられかつ保持されるように構成されたキノコ型形状を含む。孔４８２０は、ボタン４８１０を受け入れるように構成された中心開口部を有するストラップ４８４０の一方または両方の側にプラスチックワッシャを構成する。孔４８２０は、第２ストラップ４８４０を通してオーバモールドされて互いに永久的に接合されるように構成されている。
【０５２４】
この実施形態では、第１ストラップ４８３０および第２ストラップ４８４０は、限定されないがＢｒｅａｔｈ−ｏ−ｐｒｅｎｅTM等、単一テキスタイル材料から作製されるように構成された細長い部材を含む。この構成により、先の実施形態より高い可撓性が与えられ、材料選択に応じて、緩衝要素を提供することができる。しかしながら、他の構成では、本明細書に開示したプラスチック／テキスタイルストラップ等、複合ストラップにボタン４８１０および孔４８２０を設けることができる。
【０５２５】
図１２５Ｃ〜図１２５Ｅは、ヘッドギア構造に一体成形されるサイズ調整システム９８００の別の限定されない例示的な実施形態を示す。サイズ調整システム９８００は、「スナップフィット」ボタン９８１０および孔９８２０構成を備える。図１２５Ａおよび図１２５Ｂとは対照的に、孔９８２０は、貫通孔ではなく、ストラップ９８４０の厚さ全体を通して延在しない。ボタン９８１０は、第１ストラップ９８３０内に成形されるかまたは直接オーバモールドされて、第１ストラップ９８３０にボタンが永久的に接合されるように構成されている。ボタン９８１０は、第１ストラップ９８３０の長さに沿って延在する単一の細長いボタン９８１０を含むことができる。図１２５Ｃ〜図１２５Ｅにおいて、ボタン９８１９０および孔９８２０は、台形断面形状を有する。しかしながら、ボタン９８１０および孔９８２０は、解除可能な締まり嵌めまたはスナップフィット接続を提供するように任意の好適な形状を有することができる。動作時、ボタン９８１０は、孔９８２０内に挿入されて第１ストラップ９８３０および第２ストラップ９８４０を解除可能に接続する。
【０５２６】
図１２５Ｆ〜図１２５Ｉは、ヘッドギア構造に一体成形されるサイズ調整システム９９００の別の限定しない例示的な実施形態を示す。サイズ調整システム９９００は、「スナップフィット」ボタン９９１０および孔９９２０構成を備える。ボタン９９１０は、第１ストラップ９９３０内に直接成形されるかまたはその上にオーバモールドされて、第１ストラップ９９３０にボタンが永久的に接合されるように構成されている。ボタン９９１０は、第１ストラップ９９３０の長さに沿って延在する単一の細長いボタン９９１０を含むことができる。図１２５Ｃ〜図１２５Ｅのサイズ調整システム９８００と同様に、孔９９２０は、貫通孔ではなく、第２ストラップ９９４０の厚さ全体を通して延在していない。しかしながら、サイズ調整システム９８００とは対照的に、ボタン９９１０は、第１ストラップ９９３０の長さに沿って、噛み合う六角形状を有する。六角形ボタン９９１０により、第１ストラップ９９３０と第２ストラップ９９４０との間の並進移動が防止される。
【０５２７】
テキスタイル基部にさまざまなプラスチック特徴部分を成形する手法は、ヘッドギア以外の呼吸装置構成要素に適用することができる。たとえば、図１２６は、オーバモールドボタン４９２０を介して、実質的に剛性のマスクフレーム４９１０にテキスタイル緩衝パッド４９００を取り付けることができることを示し、そこでは、オーバモールドボタン４９２０は、先の実施形態で記載したボタン４７５０、４８１０と同じかまたは同様である。さらに別の実施形態では、同様の構成を用いて、図１２７Ａおよび図１２７Ｂに示すように、限定されないが可撓性ヘッドギア５０００および実質的に剛性のマスクフレーム５０１０等、２つの呼吸装置構成要素の間に接続を提供することができる。
【０５２８】
図１２８は、テキスタイルストラップ５１１０、グリップ５１２０および２つのバックル５１３０を備えたヘッドギア構成要素５１００を示す。ヘッドギア構成要素５１００は、ヘッドギアアセンブリの実質的にすべり防止の後方部分を形成するように構成される。テキスタイルストラップ５１１０は、限定されないがマイクロファイバ布を含む任意の好適なテキスタイルから作製することができる細長い本体を備える。グリップ５１２０は、テキスタイルストラップ５１１０の輪郭に実質的に従う隆起したシリコーン、ＴＰＥまたは熱可塑性ポリウレタン（ＴＰＵ）ビードを備える。グリップ５１２０は、使用時に使用者の頭部または頭髪をつかんで、ヘッドギアが安定し滑り落ちて呼吸マスクを変位させる可能性が低いようにする、すべり防止面を提供するように構成される。いくつかの実施形態では、このようなグリップビードをヘッドギアアセンブリの他の領域に適用することができる。
【０５２９】
グリップ５１２０は、先の実施形態に関連して記載したものと同様の成形プロセスによってテキスタイルストラップに付与することができる。図１２９は、ヘッドギア構成要素５１００を形成するように構成された成形型５２００の断面概略図を示す。成形型５２００は、第１型半体５２１０および第２型半体５２２０を備える。第１型半体５２１０は、ストラップインサート５２１２およびグリップキャビティ５２１４を備える。第２型半体は、ストラップキャビティ５２２２を備える。ストラップキャビティ５２２２は、テキスタイルストラップ５１１０を受け入れるように構成されている。いくつかの構成では、テキスタイルストラップ５１１０は、ストラップキャビティ５２２２内に厳密にフィットするように切断され、それにより、開いている成形型５２００内で容易に位置合せされる。ストラップキャビティもまた、対応する形状を有するストラップインサート５２１２を受け入れるように構成されている。ストラップインサート５２１２は、成形中にテキスタイルストラップ５１１０に圧縮力を加えるように構成され、それにより、テキスタイルストラップは適所に保持され、グリップ５１２０の材料が射出されるときに移動しない。成形型５２００が閉じた位置にあり、テキスタイルストラップ５１１０が適所に固定されると、いくつかの構成では図１２０のものと同じかまたは同様であり得るゲートおよびランナシステム（図示せず）を介して、グリップ５１２０の材料をグリップキャビティ５２１４内に射出することができる。グリップキャビティ５２１４は、テキスタイルストラップ５１１０の上にグリップ５１２０の形状を形成するように構成されている。テキスタイルストラップ５１１０上にグリップ５１２０を直接射出成形することにより、それらの間に化学的かつ／または機械的結合が形成される。
【０５３０】
図１３０および図１３１は、ストラップ４１４０、４１５０、４１６０、４４００、４７２０、４７２０、４７３０、４８３０、４８４０等、本明細書に開示する他のストラップと実質的に同様であるかまたは同じであり得るストラップ５３００を示す。図１１９に示す構成と同様に、ストラップ５３００は、内側ケーシング５３０２、外側ケーシング５３０４、コア５３０６およびケーシング縁部５３０８を備える。内側ケーシング５３０２および外側ケーシング５３０４は、テキスタイル層を構成し、そこでは、内側ケーシング５３０２は、使用者の頭部に向かって面しかつ／または接触するように構成され、外側ケーシング５３０４はそのように構成されない。図示する構成では、外側ケーシング５３０４は、使用者の頭部から離れる方向に面し、かつ／または使用者の頭部に接触しない。
【０５３１】
しかしながら、図示する構成では、ストラップ５３００は、コア５３０６においてストラップ５３００の長さに沿って断続部を備える。断続部は、ストラップ５３００の２つの部分の間の可撓性接合部５３１０を形成することができる。いくつかの構成では、可撓性接合部５３１０は、全体的にまたは一部には内側ケーシング５３０２および外側ケーシング５３０４によって形成される。接合部５３１０内で、接着剤、縫合、溶接または他の好適な構成等により、ケーシング５３０２、５３０４を互いに固定することができる。他の構成では、ケーシング５３０２、５３０４は、接合部５３１０内で別個のままである場合がある。
【０５３２】
コア５３０６を２つの部分に分割することができ、それらの各々が、互いに面しかつ距離５３１４だけ分離される、端面５３１２を画定する。いくつかの構成では、距離５３１４は、ストラップ５３００が、可撓性接合部５３１０の位置で少なくともある程度まで折り曲げることができるのに十分である。いくつかの構成では、距離５３１４は、ストラップ５３００が接合部５３１０において実質的に半分に折り曲がって、接合部５３１０の各側におけるストラップ５３００の部分が重なり合って配置されるのを可能にするのに十分である。こうした構成により、ストラップ５３００を保管または包装のために折り曲げることができる。いくつかの構成では、ヘッドギア装置の複数のストラップ５３００（たとえば、頂部ストラップおよび後部ストラップ）は、ヘッドギア全体を保管または包装のために半分に折り畳むかまたは折り曲げることができるように可撓性接合部５３１０を含むことができる。
【０５３３】
しかしながら、好ましくは、距離５３１４は、ストラップ５３００および関連するヘッドギアの外力に適応する剛性または能力が損なわれるほど大きくはない。いくつかの構成では、距離５３１４は、ストラップ５３００の全長のわずかな部分にすぎない。いくつかの構成では、距離５３１４は、５０ｍｍ、４０ｍｍ、３０ｍｍ、２０ｍｍまたは１０ｍｍ以下である。
【０５３４】
ストラップ５３００の可撓性または折曲げ可能部分が、関連するヘッドギアの全体形状内で要求通りに位置するように、ストラップ５３００に沿って接合部５３１０を配置することができる。たとえば、接合部５３１０が横方向においてヘッドギアの中線にまたはその近くに位置するように、ストラップ５３００内に接合部５３１０を配置することができる。こうした配置により、上述したように、ヘッドギアを半分に折り曲げることができる。他の構成では、他の位置に可撓性を与えるように、ストラップ５３００に沿った別の場所に接合部５３１０を配置することができる。
【０５３５】
図１３２および図１３３は、可撓性接合部５３１０を有する別のストラップ５３００を示す。ストラップ５３００は、図１３０および図１３１のストラップ５３００と実質的に同様であるかまたは同じであり得る。しかしながら、図１３２および図１３３のストラップ５３００は、接合部５３１０の両側のコア５３０６の部分を接続する接続構造を含む。図示する構成では、接続構造は、接合部５３１０の両側のコア５３０６の部分の間に延在しかつそれらを接続するブリッジ部分５３２０を備える。任意の好適な数のブリッジ部分５３２０を設けることができる。図示する構成では、一対の間隔を空けて配置されたブリッジ部分５３２０が設けられる。ブリッジ部分５３２０は、コア５３０６の側縁部から内側に間隔を空けて配置されているが、他の構成では、ブリッジ部分５３２０の側縁部は、コア５３０６の側縁部と位置合わせすることができる。
【０５３６】
ブリッジ部分５３２０は、好ましくは、少なくとも１つの方向において接合部５３１０の可撓性の性質（たとえば、厚さ方向における曲げ）を維持するように構成される。したがって、ブリッジ部分５３２０は、リビングヒンジを提供するように構成することができる。しかしながら、ブリッジ部分５３２０は、他の方向において、少なくともケーシング５３２２、５３０４のみに対して、接合部５３１０に追加の剛性または支持を与えることができる。たとえば、ブリッジ部分５３２０は、幅方向において曲げに抵抗することができ、長手方向の伸長または圧縮に抵抗することができ、縦軸を中心とするねじれに抵抗することができる。
【０５３７】
いくつかの構成では、ブリッジ部分５３２０は、コア５３０６と同じ材料から構成される。ブリッジ部分５３２０を、コア５３０６の一部に結合するかまたは一体的に形成することができる。図示する構成では、ブリッジ部分５３２０は、コア５３０６の一部と一体形成され、コア５３０６のそれらの部分の厚さ５３２４より小さい厚さ５３２２を有する。いくつかの構成では、ブリッジ部分５３２０の厚さ５３２２は、コア５３０６の厚さ５３２４の１／２未満または１／３未満である。他の特性も可能であり、ブリッジ部分５３２０およびコア５３０６の厚さ５３２２、５３２４は、意図される用途に対して望ましい特徴を提供するように選択することができる。
【０５３８】
図示する構成では、ブリッジ部分５３２０は、ストラップ５３００の長手方向軸に沿うかまたはそれに対して平行に延在する細長い直線状構造である。しかしながら、ブリッジ部分５３２０に対して、ストラップ５３００の長手方向軸に対して角度を付けることができる。いくつかの構成では、ブリッジ部分５３２０は形状が非直線状である。
【０５３９】
図１３０〜図１３３は、本明細書に開示するストラップおよび関連するヘッドギアを構築する追加のアセンブリ、器具および関連方法を示す。特に、図１３０〜図１３３の構成は、コアを形成する前に金型内の適所に布ケーシングを配置しかつ／または維持するのに役立つように構成されている。他の点では、図１３０〜図１３３の成形型は、本明細書に開示した成形型５４００と同様であるかまたは同じであり得る。本明細書に介した構成に加えて、金型内に布ケーシングを固定する他の好適な構成または方法も使用することができる。
【０５４０】
図１３０を参照すると、成形型５４００は、本明細書に開示したもののうちの任意もの等、ストラップおよび／または関連するヘッドギアを形成するように構成される。好ましくは、１つまたは複数の布ケーシングが成形型５４００内に配置され、その後、布ケーシングに隣接してまたはそれらの間にコアが形成される。成形型５４００は、静電力を利用することによって、コアを形成する前に型５４００内に布ケーシングを固定するように構成されている。任意の好適な構成を用いて、布ケーシングおよび／または成形型５４００内に、型５４００にケーシングを引き寄せるのに好適な静電荷を生成することができる。たとえば、布ケーシングおよび／または成形型５４００に対して、静電荷を生成するように処理することができる。
【０５４１】
いくつかの構成では、成形型５４００は、第１金型部分または半体５４０２および第２金型部分または半体５４０５を含み、それらの各々が金型キャビティ５４０６の一部を画定する。金型部分５４０２、５４０４は嵌合面を有し、それらを合わせることができ、金型キャビティ５４０６を開閉するように分離することができる。図示する成形型５４００はまた、荷電発生器５４１２および荷電アプリケータ５４１５を備える静電システム５４１０も備える。荷電発生器５４１２は、荷電アプリケータ５４１４によって物体に印可することができる静電荷を生成するように構成される。静電システム５４１０は、成形型５４００に関連付けることができ、またはケーシングが成形型５４００内に配置される前にケーシング５４１６に電荷を印加するように構成することができる。静電システム５４１０が成形型５４００に関連付けられる場合、成形型５４００の部分５４０２、５４０４は、印加される電荷の迅速な散逸を阻止または防止するように絶縁体５４１８を含むことができる。たとえば、Ｈａｔｆｉｅｌｄ、ＰｅｎｎｓｙｌｖａｎｉａｎｏＳｉｍｃｏ−Ｉｏｎ製のもの等、工業用途に好適な静電システムを採用することができる。
【０５４２】
図１３１を参照すると、成形型５４００内にケーシングを保持するために、空気圧システムを利用することができる。例えば、ケーシングの側部の間に圧力差をもたらし、それにより成形型５４００の表面に対してケーシングを保持する傾向がある力を生成するように、空気圧システムを構成することができる。図示する空気圧システム５４２０は、好適な導管５４２６によって成形型５４００の１つまたは複数の真空ポート５４２４に接続された真空源５４２２を備えた真空システムである。しかしながら、他の構成では、少なくとも金型部分５４０２、５４０４が閉じるまで、ケーシングを成形型５４００の表面に対して押圧するために、正圧を使用することができ、金型部分５４０２、５４０４が閉じた時点で、金型部分５４０２、５４０４の間にケーシングをはさみ込むことができる。
【０５４３】
いくつかの構成では、真空源５４２２は、空気を真空ポート５４２４から導管５４２６を通って真空源５４２２に向かって移動させるポンプを備える。金型部分５４０２、５４０４内に配置されると、ケーシングは、真空ポート５４２４を閉鎖して、真空ポート５４２４内に空気が入るのを防止しまたは実質的に妨げる。その結果、真空ポート５４２４内に真空または比較的低圧状態が生成され、それにより、成形型５４００内の適所にケーシングが保持される。任意の好適な数の真空ポート５４２４を設けることができる。たとえば、各金型部分５４０２、５４０４内に複数のポート５４２４を示すが、いくつかの構成では、成形プロセスの前にケーシングを配置することができる各金型部分５４０２、５４０４に、単一の真空ポート５４２４が設けられる場合がある。
【０５４４】
図１３２を参照すると、構成要素５４３０によって、成形型５４００内にケーシング５４１６を固定することができる。たとえば、構成要素５４３０は、成形型５４００内にケーシング５４１６を機械的に固定することができる。成形プロセス前にケーシング５４１６が配置される各金型部分５４０２、５４０４において１つまたは複数の構成要素（たとえば、一対の構成要素５４３０を利用して、ケーシング５４１６を金型部分５４０２、５４０４内の適所に保持することができる。たとえば、図示する構成では、第１構成要素５４３０ａを利用して、金型部分５４０２、５４０４内の第１位置（たとえば、第１端部）にケーシング５４１６を固定することができ、第２構成要素５４３０ｂを利用して、金型部分５４０２、５４０４の第１位置から間隔が空けられた第２位置（たとえば、第２端部）にケーシング５４１６を固定することができる。
【０５４５】
金型部分５４０２、５４０４のレセプタクルまたはキャビティ５４３２等の受入部分または保持部分内に、構成要素５４３０を受け入れることができる。キャビティ５４３２または他の受入部分は、ケーシング５４１６の一部が構成要素５４３０と金型部分５４０２、５４０４の表面との間に配置されるかまたは挟まれるように、構成要素５４３０およびケーシング５４１６の一部を受け入れるように構成することができる。こうした構成により、構成要素５４３０およびキャビティ５４３２は協働して、図１２３に示すケーシングスロット４３６０と同様の構造を形成することができ、図１２３を参照して図示し記載したものと同様に、金型部分５４０２、５４０４内にケーシング５４１６を固定することができる。代替構成では、ケーシング５４１６が金型部分５４０２、５４０４内に配置される前に、ケーシング５４１６に構成要素５４３０を固定することができる。構成要素５４３０およびケーシング５４１６の組合せは、キャビティ５４３２または他の受入部分内に構成要素５４３０を配置することにより、金型部分５４０２、５４０４内に固定することができる。
【０５４６】
構成要素５４３０は、ケーシング５４１６の上記部分とともに、関連するキャビティ５４３２または他の受入部分に比較的タイトフィットを有することができ、それにより、摩擦力が、構成要素５４３０、したがってケーシング５４１６を金型部分５４０２、５４０４内の適所に保持する。いくつかの構成では、構成要素５４３０は、１つまたは複数の方向において関連するキャビティ５４３２とわずかな締まり嵌めを有することができる。成形プロセス中にケーシング５４１６を適所に保持するために十分な保持力で構成要素５４３０を金型部分５４０２、５４０４内の所望の位置に固定する他の好適な構成を使用することができる。
【０５４７】
構成要素５４３０は、金型部分５４０２、５４０４内にケーシング５４１６を固定するのに好適な任意の構造であり得る。構成要素５４３０は、結果として得られるストラップまたは関連するヘッドギアの一部を形成することができる。たとえば、構成要素５４３０は、図１２１に関連して図示し記載したコネクタ４４３０および／またはケーシングリテーナ４４２０と同じかまたは同様であり得る、コネクタおよび／またはケーシングリテーナの一部または全体を備えることができる。こうした構成では、構成要素５４３０は、ストラップまたはヘッドギアのコアを形成する射出プラスチックと融合するように構成することができる。別法として、構成要素５４３０は、最終的なストラップまたはヘッドギアの一部を形成しない犠牲構成要素である場合がある。こうした構成では、構成要素５４３０は、射出プラスチックと融合しない材料を含むことができ、またはそうした材料でコーティングするかもしくは他の方法で処理することができる。したがって、ストラップまたはヘッドギアが形成されると、構成要素５４３０を廃棄することができる。いくつかの構成では、構成要素５４３０は、プラスチックが成形型５４００内に導入されると分解されて射出プラスチックが構成要素５４３０によって占有された空間を充填するような材料を含むことができる。こうした構成では、構成要素５４３０の分解された材料の排出を可能にするように排出口を設けることができる。
【０５４８】
図１３７を参照すると、いくつかの構成では、ケーシング５４１６を成形型５４００のキャビティ５４０６の外側で支持することができる。図示する構成では、ケーシング５４１６を形成する材料のバルクが、金型部分５４０２、５４０４内に送られるように支持される。材料のバルクは、成形型５４００の一端において支持することができる、ケーシング５４１６を形成する材料のスプールまたはロール５４４０であり得る。材料またはケーシング５４１６の自由端５４４２を、金型部分５４０２、５４０４の間の空間を通して成形型５４００の反対側の端部まで手動で、自動的にまたは他の方法で通すことができる。したがって、１本の材料またはケーシング５４１６が、金型部分５４０２、５４０４のうちの一方または両方の金型キャビティ５４０６に隣接して位置する。ケーシング５４１６が成形型５４００を通過すると、ケーシング５４１６を、金型部分５４０２、５４０４のキャビティ５４０６内に手動で、自動的にまたは他の方法で配置することができる。たとえば、オペレータは、ケーシング５４１６をキャビティ５４０６のコーナに手動で押し込むか、または他の方法で金型部分５４０２、５４０４内にケーシング５４１６を適切に配置することができる。適切に配置されると、成形型５４００内のケーシング５４１６の上にプラスチック材料を射出することができる。成形プロセスの後、ケーシング５４１６の余分な材料を切り落とすことができる。
【０５４９】
いくつかの構成では、金型部分５４０２、５４０４に対してケーシング５４１６の自由端５４４２を固定することができる。たとえば、クリップまたは他の好適な保持機構５４４４によって、金型部分５４０２、５４０４に接してまたはそれに対して、キャビティ５４０６の外側でありかつ金型部分５４０２、５４０４の嵌合面から離れる場所において、ケーシング５４１６の自由端５４４２をクリップ留めするかまたは他の方法で保持することができる。他の構成では、たとえば、保持スロット内で、またはケーシング５４１６の保持孔を利用する等、成形型５４００内でケーシング５４１６の自由端５４４２を保持することができる。いくつかの構成では、ロール５４４０は、ケーシング５４１６を比較的張った状態で維持するのに役立つように、回転に対して幾分かの抵抗を与えることができる。望ましい場合は、ケーシング５４１６において張力を維持するのに役立つように引張ローラ５４４６を採用することができる。
【０５５０】
図１３８〜図１５７Ｂは、本明細書に開示した他のヘッドギアと同様とすることができ、同じかまたは同様の用途に対して好適であり得る、いくつかのヘッドギア構成を示す。図１３８〜図１５７Ｂのヘッドギアを、本明細書に開示したもののうちの任意のもの等、任意の好適な結合機構によってインタフェースに接続することができる。ヘッドギアは、たとえば、額当てを採用するもの等、他のタイプのインタフェースと使用するように変更することができる。したがって、図示するヘッドギアは、各側部に単一の接続場所を有するが、他の変形は、各側部に一対の接続場所を含むことができる。たとえば、中心の頭上ストラップ等、他の構成も可能である。さらに、図１３８〜図１５７Ｂのヘッドギアの特徴、構成要素、材料または製造方法を互いに置き換えて、具体的に開示したものの範囲を超えた他のヘッドギア変形を生成することができる。図示するヘッドギアは、各々、頭頂または頂部ストラップ、後部ストラップおよび一対の前部ストラップを含むいくつかのストラップを備える。他の変形は、これらのストラップのうちの１つまたは複数を省くことができ、かつ／または追加のストラップを含むことができる。ストラップののうちの任意のものが、要求通りに、本明細書に開示する調整機構または他の好適な構成のうちの任意のものを含む、長さ又は他の調整機構を組み込むことができる。
【０５５１】
図１３８〜図１４０は、ヘッドギア５５００が、第１ヘッドギア部分またはストラップ５５０２（図１３９Ｂにはその断面を別個に示す）と第２ヘッドギア部分またはストラップ５５０４（図１３９Ａにはその断面を別個に示す）とを有することを示す。第１ストラップ５５０２は、頂部ストラップまたは頭頂ストラップ部分５５０６を画定することができ、第２ストラップ５５０４は、後部ストラップ部分５５０８を画定することができる。図示する構成では、第１ストラップ５５０２および／または第２ストラップ５５０４はまた、ヘッドギア５５００の他の部分も画定する。たとえば、第１ストラップ５５０２は後部ストラップ部分５５０８の一部も形成し、それにより、後部ストラップ部分５５０８は、第１ストラップ５５０２および第２ストラップ５５０４の両方の部分を含む。さらに、第２ストラップ５５０４は、ヘッドギア５５００の前部ストラップ部分５５１０を画定する。
【０５５２】
いくつかの構成では、第１ストラップ５５０２および第２ストラップ５５０４の一方または両方が複合構造を有する。図示する構成では、第１ストラップ５５０２および第２ストラップ５５０４の各々が、コア５５１２およびカバー層５５１４を備える。コア５５１２は、ヘッドギア５５００の主構造要素を形成することができる。いくつかの構成では、コア５５１２は、射出成形または押出成形プラスチック材料等、比較的剛性材料から構成することができる。カバー層５５１４は、ヘッドギア５５００の外面に対して望ましい特徴を与えることができる。たとえば、カバー層５５１４は、使用者に対して快適さを与えるように構成しまたは選択することができる。いくつかの構成では、カバー層５５１４は、布またはテキスタイル材料である。カバー層５５１４は、コア５５１２の周縁部の一部または全体を包囲する。技術的または性能の観点から非弾性ヘッドギアが望ましい場合があり、それは、そうしたヘッドギアは、マスクによってヘッドギアに加えられる吹出力に応じて、調整されたサイズ（非伸縮）を保持することができるためである。しかしながら、使用者の知覚の観点から、幾分かの弾性が望ましい場合がある。言い換えれば、使用者は、幾分かの弾性を有するヘッドギアを好む場合があり、それは、使用者が、こうしたヘッドギアをより快適であると知覚するためである。したがって、本明細書に開示したヘッドギアまたはその一部のうちの任意のものにおけるコアおよびカバー層のうちの一方または両方に対して、使用中に発生する力、および／またはヘッドギアもしくはその一部を評価する際に使用者が手で加えることができる力等に応じて、幾分かの量の弾性または伸縮可能性を与えることができる。さらに、本明細書に開示したヘッドギア、ストラップまたは他のヘッドギア部分の断面寸法（または他の寸法）を、ヘッドギア、ストラップまたは他の部分に沿って変更することができる。こうした変更を用いて、特定の場所においてまたは特定のセクション内でヘッドギアの性能を調整することができる。たとえば、使用者の耳の周囲の領域は、何らかの追加の構造から利益を得る可能性があり、したがって、所望の構造を提供するためにより広いかまたは厚い場合がある。いくつかの構成では、厚さの増大が圧点をもたらす可能性があるため、ヘッドギアは使用者の耳においてまたはその周囲でより広いことが好ましい。（たとえば、使用者の頭部の頂部または後部に沿った）長いストラップ長は、通常、非弾性（または低弾性）であれば十分であり、必ずしも剛性がある必要はない（たとえば、可撓性であり得る）。したがって、これらのストラップまたはストラップ部分は、ヘッドギアの他の部分より薄くかつ／または細い場合がある。言い換えれば、ヘッドギア、ストラップまたはストラップ部分の幅および／または厚さを、伸縮／弾性および曲げに対する抵抗（すなわち、剛性）をカスタマイズするように調整することができる。さらに、ストラップ幅を、頭部の頂部または後部の中間に向かって増大させることができる。こうした構成は、より安定しているものとして知覚することができ、たとえば耳の近くの狭いセクションを可能にする。
【０５５３】
図示する構成では、第１ストラップ５５０２のコア５５１２はプラスチックであり、カバー層５５１４は、図１４０Ａに示すように、第１ストラップ５５０２に視覚的かつ／または物理的により軽量な構造を与える、伸縮布である。カバー層５５１４の材料の両縁部を縫合等によって接合して継目５５１６を形成することにより、そうした材料を管状構造に形成することができる。継目５５１６は、いずれかの側部（幅方向）またはいずれかの端部（厚さ方向）に沿う等、第１ストラップ５５０２の任意の所望の表面部分に配置することができる。図示する構成では、継目５５１６は、第１ストラップ５５０２の使用者に接する面すなわち内面に配置されている。
【０５５４】
図示する第２ストラップ５５０４のコア５５１２はプラスチックであり、カバー層５５１４は、図１４０Ｂに示すように、管状構造に形成された編み材料である。第２ストラップ５５０４のカバー層５５１４は、編まれているため、継目を有していない。他の構成では、カバー層５５１４を第１ストラップ５５０２と第２ストラップ５５０４との間で反転させることができ、カバー層５５１４は第１ストラップ５５０２および第２ストラップ５５０４の各々において同じ材料とすることができ、または異なる材料を使用することができる。
【０５５５】
第１ストラップ５５０２および第２ストラップ５５０４の各々のカバー層５５１４は、コア５５１２とは別個に形成することができ、カバー層５５１４をコア５５１２の上に滑り込ませること等により、コア５５１２の上に組み付けることができる。いくつかの構成では、カバー層５５１４は、コア５５１２の上に緩く受け入れることができる。言い換えれば、カバー層５５１４とそれぞれのコア５５１２との間に幾分かの相対移動が可能であるように、コア５５１２にカバー層５５１４を付着させない場合がある。こうした構成により、快適さを向上させることができる。しかしながら、望ましい場合は、たとえば接着剤等により、コア５５１２にカバー層５５１４を付着させることができる。
【０５５６】
いくつかの構成では、第１ストラップ５５０２および第２ストラップ５５０４は、後部ストラップ部分５５０８の一部または全体に沿って互いに接合される。図示する構成では、第１ストラップ５５０２および第２ストラップ５５０４は、後部ストラップ部分５５０８の実質的に全体に沿って接合される。第１ストラップ５５０２および第２ストラップ５５０４は、頂部ストラップ部分５５０６、後部ストラップ部分５５０８および前部ストラップ部分５５１０の間の接合部で分離している。第１ストラップ５５０２および第２ストラップ５５０４は、第１ストラップ５５０２のカバー層５５１４と第２ストラップ５５０４のカバー層５５１４との間の縫合接合部または接着接合部による等、任意の好適な構成によって互いに固定することができる。図示する構成では、第１ストラップ５５０２は、使用時に第２ストラップ５５０４より使用者に近づくように、後部ストラップ部分５５０８において第２ストラップ５５０４の内側に位置する。したがって、第１ストラップ５５０２は、後部ストラップ部分５５０８の使用者接触面の一部または全体を画定することができる。図示する構成では、第１ストラップ５５０２は、頂部ストラップ部分５５０６も画定するため、ヘッドギア５５００の頂部ストラップ部分５５０６および後部ストラップ部分５５０８の両方の使用者接触面を画定する。しかしながら、第２ストラップ５５０４が後部ストラップ部分５５０８において第１ストラップ５５０２の内側に配置されるように、この構成を反転させることも可能である。こうした構成では、第１ストラップ５５０２は、ヘッドギア５５００の使用者接触面の一部（たとえば、頂部ストラップ部分５５０６）を形成することができ、第２ストラップ５５０４は、ヘッドギア５５００の使用者接触面の一部（たとえば、後部ストラップ部分５５０８）を形成することができる。
【０５５７】
いくつかの構成では、第１ストラップ５５０２および第２ストラップ５５０４は、互いに異なる色を有することができる。たとえば、図示する構成では、第１ストラップ５５０２は明るい色であり、第２ストラップ５５０４は暗い色であるが、この構成を逆にすることができる。第１ストラップ５５０２と第２ストラップ５５０４との間の色が異なることは、使用者がヘッドギア５５００を方向付けるのに役立つことができる。たとえば、第１ストラップ５５０２の色の方が明るい（または暗い）ことにより、第１ストラップ５５０２が後部ストラップ部分５５０８において第２ストラップ５５０４の内側に配置される構造において、使用者に対してヘッドギア５５００の使用者接触面を示すことができる。第２ストラップ５５０４が後部ストラップ部分５５０８において第１ストラップ５５０２の内側に配置される場合、より明るい色および暗い色により、使用者は、頂部ストラップ部分５５０６と後部ストラップ部分５５０８とを識別することができ、またはその逆も可能である。同様に、材料またはテクスチャが異なることは、単独でまたは色が異なることとの組合せで、使用者がヘッドギア５５００の異なる面（たとえば、内側に面する面および外側に面する面）または異なる部分（たとえば、頂部ストラップ部分５５０６および後部ストラップ部分５５０８）を識別するのに役立つように有用であり得る。
【０５５８】
第１ストラップ５５０２および第２ストラップ５５０４は、互いに異なる寸法を有することができる。図示する構成では、第１ストラップ５５０２は、第２ストラップ５５０４の幅５５２２とは異なる幅５５２０を有する。特に、第１ストラップ５５０２の幅５５２０は、第２ストラップ５５０４の幅５５２２より小さい。いくつかの構成では、第２ストラップ５５０４の幅５５２２は、第１ストラップ５５０２の幅５５２０の１．５倍〜２倍である。しかしながら、他の相対的比率も使用することができる。第１ストラップ５５０２が第２ストラップ５５０４より幅が広いように、構成を逆にすることも可能である。
【０５５９】
第１ストラップ５５０２は厚さ５５２４を画定することができ、第２ストラップ５５０４は厚さ５５２６を画定することができる。いくつかの構成では、厚さ５５２４および厚さ５５２６は同じかまたは実質的に同じであり得る。しかしながら、他の構成では、厚さ５５２４および厚さ５５２６は互いに異なる場合がある。（限定されないがストラップ５５０２、５５０４を含む）本明細書で考察するヘッドギアストラップの寸法は、カバー層５５１４を含む場合もあれば省く場合もある。すなわち、少なくともいくつかの構成では、コア５５１２は、ヘッドギア５５００の構造的性能（たとえば、耐荷重能力）の大部分または実質的に全体を担う。したがって、本明細書に開示するさまざまな構成の間の性能特性を比較するために、コア５５１２において幅寸法および高さ寸法を測ることができる。しかしながら、他の構成では、カバー層５５１４が実質的に寄与することができる快適さまたはフィット性に焦点を当てることができる。または、いくつかの構成では、カバー層５５１４は、比較的厚くすることができ、ストラップ５５０２、５５０４の全体的な幅または厚さの著しい部分を構成することができる。これらの状況または同様の状況下で、幅寸法および高さ寸法はカバー層５５１４を含むことができる。
【０５６０】
図示する構成では、第１ストラップ５５０２の幅５５２０は４ｍｍ〜８ｍｍである。本明細書に開示する概して他のストラップおよびヘッドギア部分または他のヘッドギア構成と比較するために、こうしたストラップ幅は非常に狭いものとして分類することができる。図示する構成では、第２ストラップ５５０４の幅５５２２は８ｍｍ〜１２ｍｍである。こうしたストラップ幅は、狭いものとして分類することができる。図示する構成では、第１ストラップ５５０２の厚さ５５２４および第２ストラップ５５０４の厚さ５５２６は、１ｍｍ〜２ｍｍである。こうしたストラップ厚さは、薄いものとして分類することができる。厚さ５５２４および５５２６を含むヘッドギア５５００の全体的な構造は、ヘッドギア５５００の可撓性を与え、それは、本明細書に開示する他のヘッドギア構成または概して他のヘッドギア構成に対する比較の目的で、非常に高いものと特徴付けることができる。
【０５６１】
図１３９Ｃ、図１３９Ｄおよび図１３９Ｅは、ストラップ５５０２、５５０４のうちのいずれかに対する代替的な構成を示す。図１３９Ｃの構成は、比較的狭いチャネルまたは凹部５５４０を有するコア５５１２を示し、凹部５５４０は、長手方向に延在し、かつカバー層５５１４の継目５５１６および／または縁部を受け入れるように構成されている。その結果、継目５５１６を含むストラップの部分の外面は、比較的平滑または平坦であり得る。言い換えれば、継目５５１６は、凹部５５４０内に配置することができ、カバー層５５１４またはストラップの隣接するまたは包囲する部分に対して、外側に突出せずまたは出っ張りをもたらさない可能性がある。凹部５５４０はまた、コア５５１２に対してカバー層５５１４に対する位置合せ特徴としても機能することができる。すなわち、凹部５５４０および継目５５１６を互いに位置合わせして、カバー層５５１４をコア５５１２と適切に位置合せすることができる。いくつかの構成では、こうした位置合せにより、カバー層５５１４の他の特徴もまたコア５５１２と適切に位置合せすることができる。凹部５５４０は、コア５５１２の幅画定面（側部）に示すが、他の構成では、厚さ画定面（縁部）またはそれらの間の遷移部に配置することができる。
【０５６２】
図１３９Ｄは、コア５５１２が、継目５５１６を収容し継目５５１６による出っ張りの形成を制限または防止する、１つまたは複数の比較的大きい凹部５５４２または凹状部分を備える、ストラップを示す。図示するコア５５１２は、コア５５１２の各側面に画定された凹部５５４２を含むが、上縁および／または下縁が、さらにまたは別法として凹面を画定することができる。図示する構成では、凹部５５４２は、コア５５１２の側面の比較的広い部分を占有している。言い換えれば、凹部５５４２は、コア５５１２の幅の実質的な部分に沿って延在している。凹部５５４２は、縁部から中心に向かってコア５５１２の厚さが徐々に増大するものとして示す。しかしながら、他の構成では、厚さの低減はより急峻である場合がある。コア５５１２の上方部分および下方部分の方が厚いことにより、非弾性性能が与えられる。中心の厚さが低減することにより、幅方向に位置合せされた軸を中心とする曲げに対してより高い可撓性を与えることができる。
【０５６３】
図１３９Ｅは、継目５５１６が、ストラップ５５０４の側面（幅方向）に接触するかまたは隣接するように折り重ねられるかまたは曲げられている、ストラップを示す。継目５５１６を有するストラップ５５０４の側が使用者から離れる方向に配置されるように、ヘッドギアを構成することができる。継目５５１６を、応力が集中する領域から離れて配置するために、ストラップ５５０４の中央に向かってかつ丸い縁から離れる方向に配置することができる。
【０５６４】
図１４１〜図１４３は、第１ヘッドギア部分またはストラップ５６０２（図１４２Ａにその断面を別個に示す）と第２ヘッドギア部分またはストラップ５６０４（図１４２Ｂにその断面を別個に示す）とを有するヘッドギア５６００の別の構成を示す。第１ストラップ５６０２は、頂部ストラップまたは頭頂ストラップ部分５６０６を画定することができ、第２ストラップ５６０４は後部ストラップ部分５６０８を画定することができる。図示する構成では、第１ストラップ５６０２および／または第２ストラップ５６０４は、ヘッドギア５６００の他の部分も画定する。たとえば、第１ストラップ５６０２および第２ストラップ５６０５は、協働して、ヘッドギア５６００の前部ストラップ部分５６１０を画定する。図示する構成では、第１ストラップ５６０２は、前部ストラップ部分５６１０内で第２ストラップ５６０４の上方に配置され、それにより、前部ストラップ部分５６１０の幅は第１ストラップ５６０２および第２ストラップ５６０４の結合された幅と等しくなる。たとえば縫合接合部、接着接合部、またはオーバモールド接合部による等、任意の好適な構成により、第１ストラップ５６０２および第２ストラップ５６０４を前部ストラップ部分５６１０内で互いに接合することができる。
【０５６５】
図示する第１ストラップ５６０２および第２ストラップ５６０４は、コア５６１２およびカバー層５６１４を有する複合構造を備える。いくつかの構成では、コア５６１２は、射出成形プラスチック材料等、比較的剛性材料から構成される。いくつかの構成では、カバー層５６１４は布またはテキスタイル材料である。カバー層５６１４は、コア５６１２の周縁部の一部または全体を包囲する。
【０５６６】
図示する構成では、第１ストラップ５６０２のコア５６１２はプラスチックであり、カバー層５６１４は、図１４３Ａに示すように、第１ストラップ５６０２に第２ストラップ５６０４に対する触覚の区別を与える、リブ付きテキスタイル材料である。カバー層５６１４の材料の両縁部を縫合等により接合して継目５６１６を形成することにより、そうした材料を管状構造に形成することができる。継目５６１６は、いずれかの側部（幅方向）またはいずれかの端部（厚さ方向）のに沿う等、第１ストラップ５６０２の任意の所望の表面部分に配置することができる。図示する構成では、継目５６１６は、第１ストラップ５６０２の使用者に面する面すなわち内面に配置される。
【０５６７】
図示する第２ストラップ５６０４のコア５６１２はプラスチックであり、カバー層５６１４は、図１４３Ｂに示すように管状構造に形成された編材料である。第２ストラップ５６０４のカバー層５６１４は、編まれているため、継目を有していない。他の構成では、カバー層５６１４を第１ストラップ５６０２と第２ストラップ５６０４との間で反転させることができ、カバー層５６１４は第１ストラップ５６０２および第２ストラップ５６０４の各々において同じ材料とすることができ、または異なる材料を使用することができる。
【０５６８】
図示する構成では、ストラップ５６０２、５６０４は、本明細書に開示するプロセスのうちの任意のものに従って、溶融プラスチック材料をカバー層５６１４内に導入し、溶融プラスチック材料が、温度が低下してコア５６１２を形成することができるようにすることにより、形成される。図１４２Ａに示すように、コア５６１２に継目５６１６を埋め込むことができる。その結果、継目５６１６は、ストラップ５６０２の周囲の部分に対して比較的平坦または平滑である。すなわち、金型の形状はストラップ５６０２の全体的な形状を画定し、継目５６１６は、図１３９Ｂの継目５５１６とは異なり、外側に突出しない。継目５６１６は、可視であり得る。しかしながら、パターニングされた、テクスチャ加工された、または柔らかい／ふわふわしたテキスタイルが、カバー層５６１４として使用され、継目５６１６がおおい隠される場合があり、または可視でない場合がある。別法として、第１ストラップ５６０２および第２ストラップ５６０４の各々のカバー層５６１４をコア５６１２とは別個に形成することができ、カバー層５６１４をコア５６１２の上に滑り込ませること等により、コア５６１２の上に組み付けることができる。いくつかの構成では、コア５６１２にカバー層５６１４を付着させない場合があり、それにより、カバー層５６１４とそれぞれのコア５６１２との間に幾分かの相対移動が可能になる。しかしながら、望ましい場合は、たとえば接着剤等によりコア５６１２にカバー５６１４を付着させることができる。
【０５６９】
上述したように、第１ストラップ５６０２および第２ストラップ５６０４のカバー層５６１４は、ストラップ５６０２、５６０４の互いの識別を可能にするように異なるテクスチャを有することができる。さらに、第１ストラップ５６０２および第２ストラップ５６０４は、ストラップ５６０２、５６０４間の識別を可能にするように異なる色を有することができる。望ましい場合は、ヘッドギア５６００の内側に面する面および外側に面する面は、内側に面する面と外側に面する面との識別を可能にするように異なる色および／またはテクスチャを有することができる。
【０５７０】
図示する構成では、第１ストラップ５６０２および第２ストラップ５６０４は、互いに同じかまたは実質的に同じ断面寸法を有している。図示する構成では、第１ストラップ５６０２は、第２ストラップ５６０４の幅５６２２と等しいかまたは実質的に等しい幅５６２０を有する。しかしながら、他の構成では、ストラップ５６０２、５６０４の断面寸法は互いに異なる場合がある。第１ストラップ５６０２は厚さ５６２４を画定することができ、第２ストラップ５６０４は厚さ５６２６を画定することができる。いくつかの構成では、厚さ５６２４および厚さ５６２６は、同じであるかまたは実質的に同じであり得る。しかしながら、他の構成では、厚さ５６２４および厚さ５６２６は互いに異なる場合がある。
【０５７１】
図示する構成では、第１ストラップ５６０２の幅５６２０は、４ｍｍ〜８ｍｍであるか、または非常に狭い。図示する構成では、第２ストラップ５６０４の幅５６２２もまた、４ｍｍ〜８ｍｍであるか、または非常に狭い。図示する構成では、第１ストラップ５６０２の厚さ５６２４および第２ストラップ５６０４の厚さ５６２６は、１ｍｍ〜２ｍｍである。こうしたストラップ厚さは、薄いものとして分類することができる。厚さ５６２４および５６２６を含むヘッドギア５６００の全体的な構造によりヘッドギア５６００の可撓性が与えられ、それは、本明細書に開示する他のヘッドギア構成または概して他のヘッドギア構成との比較の目的で高いものとして特徴付けることができる。
【０５７２】
図１４４〜図１４６Ｂは、頂部ストラップまたは頭頂ストラップ部分５７０６、後部ストラップ部分５７０８および一対の前部ストラップ部分５７１０を有するヘッドギア５７００の別の構成を示す。ヘッドギア５７００は、コア５７１２と、内側カバー層５７１４ａおよび外側カバー層５７１４ｂを備えるカバーとを有する、複合構造を備えることができる。いくつかの構成では、コア５７１２は、射出成形プラスチック材料等、比較的剛性材料から構成される。いくつかの構成では、カバー層５７１４ａ、５７１４ｂは、布またはテキスタイル材料から構成される。カバー層５７１４ａ、５７１４ｂは、コア５７１２の周縁部の一部または全体を包囲する。カバー層５７１４ａ、５７１４ｂの縁部は、互いに接触しているかまたは固定されている場合もあればそうでない場合もある。図示する構成では、ヘッドギア５７００は、本明細書に開示するプロセスのうちの任意のものに従って、溶融プラスチック材料をカバー層５７１４ａ、５７１４ｂ内に導入し、溶融プラスチック材料が、温度が低下してコア５７１２を形成するのを可能にすることによって形成される。別法として、カバー層５７１４ａ、５７１４ｂをコア５７１２とは別個に形成することができ、コア５７１２の上に組み付け、接着剤、縫合、ＲＦ溶接または別の好適なプロセス等により固定することができる。
【０５７３】
図示する構成では、カバー層５７１４ａは、図１４６Ａに示すように、パターニングされたポリエステル材料であり、それにより、使用者接触面すなわち内側に面する（内）面に対して、図１４６Ｂに示すような、外側に面する（外）面を画定するカバー層５７１４ｂに対する、触覚的かつ視覚的識別が与えられる。パターニングされたカバー層５７１４ａはまた、コア５７１２の縁部等、ヘッドギア５７００を生成するために使用されるプロセスからもたらされる細部を隠すこととともに、使用者に対して柔らかさおよび快適さも示す。図示するカバー層５７１４ｂは、ヘッドギア５７００が他の物体（たとえば、枕）に沿って摺動するのを可能にする高い滑り性、および高級仕上げを与える、ポリウレタン（模造皮革）材料である。こうした構造の結果として、カバー層５７１４ａ、５７１４ｂは、内面および外面の互いからの識別を可能にするように異なるテクスチャを有することができる。さらに、層５７１４ａ、５７１４ｂは、内面と外面との識別を可能にするように異なる色を有することができる。他の構成では、カバー層５７１４ａ、５７１４ｂは、内面と外面との間で反転させることができ、カバー層５７１４ａ、５７１４ｂは、内面および外面の各々において同じ材料とすることができ、または図示するものとは異なる材料を使用することができる。
【０５７４】
図示する構成では、頂部ストラップ部分５７０６、後部ストラップ部分５７０８および前部ストラップ部分５７１０は、互いに同じかまたは実質的に同じ断面寸法を有する。しかしながら、他の構成では、ストラップ部分５７０６、５７０８、５７１０の断面寸法は互いに異なる場合がある。図示する構成では、ストラップ部分５７０６、５７０８、５７１０は、各々、同じかまたは実質的に同じ幅５７２０を有する。さらに、ストラップ部分５７０６、５７０８、５７１０は、各々、同じかまたは実質的同じである厚さ５７２４を画定することができる。
【０５７５】
図示する構成では、ストラップ部分５７０６、５７０８、５７１０の各々の幅５７２０は、１２ｍｍ〜１６ｍｍであり、または中間の幅として分類される。図示する構成では、ストラップ部分５７０６、５７０８、５７１０の各々の幅５７２４は、２ｍｍ〜３ｍｍである。こうしたストラップ厚さは、中間として分類することができる。厚さ５７２４を含むヘッドギア５７００の全体的な構造により、ヘッドギア５７００の可撓性が与えられ、それは、本明細書に開示する他のヘッドギア構成または概して他のヘッドギア構成に対する比較の目的で、中間であるものとして特徴付けることができる。
【０５７６】
図１４７〜図１４９は、頂部または頭頂ストラップ部分５８０６、後部ストラップ部分５８０８および一対の前部ストラップ部分５８１０を有するヘッドギア５８００の別の構成を示す。ヘッドギア５８００は、コア５８１２と、内側カバー層５８１４ａおよび外側カバー層５８１４ｂを備えるカバーとを有する、複合構造を備えることができる。いくつかの構成では、コア５８１２は、射出成形プラスチック材料等の比較的剛性材料から構成される。いくつかの構成では、カバー層５８１４ａ、５８１４ｂは、布またはテキスタイル材料から構成される。カバー層５８１４ａ、５８１４ｂは、コア５８１２の周縁部の一部または全体を包囲する。カバー層５８１４ａ、５８１４ｂの縁部は、互いに接触するかまたは固定されている場合もあればされていない場合もある。図示する構成では、ヘッドギア５８００は、本明細書に開示するプロセスのうちの任意のものに従って、カバー層５８１４ａ、５８１４ｂ内に溶融プラスチック材料を導入し、溶融プラスチック材料が、温度が低下してコア５８１２を形成することができるようにすることによって形成される。別法として、カバー層５８１４ａ、５８１４ｂをコア５８１２とは別個に形成することができ、コア５８１２の上に組み付けて、接着剤、縫合、ＲＦ溶接または他の好適なプロセス等によって固定することができる。
【０５７７】
図示する構成では、カバー層５８１４ａは、図１４９Ａに示すように、メッシュ編みを含むウール（たとえば、Ｍｅｒｉｎｏウール）であり、それにより、使用者接触面すなわち内側に面する（内）面に対して、図１４９Ｂに示すような、外側に面する（外）面を画定するカバー層５８１４ｂに対する触覚的かつ視覚的識別が与えられる。パターニングされたカバー層５８１４ａはまた、使用者に対して、柔らかさ、快適さおよび性能も運ぶ。図示するカバー層５８１４ｂは、コア５８１２の縁部等、ヘッドギア５８００を生成するために使用されるプロセスからもたらされる細部を隠すことともに、使用者に対して柔らかさおよび快適さを運ぶ、パターニングされたポリエステル材料である。こうした構造の結果として、カバー層５８１４ａ、５８１４ｂは、内面および外面の互いからの識別を可能にするように異なるテクスチャおよび／または色を有することができる。他の構成では、カバー層５８１４ａ、５８１４ｂを内面と外面との間で反転させることができ、カバー層５８１４ａ、５８１４ｂは、内面および外面の各々において同じ材料とすることができ、または図示するものとは異なる材料を使用することができる。
【０５７８】
図示する構成では、頂部ストラップ部分５８０６、後部ストラップ部分５８０８および前部ストラップ部分５８１０は、互いに同じかまたは実質的に同じ断面寸法を有する。しかしながら、他の構成では、ストラップ部分５８０６、５８０８、５８１０の断面寸法は互いに異なる場合がある。図示する構成では、ストラップ部分５８０６、５８０８、５８１０は、各々、同じかまたは実質的に同じである幅５８２０を有する。さらに、ストラップ部分５８０６、５８０８、５８１０は、各々、同じかまたは実質的に同じである厚さ５８２４を画定することができる。
【０５７９】
図示する構成では、ストラップ部分５８０６、５８０８、５８１０の各々の幅５８２０は、１２ｍｍ〜１６ｍｍであり、または中間の幅として分類される。図示する構成では、ストラップ部分５８０６、５８０８、５８１０の各々の厚さ５８２４は、２ｍｍ〜３ｍｍである。こうしたストラップ厚さは、中間として分類することができる。厚さ５８２４を含むヘッドギア５８００の全体的な構造により、ヘッドギア５８００の可撓性が与えられ、それは、本明細書に開示する他のヘッドギア構成または概して他のヘッドギア構成に対する比較の目的で、中間であるものとして特徴付けることができる。
【０５８０】
図１５０〜図１５２は、頂部ストラップまたは頭頂ストラップ部分５９０６、後部ストラップ部分５９０８および一対の前部ストラップ部分５９１０を有するヘッドギア５９００の別の構成を示す。ヘッドギア５９００は、コア５９１２と、内側カバー層５９１４ａおよび外側カバー層５９１４ｂを備えるカバーとを有する、複合構造を備えることができる。いくつかの構成では、コア５９１２は、射出成形プラスチック材料等、比較的剛性材料から構成される。いくつかの構成では、カバー層５９１４ａ、５９１４ｂは、布またはテキスタイル材料から構成される。カバー層５９１４ａ、５９１４ｂは、コア５９１２の周縁部の一部または全体を包囲する。カバー層５９１４ａ、５９１４ｂの縁部は、互いに接触するかまたは固定されている場合もあればされていない場合もある。図示する構成では、ヘッドギア５９００は、本明細書に開示するプロセスのうちの任意のものに従って、カバー層５９１４ａ、５９１４ｂ内に溶融プラスチック材料を導入し、溶融プラスチック材料が、温度が低下してコア５９１２を形成するのを可能にすることによって形成される。別法として、カバー層５９１４ａ、５９１４ｂをコア５９１２とは別個に形成することができ、コア５９１２の上に組み付けて、接着剤、縫合、ＲＦ溶接または別の好適なプロセス等によって固定することができる。
【０５８１】
図示する構成では、カバー層５９１４ａ、５９１４ｂの各々は、それぞれ図１４９Ａおよび図１４９Ｂに示すように、ＵＢＬ（連続ループ（ｕｎｂｒｏｋｅｎ  ｌｏｏｐ））である。こうした構成では、望ましい場合、使用者接触面すなわち内側に面する（内）面に対して、外側に面する（外）面を画定するカバー層５９１４ｂに対する触覚的かつ視覚的識別を与えるために、異なる色を用いることができる。ＵＢＬ材料は、使用者に対して柔らかさおよび快適さを運ぶ。さらに、フック・ループファスナのフック部分にＵＢＬ材料を接続することができる。他の構成では、図示するものとは異なる材料を使用することができる。
【０５８２】
図示する構成では、頂部ストラップ部分５９０６、後部ストラップ部分５９０８および前部ストラップ部分５９１０は、互いに同じかまたは実質的に同じ断面寸法を有する。しかしながら、他の構成では、ストラップ部分５９０６、５９０８、５９１０の断面寸法は互いに異なる場合がある。図示する構成では、ストラップ部分５９０６、５９０８、５９１０は、各々、同じかまたは実質的に同じ幅５９２０を有する。さらに、ストラップ部分５９０６、５９０８、５９１０は、各々、同じかまたは実質的に同じである厚さ５９２４を画定することができる。
【０５８３】
図示する構成では、ストラップ部分５９０６、５９０８、５９１０の各々の幅５９２０は、１２ｍｍ〜１６ｍｍであり、または中間の幅であると分類される。図示する構成では、ストラップ部分５９０６、５９０８、５９１０の各々の厚さ５９２４は、２ｍｍ〜３ｍｍである。こうしたストラップ厚さは中間として分類することができる。厚さ５９２４を含む、ヘッドギア５９００の全体的な構造により、ヘッドギア５９００の可撓性が与えられ、それは、本明細書に開示する他のヘッドギア構成または概して他のヘッドギア構成に対する比較の目的で、中間であると特徴付けることができる。
【０５８４】
図１５３および図１５４は、頂部ストラップまたは頭頂ストラップ部分６００６、後部ストラップ部分６００８および一対の前部ストラップ部分６０１０を有するヘッドギア６０００の別の構成を示す。ヘッドギア６０００は、コア６０１２と、内側カバー層６０１４ａおよび外側カバー層６０１４ｂを備えるカバーとを有する、複合構造を備えることができる。いくつかの構成では、コア６０１２は、射出成形プラスチック材料等、比較的剛性材料から構成される。いくつかの構成では、カバー層６０１４ａ、６０１４ｂは、プラスチックシート材料から構成される。カバー層６０１４ａ、６０１４ｂは、コア６０１２の周縁部の一部または全体を包囲する。カバー層６０１４ａ、６０１４ｂの縁部は、互いに接触するかまたは固定されている場合もあればされていない場合もある。ヘッドギア６０００は、任意の好適なプロセスによって形成することができる。いくつかの構成では、カバー層６０１４ａ、６０１４ｂは、コア６０１２とは別個に形成され、コア６０１２の上に組み付けてＲＦ溶接によって固定することができる。しかしながら、接着剤、縫合または他の好適な方法等、他の固定プロセスまたは構成を用いることも可能である。
【０５８５】
図示する構成では、カバー層６０１４ａ、６９１４ｂの各々は、薄いナイロンシート材料である。こうした構成では、望ましい場合、使用者接触面すなわち内側に面する（内）面に対して、外側に面する（外）面を画定するカバー層６０１４ｂに対する触覚的かつ視覚的識別を与えるために、異なる色を用いることができる。ナイロン材料は、高い滑り性を与え、耐水性および耐汗性であり、容易に清掃することができる。他の構成では、図示するものとは異なる材料を用いることができる。
【０５８６】
図示する構成では、頂部ストラップ部分６００６、後部ストラップ部分６００８および前部ストラップ部分６０１０は、互いに同じかまたは実質的に同じ断面寸法を有する。しかしながら、他の構成では、ストラップ部分６００６、６００８、６０１０の断面寸法は互いに異なる場合がある。図示する構成では、ストラップ部分６００６、６００８、６０１０は、各々、同じかまたは実質的に同じ幅６０２０を有する。さらに、ストラップ部分６００６、６００８、６０１０は、各々、同じかまたは実質的に同じである厚さ６０２４を画定することができる。
【０５８７】
図示する構成では、ストラップ６００６、６００８、６０１０の各々の幅６０２０は、１２ｍｍ〜１６ｍｍであり、または中間の幅であると分類される。図示する構成では、ストラップ部分６００６、６００８、６０１０の各々の厚さ６０２４は、２ｍｍ〜３ｍｍである。こうしたストラップ厚さは中間として分類することができる。厚さ６０２４を含む、ヘッドギア６０００の全体的な構造により、ヘッドギア６０００の可撓性が与えられ、それは、本明細書に開示する他のヘッドギア構成または概して他のヘッドギア構成に対する比較の目的で、中間であると特徴付けることができる。
【０５８８】
図１５５〜図１５７は、頂部ストラップまたは頭頂ストラップ部分６１０６、後部ストラップ部分６１０８および一対の前部ストラップ部分６１１０を有するヘッドギア６１００の別の構成を示す。ヘッドギア６１００は、コア６１１２と、内側カバー層６１１４ａおよび外側カバー層６１１４ｂを備えるカバーとを有する、複合構造を備えることができる。いくつかの構成では、コア６１１２は、フォームまたはネオプレン材料等、比較的軟質かつ可撓性材料から構成される。図示する構成では、カバー層６１１４ａは、ナイロン等、軟質布材料から構成される。図示する構成では、カバー層６１１４ｂは、フック・ループファスナのフック部分と協働することができるようなＵＢＬ（連続ループ）材料等、軟質布材料から構成される。カバー層６１１４ａ、６１１４ｂは、コア６１１２の周縁部の一部または全体を包囲する。カバー層６１１４ａ、６１１４ｂの縁部は、互いに接触するかまたは固定されている場合もあればされていない場合もある。ヘッドギア６１００は、任意の好適なプロセスによって形成することができる。いくつかの構成では、コア６１１２の複合加工物（たとえば、シート）およびカバー層６１１４ａ、６１１５ｂは、ＲＦ溶接等、任意の好適な構成またはプロセスによって形成される。しかしながら、接着剤または他の好適な方法等、他の固定プロセスまたは構成も使用することができる。そして、複合加工物からヘッドギア６１００を切断する（たとえば、ダイカットする）ことができる。
【０５８９】
望ましい場合は、カバー層６１１４ａに対して第１色を使用し、カバー層６１１４ｂに対して異なる色を使用して、使用者接触面すなわち内側に面する（内）面に対して、外側に面する（外）面に対する触覚的かつ視覚的識別を与えることができる。他の構成では、図示するものとは異なる材料を使用することができる。
【０５９０】
図示する構成では、頂部ストラップ部分６１０６、後部ストラップ部分６１０８および前部ストラップ部分６１１０は、互いに同じかまたは実質的に同じ断面寸法を有する。しかしながら、他の構成では、ストラップ部分６１０６、６１０８、６１１０の断面寸法は互いに異なる場合がある。図示する構成では、ストラップ部分６１０６、６１０８、６１１０は、各々、同じかまたは実質的に同じ幅６１２０を有する。さらに、ストラップ部分６１０６、６１０８、６１１０は、各々、同じかまたは実質的に同じである厚さ６１２４を画定することができる。
【０５９１】
図示する構成では、ストラップ部分６１０６、６１０８、６１１０の各々の幅６１２０は、１６ｍｍ〜２０ｍｍであり、または幅広と分類される。図示する構成では、ストラップ部分６１０６、６１０８、６１１０の各々の厚さ６１２４は、３ｍｍ〜４ｍｍである。こうしたストラップ厚さは厚いと分類することができる。厚さ６１２４を含む、ヘッドギア６１００の全体的な構造により、ヘッドギア６１００の可撓性が与えられ、それは、本明細書に開示する他のヘッドギア構成または概して他のヘッドギア構成に対する比較の目的で、非常に高いものとして特徴付けることができる。
【０５９２】
図１５８〜図１７３は、本明細書に開示するヘッドギアのうちの任意のもの等、ヘッドギアの一部または全体を形成することができる、いくつかのストラップ構成を示す。たとえば、図示するストラップ構成は、本明細書に開示するそれらのヘッドギア等、ヘッドギアの頭頂または頂部ストラップ、後部ストラップまたは前部ストラップの一部または全体を形成することができる。他の構成では、ストラップ構成は、インタフェースの額当てに接続するために使用される上部ストラップの一部または全体を形成することができる。図１５８〜図１７３のストラップ構成に対して、たとえば、ストラップの内面と外面（または他の面）との間の色および／または触覚の識別等、本明細書に開示する他のヘッドギア装置の特徴を適用することができる。
【０５９３】
図１５８および図１５９は、コア６２１２と、第１カバー層６２１４ａおよび第２カバー層６２１４ｂを備えるカバーとを備える、ストラップ６２００を示す。図示する構成では、カバー層６２１４ａ、６２１４ｂの縁部は、互いに接続されていない。したがって、コア６２１２の縁部は、カバー層６２１４ａ、６２１４ｂの間で露出している。コア６２１２は、プラスチック等、比較的剛性材料から構成することができる。いくつかの構成では、コア６２１２は、コア６２１２の縁部を成形する（たとえば、丸くする）ことができる射出成形プロセスによって形成される。カバー層６２１４ａ、６２１４ｂは、比較的軟質な布またはテキスタイル材料から構成することができる。図示する構成では、カバー層６２１４ａ、６２１４ｂの各々は、ＵＢＬ（連続ループ）材料から構成される。たとえば、ＲＦ溶接等、任意の好適な構成または方法によって、コア６２１２にカバー層６２１４ａ、６２１４ｂを固定することができる。たとえば接着剤等、他の好適な構成または方法も使用することができる。
【０５９４】
上述したように、カバー層６２１４ａ、６２１４ｂの縁部は、コア６２１２の縁部が露出するように、互いに接続されていない。コア６２１２の縁部は、不快である可能性があるかまたは使用者によって不快であると知覚される可能性がある鋭利な縁を回避するように、丸くなっている。丸い縁部は、丸められたコーナ、またはコア６２１２の厚さ全体を丸めることを含むことができる。いくつかの構成では、カバー層６２１４ａ、６２１４ｂの縁部は、コア６２１２を越えて延出するかもしくはコア６２１２から張り出し、または少なくとも、コア６２１２の縁部が丸くなり始める箇所を越えて延出する。こうした構成により、剛性プラスチックコア６２１２を隠し、コア６２１２の硬質な縁部を和らげる外観を与えることができる。
【０５９５】
図示するストラップ６２００は、幅６２２０および厚さ６２２４を画定する。ストラップ６２００の長さは、特定の用途に応じて変化する可能性がある。したがって、図１５８〜図１７３は、８０ｍｍの長さを有するストラップセグメントを示す。図示する構成では、ストラップ６２００の幅６２２０は１２ｍｍであり、ストラップ６２００の厚さ６２２４は２ｍｍである。しかしながら、こうした寸法は、例示および図１５８〜図１７３のストラップ構成間の比較のためであり、たとえば本明細書に開示するもの等、他の好適なストラップ寸法を用いることができる。
【０５９６】
図１６０および図１６１は、コア６３１２と、第１カバー層６３１４ａおよび第２カバー層６３１４ｂを備えるカバーとを備える、ストラップ６３００を示す。図示する構成では、カバー層６３１４ａ、６３１４ｂの縁部は、互いに接続されていない。したがって、コア６３１２の縁部は、カバー層６３１４ａ、６３１４ｂの間で露出している。コア６３１２は、プラスチック等、比較的剛性材料から構成することができる。いくつかの構成では、コア６３１２は、コア６３１２の縁部を成形する（たとえば、丸くする）ことができる射出成形プロセスによって形成される。カバー層６３１４ａ、６３１４ｂは、比較的軟質な布またはテキスタイル材料から構成することができる。図示する構成では、カバー層６３１４ａ、６３１４ｂの各々は、ＵＢＬ（連続ループ）材料から構成される。たとえば、ＲＦ溶接等、任意の好適な構成または方法によって、コア６３１２にカバー層６３１４ａ、６３１４ｂを固定することができる。たとえば接着剤等、他の好適な構成または方法も使用することができる。
【０５９７】
いくつかの構成では、コア６３１２は、コア６３１２の一部に沿って凹部または切取り部を含むことができる。図示するコア６３１２は、コア６３１２の厚さ全体を通って延在する幅方向に、コア６３１２の中心部分の切取り部６３３０を含む。切取り部６３３０は、ストラップ６３００または関連するヘッドギアの全体的な形状による等、要求に応じたサイズおよび形状とすることができる。こうした構成は、幅方向に圧縮性をもたらすことにより、ストラップ６３００の剛性を隠すのに役立つことができる。カバー層６３１４ａ、６３１４ｂの縁部は互いに接続されていないため、コア６３１２の縁部は露出している。コア６３１２の縁部は、不快である可能性があるかまたは使用者によって不快であると知覚される可能性がある鋭利な縁を回避するように、丸くなっている。丸い縁部は、丸められたコーナ、またはコア６３１２の厚さ全体を丸めることを含むことができる。いくつかの構成では、カバー層６３１４ａ、６３１４ｂの縁部は、コア６３１２を越えて延出するかもしくはコア６３１２から張り出し、または少なくとも、コア６３１２の縁部が丸くなり始める箇所を越えて延出する。こうした構成により、剛性プラスチックコア６３１２を隠し、コア６３１２の硬質な縁部を和らげる外観を与えることができる。
【０５９８】
図示するストラップ６３００は、幅６３２０および厚さ６３２４を画定する。図示する構成では、ストラップ６３００の幅６３２０は１２ｍｍであり、ストラップ６３００の厚さ６３２４は２ｍｍである。しかしながら、こうした寸法は、例示および図１５８〜図１７３のストラップ構成間の比較のためであり、たとえば本明細書に開示するもの等、好適なストラップ寸法を用いることができる。
【０５９９】
図１５２および図１５３は、コア６４１２と、第１カバー部分６４１４ａおよび第２カバー部分６４１４ｂを備えるカバーとを備える、ストラップ６４００を示す。図示する構成では、第１カバー部分６４１４ａは、コア６４１２の少なくとも一方の側および２つの縁部を包囲するように、コア６４１２の周囲に巻き付けられている。したがって、第１カバー部分６４１４ａの両縁部は、第１カバー部分６４１４ａによって覆われる側とは反対側のコア６４１２の側に位置する。第１カバー部分６４１４ａの両縁部は、間隔を空けて配置することができ、または接することができる。したがって、コア６４１２の縁部は、第１カバー部分６４１４ａによって覆われる。第２カバー部分６４１４ｂは、第１カバー部分６４１４ａの縁部が位置するコア６４１２の側に配置され、第１カバー部分６４１４ａの縁部を覆う。第２カバー部分６４１４ｂは、コア６４１２の関連する側の一部または全体を覆うことができる。
【０６００】
コア６４１２は、プラスチック等、比較的剛性材料から構成することができる。いくつかの構成では、コア６４１２は、コア６４１２の縁部を成形する（たとえば、丸くする）ことができる射出成形プロセスによって形成される。カバー部分６４１４ａ、６４１４ｂは、比較的軟質な布またはテキスタイル材料から構成することができる。図示する構成では、カバー部分６４１４ａ、６４１４ｂの各々は、ＵＢＬ（連続ループ）材料から構成される。たとえば、ＲＦ溶接等、任意の好適な構成または方法によって、コア６４１２にカバー部分６４１４ａ、６４１４ｂを固定することができる。たとえば接着剤等、他の好適な構成または方法も使用することができる。
【０６０１】
コア６４１２の縁部は、使用者によって不快である可能性があるかまたは使用者によって不快であると知覚される可能性がある鋭利な縁を回避するように、丸くすることができる。丸い縁部は、丸められたコーナ、またはコア６４１２の厚さ全体を丸めることを含むことができる。第１カバー部分６４１４ａをコア６４１２に巻き付けることにより、剛性プラスチックコア６４１２を隠し、コア６４１２の硬質な縁部を和らげる外観を与えることができる。第２カバー部分６４１４ｂは、内面として使用される場合、追加の快適さまたは知覚される快適さを与えることができ、湾曲したヘッドギア形状の巻付けを可能にすることができる。
【０６０２】
図示するストラップ６４００は、幅６４２０および厚さ６４２４を画定する。図示する構成では、ストラップ６４００の幅６４２０は１２ｍｍであり、ストラップ６４００の厚さ６４２４は２．５ｍｍである。しかしながら、こうした寸法は、例示および図１５８〜図１７３のストラップ構成間の比較のためであり、たとえば本明細書に開示するもの等、他の好適なストラップ寸法を用いることができる。
【０６０３】
図１６２および図１６３は、図１６２および図１６３のストラップ６４００と同様のストラップ６５００を示す。図１６４および図１６５のストラップ６５００は、コア６５１２と、第１カバー部分６５１４ａおよび第２カバー部分６５１４ｂを備えるカバー６５１４とを備える。図示する構成では、第１カバー部分６５１４ａは、コア６５１２の少なくとも一方の側および２つの縁部を包囲するように、コア６５１２の周囲に巻き付けられている。したがって、第１カバー部分６５１４ａの両縁部は、第１カバー部分６５１４ａによって覆われる側とは反対側のコア６５１２の側に位置する。しかしながら、第１カバー部分６５１４ａは、コア６５１２に隙間なく巻き付けられておらず、それにより、コア６５１２の一方または両方の縁部に隣接して、コア６５１２と第１カバー部分６５１４ａとの間にエアギャップ６５３２が提供される。第１カバー部分６５１４ａの両縁部は、間隔を空けて配置することができ、または接触することができる。したがって、コア６５１２の縁部は、第１カバー部分６５１４ａによって覆われるが、一方の縁部または両方の縁部にエアギャップ６５３２が介在している。第２カバー部分６５１４ｂは、第１カバー部分６５１４ａの縁部が位置するコア６５１２の側に配置され、第１カバー部分６５１４ａの縁部を覆う。第２カバー部分６５１４ｂは、コア６５１２の関連する側の一部または全体を覆うことができる。
【０６０４】
コア６５１２は、プラスチック等、比較的剛性材料から構成することができる。いくつかの構成では、コア６５１２は、コア６５１２の縁部を成形する（たとえば、丸くする）ことができる射出成形プロセスによって形成される。カバー部分６５１４ａ、６５１４ｂは、比較的軟質な布またはテキスタイル材料から構成することができる。図示する構成では、カバー部分６５１４ａ、６５１４ｂの各々は、ＵＢＬ（連続ループ）材料から構成される。たとえば、ＲＦ溶接等、任意の好適な構成または方法によって、コア６５１２にカバー部分６５１４ａ、６５１４ｂを固定することができる。たとえば接着剤等、他の好適な構成または方法も使用することができる。
【０６０５】
コア６５１２の縁部は、不快である可能性があるかまたは使用者によって不快であると知覚される可能性がある鋭利な縁を回避するように、丸くすることができる。丸い縁部は、丸められたコーナ、またはコア６５１２の厚さ全体を丸くすることを含むことができる。第１カバー部分６５１４ａをコア６５１２に巻き付けかつエアギャップ６５３２を設けることにより、剛性プラスチックコア６５１２を隠し、コア６５１２の硬質な縁部を和らげる外観を与えることができる。第２カバー部分６５１４ｂは、内面として使用される場合、追加の快適さまたは知覚される快適さを与えることができ、湾曲したヘッドギア形状の巻付けを可能にすることができる。
【０６０６】
図示するストラップ６５００は、幅６５２０および厚さ６５２４を画定する。図示する構成では、ストラップ６５００の幅６５２０は１２ｍｍであり、ストラップ６５００の厚さ６５２４は２．５ｍｍである。しかしながら、こうした寸法は、例示および図１５８〜図１７３のストラップ構成間の比較のためであり、たとえば本明細書に開示するもの等、他の好適なストラップ寸法を用いることができる。
【０６０７】
図１６６および図１６７は、コア６６１２と、第１カバー層６６１４ａおよび第２カバー層６６１４ｂを備えるカバーとを備えるストラップ６６００を示す。本明細書で用いる「層」という用語は、別段の指示がない限り、単一の材料または複数の材料（たとえば、複合材料）を有する構造を指す可能性がある。図示する構成では、カバー層６６１４ａ、６６１４ｂの縁部は互いに接続されていない。したがって、コア６６１２の縁部は、カバー層６６１４ａ、６６４１ｂの間で露出している。コア６６１２は、プラスチック等、比較的剛性材料から構成することができる。いくつかの構成では、コア６６１２は、コア６６１２の縁部を成形する（たとえば、丸くする）ことができる射出成形プロセスによって形成される。カバー層６６１４ａ、６６１４ｂは、比較的軟質な布またはテキスタイル材料等、複数の材料の複合材から構成することができる。図示する構成では、カバー層６６１４ａ、６６１４ｂの各々は、ＵＢＬ（連続ループ）材料から構成され、最上部にスペーサ布材料がある。すなわち、いくつかの構成では、ＵＢＬ材料の方がコア６６１２に近く、スペーサ布の方がコア６６１２から離れている。たとえば、ＲＦ溶接等、任意の好適な構成または方法によって、コア６６１２にカバー層６６１４ａ、６６１４ｂを固定することができる。たとえば接着剤等、他の好適な構成または方法も使用することができる。
【０６０８】
カバー層６６１４ａ、６６１４ｂの縁部は互いに接続されていないため、コア６６１２の縁部は露出している。コア６６１２の縁部は、不快で可能性があるかまたは使用者によって不快であると知覚される可能性がある鋭利な縁を回避するように、丸くなっている。丸い縁部は、丸められたコーナ、またはコア６６１２の厚さ全体を丸くすることを含むことができる。いくつかの構成では、カバー層６６１４ａ、６６１４ｂの縁部は、コア６６１２を越えて延出するかもしくはコア６６１２から張り出し、または少なくとも、コア６６１２の縁部が丸くなり始める箇所を越えて延出する。こうした構成により、剛性プラスチックコア６６１２を隠し、コア６６１２の硬質な縁部を和らげる外観を与えることができる。さらに、スペーサ布は、さらに剛性を隠し敏感な部位（たとえば、使用者の頬）に対して緩衝作用を与えるために、厚さ方向（図示する向きにおいて垂直方向）に追加の圧縮性を与える。
【０６０９】
図示するストラップ６６００は、幅６６２０および厚さ６６２４を画定する。図示する構成では、ストラップ６６００の幅６６２０は１２ｍｍであり、ストラップ６６００の厚さ６６２４は２ｍｍである。しかしながら、こうした寸法は例示および図１５８〜図１７３のストラップ構成間の比較のためであり、たとえば本明細書に開示するもの等、他の好適なストラップ寸法を用いることができる。
【０６１０】
図１６８および図１６７は、コア６７１２と、第１カバー層６７１４ａおよび第２カバー層６７１４ｂを備えるカバーとを備えるストラップ６７００を示す。図示する構成では、カバー層６７１４ａ、６７１４ｂの縁部は互いに接続されていない。したがって、コア６７１２の縁部は、カバー層６７１４ａ、６７４１ｂの間で露出している。コア６７１２は、プラスチック等、比較的剛性材料から構成することができる。いくつかの構成では、コア６７１２は、コア６７１２の縁部を成形する（たとえば、丸くする）ことができる射出成形プロセスによって形成される。カバー層６７１４ａ、６７１４ｂは、比較的軟質な布またはテキスタイルおよびフォームまたは同様の緩衝材料等、複数の材料の複合材から構成することができる。図示する構成では、カバー層６７１４ａ、６７１４ｂの各々は、ＵＢＬ（連続ループ）材料から構成され、最上部にｂｒｅａｔｈ−ｏ−ｐｒｅｎｅ材料がある。すなわち、いくつかの構成では、ＵＢＬ材料の方がコア６７１２に近く、ｂｒｅａｔｈ−ｏ−ｐｒｅｎｅ材料の方がコア６７１２から離れている。たとえば、ＲＦ溶接等、任意の好適な構成または方法によって、コア６７１２にカバー層６７１４ａ、６７１４ｂを固定することができる。たとえば接着剤等、他の好適な構成または方法も使用することができる。
【０６１１】
カバー層６７１４ａ、６７１４ｂの縁部は互いに接続されていないため、コア６７１２の縁部は露出している。コア６７１２の縁部は、不快である可能性があるかまたは使用者によって不快であると知覚される可能性がある鋭利な縁を回避するように、丸くなっている。丸い縁部は、丸められたコーナ、またはコア６７１２の厚さ全体を丸くすることを含むことができる。いくつかの構成では、カバー層６７１４ａ、６７１４ｂの縁部は、コア６７１２を越えて延出するかもしくはコア６７１２から突出し、または少なくとも、コア６７１２の縁部が丸くなり始める箇所を越えて延出する。こうした構成により、剛性プラスチックコア６７１２を隠し、コア６７１２の硬質な縁部を和らげる外観を与えることができる。さらに、ｂｒｅａｔｈ−ｏ−ｐｒｅｎｅ材料は、さらに剛性隠し敏感な部位（たとえば、使用者の頬）に対して緩衝作用を与えるために、厚さ方向（図示する向きにおいて垂直方向）に追加の圧縮性を与える。
【０６１２】
図示するストラップ６７００は、幅６７２０および厚さ６７２４を画定する。図示する構成では、ストラップ６７００の幅６７２０は１２ｍｍであり、ストラップ６７００の厚さ６７２４は２ｍｍである。しかしながら、こうした寸法は、例示および図１５８〜図１７３のストラップ構成間の比較のためであり、たとえば本明細書に開示するもの等、他の好適なストラップ寸法を用いることができる。
【０６１３】
図１７０および図１７１は、コア６８１２と、第１カバー層６８１４ａおよび第２カバー層６８１４ｂを備えるカバーとを備えるストラップ６８００を示す。図示する構成では、カバー層６８１４ａ、６８１４ｂの縁部は互いに接続されていない。したがって、コア６８１２の縁部は、カバー層６８１４ａ、６８４１ｂの間で露出している。コア６８１２は、プラスチック等、比較的剛性材料から構成することができる。いくつかの構成では、コア６８１２は、射出成形プロセスによって形成される。カバー層６８１４ａ、６８１４ｂは、比較的軟質な布またはテキスタイル材料から構成することができる。図示する構成では、カバー層６８１４ａ、６８１４ｂの各々は、ＵＢＬ（連続ループ）材料から構成される。任意の好適な構成または方法によって、コア６８１２にカバー層６８１４ａ、６８１４ｂを固定することができる。図示する構成では、コア６８１２の溶融材料は、本明細書に開示する方法等により、カバー層６８１４ａ、６８１４ｂの間に射出される。しかしながら、たとえば接着剤またはＲＦ溶接等、他の好適な構成または方法も使用することができる。
【０６１４】
カバー層６８１４ａ、６８１４ｂの縁部は互いに接続されていないため、コア６８１２の縁部は露出している。コア６８１２の縁部は、直角または鋭利である場合があるが、他の構成では、不快である可能性があるかまたは使用者によって不快であると知覚される可能性がある鋭利な縁を回避するように、丸くすることができる。いくつかの構成では、カバー層６８１４ａ、６８１４ｂの縁部は、コア６８１２を越えて延出するかもしくはコア６８１２から張り出す。こうした構成により、剛性プラスチックコア６８１２を隠し、コア６８１２の硬質な縁部を和らげる外観を与えることができる。
【０６１５】
図示するストラップ６８００は、幅６８２０および厚さ６８２４を画定する。図示する構成では、ストラップ６８００の幅６８２０は１０ｍｍであり、ストラップ６８００の厚さ６８２４は２ｍｍである。しかしながら、こうした寸法は、例示および図１５８〜図１７３のストラップ構成間の比較のためであり、たとえば本明細書に開示するもの等、他の好適なストラップ寸法を用いることができる。
【０６１６】
図１７２および図１７３は、コア６９１２と、コア６９１２の周囲に巻き付けられるカバー６９１４とを備えるストラップ６９００を示す。図示する構成では、カバー層６９１４の縁部はコア６９１２内に埋め込まれている。コア６９１２は、プラスチック等、比較的剛性材料から構成することができる。いくつかの構成では、コア６９１２は、射出成形プロセスによって形成される。カバー層６９１４は、比較的軟質な布またはテキスタイル材料から構成することができる。図示する構成では、カバー層６９１４は、ＵＢＬ（連続ループ）材料から構成される。任意の好適な構成または方法によって、コア６９１２にカバー層６９１４を固定することができる。図示する構成では、カバー層６９１４は、平坦な材料片の両縁部を縫合すること等により、管状構造として構成される。コア６９１２の溶融材料は、本明細書に開示する方法等により、管状カバー層６９１４の中心に射出される。しかしながら、たとえば接着剤またはＲＦ溶接等、他の好適な構成または方法も使用することができる。
【０６１７】
コア６９１２の縁部は、不快である可能性があるかまたは使用者によって不快であると知覚される可能性がある鋭利な縁を回避するように、丸くすることができる。さらに、カバー層６９１４は、好ましくは、コア６９１２の縁部の周囲に巻き付けられる。こうした構成により、剛性プラスチックコア６９１２を隠し、コア６９１２の硬質な縁部を和らげる外観を与えることができる。
【０６１８】
図示するストラップ６９００は、幅６９２０および厚さ６９２４を画定する。図示する構成では、ストラップ６９００の幅６９２０は１０ｍｍであり、ストラップ６９００の厚さ６９２４は２ｍｍである。しかしながら、こうした寸法は、例示および図１５８〜図１７３のストラップ構成間の比較のためであり、たとえば本明細書に開示するもの等、他の好適なストラップ寸法を用いることができる。
【０６１９】
図１７４および図１７５Ａは、図１３８および図１３９のヘッドギア５５００と同様のヘッドギア５５００を示した。したがって、同じかまたは同様の特徴を示すために同じ参照番号を用いる。さらに、図１７４および図７５Ａに関連して考察しないいかなる詳細も、図１３８および図１３９の対応する特徴または構成要素と同じかもしくは同様であり得るか、または別の好適な構成であり得る。ヘッドギア５５００は、第１ヘッドギア部分またはストラップ５５０２および第２ヘッドギア部分またはストラップ５５０４を有する。第１ストラップ５５０２は、頂部ストラップまたは頭頂ストラップ部分５５０６を画定することができ、第２ストラップ５５０４は、後部ストラップ部分５５０８を画定することができる。図示する構成では、第１ストラップ５５０２は後部ストラップ部分５５０８の一部も形成し、それにより、後部ストラップ部分５５０８は、第１ストラップ５５０２および第２ストラップ５５０４の両方の部分を含む。さらに、第２ストラップ５５０４は、ヘッドギア５５００の前部ストラップ部分５５１０を画定する。
【０６２０】
図示する構成では、第１ストラップ５５０２および第２ストラップ５５０４の各々が、コア５５１２およびカバー層５５１４を備える。いくつかの構成では、コア５５１２は、射出成形プラスチック材料等、比較的剛性材料から構成することができる。いくつかの構成では、カバー層５５１４は、布またはテキスタイル材料である。カバー層５５１４は、コア５５１２の周縁部の一部または全体を包囲する。図示する構成では、第１ストラップ５５０２のコア５５１２はプラスチックであり、カバー層５５１４は、軟質なキルティング布材料である。カバー層５５１４の材料の両縁部を縫合等によって接合して継目５５１６を形成することにより、そうした材料を管状構造に形成することができる。継目５５１６は、いずれかの側部（幅方向）またはいずれかの端部（厚さ方向）に沿う等、第１ストラップ５５０２の任意の所望の表面部分に配置することができる。図示する構成では、継目５５１６は、第１ストラップ５５０２の使用者に接する面すなわち内面に配置されている。
【０６２１】
図示する第２ストラップ５５０４のコア５５１２はプラスチックであり、カバー層５５１４は、管状構造に形成された比較的耐久性のあるかつつるつるした（ｓｌｉｐｐｅｒｙ）材料である。カバー層５５１４の材料の両縁部を縫合等によって接合して継目５５１６を形成することにより、そうした材料を管状構造に形成することができる。第１ストラップ５５０２および第２ストラップ５５０４の各々のカバー層５５１４を、コア５５１２とは別個に形成することができ、カバー層５５１４をコア５５１２の上に滑り込ませる等により、コア５５１２の上に組み付けることができる。いくつかの構成では、コア５５１２の上にカバー層５５１４を緩く受け入れることができる。言い換えれば、コア５５１２にカバー層５５１４を付着させない場合があり、それにより、カバー層５５１４とそれぞれのコア５５１２との間に幾分かの相対移動が可能である。いくつかの構成では、コア５５１２の縁部とカバー層５５１４の縁部との間に間隙５５３２を設けることができる。こうした構成により、快適さを向上させることができる。しかしながら、望ましい場合は、本明細書に記載するように、カバー層５５１４内に成形すること等により、またはたとえば接着剤等により、コア５５１２にカバー層５５１４を隙間なく付着させることができる。
【０６２２】
図示する構成では、第１ストラップ５５０２および第２ストラップ５５０４は、後部ストラップ部分５５０８の実質的に全体に沿って接合される。第１ストラップ５５０２および第２ストラップ５５０４は、頂部ストラップ部分５５０６、後部ストラップ部分５５０８および前部ストラップ部分５５１０の間の接合部で分離している。第１ストラップ５５０２および第２ストラップ５５０４は、第１ストラップ５５０２のカバー層５５１４と第２ストラップ５５０４のカバー層５５１４との間の縫合接合部または接着接合部による等、任意の好適な構成によって互いに固定することができる。ＲＦ溶接または超音波溶接も使用することができる。望ましい場合は、コア５５１２の溶融材料がカバー層５５１４内に導入される溶融プロセス中に、ストラップ５５０２、５５０４を互いに固定することができる。
【０６２３】
図示する構成では、使用時に、第１ストラップ５５０２が第２ストラップ５５０４より使用者に近いように、第１ストラップ５５０２は、後部ストラップ部分５５０８において第２ストラップ５５０４の内側に位置している。したがって、第ストラップ５５０２は、後部ストラップ部分５５０８の使用者接触面の一部または全体を画定することができる。図示する構成では、第１ストラップ５５０２は頂部ストラップ部分５５０６も画定するため、第１ストラップ５５０２は、ヘッドギア５５００の頂部ストラップ部分５５０６および後部ストラップ部分５５０８の両方の使用者接触面を画定する。第１ストラップ５５０２のキルティング材料は、使用者に対して柔らかさおよび快適さを提供しかつ／または運ぶことができる。第２ストラップの材料は、耐久性および優れた枕滑り特性を提供することができる。
【０６２４】
図１７５Ｂおよび図１７５Ｃは、図１７４のヘッドギア５５００のストラップ５５０２、５５０４の代替的な構成を示す。図１７５Ｂおよび図１７５Ｃの両方の設計により、後方部分５５０８が両ストラップ５５０２、５５０４の結合された厚さを有する、図１７５Ａの構成とは対照的に、厚さの低減した積重ねが可能になる。図１７５Ｂを参照すると、ストラップ５５０４に沿った長手方向に凹部５５５０が設けられている。凹部５５５０は、ストラップ５５０２の一部または全体を受け入れるように構成されている。図示する構成では、ストラップ５５０２の少なくとも実質的に全体が、凹部５５５０内に収容され、それにより、ストラップ５５０２、５５０４の内面は、使用者に対して快適さを与えるように実質的に位置合せされる。少なくともいくつかの実施形態では、ストラップ５５０４は、ストラップ５５０２より耐荷重が高いストラップであり、それにより、ストラップ５５０４は、関連するマスクを使用者の顔面と封止係合して保持する。少なくともいくつかの実施形態では、ストラップ５５０２は、ストラップ５５０４に比較して耐荷重性の低いストラップである。（図示する構成においてストラップ５５０２のみによって画定される）頂部ストラップ５５０６は、典型的には、ヘッドギアアセンブリ５５００を耳の上方で維持する垂直力ベクトルを維持する。これを達成するために必要な力は、マスク吹出力より低い力である可能性がある。したがって、頂部ストラップ５５０６は、ストラップ５５０４より小さくかつ／または軽量であり得る。凹部５５５０は、その端部において上方に延出して、ストラップ５５０２がヘッドギア５５００の後部ストラップ部分５５０８から頂部ストラップ部分５５０６まで遷移することができるようにする。図示するストラップ５５０４は、比較的厚い上端または上縁および下端または下縁を含み、それにより、ストラップは、比較的高い引張力に適応することができる。すなわち、中間領域は、ストラップ５５０４の非弾性特性を損なうことなく凹部５５５０を画定することができる。ストラップ５５０２は、上述したように、その長さ全体またはその長さの実質的に全体を通して、図１７５Ｂに示すように幅が狭い場合がある。他の実施形態では、ストラップ５５０２は、その長さに沿って幅が変化することができる。たとえば、ストラップ５５０２は、頂部ストラップ部分５５０６においてストラップ５５０４と同じ幅であり、ストラップ５５０４の凹部５５５０内に配置される場所における低減した幅まで遷移することができる。望ましい場合は、ストラップ５５０２、５５０４を互いに固定するために、さまざまな好適な取付機構（たとえば、接着剤、オーバモールド、縫合等）を採用することができる。いくつかの構成では、野球帽型スナップ（たとえば、ストラップ５５０２または５５０４のうちの一方の複数の突起および他方のストラップ５５０２または５５０４の対応するスナップ式レセプタクル）がはめ込まれる。カバー層５５１４は、突起もしくはレセプタクル、または他の噛み合い機構の各々、いくつかまたは全体に対するアクセス開口部を含むことができる。図示する構成を反転させることも可能であり、凹部５５５０がヘッドギア５５００の非患者接触側にあるように、ストラップ５５０２内にストラップ５５０４を受け入れることができる。図１７５Ｃは、図１７５Ｂのものに類似する構成を示すが、図１７５Ｃの構成では、ストラップ５５０２、５５０４は互いに噛み合う。特に、凹部５５５０は、凹部５５５０の内部より幅が狭い開口部５５５２を有し、それにより、ストラップ５５０２は開口部５５５２を通過することができない。図示する凹部５５５０は台形断面形状を有し、ストラップ５５０２は対応する形状を有する。ストラップ５５０２は、必ずしも凹部５５５０全体を充填する必要はない。ストラップ５５０２は、組立を容易にするためにストラップ５５０４との接触面を制限するような形状とすることができる。しかしながら、幅の狭い開口部を有する他の形状、または他の好適な噛み合い機構も同様に使用することができる。図示する形状は、少なくともいくつかの構成では他のいかなる取付機構も必要としない機械的噛み合いを形成するように合わせて作用する。しかしながら、望ましい場合、上述したもの等の好適な取付機構を採用することができる。
【０６２５】
図１７６〜図１９６は、図１４１〜図１４３のヘッドギア５６００と同様のいくつかのヘッドギア構成５６００を示す。したがって、同じかまたは同様の特徴を示すために同じ参照番号を用いる。さらに、図１７６〜図１９３に関連して考察したいかなる詳細も、図１４１〜図１４３の対応する特徴または構成要素と同じかもしくは同様であり得るか、別の好適な構成であり得る。各ヘッドギア５６００は、第１ヘッドギア部分またはストラップ５６０２および第２ヘッドギア部分またはストラップ５６０４を有する。第１ストラップ５６０２は頂部ストラップまたは頭頂ストラップ部分５６０６を画定し、第２ストラップ５６０４は後部ストラップ部分５６０８を画定する。
【０６２６】
第１ストラップ５６０２および第２ストラップ５６０４は協働して、各ヘッドギア５６００の前部ストラップ部分５６１０を画定する。第１ストラップ５６０２は、前部ストラップ部分５６１０内で第２ストラップ５６０４の上方に配置され、それにより、前部ストラップ部分５６１０の幅は、第１ストラップ５６０２および第２ストラップ５６０４の結合された幅に等しくなる。第１ストラップ５６０２および第２ストラップ５６０４は、結合機構、カプラまたはコネクタ５６５０により、前部ストラップ部分５６１０内で互いに接合される。図示する構成では、結合機構５６５０はまた、第１ストラップ５６０２および第２ストラップ５６０４を、任意の好適な構成によってインタフェースに結合することができる前部ストラップコネクタまたは延長ストラップ５６５２にも接合する。延長ストラップ５６５２は、本明細書に開示するかまたは他の方法で既知であるストラップ装置のうちの任意のもの等、任意の好適な構成であり得る。いくつかの構成では、結合機構５６５０は、第１ストラップ５６０２および第２ストラップ５６０４の上にオーバモールドされてストラップ５６０２、５６０４を接合する。結合機構５６５０もまた、延長ストラップ５６５２の上にオーバモールドすることができる。いくつかの構成では、結合機構５６５０は、延長ストラップ５６５２の上にオーバモールドされず、延長ストラップ５６５２は、たとえばスナップフィット接続等、別の好適な結合機構によって、結合機構５６５０に結合される。結合機構５６５０は、その一部がストラップ５６０２、５６０４の対向する側（たとえば、内側および外側ならびに／または上側および下側）に配置されるように、第１ストラップ５６０２および第２ストラップ５６０４（ならびにいくつかの構成では延長ストラップ５６５２）を包囲することができる。いくつかの構成では、たとえば、クラムシェルまたはスナップフィット（ｓｎａｐ−ｔｏｇｅｔｈｅｒ）機構等、ストラップ５６０２、５６０４、５６５２に結合機構５６５０を他の方法で組み付けることができる。
【０６２７】
図示する構成では、第１ストラップ５６０２および第２ストラップ５６０４は、コア５６１２およびカバー層５６１４を有する複合構造を備える。いくつかの構成では、コア５６１２は、射出成形プラスチック材料等、比較的剛性材料から構成される。いくつかの構成では、カバー層５６１４は、布またはテキスタイル材料である。カバー層５６１４は、コア５６１２の周縁部の一部または全体を包囲する。本明細書に開示するもの等、任意の好適な材料または材料の組合せを使用することができる。
【０６２８】
図示する構成では、ストラップ５６０２、５６０４は、本明細書に開示するプロセスのうちの任意のものに従って、溶融プラスチック材料をカバー層５６１４内に導入し、溶融プラスチック材料が、温度が低下してコア５６１２を形成するのを可能にすることによって形成される。カバー層５６１４は、別個の層、編み管状構造であり得るか、またはコア５６１２に埋め込むことができる継目を有する縫合チューブであり得る。別法として、第１ストラップ５６０２および第２ストラップ５６０４の各々のカバー層５６１４を、コア５６１２とは別個に形成することができ、接着剤または他の好適な構成等により、コア５６１２に固定することができる。
【０６２９】
本明細書に開示するように、第１ストラップ５６０２および第２ストラップ５６０４のカバー層５６１４は、ストラップ５６０２、５６０４の互いからの識別を可能にするように異なるテクスチャを有することができる。さらにまたは別法として、第１ストラップ５６０２および第２ストラップ５６０４は、ストラップ５６０２、５６０４の識別を可能にするように異なる色を有することができる。望ましい場合は、ヘッドギア５６００の内側に面する面および外側に面する面は、内側に面する面と外側に面する面との識別を可能にするように、異なる色および／またはテクスチャを有することができる。
【０６３０】
図１７６〜図１９３のヘッドギア装置は、第１ストラップ５６０２および第２ストラップ５６０４を互いに、望ましい場合は延長ストラップ５６５２に結合する結合機構５６５０が異なる。次に、図１７６〜図１９３の異なる結合機構５６５０について記載する。図１７６〜図１７８の結合機構５６５０は、コーナが丸く、側方から見ると形状が概して三角形である。結合機構５６５０は、ヘッドギア５６００の向きに対して後方位置から前方位置に向かってストラップ５６０２、５６０４の幅方向において、またはストラップ５６０２、５６０４から延長ストラップ５６５２に向かう方向において、サイズが増大する。
【０６３１】
結合機構５６５０は、結合機構５６５０の凹状部分を画定することができる、比較的厚い外周部部分５６５４および比較的薄い内側部分５６５６を含む。結合機構５６５０は、反対側の面（内面）において同じ構成または外観を有することができ、または使用者に面する比較的平面の表面を有することができる。図示する構成では、結合機構５６５０の部分５６５８は、ストラップ５６０２、５６０４を互いに接合するのに役立つように、第１ストラップ５６０２と第２ストラップ５６０４との間に延在している。
【０６３２】
図１７９〜図１８１は、各端部に、ストラップを完全に取り囲むバンド部分５６６０を有する結合機構５６５０を示す。後方バンド部分５６６０は、ストラップ５６０２、５６０４のみを取り囲むことができる。前方バンド部分５６６０は、延長ストラップ５６５２とともにストラップ５６０２、５６０４を取り囲むことができ、または延長ストラップ５６５２のみを取り囲むことができる。バンド部分５６６０の間にブリッジ部分５６６２が延在することができる。ブリッジ部分５６６２は、ストラップ５６０２、５６０４のうちの一方のみを取り囲むことができる。図示する構成では、ブリッジ部分５６６２は、第２ストラップ５６０４すなわち下部ストラップを包囲するが、他の構成では、ブリッジ部分５６６２は、第１ストラップ５６０２すなわち上部ストラップを包囲することができる。ストラップ５６０２、５６０４の間に、ブリッジ部分５６６２および／またはバンド部分５６６０の部分５６５８を配置することができる。すなわち、ストラップ５６０２、５６０４の間の部分５６５８は、結合機構５６５０内のストラップ５６０２、５６０４の部分のうちのいくつかまたはすべてに沿って、ストラップ５６０２、５６０４の間に延在することができる。
【０６３３】
図１８２〜図１８４の結合機構５６５０は、第１ストラップ５６０２および第２ストラップ５６０４の一方の側部または両側部に沿った材料を省き、それにより、ストラップ５６０２、５６０４の側部は露出したままである。結合機構５６５０は、ストラップ５６０２、５６０４の間に、結合機構５６５０の一部または全体に沿って延在することができる部分５６５８を含む。いくつかの構成では、結合機構５６５０は、ストラップ５６０２、５６０４、いくつかの構成では延長ストラップ５６５２を包囲する前方バンド５６６０を備える。バンド５６６０は、延長ストラップ５６５２に他の方法で接続するように構成することができる。いくつかの構成では、結合機構５６５０は、後端にウェブまたはガセット５６６４を備える。ガセット５６６４は、形状が概して三角形とすることができ、ストラップ５６０２、５６０４の間でコネクタの後端を補強して、ストラップ５６０２、５６０４が分離するのを阻止または防止することができる。ガセット５６６４はまた、ストラップ５６０２、５６０４を所望の角度で保持して、頂部ストラップ５６０６および後部ストラップ５６０８を適所に配置することも可能である。
【０６３４】
図１８５〜図１９７の結合機構５６５０は、図１８２〜図１８４の結合機構と同様である。しかしながら、図１８５〜図１８７の結合機構５６５０は、ストラップ５６０２、５６０４の内側面および外側面のうちの一方または両方の一部の上に延在するかまたはそれを覆う。結合機構５６５０は、前方バンド５６６０、後方ガセット５６６４、および前方バンド５６６０と後方ガセット５６６４との間に延在するブリッジ部分５６６２を含む。ブリッジ部分５６６２は、幅方向にストラップ５６０２、５６０４のうちの一方または両方の側面の一部に沿って延在する部分とともに、ストラップ５６０２、５６０４の間に配置された部分５６５８を含む。側面から見ると、結合機構５６５０は、各端部から中心に向かってテーパ状になることができる。
【０６３５】
図１８８〜図１９０の結合機構５６５０は、ストラップ５６０２、５６０４の間に配置される部分５６５８のみを含む。図示する構成では、部分５６５８は、ストラップ５６０２、５６０４の厚さ方向において前部ストラップ５６１０を完全に貫通して延在せず、それにより、部分５６５８は、前部ストラップ５６１０の内側および外側の各々に一対の別個の部分を含む。しかしながら、他の構成では、部分５６５８は、ストラップ５６０２、５６０４の厚さ方向において前部ストラップ５６１０を完全に貫通して延在することができる。部分５６５８は、結合機構５６５０の全体に沿って延在することができ、またはそれに沿って断続的であり得る。
【０６３６】
図１９１〜図１９３の結合機構５６５０は、図１７９〜図１８１の結合機構５６５０と同様であるが、ブリッジ部分５６６２が、図１８５〜図１８４のブリッジ部分５６６２と同様に、ストラップ５６０２、５６０４の組合せに対して中心に位置する点が異なる。図１９１〜図１９３の結合機構５６５０は、前方バンド部分５６６０、後方バンド部分５６６０、およびバンド部分５６６０の間に延在するブリッジ部分５６６２を含む。ブリッジ部分５６６２は、ストラップ５６０２、５６０４の幅方向においてストラップ５６０２、５６０４のうちの一方または両方の内側および外側のうちの一方または両方に沿って延在する部分とともに、ストラップ５６０２、５６０４の間の部分５６５８を備える比較的薄い部材であり得る。
【０６３７】
図１９４〜図２２１は、ヘッドギアで使用されるのに好適なストラップ部分、ヘッドギアの一部またはヘッドギアの変形を示す。図１９４〜図２２１に開示する構成は、本明細書に開示するプロセスまたは方法のうちの任意ものに従って、１つまたは複数の材料の１つまたは複数の層によって画定される空隙または空間内に溶融プラスチック材料を導入することによって構築することができる。図１９４〜図２２１に開示する構成は、他の好適なプロセスまたは方法によって構築することができる。それらの構成は、概して、相対的に剛性または半剛性コア７０１２と１つまたは複数の外層７０１４とを備える。コア７０１２は、プラスチック材料、本明細書に開示する他の任意の材料、または他の任意の好適な材料から構成することができる。１つまたは複数の外層７０１４は、布もしくはテキスタイル材料、本明細書に開示する他の任意の材料、または他の任意の好適な材料から構成することができる。カバー層７０１４は、編、織または編組材料を含むことができ、弾性または非弾性であり得る。
【０６３８】
図１９４は、コア７０１２および外層７０１４を有するストラップ７０００を示す。外層７０１４は、コア７０１２の長辺側に固定され、コア７０１２の短辺側または縁部から間隔が空けられて、ストラップ７０００の各側縁部７０５０に空隙またはエアギャップ７０１２をもたらす。こうした構成により、外層７０１４の側縁部７０５０は、プラスチックコア７０１２に向かって圧縮されて、ストラップ７０００の幅および／または厚さ方向に変形するかまたは幾分かの緩衝作用を与える、側縁部７０５０の何らかの可能性を提供することができる。空隙７０３２によって与えられる緩衝作用により、コア７０１２の硬い縁部と、使用者の頭部、特に耳との間の接触を低減させるかまたはなくすことにより、快適さを向上させることができる。ストラップ７０００の幅方向において、空隙７０３２は、各々、たとえば３ｍｍの寸法を有することができ、コア７０１２は、たとえば、合計９ｍｍの幅に対して３ｍｍの寸法を有することができる。その結果、空隙７０３２およびコア７０１２の各々は、ストラップ７０００の幅寸法の約１／３を占有することができる。こうした構成により、上述したように、知覚の観点から一部の使用者に対して望ましい可能性がある、コア７０１２の比較的小さい寸法による比較的高い可撓性が与えられる。使用者は、ストラップ７０００に手で力を加え、幾分かの伸縮性を感知することができる。しかしながら、使用時、ストラップ７０００を組み込んだヘッドギアは、使用者の頭部とストラップ７０００との間の摩擦のために実質的に非弾性ヘッドギアとして機能することができる。別法として、空隙７０３２は、各々、たとえば２ｍｍの寸法を有することができ、コア７０１２は、合計９ｍｍの幅に対してストラップ７０００の幅方向において、たとえば５ｍｍの寸法を有することができる。こうした構成（たとえば、中間幅のコア７０１２）は、より小さいコア７０１２を有するストラップ７０００より優れた可撓性および低い弾性を提供することができる。空隙７０３２によって与えられる可撓性および緩衝作用または圧縮性の所望の量に応じて、他の好適な相対寸法を用いることも可能である。記載した寸法または比率を含むこうした構成はまた、たとえば、図１３８および図１７４に示すもの等、本明細書に開示する他のストラップまたはヘッドギアにも適用することができる。たとえば、図１３８のヘッドギア５５００において、ストラップ５５０２は、３ｍｍの空隙および３ｍｍのコア５５１２を有することができ、ストラップ５５０４は２ｍｍの空隙および５ｍｍのコア５５１２を有することができる。これにより、頂部ストラップ５５０６に対して、後部ストラップ５５０８より高い弾性を与えることができる。
【０６３９】
図１９５および図１９６は、コア７０１２、外層７０１４、およびその側縁部７０５０の空隙７０３２を含む、図１９４のストラップ７０００と同様のストラップ７０００を示す。しかしながら、図１９５および図１９６のストラップ７０００は、各々、カバー層７０１４の内部にストラップ７０００に沿った長手方向に延在する導管７０５２を含む。図１９５は、ストラップ７０００の断面サイズに対して比較的大きい導管７０５２を示し、それは、概して矩形のコア７０１２内に部分的にはめこまれている。図１９６は、空隙７０３２および丸いコア７０１２のうちの一方の中に配置された比較的小さい導管７０５２を示す。他の構成では、空隙７０３２の一方または両方の中に追加の導管７０３２を設けることができる。導管７０５２は、調整機構（たとえば、ロックフィラメントを含む）、電気配線または他の任意の目的で使用されるために、空気供給源として利用することができる。
【０６４０】
図１９７〜図１９９は、図１９５および図１９６のストラップ７０００と同様のストラップ７０００を示すが、図１９７〜図１９９のストラップ７０００は空隙７０３２を省く点が異なる。図１９７のストラップ７０００は、矩形コア７０１２の中心に入れられた導管７０５２を含む。他の構成では、導管７０５２は中心から外れている場合があり、かつ／または追加の導管７０５２が含められる場合がある。図１９８は、概して矩形のコア７０１２内に入れられた一対の導管７０５２を有するストラップ７０００を示す。外側ケーシングは、一対の外層７０１４を備え、それらの縁部は互いに固定されている場合もあればされていない場合もある。図１９９は、楕円形断面形状を有するコア７０１２によって画定された一対の導管７０５２を有するストラップ７０００を示す。いくつかの構成では、導管７０５２が圧縮性であり緩衝作用を与えるように、幾分か可撓性がある材料（たとえば、ＴＰＥ）からコア７０１２を構成することができる。
【０６４１】
図２００〜図２０３は、少なくとも１つのエアギャップ７０３２を含むストラップ７０００を示す。図２００〜図２０３のストラップ７０００のエアギャップ７０３２は、図１９４〜図１９６の空隙７０３２より大きい可能性があり、かつ／またはコア７０１２の２つ以上の側部または縁部に位置する（もしくは位置することができる）可能性がある。たとえば、図２００は、少なくともいくつかの状況下で、コア７０１２の一方の側部および両方の側縁部に配置されるエアギャップ７０３２を有するストラップ７０００を示す。コア７０１２のエアギャップ７０３２と反対側に、外層７０１４を取り付けることができる。いくつかの構成では、エアギャップ７０３２は、ストラップ７０００の内側すなわち使用者接触側に位置することができる。図２０１ａおよび図２０１ｂは、ストラップ７０００がコア７０１２および外層７０１４の分断した移動をいかに可能にすることができるかを示す。したがって、コア７０１２は、使用者の皮膚の上で外層７０１４が対応して移動することなく、移動することができる。図２０２は同様のストラップ７０００を示すが、コア７０１２の一部が外側に露出している点が異なる。たとえば、コア７０１２の非使用者側を露出させることができ、外層７０１４は、コア７０１２を完全には取り囲まず、コア７０１２を部分的にのみ包囲する。図２０３は、外層７０１４の側縁部が露出していないが、コア７０１２の一部が重なっているストラップ７０００を示す。コア７０１２は、外層７０１４の側縁部を受け入れるように構成されたポケットまたは凹部を画定することができる。コア７０１２および外層７０１４の全体的な構成により、ストラップ７０００に対して、楕円形断面形状を与えることができる。
【０６４２】
図２０４〜図２０７は、外層７０１４内に１つまたは複数の補強部材７０６０を有するストラップ７０００を示す。特に、図示する実施形態は、少なくとも部分的にコア７０１２内に収容されるかまたはコア７０１２によって包囲される１つまたは複数の補強部材７０６０を含む。補強部材７０６０は、ストラップ７０００の形状のカスタマイズを可能にするように変形しストラップ７０００を変形状態で維持することができる、非弾性糸もしくは炭素繊維、予備成形された構造的構成要素（たとえば、プラスチックもしくは金属）または可鍛性要素（たとえば、金属ワイヤ）等、補強材料の繊維またはストランドであり得る。補強部材７０６０は、提供される追加のまたは局所化した剛性または非弾性によって、ストラップ７０００の特性を変更することができる。したがって、補強部材７０６０は、ストラップ７０００または関連するヘッドギアの一部または全体に沿って延在することができる。図２０４および図８８は、コア７０１２内に封入された概して矩形断面形状を有する複数の細長い補強部材７０６０を有するストラップ７０００を示す。図２０４は、コア７０１２の形成前のカバー層７０１４および補強部材７０６０を示す。図２０６は、コア７０１２の厚さを部分的に、実質的に完全にまたは完全に通って延在する補強部材７０６０を有するストラップ７０００を示す。こうした補強部材７０６０は、コア７０１２の形成前に、カバー層７０１４または管状カバー層の対向する側面を、互いに分離して維持するのに役立つことができる。こうした構成では、部材７０６０は、コア７０１２の同じ材料から作製することができ、したがって、コア７０１２に対して補強を与えない可能性があり、単にカバー保持部材７０６０である可能性がある。図２０７は、Ｉビームに類似する概してＩ字型断面を有する補強部材７０６０を有するストラップ７０００を示す。補強部材７０６０は、薄い部分またはウェブによって分離された２つの厚い部分またはフランジを有する。
【０６４３】
図２８０および図２０９は、プラスチックコア７０１２、１つまたは複数の外層７０１４、および外層７０１４内の追加の緩衝層７０６２を有するストラップ７０００を示す。図示する構成では、緩衝層７０６２は、コア７０１２の周囲に部分的にまたは完全に配置される。図２０８では、緩衝層７０６２は、外層７０１４によって完全に封入されている。図２０９では、外層７０１４は、緩衝層７０６２を部分的にのみ包囲し、それにより、緩衝層７０６２の一部が外側に露出している。緩衝層７０６２は、所望の量の緩衝を提供する、軟質ＴＰＥ、発泡プラスチックまたは他のプラスチック等の任意の好適な材料から構成することができる。いくつかの構成では、緩衝層７０６２は、ショア硬度００スケールで０〜４０の硬度を有する。緩衝層７０６２をコア７０１２とコモールドすることができ、または他の方法で形成することができる。図示する構成により、半剛性ヘッドギアの構造に対して、その周囲における緩衝層７０６２の快適さを与えることができる。緩衝層７０６２は変形可能であり、それにより、耳の上方等、使用者に対してある程度まで沿うことができ、快適さを向上させることができる。図２０９に示すような緩衝層７０６２の突出は、位置合せ指標として作用するか、または使用時に使用者の頭部をつかむ領域を提供することができる。外層７０１４および緩衝層７０６２は、位置合せ指標の認識を容易にするために異なる色であり得る。
【０６４４】
図２１０および図２１１は、複数のストラップを有するヘッドギアを示し、ストラップのうちのいくつかまたはすべてが、本明細書に開示する他の特徴もあるが特に、コア７０１２および外層７０１２を有するストラップ７０００であり得る。図２１０および図２１１のヘッドギアは、複数のストラップ７０００を合わせてかつ／または互いに対して所望の位置で固定することができる結合機構７０７０を備える。結合機構７０７０は、図１７６〜図１９３の５６５０の結合機構と同様であり得る。図示する結合機構７０７０は、複数のストラップ７０００の間でオーバモールド接合部の形態である。図２１１は、結合機構７０７０とストラップ７０００のうちの１つとの接続の断面図を示す。結合機構７０７０の一部が、ストラップ７０００の外層７０１４の各側の一部を覆い、そうした結合機構７０７０の一部を、オーバモールドプロセスを介してカバー７０１４に付着させるかまたは取り付けることができる。図示する構成では、結合機構７０７０は、コア７０１２とは別個である（ただし、オーバモールドプロセスを介して付着させるかまたは取り付けることができる）が、他の構成では、コア７０１２と同時に結合機構７０７０を形成することができる。結合機構７０７０は剛性がある場合もあれば可撓性がある（たとえば、ＴＰＥである）場合もある。結合機構７０７０は、実質的に平坦であり、または、顔面形状に対応しかつ／または３次元においてストラップ７０００を方向付けるような形状等の形状であり得る。こうした構成により、適切な外観が与えられ、すり切れさせるかまたは粗い縁を防止することができる。
【０６４５】
図２１２〜図２１８は、カバー層７０１４に継目がないか、またはコア７０１２に外層７０１４の側縁部を封入する、ストラップ７０００を示す。こうした構成により、処理後ステップにおいて仕上げが必要な外側の布の縁部が回避される。ストラップ７０００は、コア７０１２と、１つまたは複数の外層７０１４と、いくつかの構成では１つまたは複数の空隙７０３２を含むことができる。コア７０１２は、任意の好適な断面形状を有することができ、望ましい場合は、３次元曲率を有することができる。外層７０１２は、天然繊維または合成繊維等、任意の好適な材料とすることができ、弾性でも非弾性であり得る。
【０６４６】
図２１２〜図２１４は、単一部片の外層７０１４を有するストラップ７０００を示す。図２１２は、継目なしの管状外層７０１４を有するストラップ７０００を示す。図示するストラップ７０００は、コア７０１２と外層７０１４との間のストラップ７０００の各側縁部に空隙７０３２を含むが、それは省くことができる。図２１３は、外層７０１４の側縁部がコア７０１２内に封入されているストラップ７０００を示す。図示する構成は空隙７０３２を含むが、それは省くことができる。図２１４は、継目７０１６を備えた外層７０１４を有するストラップ７０００を示す。継目７０１６は、縫合継目、溶接継目、接着継目、または別の接合方法によって生成される他のタイプの継目であり得る。コア７０１２内に外層７０１４の側縁部を封入することができる。継目７０１６はストラップ７０００の、外側であり得る側に配置されるが、同様に他の方法で配置することができる。
【０６４７】
図２１５および図２１６は、複数部片の外層７０１４を有するストラップ７０００を示す。図示するストラップ７０００は、２部片の外層７０１４を有する。図２１５は、ストラップ７０００の一方の側（たとえば、ストラップ７０００の外側）に配置された２つの継目７０１６を有する２部片の外層７０１４を示す。図示する構成は空隙７０３２を含むが、それは、望ましい場合は省くことができる。図２１６ａおよび図２１６ｂは、２部片の外層７０１４を有するストラップ７０００を示し、そこでは、コア７０１２が形成される前に整列し互いに一時的に噛み合うように構成された部片のうちの一方または両方が予め成形されている。部片のうちの一方は、他方の部片を包囲し、それに重なり、かつそれを保持する。コア材料が射出されるとき、一方の部片が他方の部片に向かって押し出され、両方がコア７０１２に接合される。両方の部片の縁部が内側に折り返され、コア７０１２に封入される。図２１６ａは、コア７０１２の形成前の外層７０１４の２つの部片を示し、図９９ｂは、コア７０１２の形成後のストラップ７０００を示す。
【０６４８】
図２１７および図２１８は、３つ以上の部片を備える多部片の外層７０１４を有するストラップ７０００を示す。図２１８では、外層７０１４は、各側に１つおよび各端部に１つの４つの部片を備える。それらの部片は、継目７０１６によって接合され、部片の縁部はコア７０１２内に封入される。図示するストラップ７０００は空隙７０３２を含むが、それは省くことができる。図２１９は、３つの部片を備えた外層７０１４を有するストラップ７０００を示す。部片のうちの２つは一方の側にあり、他方の側および両端部に１つの部片がある。それらの部片は継目７０１６において接合され、部片の縁部はコア７０１２に封入される。図示するストラップ７０００は空隙７０３２を含むが、それは省くことができる。
【０６４９】
図２１９〜図２２１は、成形されたかまたはテクスチャ加工された布外層７０１４を有するストラップ７０００を示す。図２１９は、コア７０１２およびリブ付きカバー層７０１４を有するストラップ７０００を示す。図２２０は、コア７０１２およびキルティングカバー層７０１４を有するストラップ７０００を示す。図２２１は、外層７０１４に対して成形またはテクスチャを与える成形コア７０１２を有するストラップ７０００を示す。たとえば、３次元テクスチャ加工面を有する金型内の１つまたは複数の外層７０１４によってまたはそれらの間に画定された空間内にコア材料を射出することができ、それにより、外層７０１４が金型のテクスチャ内に押し込まれ、最終的なストラップ７０００がテクスチャ加工面を有するようになる。いくつかの構成では、コア７０１２は、ＴＰＥ等の比較的軟質の材料である。こうした構成は、ストラップ７０００が軟質でありかつ／または緩衝材を備えることの視覚的指標を与える。
【０６５０】
図２２２〜図２２４は、図１４１〜図１４３および図１７６〜図１９３のヘッドギア５６００と同様のヘッドギア構成５６００を示す。したがって、対応するかまたは同様の特徴を示すために同じ参照番号を用いる。ストラップ５６０２、５６０４の各側縁部に空隙、エアギャップまたはエアポケット５６３２を含むように、図１９４を参照して記載したものと同様にストラップ５６０２、５６０４を構成ことができる。図示する構成では、幅方向において、空隙５６３２およびコア５６１２の各々は、各々、ストラップ６５０２の幅全体の約１／３を構成することができる。いくつかの構成では、空隙５６３２は、各々、たとえば３ｍｍの寸法を有することができ、コア５６１２は、合計９ｍｍの幅に対してたとえば３ｍｍの寸法を有することができる。こうした構成により、上述したように、知覚の観点から一部の使用者に望ましい可能性がある、コア５６１２の比較的小さい寸法による比較的高い可撓性が与えられる。使用者は、手でストラップ５６０２に力を加え、幾分かの伸縮性を感知することができる。しかしながら、使用時、ストラップ５６０２を組み込んだヘッドギアは、使用者の頭部とストラップ５６０２との間の摩擦のために実質的に非弾性ヘッドギアとして機能することができる。ストラップ５６０４では、空隙５６３２の各々は、ストラップ５６０４の幅全体の約１／６を構成することができ、コア５６１２は、幅の他の２／３を構成することができる。空隙５６３２は、各々、たとえば１．５ｍｍの寸法を有することができ、コア５６１２は、合計９ｍｍの幅に対してストラップ５６０４の幅方向においてたとえば６ｍｍの寸法を有することができる。こうした構成により、より小さいコア５６１２を有するストラップより優れた可撓性および低い弾性を与えることができる。空隙５６３２によって与えられる可撓性および緩衝作用または圧縮性の所望の量に応じて、他の好適な相対寸法を使用することも可能である。図示する構成では、カバー層５６１４は、コア５６１２の周囲に少なくとも部分的に巻き付いて、コア５６１２を有するストラップ５６０２、５６０４の部分とエアポケット５６３２を有する部分との間に折目５３３４をもたらす。これらの折目は、ストラップ５６０２、５６０４に沿って長手方向に延在するストリップとして現れて、ストラップ５６０２、５６０４および関連するヘッドギア５６００に対して審美的によい外観を与えることができる。
【０６５１】
図２２５〜図２２７は、図１４１〜図１４３および図１７６〜図１９３のヘッドギア５６００と同様のヘッドギア構成５６００を示す。したがって、対応するまたは同様の特徴を示すために同じ参照番号を用いる。しかしながら、ストラップ５６０２、５６０４は、少なくともコネクタ５６５０によって接続される部分において、直径が短縮するかまたは厚さが低減し、それにより、ストラップ５６０２、５６０４の接続された部分の結合された厚さが、接続された部分の外側のストラップ５６０２、５６０４の２倍を下回る。いくつかの構成では、接続部分における個々のストラップ５６０２、５６０４の厚さは、接続部分の外側の厚さの約１／２であり、それにより、接続部分は、接続部分の外側の各ストラップ５６０２、５６０４の厚さにおよそ等しい厚さを有する。他の構成では、頂部ストラップ５６０２は後部ストラップ５６０４より幅が狭い場合があり、後部ストラップ５６０４は、頂部ストラップ５６０２への接続部５６５０において幅が狭くなる。こうした構成では、後部ストラップ５６０４は、およそ頂部ストラップ５６０２の幅である量だけ幅が狭くなることができる。接続部分と接続部分の外側の部分との間の可変またはテーパ状の厚さの他の組合せも採用することができる。同様に、ストラップ５６０２、５６０４は厚さ方向に重なることができ、接続部分の外側の部分に比較して、接続部分において個々のストラップ５６０２、５６０４の厚さを低減させることができる。
【０６５２】
図２２８〜図２３１は、図１４１〜図１４３および図１７６〜図１９３のヘッドギア５６００と同様のヘッドギア構成５６００を示す。したがって、対応するまたは同様の特徴を示すために同じ参照番号を用いる。いくつかの構成では、コネクタ５６５０によって接続された部分において、接続部分の外側の部分に比較してストラップ５６０２、５６０４を縮小することができる。上述したように、少なくともいくつかの構成では、接続部分におけるストラップ５６０２、５６０４の結合された幅は、接続部分の外側のストラップ５６０２、５６０４の一方または両方の厚さに実質的に等しい。
【０６５３】
図２３０は、ストラップ５６０２、５６０４を接続するいくつかの構成を示す。たとえば、ストラップ５６０２、５６０４は、各々、断面が実質的にＬ字型であり得る。たとえば、コア５６１２およびカバー層５６１４の両方によって、または単にカバー層５６１４によって、Ｌ字型を画定することができる。たとえば、本明細書に記載するようなプロセスにより、または成形後ステップにより、成形型によってカバー層５６１４をＬ字型に形成することができる。カバー層５６１４は、成形プロセス中にまたは後に形づくることができる緩い布部分または縁部を有することができる。ストラップ５６０２、５６０４のＬ字型カバー層５６１４を反転させて、互いに嵌めることができ、ストラップ５６０２、５６０４の上にまたはそれらの間にコネクタ５６５０をオーバモールドすることができる。別法として、ストラップ５６０２、５６０４は、互いに補完する凸状縁部および凹状縁部を含むことができる。ストラップ５６０２、５６０４の上にまたはそれらの間にコネクタ５６５０をオーバモールドすることができる。上述したように、コア５６１２およびカバー５６１４によって、またはカバー５６１４のみによって、断面形状を画定することができる。いくつかの構成では、ストラップ５６０２、５６０４両方が、協働して間に比較的大きい空間を画定する凹状縁部を有する。凹状縁部によって画定される空間内等、ストラップ５６０２、５６０４の上にまたはそれらの間にコネクタ５６５０をオーバモールドすることができる。上述したように、コア５６１２およびカバー５６１４によって、またはカバー５６１４のみによって、断面形状を画定することができる。本明細書に開示しかつ図２３１に図示するように、少なくとも第２ストラップすなわち後部ストラップ５６０４は、一方または両方の側端部にエアギャップを含むことができる。
【０６５４】
図２３２Ａ〜図２３５は、図１４１〜図１４３および図１７６〜図１９３のヘッドギア５６００と同様の型内成形された二又ヘッドギア構成５６００を示す。したがって、対応するまたは同様の特徴を示すために同じ参照番号を用いる。図２３３〜図２３５に示すように、装置は、概して、二又ストラップ５６０２、５６０４に接続された前部ストラップ５６１０を備える。二又ストラップ５６０２、５６０４があることにより、使用者の頭部においてヘッドギア５６００が安定化する。前部ストラップ５６１０は、マスクに取り付けるための取付クリップ５６８０に接続することができる。ヘッドギア５６００の二又ストラップ５６０２、５６０４は、快適さを向上させるために使用者の耳の周囲に配置される。
【０６５５】
図２３２Ａ〜図２３２Ｃに示すように、ストラップ５６０２、５６０４、５６１０はカバー層５６１４を有する。カバー層５６１４は、天然もしくは合成の布またはテキスタイル材料、本明細書に開示する他の任意の材料、または他の任意の好適な材料から構成された布ケーシングであり得る。カバー層５６１４は、編、織または編組材料を含むことができ、弾性であり得る。好ましくは、カバー層５６１４は、手触りおよび外観が柔らかいテクスチャを有する。カバー層５６１４は、断面が円形、管状および中空であり得る。図２３２Ｂおよび図２３２Ｃに示すように、第１カバー層５６１４Ａおよび第２カバー層５６１４Ｂを接合することによってカバー層５６１４を形成することができる。別法として、カバー層５６１４を一体的に織られた布チューブに形成するかまたは編むことができる。すなわち、カバー層５６１４を、前部ストラップおよび二又ストラップ５６０２、５６０４を含む織布チューブに、織って予め成形することができる。
【０６５６】
図２３２Ａ〜図２３５に示すように、前部ストラップ５６１０および／または二又ストラップ５６０２、５６０４の一部に、比較的剛性または半剛性の型内成形コア５６１２で充填することができる。言い換えれば、コア材料を中空カバー層５６１４内に射出して、ヘッドギア５６００の所定部分を比較的剛性または半剛性とすることができ、一方でヘッドギアの他の部分を弾性とすることができる。図２３２Ａに示すように、前部ストラップ５６１０および二又ストラップ５６０２、５６０４の接合部５６０３のみに、型内成形コア５６１２を充填させることができる。したがって、前部ストラップ５６１０および接合部５６０３は実質的に剛性または非弾性とすることができ、一方で、接合部５６０３を越える二又ストラップ５６０２、５６０４の部分が弾性のままである。同様に、図２３３では、前部ストラップ５６１０のみが型内成形コア５６１２を含む。したがって、半剛性前部領域が、使用者の顔面でマスクを安定化し、一方で、弾性部分により、ヘッドギアを使用者に容易に取り付けることができる。さらに、弾性部分により、ヘッドギアの後部が広範囲の頭部サイズにフィットすることができる。図２３３では、前部ストラップ５６１０および二又ストラップ５６０２、５６０４の一部に、型内成形コア５６１２を充填することができる。したがって、前部ストラップ５６１０および二又ストラップ５６０２、５６０４の二又領域は剛性であり、二又ストラップ５６０２、５６０４の後方部分は弾性である。図２３６では、前部ストラップ５６１０および二又ストラップ５６０２、５６０４に型内成形コア５６１２を充填して、全体を通して実質的に剛性であるヘッドギア５６００を形成することができる。
【０６５７】
型内成形コア５６１２は、プラスチック材料または他の任意の好適な材料であり得る。さらに、型内成形コア５６１２をカバー層５６１４と融合し永久的に結合して、実質的剛性または非弾性構造を生成することができる。図２３２Ａに示すように、型内成形コア５６１２に、取付クリップ５６８０を一体的に形成し成形することができる。
【０６５８】
図２３６Ａおよび図２３６Ｂは、型内成形二又ヘッドギア構成５６００を形成するように構成された成形型５２００を示す。成形型５２００は、第１型半体５２１０および第２型半体５２２０を備える。第１型半体５２１０および第２型半体５２２０は互いに接合されてストラップキャビティ５２２２を形成する。ストラップキャビティ５２２２は、布ケーシング５１１０を受け入れるように構成されている。いくつかの構成では、布ケーシング内に厳密にフィットするように布ケーシング５１１０を切断するかまたは予備成形することができ、それにより、布ケーシング５１１０はストラップキャビティ５２２２内に容易に位置合せされる。成形型５２００が閉じた位置にあり、布ケーシング５１１０が適所に固定されると、いくつかの構成では図２３７のものと同じか同様であり得る、ゲートおよびランナシステム（図示せず）を介して、布ケーシング５１１０内にコア材料を射出することができる。したがって、単一製造プロセスで、ヘッドギア５６００を容易に成形することができる。
【０６５９】
図２３６Ｃは、成形型５２００の概略断面図であり、成形型５２００は、成形プロセス中に成形型５２００内で適所に布ケーシング５１１０を固定するように構成されている。成形型５２００は、第１型半体５２１０および第２型半体５２２０を備える。第１型半体５２１０および第２型半体５２２０は、互いに接合されて、布ケーシングキャビティ５２２２、金型インサートキャビティ５２２４およびゲート５３２５を形成する。布ケーシング５１１０の開放端部にインサート５３２６が挿入され、金型インサート５３２６および布ケーシング５１１０はともに、金型インサートキャビティ５２２４および布ケーシングキャビティ５２２２内にそれぞれ配置される。ヘッドギアのストラップを形成するために布ケーシング５１１０を用いる場合、布ケーシング５１１０は、プラスチックコアが布ケーシング５１１０内に射出されるのを可能にするために、開いて保持されなければならない。したがって、金型インサート５３２６は、布ケーシング５１１０の開放端が閉じるのを防止する。金型インサート５３２６は、布ケーシング５１１０の開放端内に嵌まりかつ布ケーシングの開口部を第１型半体５２１０および第２型半体５２２０内で布ケーシングキャビティ５２２２の壁に向かって外側に押す、予め作製された構成要素を備える。金型インサート５３２６は、ゲート５３２５に位置合せされる中心開口部５３２８を有し、それを通して、コア材料が布ケーシング５１１０内に射出されるための直接流路が提供される。金型インサート５３２６は、プラスチックまたは金属製であり得る。プラスチック製である場合、型内成形プロセス中に金型インサート５３２６とコア材料との間に化学結合を形成することができるように、金型インサート５３２６は、コアと同じプラスチックから作製することができる。さらに、ヘッドギア構成要素間、調整機構間、またはヘッドギアとマスクとの間のコネクタ（たとえば、取付クリップ５６８０）としての更なる機能を有することができる形状に、インサート５３２６を形成することができる。
【０６６０】
図２３６Ｄ〜図２３６Ｇは、布ケーシング５１１０を固定位置で保持して、それがコア材料の射出力の下で移動しないように構成された成形型装置５２００を示す。図２３６Ｄは、布ケーシング５１１０を保持するように構成された成形型５２００の概略断面図を示す。成形型５２００は、第１型半体５２１０および第２型半体５２２０を備える。第１型半体５２１０および第２型半体５２２０は、互いに接合されて成形型キャビティ５２２４を形成する。第１型半体５２１０および第２型半体５２２０の表面は、複数の保持スパイク５３２７を含み、それらは、第１型半体５２１０および第２型半体５２２０から突出し、布ケーシング５１１０に向かう方向に延在する。図２３６Ｅに示すように、保持スパイク５３２７は、等距離離れて、かつ第１型半体５２１０および第２型半体５２２０の開／閉方向に対して垂直な型半体５２１０、５２２０の表面を横切って、間隔を空けて配置することができる。図２３６Ｆおよび図２３６Ｇに示すように、保持スパイク５３２７は、布ケーシング５１１０と成形型キャビティ５２２４の壁との間の移動を防止するように構成されている。スパイク５３２７は、布ケーシングの表面を貫通する鋭利な先端を有することができる。保持スパイク５３２７は、保持スパイク５３２７が布ケーシング５１１０に沈められて、布ケーシング５１１０の厚さ全体を通して突き刺さない（図２３６Ｆを参照）か、または布ケーシング５１１０の厚さ全体を通して突き刺す（図２３６Ｇを参照）ような高さを有することができる。したがって、プラスチックコアが射出される前に、保持スパイク５３２７は、成形型キャビティ５２２４内で布ケーシング５１１０を固定し開いて保持することができる。
【０６６１】
結合された層から構成された布ケーシングとは対照的に、織布チューブは、織布チューブに加えられている力の範囲を越えて開いたままである傾向を有する。したがって、成形型は、コア材料が織布チューブへの通路を有するために、織布チューブの開放端部を開いて保持するための別個の構造を不要とすることができる。図２３７Ａおよび図２３７Ｂは、織布チューブ５１１０からなる布ケーシングを形成するために構成された成形型５２００を示す。成形型５２００は、第１型半体５２１０および第２型半体５２２０を備える。成形型キャビティ５２２４内に織り布チューブ５１１０を配置することができ、第１型半体５２１０および第２型半体５２２０が互いに接合される。図２３７Ｂに示すように、型キャビティが閉じているにも関わらず、織布チューブの端部は開いたままである。したがって、コア材料は、織布チューブ５１１０内への通路を有する。
【０６６２】
図２３８は、コア５６１２と、第１カバー層５６１４Ａおよび第２カバー層５６１４Ｂを備えたカバー層と、レール５６１８とを備える、型内成形ストラップ５６０４の代替構成を示す。カバー層５６１４Ａ、５６１４Ｂは、比較的軟質な布またはテキスタイルおよびフォームまたは同様の緩衝材料等、複数の材料の複合材から構成することができる。第１カバー層５６１４Ａおよび第２カバー層５６１４Ｂならびにレール５６１８は、プラスチック等、比較的剛性材料を含む型内成形コア５６１２を受け入れる空洞を画定する。図示する構成では、カバー層５６１４Ａ、５６１４Ｂの縁部は、レール５６１８によって覆われている。レール５６１８は、軟質シリコーンまたはプラスチック材料から形成されて、ストラップに対して柔らかくかつ丸い縁部および仕上げを与えることができる。レール５６１８の柔らかくかつ丸い縁部により、快適さが向上し、皮膚に対してこすられるときにストラップによってもたらされる刺激が低減する。さらに、レール５６１８の柔らかくかつ高コンプライアンスなテクスチャにより、ストラップ５６０４が、型内成形コア５６１２によってもたらされるストラップ５６０４の実際の剛性にも関わらず、柔らかく、または柔らかい構造を有するという知覚が与えられる。すなわち、レール５６１８は、使用者の知覚に影響を与える可能性がある、ストラップ５６０４の剛性構造を部分的に覆うかまたは隠すことができる。さらに、軟質シリコーンレール５６１８により、摩耗が低減し、ストラップ５６０４の耐用年数を伸ばすことができる。
【０６６３】
図２３９Ａ〜図２３９Ｃは、エアポケットコア５６３２、カバー層５６１４および型内成形レール５６１８を備える型内成形管状ストラップのヘッドストラップ５６０２の代替構造を示す。カバー層５６１４は、型内成形レール５６１８を覆い、エアポケットコア５６３２を画定する。カバー層５６１４は、気密な布から構成することができ、それにより、エアポケットコア５６３２が封止されかつ膨張したままになる。
【０６６４】
エアポケットコア５６３２と結合された型内成形レール５６１８は、構造が剛性であるが軽量でもあるヘッドストラップ５６０２を提供する。さらに、ヘッドストラップ５６０２のエアポケットコア５６３２は、使用者の快適さを向上させるように緩衝作用および詰物を提供する。さらに、エアポケットコア５６３２がストラップ５６０４の他方の側より一方の側の近くに形成されるように、カバー層５６１４を配置することができる。したがって、図２３７Ｃに示すように、エアポケット５６３２は、使用者の顔面に向かう方向に広がり、より硬くかつより剛性のある型内成形レール５６１８が使用者の皮膚に接触しないようにすることができる。
【０６６５】
図２４０Ａは、内部構造を有する構造化コア５６４２を包囲するカバー層５６１４を備えた型内成形管状ストラップ５６０２の代替構造を示す。カバー層５６１４は、比較的軟質な布またはテキスタイルおよびフォームまたは同様の緩衝材料等、複数の材料の複合材から構成することができる。コア５６４２は、カバー層５６１４内の中空中心内のキャビティに半剛性プラスチックを射出成形することによって形成することができる。コア５６４２は、断面が実質的に矩形であり得る。コア５６４２は、コア５６４２の厚さを通して延在するあるパターンのアパーチャ５６４４を有する。アパーチャ５６４４により、ストラップ５６０２はストラップ５６０２の長さに沿って可撓性を有することができ、他の方向では剛性を維持する。すなわち、ストラップ５６０２は、ストラップ５６０２の長手方向に対して平行な方向に伸張させまたは圧縮することができ、他の方向では依然として剛性を有することができる。したがって、アパーチャ５６４４は、使用者の知覚に影響を与える可能性がある、ストラップ５６０２の剛性構造を部分的に覆うかまたは隠すことができる。さらに、アパーチャ５６４４は、使用者の快適さを向上させることができる、より軽量かつ通気性のあるストラップを提供する。アパーチャ５６４４は、弾性が望まれるストラップ５６０２の所定領域に配置することができる。別法として、ストラップ５６０２の全長を通してアパーチャ５６４４を配置することができる。
【０６６６】
図２４０Ｂは、成形型５２００を使用することによるストラップ５６０２の構築を示す。最初に、半剛性プラスチックがカバー層５６１４の中空中心内に射出される。そして、コア５６４２の溶融プラスチックが、図２４０Ｂに示すように、アパーチャ５６４４が形成される領域において布カバー層５６１４の層の間に流れることができないように、閉じられた成形型により、布カバー層５６１４の層を互いに圧縮することによって、コア５６４２内のアパーチャ５６４４が形成される。
【０６６７】
図２４１Ａは、長さに沿って連続的に可変の形状および断面を備えた複雑な３Ｄ形状を有する型内成形管状ヘッドストラップ５６０２に対する代替構造を示す。言い換えれば、ヘッドストラップ５６０２は、図２４１Ｂにおける断面線Ａ−Ａおよび図２４１Ｃにおける断面線Ｂ−Ｂに沿って示すように、その長さに沿って変化する幅、厚さ、縁部半径、表面曲率（凹状部／凸状部）を有することができる。ヘッドストラップ５６０２の長さに沿って曲率が変化することにより、ヘッドギアの所定領域に対してカスタマイズされた性能および構造が提供される。たとえば、図２４１Ｂにおける断面線Ａ−Ａに沿ったヘッドストラップ５６０２の湾曲面５６４６は、マスクおよび使用者の顔面（たとえば頬骨）により近い頭部形状に沿うような形状とすることができる。対照的に、図２４１Ｃにおける断面線Ｂ−Ｂに沿ったヘッドストラップ５６０２は、使用者の耳の上方、後方、下および／または周囲で密にフィットすることができるように、最小のサイズ／体積を有するような形状とすることができる。
【０６６８】
カバー層５６１４は編むかまたは織ることができ、コア５６４２は、織カバー層５６１４内の中空中心内のキャビティ内に半剛性プラスチックを射出成形することによって形成することができる。ストラップ５６０２の複雑な３Ｄ形状は、連続曲率プラスチックコアの上で編ストラップを滑らせることによって達成することができ、それは、編ストラップが、コアの最大断面を通過するのに十分大きくなければならす、しがって、いくつかの領域においてサイズが大きくなりすぎかつかさばることになるためである。さらに、射出成形により、単一製造プロセスにおいて、連続曲率ヘッドストラップ５６０２にブランドまたは方向指標を成形することができる。
【０６６９】
図２４２Ａ〜図２４２Ｇおよび図２４３Ａ〜図２４３Ｃは、ブランドロゴ（図２４２Ａ〜図２４２Ｃ）、指標（図２４２Ｅ）、把持用出っ張り（図２４２Ｆ〜図２４２Ｇならびに図２４３Ｂ〜図２４３Ｃ）等、永久的に形成された特徴７６５２、７７５２を有するストラップ７６０２、７７０２を示す。図２４２Ａ〜図２４２Ｇは、型内成形によってストラップに永久的にかつ一体的に形成された特徴７６５２を備えるストラップ７６０２を示す。図２４３Ａ〜図２４３Ｃは、オーバモールドによってストラップの上に永久的にかつ一体的に形成された特徴７７５２を有するストラップ７７０２を示す。したがって、特徴７６５２、７７５２は、ストラップ７６５２、７７５２と一体であり、常に可視であり識別可能である（すなわち、ロゴ、ブランド、指標）ように、取り除くことができない。さらに、特徴７６５２、７７５２をストラップ７６０２、７７０２の任意の場所に配置して、ヘッドギアの操作性を向上させる触覚的握り（すなわち、グリップ性）を向上させるようにストラプ７６０２、７７０２のテクスチャを変化させることができる。
【０６７０】
図２４２Ａ〜図２４２Ｇは、ストラップ７６０２にエンボス加工された特徴７６５２を備えた型内成形ストラップ７６０２を示す。上述した型内成形ストラップと同様に、ストラップ７６０２は、布表皮７６１４によって覆われる半剛性プラスチックコア７６１２を備えることができる。型内成形プロセス中に特徴７６５２をエンボス加工することができ、それにより、別個の製造ステップまたはプロセスなしに（すなわち、製造ステップおよびコストが低減する）ヘッドギアに特徴７６５２を一体的に付与することができる。
【０６７１】
図２４２Ａに示すように、ストラップ７６０２の厚さ方向にストラップ７６０２内に特徴７６５２をエンボス加工することができる。言い換えれば、ストラップ７６０２に特徴７６５２をはめ込んで、コア７６１２および布表皮７６１４の両方に窪み７６１６を形成することができる。別法として、図２４２Ｅ〜図２４２Ｇに示すように、特徴７６５２は、布表皮７６１４の上方にかつそれを越えて延在するかまたは突出して突起７６１８を形成することができる。すなわち、布表皮７６１４によって依然として覆われているコア７６１２のより厚い領域に特徴７６５２を形成することができる。
【０６７２】
いくつかの構成では、図２４２Ｂおよび図２４２Ｅに示すように、コア７６１２が露出するように布表皮７６１４を通して開口部７６１８を形成することができる。開口部７６１８は、限定されないがレーザ切断等の任意の種々の技法によって形成することができる。コア７６１２の露出部分は、布表皮７６１４の開口部７６１８を通って突出し（図２４２Ｃおよび図２４２Ｅ）、布表皮７６１４と同一平面にあり（図１２５Ｄ）、または布表皮７６１４の下方に凹状になっている（図２４２Ｂおよび図２４２Ｃ）。
【０６７３】
図２４３Ａ〜図２４３Ｃは、ストラップ７７０２の上にオーバモールドされた特徴７７５２を有するストラップ７７０２を示す。ストラップ７７０２は、限定されないがＢｒｅａｔｈ−ｏ−ｐｒｅｎｅＴＭ等の単層の布を含む。ロゴ７７５２は、ストラップの機能を妨げない柔らかい感触を与えるように、ＴＰＥまたはシリコーン等の可撓性プラスチックであり得る。特徴７７０２をストラップ７７０２の上にオーバモールドし、ストラップ７７０２の長さに沿った任意の場所に配置することができる。
【０６７４】
図２４４Ａ〜図２５３は、本明細書に開示する他のヘッドギアと同様とすることができ、かつ同じかまたは同様の用途に好適であり得る、さまざまな成形ヘッドギア構成を示す。図２４４Ａ〜図２５３のヘッドギアは、本明細書に開示するもののうちの任意のもの等、任意の好適な結合機構によってインタフェースに接続することができる。たとえば、額当てを採用するもの等、他のタイプのインタフェースと使用するように、ヘッドギアを変更することができる。同様に、たとえば、側部ストラップ、中心ストラップまたは頭上ストラップを用いることにより、さまざまな場所において単一接続部または複数の接続部において、ヘッドギアをインタフェースに接続することができる。さらに、図２４４Ａ〜図２５３のヘッドギアの特徴、構成要素、材料または製造方法は、具体的に開示したものの範囲を越えて他のヘッドギア変形をもたらすように互いに置き換えることができる。図示するヘッドギアは、各々、頭頂または頂部ストラップ、後部ストラップおよび少なくとも１つの前部ストラップを含むいくつかのストラップを備える。他の変形は、これらのストラップのうちの１つまたは複数を省くことができ、かつ／または追加のストラップを含むことができる。ストラップのうちの任意ものが、要求に応じて、本明細書に開示するストラップ調整機構または他の好適な構成のうちの任意ものを含む、長さまたは他の調整機構を組み込むことができる。
【０６７５】
図２４２Ａ〜図２４２Ｂは、単一後部ストラップ１０１２０を有する（すなわち、頭頂ストラップのない）ヘッドギア構成１０１００を示す。後部ストラップ１０１２０は、後方部分１０１２２および正面部分１０１２４を含むことができる。使用者が着用すると、単一後部ストラップ１０１２０の正面部分１０１２４は、使用者の眼のすぐ下の頬を横切って使用者の耳に向かって後方に配置される。図２４２Ａに示すように、正面部分１０１２４は、使用者の耳の上方でかつわずかに前方で後方部分１０１２２と接続される。後方部分１２２は、使用者の耳の上方に延在した後、使用者の頭部の下部後方部分（すなわち、後頭骨）に向かって下方に延在する。後方部分１０１２２および正面部分１０１２４は、異なる構造を有することができる。言い換えれば、後方部分１０１２２は、正面部分１０１２４より剛性が高い可能性がある。したがって、正面部分１０１２４は、マスク１０１２０に対して保持力を与えるように伸張し、ヘッドギアを使用者の顔面に着用することができるようにヘッドギア１０１００を伸張させることができる。単一の後部ストラップ１０１２０を有するヘッドギア構成１０１００は、コストが低く、容易に製造されかつ容易に使用者に取り付けられるヘッドギア装置を提供する。
【０６７６】
図２４２Ｂは、図２４２Ａにおける線Ａ−Ａに沿った後方部分１０１２２の断面図を示す。後方部分１０１２２は、カバー層１０１３２によって覆われるコア１０１３０を含む。コア１０１３０は、本明細書において先に開示したように、プラスチック材料または他の任意の好適な材料であり得る。同様に、カバー層１０１３２は、比較的軟質な布またはテキスタイルおよびフォームまたは同様の緩衝材料等、複数の材料の複合材から構成することができる。また、図２４２Ｂに示すように、ストラップ１０１２０は、ストラップ１０１２０の各側縁部に空隙、エアギャップまたはエアポケット１０１３４を含むように、図１９４を参照して記載したものと同様に構成することができる。エアポケット１０１３４は、可撓性および緩衝作用または圧縮性を与える。正面部分１０１２４は、弾性の編、織または編組材料から構成することができる。いくつかの構成では、正面部分１０１２４はまた、型内成形コアも含むことができる。代替構成（図示せず）では、後方部分１０１２２および正面部分１０１２４の両方に同じコア材料を用いて、全体を通して実質的に同じ弾性率を有するヘッドギア装置を提供することができる。
【０６７７】
図２４５Ａ〜図２４５Ｃは、アーチ形コネクタ１０２４０によって頭頂ストラップ１０２３０に接続された下部ストラップ１０２２０を有するヘッドギア構成１０２００を示す。下部ストラップ１０２２０は、図２４４Ａ〜図２４４Ｂにおける単一の後部ストラップ１０１２０と構造が同様であり得る。したがって、重複する考察は省略する。頭頂ストラップ１０２３０は、本明細書において先に開示したように、比較的軟質な布、テキスタイル、フォームまたは同様の緩衝材料から構成することができる。アーチ形コネクタ１０２４０は、下部ストラップ１０２２０および頭頂ストラップ１０２３０の両方の上にオーバモールドされるプラスチックから構成することができる。アーチ形コネクタ１０２４０は、使用者の耳の上方に配置され、下部ストラップ１０２２０の曲率と同様に輪郭がつけられた湾曲形状を有する。アーチ形コネクタ１０２４０をオーバモールドすることにより、下部ストラップ１０２２０および頭頂ストラップ１０２３０を容易に接合することができる。さらに、アーチ形コネクタ１０２４０は、下部ストラップ１０２２０と実質的に同じ幅および厚さである比較的薄型コネクタを提供する。
【０６７８】
図２４６は、後部ストラップ１０３２０、頭頂ストラップ１０３３０および前部ストラップ１０３４０を有するヘッドギア構成１０３００を示す。前部ストラップ１０３４０は、後部ストラップ１０３２０および頭頂ストラップ１０３３０とは異なる構造を有することができる。言い換えれば、前部ストラップ１０３４０は、後部ストラップ１０３２０および頭頂ストラップ１０３３０より実質的に剛性が高い可能性がある。前部ストラップ１０３４０は、比較的剛性材料から形成されたコアを有することができ、後部ストラップ１０３２０および頭頂ストラップ１０３３０は、より可撓性の高いコア材料から形成されたコアを有する。いくつかの構成では、後部ストラップ１０３２０および頭頂ストラップ１０３３０にはコア材料が充填されていない。後部ストラップ１０３２０および頭頂ストラップ１０３３０は、弾性の編、織または編組材料から形成されたカバー層を有する。後部ストラップ１０３２０および頭頂ストラップ１０３３０は構造に可撓性があり、それにより、マスク１０３１０に対して保持力を与えるとともに、広範囲の頭部サイズにフィットするように伸張することができる。さらに、後部ストラップ１０３２０および頭頂ストラップ１０３３０は、頭部の敏感な部分（すなわち、顔面）から離れる方向にヘッドギアの保持力部分を再配置する。
【０６７９】
図２４７Ａ〜図２４７Ｄは、可変の型内成形編物を有する二又ヘッドギア構成１０４００を示す。二又ヘッドギア構成１０４００は、図２４４Ａ〜図２４４Ｂにおける単一の後部ストラップ１０１２０を備えたヘッドギア構成１０１００と構造が類似している。しかしながら、二又ヘッドギア構成１０４００の後方部分は、下部後方部分１０４２２および上部後方部分１０４２４に二又になっている。ヘッドギア１０４００は、本明細書において上述したように弾性織材料から完全に形成される外側カバー１０４３０を有することができる。外側カバー１０４３０は、下部後方部分１０４２２と上部後方部分１０４２４との間に広がることができる。図２４７Ｂは、図２４７Ａにおける線Ａ−Ａに沿ったヘッドギア１０４００の断面を示す。図２４７Ｃは、図２４７Ａにおける線Ｂ−Ｂに沿ったヘッドギア１０４００の断面を示す。図示するように、外側カバー１０４３０は、下部後方部分１０４２２および上部後方部分１０４２４の上に堅く編まれるかまたは織られているが、下部後方部分１０４２２と上部後方部分１０４２４との間の外側カバー１０４３０の部分は、コア材料を含まない。したがって、下部後方部分１０４２２と上部後方部分１０４２４との間の外側カバー１０４３０の部分は、移動を制御するように伸張し、マスク１０４０２に対して保持力を与える。図２４７Ｄに示すように、成形型１０４５０内の単一部片としてヘッドギア１０４００を構築することができる。言い換えれば、ヘッドギア１０４００は、単一製造プロセスで容易に成形することができる。
【０６８０】
図２４８Ａ〜図２４８Ｃは、完全に一体化した二又後部ストラップ１０５２０および頭頂ストラップ１０５３０を有するヘッドギア構成１０５００の構築を示す。図２４８Ｂに示すように、縫合、接着剤または任意の結合技法によって、外側カバー１０５４０の２つの層を互いに接合することができる。外側カバー１０５４０は、同じ材料でも異なる材料でもあり得る。図２４８Ｃに示すように、外側カバー１０５４０の間にコア材料１０５５０を配置することができる。ストラップの各側縁部における空隙、エアギャップまたはエアポケット１０５３４。エアポケット１０５３４は、可撓性および緩衝作用または圧縮性を与える。さらに、継目なしの審美的外観を与えるように、エアポケット１０５３４内に継目１０５３６を配置することができる。
【０６８１】
図２４９Ａ〜図２４９Ｃは、コア材料１０６４０が露出し外側カバー１０６３０の外面に形成されているヘッドギア１０６００を有する代替構成を示す。露出したコア材料１０６４０により、ヘッドギア１０６００のストラップを容易に成形し複雑な形状に形成することができる。さらに、露出したコア材料１０６４０により、ヘッドギア１０６００を容易に清掃することができる。さらに、プラスチックコア材料１０６４０は低摩擦を提供し、それにより、ヘッドギア１０６００は、枕等、他の物体に対して容易に摺動する。図２４９Ｂでは、コア材料１０６４０は、外側カバー１０６３０と実質的に同一平面であるように、外側カバー１０６３０内にはめ込まれる。対照的に、図２４９Ｃは、外側カバー１０６３０内にはめ込まれるのではなく外側カバー１０６３０の上に配置されたコア材料１０６４０を示す。
【０６８２】
図２５０は、フルフェイスマスク８１００と組み合わせて使用されているヘッドギア８０００を示す。フルフェイスマスク８１００は、Ｔピース８１１２を備えたマスクフレーム８１１０を有する。ヘッドギア８０００は、フルフェイスマスク呼吸装置８１００との使用に限定されず、Ｔピースを備えた鼻マスクと組み合わせ使用することができる。ヘッドギア８０００は、二又になった頂部ストラップ８０１０および後部ストラップ８０２０を有する。頂部ストラップ８０１０および後部ストラップ８０２０は、使用者の額の側部に位置する上部接続箇所８０３０の近くで接続されている。布ストラップ８０４０が、上部接続箇所８０３０から延出し、マスクフレーム８１１０のＴピース８１１２の開口部８１１４の周囲でループを形成している。布ストラップ８０４０の端部は、布ストラップ８０４０の相補的なループ面に固定することができるフックパッドまたはパッチを含むことができる。布ストラップ８０４０により、使用者は、ヘッドギア８０００の頂部とＴピース８１１２との間の締付け具合を調整することができる。限定されないが、クリップ、プッシュまたはスナップコネクタ等、任意の種々の解除可能な機械的締結機構によって、Ｔピース８１１２に布ストラップ８０４０を取り付けることができる。下部接続箇所８０５０が、上部接続箇所８０３０の下方に配置され、使用者の耳の前方にかつ使用者の口とおよそ一直線上に位置する。下部接続箇所８０５０は、１つまたは複数の調整機構８１２０によってマスクフレーム８１１０に接続することができる。調整機構８１２０は、限定されないが一方向摩擦機構または他の任意の適切なロック機構等、種々の調整機構構成のうちの１つを含むことができる。
【０６８３】
図２５１は、鼻マスク８２００と組み合わせて使用されているヘッドギア８０００を示す。鼻マスク８２００はマスクフレーム８２１０を有する。図２５０と同様に、ヘッドギア８０００は、二又頂部ストラップ８０１０および後部ストラップ８０２０を有する。ヘッドギア８０００は、鼻マスクのみとの使用には限定されず、Ｔピースがあるかもしくはないフルフェイスマスク、または鼻下封止領域を有する呼吸マスクと組み合わせて使用することができる。ヘッドギア８０００は、頂部ストラップ８０１０および後部ストラップ８０１２に接続される上部ストラップ８９３２を有する。ヘッドギア８０００は、使用者の耳と眼との間の頬を横切って延在する使用者の額の側方部分に位置する。上部ストラップ８０３２は、マスクフレーム８２１０に直接接続することができる。別法として、上部ストラップ８０３２とマスクフレーム８２１０との間に配置された調整機構があり得る。下部ストラップ８０５２が、使用者の耳の後方の位置において後部ストラップに接続され、使用者の耳の下方の位置まで実質的に下方にかつマスクフレーム８２１０に向かって前方に延在する。言い換えれば、下部ストラップ８０５２は、後部ストラップ８０１２に接続され、使用者の耳の周囲を下方に延在し、使用者の頬を横切って延在する。下部ストラップ８０５２は、１つまたは複数の調整機構８０１２によってマスクフレーム８２１０に接続される。調整機構８０１２は、限定されないが一方向摩擦機構または他の任意の適切なロック機構等、種々の調整機構構成のうちの１つを含むことができる。
【０６８４】
図２５２は、鼻ピロー（ダイレクトネーザル）マスク８３００と組み合わせて使用されているヘッドギア８０００を示す。図２５０および図２５１と同様に、ヘッドギア８０００は、二又の頂部ストラップ８０１０および後部ストラップ８０２０を有する。ヘッドギア８０００は、頂部ストラップ８０１０および後部ストラップ８０１２に接続される前部ストラップ８０３４を有する。前部ストラップ８０３４は、使用者の耳と眼との間にかつ鼻の底部に向かって延在する。前部ストラップ８０３４はまた、マスク８３００の正面を横切って延在して、フレーム８３１０の一部を形成する。代替実施形態では、前部ストラップ８０３４は、マスク８３００の前で終端し、別個のマスクフレーム８３１０に接続することができる。さらに、いくつかの構成では、調整機構（図示せず）を前部ストラップ８０３４とマスクフレーム８３１０との間に配置することができる。
【０６８５】
図２５３は、鼻マスク８２００と組み合わせて使用されているヘッドギア８０００を示す。鼻マスク８２００は、マスクフレーム８２１０を有する。ヘッドギア８０００は、鼻マスク呼吸装置８２００のみとの使用には限定されず、Ｔピースのない鼻マスクまたは鼻下封止領域を有する呼吸マスクと組み合わせて使用することができる。ヘッドギア８０００は、二又の頂部ストラップ８０１０および後部ストラップ８０２０を有する。頂部ストラップ８０１０および後部ストラップ８０２０は、使用者の額の側部にかつ使用者の眼と一列に並んで位置する上部接続箇所８０３０の近くで接続される。上部接続箇所８０３０は、調整機構８１２０によってマスクフレーム８２１０に接続される。調整機構８１２０は、限定されないが、一方向摩擦機構または他の任意の適切なロック機構等、種々の調整機構構成のうちの１つを含むことができる。調整機構８１２０は、使用者の眼の真下の頬を横切ってマスクフレーム８２１０に向かって延在する。下部接続箇所８０５０が、上部接続箇所８０３０の下方でヘッドギア８０００に接続され、使用者の鼻の底部とおよそ一列に並んで配置される。下部接続箇所８０５０もまた、調整機構８０１２０によってマスクフレーム８２１０に接続され、調整機構８１０２は、使用者の眼の真下の頬を横切ってマスクフレーム８２１０に向かって延在する。
【０６８６】
文脈において明確な別段の要求がない限り、明細書および特許請求の範囲を通して、「備える（ｃｏｍｐｒｉｓｅ）」、「備えている（ｃｏｍｐｒｉｓｉｎｇ）」等の用語は、排他的または網羅的な意味とは対照的に包括的な意味で、すなわち、「限定されないが含む」という意味で解釈されるべきである。特に、「できる」、「あり得る」、「可能性がある」、「たとえば」等、本明細書で用いる条件付きの文言は、特に別段の定めのない限り、または使用される文脈内で別様に理解されない限り、概して、いくつかの特徴、要素および／または状態を、いくつかの実施形態は含むが、他の実施形態は含まないということを伝えるように意図されている。したがって、こうした条件付きの文言は、概して、特徴、要素および／または状態が１つまたは複数の実施形態に対して何らかの点で必要とされること、または１つまたは複数の実施形態は、これらの特徴、要素および／または状態が任意の特定の実施形態に含まれるかもしくは任意の実施形態において行われることになっているか否かを、著者の入力または入力促進があってもなくても判断するためのロジックを必然的に含むということを意味するようには意図されていない。
【０６８７】
「複数」という用語は、項目の２つ以上を指す。量、寸法、サイズ、配合、パラメータ、形状および他の特徴の列挙は、量、寸法、サイズ、配合、パラメータ、形状または他の特徴の前に「約」または「およそ」という用語があるかのように解釈されるべきである。「約」または「およそ」という用語は、量、寸法、サイズ、配合、パラメータ、形状および他の特徴が、厳密であることが必須ではなく、許容可能な公差、変換係数、丸め、測定誤差等および当業者には既知である他の要素を反映して、要求に応じて近似されかつ／またはより大きいかもしくは小さい場合がある。量、寸法、サイズ、配合、パラメータ、形状および他の特徴の列挙は、量、寸法、サイズ、配合、パラメータ、形状および他の特徴の前に「実質的に」という用語があるかのようにも解釈されるべきである。「実質的に」という用語は、列挙された特徴、パラメータまたは値が厳密に達成されることが必須ではなく、たとえば、公差、測定誤差、測定精度限界および当業者に既知である他の要素を含む偏差または変動が、その特徴が提供するように意図された効果を排除しない量で発生する可能性があることを意味する。
【０６８８】
数値データは、本明細書では、範囲形式で表されまたは提示されている場合がある。範囲形式は、単に便宜上および明確にするために使用され、したがって、範囲の限界として明示的に列挙された数値のみを含むのではなく、その範囲内に包含される個々の数値または部分範囲のすべてを、各数値および部分範囲が明示的に列挙されているかのように含むようにも柔軟に解釈されるべきである。例示として、「１から５」という数値範囲は、約１から約５という明示的に列挙された値のみを含むではなく、示された範囲内の個々の値および部分範囲も含むようにも解釈されるべきである。したがって、この数値範囲には、２、３および４等の個々の値、ならびに「１から３」、「２から４」および「３から５」等の部分範囲が含まれる。この同じ原理は、１つの数値のみを列挙する範囲（たとえば、「１より大きい」）にも適用され、記載されている範囲または特徴の広さに関わらず適用されるべきである。
【０６８９】
複数の項目が、便宜上共通のリストに提示されている場合がある。しかしながら、これらのリストは、リストの各要素が別個のかつ一意の要素として個々に識別されているかのように解釈されるべきである。したがって、こうしたリストのいかなる個々の要素も、反対の指示がなければ、共通のグループにおけるそれらの提示にのみ基づいて、同じリストの他の任意の要素の事実上の均等物として解釈されるべきではない。さらに、「および」および「または」という用語が項目のリストとともに使用される場合、列挙された項目のうちの任意の１つまたは複数が単独でまたは他の列挙された項目と組み合わせて使用することができるという意味で、それらは広く解釈されるべきである。「別法として」という要素は、２つ以上の代替物の選択を指し、文脈において明確な別段の指示がない限り、それらの列挙された代替物のみに、または一度に、列挙された代替物のうちの１つにのみ限定するようには意図されていない。
【０６９０】
本明細書におけるいかなる従来技術への言及も、その従来技術が、世界中のいかなる国においても努力傾注分野における共通の一般知識の一部を形成するという認識またはいかなる形態の示唆でもなく、かつそのように解釈されるべきではない。
【０６９１】
本発明はまた、本出願の明細書において言及されまたは示される部品、要素および特徴に、前記部品、要素又は特徴のうちの２つ以上のありとあらゆる組合せにおいて個々にまたはまとめて存在するように広く言うことも可能である。
【０６９２】
上述した記載において、既知の均等物を有する完全体または構成要素について言及したが、それらの完全体は、本明細書において、個々に示されているかのように組み込まれている。
【０６９３】
本明細書に記載した現時点で好ましい実施形態に対するさまざまな変形および変更が当業者には明らかとなるであろうということが留意されるべきである。こうした変形および変更は、本発明の趣旨および範囲から逸脱することなくかつその付随する利益を減ずることなく行うことができる。たとえば、さまざまな構成要素は、要求に応じて再配置することができる。したがって、こうした変形および変更は本発明の範囲内に含まれることが意図されている。さらに、特徴、態様および利点のすべてが必ずしも本発明を実施するために必要であるとは限らない。したがって、本発明の範囲は、以下の特許請求の範囲によってのみ定義されるように意図されている。
【図１】
2017531464.tif 000003
【図２】
2017531464.tif 000004
【図３】
2017531464.tif 000005
【図４】
2017531464.tif 000006
【図４．１】
2017531464.tif 000007
【図４．２】
2017531464.tif 000008
【図４．３】
2017531464.tif 000009
【図５】
2017531464.tif 000010
【図６】
2017531464.tif 000011
【図７】
2017531464.tif 000012
【図８Ａ】
2017531464.tif 000013
【図８Ｂ】
2017531464.tif 000014
【図９】
2017531464.tif 000015
【図１０】
2017531464.tif 000016
【図１１】
2017531464.tif 000017
【図１２】
2017531464.tif 000018
【図１３】
2017531464.tif 000019
【図１３．１】
2017531464.tif 000020
【図１３．２】
2017531464.tif 000021
【図１４】
2017531464.tif 000022
【図１５】
2017531464.tif 000023
【図１６】
2017531464.tif 000024
【図１７】
2017531464.tif 000025
【図１８】
2017531464.tif 000026
【図１９】
2017531464.tif 000027
【図２０】
2017531464.tif 000028
【図２１】
2017531464.tif 000029
【図２２】
2017531464.tif 000030
【図２３】
2017531464.tif 000031
【図２４】
2017531464.tif 000032
【図２５】
2017531464.tif 000033
【図２６】
2017531464.tif 000034
【図２７】
2017531464.tif 000035
【図２８】
2017531464.tif 000036
【図２９】
2017531464.tif 000037
【図３０】
2017531464.tif 000038
【図３１】
2017531464.tif 000039
【図３２】
2017531464.tif 000040
【図３３】
2017531464.tif 000041
【図３４】
2017531464.tif 000042
【図３５】
2017531464.tif 000043
【図３６】
2017531464.tif 000044
【図３７】
2017531464.tif 000045
【図３８】
2017531464.tif 000046
【図３９】
2017531464.tif 000047
【図４０】
2017531464.tif 000048
【図４１】
2017531464.tif 000049
【図４２】
2017531464.tif 000050
【図４３】
2017531464.tif 000051
【図４４】
2017531464.tif 000052
【図４５】
2017531464.tif 000053
【図４６】
2017531464.tif 000054
【図４７】
2017531464.tif 000055
【図４８】
2017531464.tif 000056
【図４９】
2017531464.tif 000057
【図５０】
2017531464.tif 000058
【図５１】
2017531464.tif 000059
【図５２】
2017531464.tif 000060
【図５３】
2017531464.tif 000061
【図５４】
2017531464.tif 000062
【図５５】
2017531464.tif 000063
【図５６】
2017531464.tif 000064
【図５７】
2017531464.tif 000065
【図５８】
2017531464.tif 000066
【図５９】
2017531464.tif 000067
【図６０】
2017531464.tif 000068
【図６１】
2017531464.tif 000069
【図６２】
2017531464.tif 000070
【図６３】
2017531464.tif 000071
【図６４】
2017531464.tif 000072
【図６５】
2017531464.tif 000073
【図６６】
2017531464.tif 000074
【図６７】
2017531464.tif 000075
【図６８Ａ】
2017531464.tif 000076
【図６８Ｂ】
2017531464.tif 000077
【図６８Ｃ】
2017531464.tif 000078
【図６８Ｄ】
2017531464.tif 000079
【図６９Ａ】
2017531464.tif 000080
【図６９Ｂ】
2017531464.tif 000081
【図７０Ａ】
2017531464.tif 000082
【図７０Ｂ】
2017531464.tif 000083
【図７１】
2017531464.tif 000084
【図７２】
2017531464.tif 000085
【図７３】
2017531464.tif 000086
【図７４】
2017531464.tif 000087
【図７５】
2017531464.tif 000088
【図７６】
2017531464.tif 000089
【図７７】
2017531464.tif 000090
【図７８】
2017531464.tif 000091
【図７９】
2017531464.tif 000092
【図８０】
2017531464.tif 000093
【図８１】
2017531464.tif 000094
【図８２】
2017531464.tif 000095
【図８３】
2017531464.tif 000096
【図８４】
2017531464.tif 000097
【図８５】
2017531464.tif 000098
【図８６】
2017531464.tif 000099
【図８７】
2017531464.tif 000100
【図８８】
2017531464.tif 000101
【図８９Ａ】
2017531464.tif 000102
【図８９Ｂ】
2017531464.tif 000103
【図８９Ｃ】
2017531464.tif 000104
【図９０】
2017531464.tif 000105
【図９１】
2017531464.tif 000106
【図９２】
2017531464.tif 000107
【図９３】
2017531464.tif 000108
【図９４】
2017531464.tif 000109
【図９５】
2017531464.tif 000110
【図９６】
2017531464.tif 000111
【図９７】
2017531464.tif 000112
【図９８】
2017531464.tif 000113
【図９９】
2017531464.tif 000114
【図１００】
2017531464.tif 000115
【図１０１】
2017531464.tif 000116
【図１０２】
2017531464.tif 000117
【図１０３】
2017531464.tif 000118
【図１０４】
2017531464.tif 000119
【図１０５】
2017531464.tif 000120
【図１０６】
2017531464.tif 000121
【図１０７】
2017531464.tif 000122
【図１０８】
2017531464.tif 000123
【図１０９Ａ】
2017531464.tif 000124
【図１０９Ｂ】
2017531464.tif 000125
【図１０９Ｃ】
2017531464.tif 000126
【図１１０】
2017531464.tif 000127
【図１１１Ａ】
2017531464.tif 000128
【図１１１Ｂ】
2017531464.tif 000129
【図１１２】
2017531464.tif 000130
【図１１３Ａ】
2017531464.tif 000131
【図１１３Ｂ】
2017531464.tif 000132
【図１１４Ａ】
2017531464.tif 000133
【図１１４Ｂ】
2017531464.tif 000134
【図１１５】
2017531464.tif 000135
【図１１６】
2017531464.tif 000136
【図１１７】
2017531464.tif 000137
【図１１８Ａ】
2017531464.tif 000138
【図１１８Ｂ】
2017531464.tif 000139
【図１１９】
2017531464.tif 000140
【図１２０】
2017531464.tif 000141
【図１２０Ａ】
2017531464.tif 000142
【図１２０Ｂ】
2017531464.tif 000143
【図１２１】
2017531464.tif 000144
【図１２２】
2017531464.tif 000145
【図１２３】
2017531464.tif 000146
【図１２４Ａ】
2017531464.tif 000147
【図１２４Ｂ】
2017531464.tif 000148
【図１２５Ａ】
2017531464.tif 000149
【図１２５Ｂ】
2017531464.tif 000150
【図１２５Ｃ】
2017531464.tif 000151
【図１２５Ｄ】
2017531464.tif 000152
【図１２５Ｅ】
2017531464.tif 000153
【図１２５Ｆ】
2017531464.tif 000154
【図１２５Ｇ】
2017531464.tif 000155
【図１２５Ｈ】
2017531464.tif 000156
【図１２５Ｉ】
2017531464.tif 000157
【図１２６】
2017531464.tif 000158
【図１２７Ａ】
2017531464.tif 000159
【図１２７Ｂ】
2017531464.tif 000160
【図１２８】
2017531464.tif 000161
【図１２９】
2017531464.tif 000162
【図１３０】
2017531464.tif 000163
【図１３１】
2017531464.tif 000164
【図１３２】
2017531464.tif 000165
【図１３３】
2017531464.tif 000166
【図１３４】
2017531464.tif 000167
【図１３５】
2017531464.tif 000168
【図１３６】
2017531464.tif 000169
【図１３７】
2017531464.tif 000170
【図１３８】
2017531464.tif 000171
【図１３９Ａ】
2017531464.tif 000172
【図１３９Ｂ】
2017531464.tif 000173
【図１３９Ｃ】
2017531464.tif 000174
【図１３９Ｄ】
2017531464.tif 000175
【図１３９Ｅ】
2017531464.tif 000176
【図１４０Ａ】
2017531464.tif 000177
【図１４０Ｂ】
2017531464.tif 000178
【図１４１】
2017531464.tif 000179
【図１４２Ａ】
2017531464.tif 000180
【図１４２Ｂ】
2017531464.tif 000181
【図１４３Ａ】
2017531464.tif 000182
【図１４３Ｂ】
2017531464.tif 000183
【図１４４】
2017531464.tif 000184
【図１４５】
2017531464.tif 000185
【図１４６Ａ】
2017531464.tif 000186
【図１４６Ｂ】
2017531464.tif 000187
【図１４７】
2017531464.tif 000188
【図１４８】
2017531464.tif 000189
【図１４９Ａ】
2017531464.tif 000190
【図１４９Ｂ】
2017531464.tif 000191
【図１５０】
2017531464.tif 000192
【図１５１】
2017531464.tif 000193
【図１５２Ａ】
2017531464.tif 000194
【図１５２Ｂ】
2017531464.tif 000195
【図１５３】
2017531464.tif 000196
【図１５４】
2017531464.tif 000197
【図１５５】
2017531464.tif 000198
【図１５６】
2017531464.tif 000199
【図１５７Ａ】
2017531464.tif 000200
【図１５７Ｂ】
2017531464.tif 000201
【図１５８】
2017531464.tif 000202
【図１５９】
2017531464.tif 000203
【図１６０】
2017531464.tif 000204
【図１６１】
2017531464.tif 000205
【図１６２】
2017531464.tif 000206
【図１６３】
2017531464.tif 000207
【図１６４】
2017531464.tif 000208
【図１６５】
2017531464.tif 000209
【図１６６】
2017531464.tif 000210
【図１６７】
2017531464.tif 000211
【図１６８】
2017531464.tif 000212
【図１６９】
2017531464.tif 000213
【図１７０】
2017531464.tif 000214
【図１７１】
2017531464.tif 000215
【図１７２】
2017531464.tif 000216
【図１７３】
2017531464.tif 000217
【図１７４】
2017531464.tif 000218
【図１７５Ａ】
2017531464.tif 000219
【図１７５Ｂ】
2017531464.tif 000220
【図１７５Ｃ】
2017531464.tif 000221
【図１７６】
2017531464.tif 000222
【図１７７】
2017531464.tif 000223
【図１７８】
2017531464.tif 000224
【図１７９】
2017531464.tif 000225
【図１８０】
2017531464.tif 000226
【図１８１】
2017531464.tif 000227
【図１８２】
2017531464.tif 000228
【図１８３】
2017531464.tif 000229
【図１８４】
2017531464.tif 000230
【図１８５】
2017531464.tif 000231
【図１８６】
2017531464.tif 000232
【図１８７】
2017531464.tif 000233
【図１８８】
2017531464.tif 000234
【図１８９】
2017531464.tif 000235
【図１９０】
2017531464.tif 000236
【図１９１】
2017531464.tif 000237
【図１９２】
2017531464.tif 000238
【図１９３】
2017531464.tif 000239
【図１９４】
2017531464.tif 000240
【図１９５】
2017531464.tif 000241
【図１９６】
2017531464.tif 000242
【図１９７】
2017531464.tif 000243
【図１９８】
2017531464.tif 000244
【図１９９】
2017531464.tif 000245
【図２００】
2017531464.tif 000246
【図２０１Ａ】
2017531464.tif 000247
【図２０１Ｂ】
2017531464.tif 000248
【図２０２】
2017531464.tif 000249
【図２０３】
2017531464.tif 000250
【図２０４】
2017531464.tif 000251
【図２０５】
2017531464.tif 000252
【図２０６】
2017531464.tif 000253
【図２０７】
2017531464.tif 000254
【図２０８】
2017531464.tif 000255
【図２０９】
2017531464.tif 000256
【図２１０】
2017531464.tif 000257
【図２１１】
2017531464.tif 000258
【図２１２】
2017531464.tif 000259
【図２１３】
2017531464.tif 000260
【図２１４】
2017531464.tif 000261
【図２１５】
2017531464.tif 000262
【図２１６Ａ】
2017531464.tif 000263
【図２１６Ｂ】
2017531464.tif 000264
【図２１７】
2017531464.tif 000265
【図２１８】
2017531464.tif 000266
【図２１９】
2017531464.tif 000267
【図２２０】
2017531464.tif 000268
【図２２１】
2017531464.tif 000269
【図２２２】
2017531464.tif 000270
【図２２３】
2017531464.tif 000271
【図２２４】
2017531464.tif 000272
【図２２５】
2017531464.tif 000273
【図２２６】
2017531464.tif 000274
【図２２７】
2017531464.tif 000275
【図２２８】
2017531464.tif 000276
【図２２９】
2017531464.tif 000277
【図２３０】
2017531464.tif 000278
【図２３１】
2017531464.tif 000279
【図２３２Ａ】
2017531464.tif 000280
【図２３２Ｂ】
2017531464.tif 000281
【図２３２Ｃ】
2017531464.tif 000282
【図２３３】
2017531464.tif 000283
【図２３４】
2017531464.tif 000284
【図２３５】
2017531464.tif 000285
【図２３６Ａ】
2017531464.tif 000286
【図２３６Ｂ】
2017531464.tif 000287
【図２３６Ｃ】
2017531464.tif 000288
【図２３６Ｄ】
2017531464.tif 000289
【図２３６Ｅ】
2017531464.tif 000290
【図２３６Ｆ】
2017531464.tif 000291
【図２３６Ｇ】
2017531464.tif 000292
【図２３７Ａ】
2017531464.tif 000293
【図２３７Ｂ】
2017531464.tif 000294
【図２３８】
2017531464.tif 000295
【図２３９Ａ】
2017531464.tif 000296
【図２３９Ｂ】
2017531464.tif 000297
【図２３９Ｃ】
2017531464.tif 000298
【図２４０Ａ】
2017531464.tif 000299
【図２４０Ｂ】
2017531464.tif 000300
【図２４１Ａ】
2017531464.tif 000301
【図２４１Ｂ】
2017531464.tif 000302
【図２４１Ｃ】
2017531464.tif 000303
【図２４２Ａ】
2017531464.tif 000304
【図２４２Ｂ】
2017531464.tif 000305
【図２４２Ｃ】
2017531464.tif 000306
【図２４２Ｄ】
2017531464.tif 000307
【図２４２Ｅ】
2017531464.tif 000308
【図２４２Ｆ】
2017531464.tif 000309
【図２４２Ｇ】
2017531464.tif 000310
【図２４３Ａ】
2017531464.tif 000311
【図２４３Ｂ】
2017531464.tif 000312
【図２４３Ｃ】
2017531464.tif 000313
【図２４４Ａ】
2017531464.tif 000314
【図２４４Ｂ】
2017531464.tif 000315
【図２４５Ａ】
2017531464.tif 000316
【図２４５Ｂ】
2017531464.tif 000317
【図２４５Ｃ】
2017531464.tif 000318
【図２４６】
2017531464.tif 000319
【図２４７Ａ】
2017531464.tif 000320
【図２４７Ｂ】
2017531464.tif 000321
【図２４７Ｃ】
2017531464.tif 000322
【図２４７Ｄ】
2017531464.tif 000323
【図２４８Ａ】
2017531464.tif 000324
【図２４８Ｂ】
2017531464.tif 000325
【図２４８Ｃ】
2017531464.tif 000326
【図２４９Ａ】
2017531464.tif 000327
【図２４９Ｂ】
2017531464.tif 000328
【図２４９Ｃ】
2017531464.tif 000329
【図２５０】
2017531464.tif 000330
【図２５１】
2017531464.tif 000331
【図２５２】
2017531464.tif 000332
【図２５３】
2017531464.tif 000333
【国際調査報告】
2017531464.tif 000334
2017531464.tif 000335
2017531464.tif 000336
2017531464.tif 000337
2017531464.tif 000338
2017531464.tif 000339
2017531464.tif 000340
2017531464.tif 000341
2017531464.tif 000342
2017531464.tif 000343
2017531464.tif 000344
2017531464.tif 000345
2017531464.tif 000346
2017531464.tif 000347
2017531464.tif 000348
2017531464.tif 000349